(57)【特許請求の範囲】
【請求項１】
第一の図柄表示手段と、
第二の図柄表示手段と、
複数種類の先読み予告を実行可能な先読み予告手段と、
前記第一の図柄表示手段の作動が保留されていることを示す保留数を報知可能な保留表示手段と、
を備えた遊技台であって、
前記保留表示手段は、保留表示の数によって前記保留数を報知する手段であり、
前記複数種類の先読み予告のうちの一の予告は、第一の先読み予告であり、
前記第一の先読み予告とは別の第二の先読み予告も前記複数種類の先読み予告のうちの一の予告であり、
前記先読み予告手段は、前記第一の先読み予告として連続予告を実行可能な手段であり、
前記連続予告が実行されている期間中に前記第二の図柄表示手段による図柄変動表示が割り込んで実行される場合に、該図柄変動表示の実行中にも該連続予告が継続されるように構成されており、
前記先読み予告手段は、前記連続予告として、前記保留表示を予告表示態様により表示させることが可能な手段であり、
前記第一の先読み予告は、前記第一の図柄表示手段に関する先読み予告であり、非時短状態においてのみ実行可能に構成されており、
前記第一の先読み予告は、確変状態および非確変状態の両方の状態で実行可能に構成されており、
時短状態よりも前記非時短状態の方が、前記第二の図柄表示手段において外れスーパーリーチが実行される確率が低くなるように構成されており、
リーチ演出を含まない外れ図柄変動表示よりも前記外れスーパーリーチの演出を含む外れ図柄変動表示の方が変動時間が長い、
ことを特徴とする遊技台。
【請求項２】
請求項１に記載の遊技台であって、
第一の始動領域と、
第二の始動領域と、
を備え、
前記第一の図柄表示手段は、前記第一の始動領域に遊技球の入賞があったことを一つの条件として、第一の図柄変動表示を開始可能な表示手段であり、
前記第二の図柄表示手段は、前記第二の始動領域に遊技球の入賞があったことを一つの条件として、第二の図柄変動表示を開始可能な表示手段であり、
前記第二の始動領域は、入り口の大きさが変化するように構成された領域であって、前記非時短状態よりも前記時短状態の方が、入り口の大きさが変化しやすいように構成された領域であり、
前記図柄変動表示は、前記非時短状態において実行可能な表示であり、前記時短状態においても実行可能な表示である、
ことを特徴とする遊技台。
【請求項３】
請求項２に記載の遊技台であって、
前記第二の図柄変動表示は、前記第一の図柄変動表示よりも優先して実行可能な図柄変動表示である、
ことを特徴とする遊技台。
【請求項４】
請求項２又は３に記載の遊技台であって、
前記第一の図柄表示手段および前記第二の図柄表示手段の制御を実行可能な制御手段を備え、
前記制御手段は、第一の保留条件の成立があった場合に、前記第一の図柄表示手段の作動を保留する制御を実行し、第二の保留条件の成立があった場合に、前記第二の図柄表示手段の作動を保留する制御を実行し、第一の保留消化条件の成立があった場合に、該第一の図柄表示手段を作動させる制御を実行し、第二の保留消化条件の成立があった場合に、該第二の図柄表示手段を作動させる制御を実行する手段であり、
前記第二の保留消化条件の成立要件は、前記第二の図柄表示手段の作動が保留されていることを含む要件であり、
前記第一の保留消化条件の成立要件は、前記第二の図柄表示手段の作動が保留されていないことを含む要件であり、前記第一の図柄表示手段の作動が保留されていることを含む要件である、
ことを特徴とする遊技台。
【請求項５】
請求項２乃至請求項４のうちいずれか１項に記載の遊技台であって、
前記先読み予告手段は、第一の先読み予告実行条件の成立があった場合に、前記第一の先読み予告を実行する手段であり、
前記第一の図柄変動表示および前記第二の図柄変動表示は、当否判定の結果に対応する図柄態様を、図柄の変動表示を行った後に停止表示する図柄変動表示であり、
前記第一の先読み予告実行条件は、前記第一の先読み予告の対象になる当否判定の結果が特定の当否判定結果となる場合であり、且つ第一の先読み予告条件が満たされた場合に、成立する条件である、
ことを特徴とする遊技台。
【請求項６】
請求項５に記載の遊技台であって、
前記第一の先読み予告条件は、第一の確率で当選となる第一の予告抽選が実行され、且つ該第一の予告抽選に当選した場合に、成立する条件である、
ことを特徴とする遊技台。
【請求項７】
請求項５又は６に記載の遊技台であって、
前記第一の先読み予告実行条件は、前記第一の先読み予告の対象になる当否判定の結果が前記特定の当否判定結果とは別の当否判定結果となる場合であり、且つ第二の先読み予告条件が満たされた場合に、成立する条件である、
ことを特徴とする遊技台。
【請求項８】
請求項７に記載の遊技台であって、
前記第二の先読み予告条件は、第二の確率で当選となる第二の予告抽選が実行され、且つ該第二の予告抽選に当選した場合に、成立する条件である、
ことを特徴とする遊技台。
【請求項９】
請求項２乃至請求項４のうちいずれか１項に記載の遊技台であって、
前記先読み予告手段は、第二の先読み予告実行条件の成立があった場合に、前記第二の先読み予告を実行する手段であり、
前記第一の図柄変動表示および前記第二の図柄変動表示は、当否判定の結果に対応する図柄態様を、図柄の変動表示を行った後に停止表示する図柄変動表示であり、
前記第二の先読み予告実行条件は、前記第二の先読み予告の対象になる当否判定の結果が特定の当否判定結果となる場合であり、且つ第三の先読み予告条件が満たされた場合に、成立する条件である、
ことを特徴とする遊技台。
【請求項１０】
請求項９に記載の遊技台であって、
前記第三の先読み予告条件は、第三の確率で当選となる第三の予告抽選が実行され、且つ該第三の予告抽選に当選した場合に、成立する条件である、
ことを特徴とする遊技台。
【請求項１１】
請求項９又は１０に記載の遊技台であって、
前記第二の先読み予告実行条件は、前記第二の先読み予告の対象になる当否判定の結果が前記特定の当否判定結果とは別の当否判定結果となる場合であり、且つ第四の先読み予告条件が満たされた場合に、成立する条件である、
ことを特徴とする遊技台。
【請求項１２】
請求項１１に記載の遊技台であって、
前記第四の先読み予告条件は、第四の確率で当選となる第四の予告抽選が実行され、且つ該第四の予告抽選に当選した場合に、成立する条件である、
ことを特徴とする遊技台。
【請求項１３】
請求項４に記載の遊技台であって、
前記先読み予告手段は、第一の先読み予告条件の成立があった場合に、前記第一の先読み予告を実行する手段であり、
前記制御手段は、当否判定を実行可能な当否判定手段を含む第一の制御手段であり、
前記第一の制御手段からのコマンドに基づいて制御を実行可能な第二の制御手段を備え、
前記第二の制御手段は、前記第一の制御手段とは別基板に設けられた制御手段であって、前記第一の先読み予告を行うかどうかを判定する判定手段を含む制御手段であり、
前記第一の先読み予告条件が成立した場合とは、前記判定手段が前記第一の先読み予告を行うと判定した場合のことである、
ことを特徴とする遊技台。
【請求項１４】
請求項４に記載の遊技台であって、
前記先読み予告手段は、第二の先読み予告条件の成立があった場合に、前記第二の先読み予告を実行する手段であり、
前記制御手段は、当否判定を実行可能な当否判定手段を含む第一の制御手段であり、
前記第一の制御手段からのコマンドに基づいて制御を実行可能な第二の制御手段を備え、
前記第二の制御手段は、前記第一の制御手段とは別基板に設けられた制御手段であって、前記第二の先読み予告を行うかどうかを判定する判定手段を含む制御手段であり、
前記第二の先読み予告条件が成立した場合とは、前記判定手段が前記第二の先読み予告を行うと判定した場合のことである、
ことを特徴とする遊技台。
【請求項１５】
請求項１３又は１４に記載の遊技台であって、
前記第一の保留条件は、前記第一の始動領域に入球したことを一つの要件として、成立する条件であり、
前記第二の始動領域は、電動チューリップであり、
前記第二の保留条件は、前記電動チューリップに入球したことを一つの要件として、成立する条件であり、
前記第一の制御手段は、前記電動チューリップの羽根部材の開閉動作を制御可能な制御手段であり、
前記第二の制御手段は、前記先読み予告手段を制御可能な制御手段である、
ことを特徴とする遊技台。
【請求項１６】
請求項１乃至請求項１５のうちいずれか１項に記載の遊技台であって、
前記連続予告は、複数回の図柄変動表示中に、同一の態様による前記保留表示が行われる予告である、
ことを特徴とする遊技台。
【請求項１７】
請求項１６に記載の遊技台であって、
前記連続予告は、前記複数回の図柄変動表示中に、前記保留表示が継続的に行われる予告である、
ことを特徴とする遊技台。
【請求項１８】
請求項１６に記載の遊技台であって、
前記保留表示は、消去条件が成立している期間は消去され、該期間が終了したことに応じて復帰表示される表示である、
ことを特徴とする遊技台。
【請求項１９】
請求項４に記載の遊技台であって、
前記連続予告の開始時期の一つは、前記第一の保留条件の成立の後である、
ことを特徴とする遊技台。
【請求項２０】
請求項１乃至請求項１９のうちいずれか１項に記載の遊技台であって、
第三の図柄表示手段と、
画像表示手段と、
を備え、
前記第三の図柄表示手段は、前記画像表示手段によって構成された表示手段であり、
前記画像表示手段は、前記第二の先読み予告として、予告画像を表示可能な手段である、
ことを特徴とする遊技台。
【発明の詳細な説明】
【技術分野】
【０００１】
本発明は、弾球遊技機（パチンコ機）や回胴遊技機（スロットマシン）に代表される遊技台に関する。
【背景技術】
【０００２】
パチンコ機などの遊技台では、遊技盤の遊技領域に遊技球の落下の方向に変化を与える障害物や、遊技球が入賞可能な入賞口、始動口、可変入賞口などを設けているのが一般的である。これらに遊技球が入賞すると賞球を払い出すなど遊技者に特典が与えられるようになっている。
【０００３】
このような遊技台において、抽選の結果が所定の結果である場合に、予告報知と称される演出を行う遊技台が知られている（例えば、特許文献１参照）。
【先行技術文献】
【特許文献】
【０００４】
【特許文献１】特開２００５−１１１１４９号公報
【発明の概要】
【発明が解決しようとする課題】
【０００５】
しかしながら、従来の遊技台は、予告報知について改良の余地がある。
【０００６】
本発明の目的は、先読み予告手段に特徴を持った遊技台を提供することにある。
【課題を解決するための手段】
【０００７】
上記目的を解決する本発明の遊技台は、
第一の図柄表示手段と、
第二の図柄表示手段と、
複数種類の先読み予告を実行可能な先読み予告手段と、
前記第一の図柄表示手段の作動が保留されていることを示す保留数を報知可能な保留表示手段と、
を備えた遊技台であって、
前記保留表示手段は、保留表示の数によって前記保留数を報知する手段であり、
前記複数種類の先読み予告のうちの一の予告は、第一の先読み予告であり、
前記第一の先読み予告とは別の第二の先読み予告も前記複数種類の先読み予告のうちの一の予告であり、
前記先読み予告手段は、前記第一の先読み予告として連続予告を実行可能な手段であり、
前記連続予告が実行されている期間中に前記第二の図柄表示手段による図柄変動表示が割り込んで実行される場合に、該図柄変動表示の実行中にも該連続予告が継続されるように構成されており、
前記先読み予告手段は、前記連続予告として、前記保留表示を予告表示態様により表示させることが可能な手段であり、
前記第一の先読み予告は、前記第一の図柄表示手段に関する先読み予告であり、非時短状態においてのみ実行可能に構成されており、
前記第一の先読み予告は、確変状態および非確変状態の両方の状態で実行可能に構成されており、
時短状態よりも前記非時短状態の方が、前記第二の図柄表示手段において外れスーパーリーチが実行される確率が低くなるように構成されており、
リーチ演出を含まない外れ図柄変動表示よりも前記外れスーパーリーチの演出を含む外れ図柄変動表示の方が変動時間が長い、
ことを特徴とする。
【発明の効果】
【０００８】
本発明によれば、先読み予告手段に特徴を持った遊技台を実現できる。
【図面の簡単な説明】
【０００９】
【図１】パチンコ機１００を正面側（遊技者側）から見た外観斜視図である。
【図２】遊技盤１０２を正面から見た略示正面図である。
【図３】図１に示すパチンコ機１００を背面側から見た外観斜視図である。
【図４】制御部の回路ブロック図を示したものである。
【図５】（ａ）は特図の停止表示態様の一例を示したものであり、（ｂ）は装飾図柄の一例を示したものである。
【図６】主制御部メイン処理の流れを示すフローチャートである。
【図７】主制御部タイマ割り込み処理の流れを示すフローチャートである。
【図８】第１特図始動口１２６に関する入賞受け付け処理の流れを示すフローチャートである。
【図９】主制御部３００のＲＡＭ３０８に設けられた保留情報記憶領域と事前判定情報記憶領域を示す図である。
【図１０】第２特図始動口１２８に関する入賞受け付け処理の流れを示すフローチャートである。
【図１１】普図始動口１２４および可変入賞口１３０に関する入賞受け付け処理の流れを示すフローチャートである。
【図１２】主制御部３００のＣＰＵ３０４が実行する普図関連抽選処理の流れを示すフローチャートである。
【図１３】（ａ）は、主制御部３００のＲＯＭ３０６が記憶している普図低確率用の判定テーブルを示す図であり、（ｂ）は、主制御部３００のＲＯＭ３０６が記憶している普図高確率用の判定テーブルを示す図である。
【図１４】主制御部３００のＣＰＵ３０４が実行する特図２関連抽選処理の流れを示すフローチャートである。
【図１５】（ａ）は、主制御部３００のＲＯＭ３０６が記憶している当たり判定テーブルを示す図であり、（ｂ）は、主制御部３００のＲＯＭ３０６が記憶している小当たり当選時の特図決定テーブルを示す図であり、（ｃ）は、主制御部３００のＲＯＭ３０６が記憶している、大当たり当選時のラウンド数決定テーブルを示す図であり、（ｄ）は、主制御部３００のＲＯＭ３０６が記憶している、大当たり当選時の特図高確率状態移行判定テーブルを示す図である。
【図１６】（ａ）は、主制御部３００のＲＯＭ３０６が記憶しているタイマ番号決定テーブルを示す図であり、（ｂ）は、主制御部３００のＲＯＭ３０６が記憶している擬似連タイマ番号決定テーブルを示す図である。
【図１７】主制御部３００のＣＰＵ３０４が実行する特図１関連抽選処理の流れを示すフローチャートである。
【図１８】（ａ）は副制御部メイン処理の流れを示すフローチャートであり、（ｂ）はコマンド入力処理の流れを示すフローチャートであり、（ｃ）は変動パターン選択処理の流れを示すフローチャートであり、（ｄ）は図柄停止処理の流れを示すフローチャートであり、（ｅ）はストローブ割り込み処理の流れを示すフローチャートであり、（ｆ）はチャンスボタン割り込み処理の流れを示すフローチャートであり、（ｇ）は変数更新割り込み処理の流れを示すフローチャートである。
【図１９】演出データ選択処理の流れを示すフローチャートである。
【図２０】図１９に示す予告演出抽選処理の流れを示すフローチャートである。
【図２１】副制御部４００のＲＡＭ４０８に設けられた連続予告実行記憶部を示す図である。
【図２２】当たり系予告抽選テーブルを示す図である。
【図２３】ハズレ系予告抽選テーブルを示す図である。
【図２４】（ａ）は、副制御部４００のＲＯＭ４０６に記憶されている予告判定テーブルを示す図であり、（ｂ）は、ステップＳ５０１１ｅにおいて当選番号３に基づく予告データがセットされた連続予告実行記憶部を示す図である。
【図２５】特図高確率状態が維持されている場合の入賞順変動の一例を示した図である。
【図２６】確変転落が途中で起こった場合の入賞順変動の一例を示した図である。
【図２７】特図低確率状態から特図高確率状態へ途中で移行した場合の入賞順変動の一例を示した図である。
【図２８】（ａ）は、主制御部３００のＲＯＭ３０６に記憶された、大当たり終了後の時短回数抽選テーブルを示す図であり、（ｂ）は、第２実施例における主制御部３００のＲＡＭ３０８に設けられた事前判定情報記憶領域を示す図である。
【図２９】封入式パチンコ演出装置が設けられたスロットマシンを示す図である。
【発明を実施するための形態】
【００１０】
以下、図面を用いて、本発明の実施例１に係るパチンコ機（遊技台）について詳細に説明する。
【００１１】
まず、図１を用いて、本発明の実施例１に係るパチンコ機１００の全体構成について説明する。なお、同図はパチンコ機１００を正面側（遊技者側）から見た外観斜視図である。
【００１２】
パチンコ機１００は、ガラス製または樹脂製の透明板部材１５２および透明部材保持枠１５４からなるガラス枠１５６の奥側に、その透明板部材１５２を通して視認可能に配設した後述する遊技盤（盤面）１０２を備えている。この遊技盤１０２は、外枠１０１に対して開閉自在に設けられた内枠１０３に取り付けられている。なお、いずれも図示省略したが、パチンコ機１００には、ガラス枠１５６が開放したことを検知するガラス枠開放センサや、内枠１０３が開放したことを検知する内枠開放センサが設けられている。
【００１３】
ガラス枠１５６の下方には、後述する発射モータ６０２によって回動する発射杆１３８と、この発射杆１３８の先端部に取り付けて球を後述する遊技領域１０４に向けて打ち出す発射槌１４０と、この発射槌１４０によって打ち出す球を後述する外レール１０６に導くための発射レール１４２と、球を一時的に貯留すると共に、貯留している球を順次、発射レール１４２に供給するための貯留皿１４４と、遊技者による押下操作が可能であり、所定の時期にその操作を検出した場合に後述する装飾図柄表示装置１１０等による演出表示を変化させるための演出ボタン１４６を配設している。
【００１４】
また、発射杆１３８および発射槌１４０の下方には、発射杆１３８を制御して遊技領域１０４に向けて球の発射強度の操作を行うための操作ハンドル１４８を配設していると共に、貯留皿１４４の下方には、貯留皿１４４に貯留できない溢れ球を貯留するための下皿１５０を設けている。貯留皿１４４と下皿１５０を結ぶ内部経路の下皿近傍には、不図示の下皿満タンセンサが設けられている。下皿満タンセンサからが下皿１５０が満杯になると下皿満タンエラーが出力される。
【００１５】
図２は、遊技盤１０２を正面から見た略示正面図である。
【００１６】
遊技盤１０２には、外レール１０６と内レール１０８とを配設し、遊技球（以下、単に「球」と称する場合がある。）が転動可能な遊技領域１０４を区画形成している。
【００１７】
遊技領域１０４の略中央には、演出装置２００を配設している。この演出装置２００には、略中央に横長の装飾図柄表示装置１１０を配設し、その周囲に、普通図柄表示装置１１２と、２種類の特別図柄表示装置である第１特別図柄表示装置１９８および第２特別図柄表示装置１１４と、普通図柄保留ランプ１１６と、２種類の特別図柄保留ランプである第１特別図柄保留ランプ１９９および第２特別図柄保留ランプ１１８と、高確中ランプ１２０を配設している。なお、以下、普通図柄を「普図」、特別図柄を「特図」と称する場合がある。
【００１８】
演出装置２００は、可動部を動作して演出を行うものであり、詳細については後述する
。
【００１９】
装飾図柄表示装置１１０は、装飾図柄（図５（ｂ）参照）ならびに演出に用いる様々な画像を表示するための表示装置であり、本実施例では液晶表示装置（Ｌｉｑｕｉｄ  Ｃｒｙｓｔａｌ  Ｄｉｓｐｌａｙ）によって構成する。この装飾図柄表示装置１１０は、表示画面を、左図柄表示領域１１０ａ、中図柄表示領域１１０ｂ、右図柄表示領域１１０ｃおよび演出表示領域１１０ｄの４つの表示領域に分割し、左図柄表示領域１１０ａ、中図柄表示領域１１０ｂおよび左図柄表示領域１１０ｃはそれぞれ異なった装飾図柄を表示し、演出表示領域１１０ｄは演出に用いる画像を表示する。さらに、各表示領域１１０ａ、１１０ｂ、１１０ｃ、１１０ｄの位置や大きさは、装飾図柄表示装置１１０の表示画面内で自由に変更することを可能としている。この装飾図柄表示装置１１０が本発明にいう図柄表示部の一例に相当する。
【００２０】
なお、装飾図柄表示装置１１０は、液晶表示装置に代えて、ドットマトリクス表示装置、７セグメント表示装置、ＥＬ（ＥｌｅｃｔｒｏＬｕｍｉｎｅｓｃｅｎｃｅ）表示装置、ドラム式表示装置、リーフ式表示装置等他の表示デバイスを採用してもよい。
【００２１】
普図表示装置１１２は、普図（図５（ｃ）参照）の表示を行うための表示装置であり、本実施例では７セグメントＬＥＤによって構成する。第１特図表示装置１９８および第２特図表示装置１１４はいずれも、特図（図５（ａ）参照）の表示を行うための表示装置であり、本実施例では７セグメントＬＥＤによって構成する。以下、第１特図表示装置１９８によって表示される図柄を特図１と称するとともに、第２特図表示装置１１４によって表示される図柄を特図２と称することがある。
【００２２】
普図保留ランプ１１６は、保留している普図変動遊技（詳細は後述）の数を示すためのランプであり、本実施例では、普図変動遊技を２つまで保留することを可能としている。第１特図保留ランプ１９９は、保留している特図１変動遊技（詳細は後述）の数を示すためのランプであり、本実施例では、特図１変動遊技を４つまで保留することを可能としている。第２特図保留ランプ１１８は、保留している特図２変動遊技（詳細は後述）の数を示すためのランプであり、本実施例では、特図２変動遊技を４つまで保留することを可能としている。高確中ランプ１２０は、遊技状態が特図高確率状態（後述する大当たり遊技の当選確率を通常の確率よりも高く設定した遊技状態）であること、または特図高確率状態になることを示すためのランプであり、遊技状態を特図低確率状態（後述する大当たり遊技の当選確率を通常の確率に設定した遊技状態）から特図高確率状態にする場合に点灯し、特図高確率状態から特図低確率状態にする場合に消灯する。
【００２３】
また、演出装置２００の周囲には、一般入賞口１２２と、普図始動口１２４と、第１特図始動口１２６と、第２特図始動口１２８と、可変入賞口１３０を配設している。一般入賞口１２２は、本実施例では遊技盤１０２に複数配設しており、この一般入賞口１２２への入球を所定の球検出センサ（一般入賞口センサ）が検出した場合（一般入賞口１２２に入賞した場合）、後述する払出装置５５２を駆動し、所定の個数（本実施例では１０個）の球を賞球として図１に示す貯留皿１４４に排出する。貯留皿１４４に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２４】
普図始動口１２４は、ゲートやスルーチャッカーと呼ばれる。この普図始動口１２４に入球した球は、遊技領域のうち、その普図始動口１２４からつながる所定領域を通過する
。この普図始動口１２４に入球した球は一般入賞口１２２に入球した球と違って、遊技島側に排出することはない。遊技盤１０２には、上記所定領域を通過する球を検出する所定の球検出センサ（ゲートセンサ）が設けられており、そのゲートセンサが遊技球を検出した場合、パチンコ機１００は、普図表示装置１１２による普図変動遊技を開始する。
【００２５】
第１特図始動口１２６は、本実施例では遊技盤１０２の中央に１つだけ配設している。第１特図始動口１２６への入球を所定の球検出センサ（第１始動口センサ）が検出した場合、後述する払出装置５５２を駆動し、所定の個数（本実施例では３個）の球を賞球として図１に示す貯留皿１４４に排出するとともに、第１特図表示装置１９８による特図１変動遊技を開始する。なお、第１特図始動口１２６に入球した球は、パチンコ機１００の裏側に誘導した後、遊技島側に排出する。
【００２６】
第２特図始動口１２８は、本実施例では第１特図始動口１２６の真下に１つだけ配設している。第２特図始動口１２８の近傍には、ソレノイドによって左右に開閉自在な一対の羽根部材１２８１が設けられており、一対の羽根部材１２８１と第２特図始動口１２８を併せて、電動チューリップ（電チュー）と呼ばれることがある。一対の羽根部材１２８１は、第２特図始動口１２８への入賞の難易度を変更する部材である。すなわち、一対の羽根部材１２８１が閉鎖したままでは第２特図始動口１２８への入球は不可能である。一方、普図変動遊技に当選し、普図表示装置１１２が当たり図柄を停止表示した場合には、一対の羽根部材１２８１が所定の時間間隔で所定回数開閉し、第２特図始動口１２８への球の入球が可能になる。第２特図始動口１２８への入球を所定の球検出センサ（第２始動口センサ）が検出した場合、後述する払出装置５５２を駆動し、所定の個数（本実施例では５個）の球を賞球として図１に示す貯留皿１４４に排出するとともに、第２特図表示装置１１４による特図変動遊技を開始する。なお、第２特図始動口１２８に入球した球は、パチンコ機１００の裏側に誘導した後、遊技島側に排出する。
【００２７】
以上説明した第１始動口センサや第２始動口センセが設けられた領域が、本発明にいう所定領域の一例に相当する。
【００２８】
可変入賞口１３０は、本実施例では遊技盤１０２の中央部下方に１つだけ配設している。この可変入賞口１３０は、ソレノイドによって開閉自在な扉部材１３０１によって入球可能状態になったり、入球不能状態になったりする。すなわち、その扉部材１３０１の閉鎖中は可変入賞口１３０への入球は不可能であるが、特図１変動遊技に当選し、第１特図表示装置１９８が大当たり図柄を停止表示した場合、または、特図２変動遊技に当選し、第２特図表示装置１１４が大当たり図柄を停止表示した場合には、扉部材１３０１が所定の時間間隔、所定の回数で開閉し、可変入賞口１３０への入球が可能になる。本実施例のパチンコ機１００では、扉部材１３０１が、開放時間２９秒、閉鎖時間１．５秒の開閉動作（ただし可変入賞口１３０に１０個目の入球があった時点で閉鎖）を、１５回連続で行う場合（以下、この場合を１５ラウンドと称する）と、開放時間０．９秒、閉鎖時間０．２秒の開閉動作を、２回連続で行う場合（以下、この場合を２ラウンドと称する）とがある。可変入賞口１３０は大入賞口と呼ばれることがあり、扉部材１３０１と可変入賞口１３０を併せてアタッカと呼ばれることがある。可変入賞口１３０への入球を所定の球検出センサ（カウントセンサ）が検出した場合、後述する払出装置５５２を駆動し、所定の個数（本実施例では１５球）の球を賞球として図１に示す貯留皿１４４に排出する。なお、可変入賞口１３０に入球した球は、パチンコ機１００の裏側に誘導した後、遊技島側に排出する。
【００２９】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後
、遊技島側に排出するためのアウト口１３６を設けている。
【００３０】
このパチンコ機１００は、遊技者が貯留皿１４４に貯留している球を発射レール１４２の発射位置に供給し、遊技者の操作ハンドル１４８の操作量に応じた強度で発射モータ６０２を駆動し、発射杆１３８および発射槌１４０によって外レール１０６、内レール１０８を通過させて遊技領域１０４に打ち出す。ここで、射幸性を低下させない目的、または、部材の耐久性を維持させるために、たとえば、１分間に１００発以上発射できないように構成されている。そして、遊技領域１０４の上部に到達した球は、打球方向変換部材１３２や遊技釘１３４等によって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。発射された遊技球が始動口に到達するまでの時間は、始動口の位置や、遊技釘１３４、打球方向変換部材１３２等の障害物の配置によって変わるが、盤面略中央に設けられた始動口にはどんなに早くても数秒（たとえば２秒）程度はかかる。
【００３１】
＜演出装置＞
次に、パチンコ機１００の演出装置２００について説明する。
【００３２】
この演出装置２００の前面側には、ワープ装置２３０および前面ステージ２３４を配設し、演出装置２００の背面側には、装飾図柄表示装置１１０および遮蔽手段２５０を配設している。すなわち、演出装置２００において、装飾図柄表示装置１１０および遮蔽手段２５０は、ワープ装置２３０および前面ステージ２３４の後方に位置することとなる。
【００３３】
ワープ装置２３０は、演出装置２００の左上方に設けた入球口２３２に入った遊技球を演出装置２００の前面下方の前面ステージ２３４に排出し、さらに、前面ステージ２３４に排出した遊技球が前面ステージ２３４の中央部後方に設けた第２の入球口２３６に入った場合は、遊技球を、第１特図始動口１２６の上方である演出装置２００の下部中央に設けた排出口２３８から第１特図始動口１２６に向けて排出するものである。この排出口２３８から排出した遊技球は第１特図始動口１２６に入球しやすくなっている。
【００３４】
遮蔽手段２５０は、格子状の左扉２５０ａおよび右扉２５０ｂからなり、装飾図柄表示装置１１０および前面ステージ２３４の間に配設する。左扉２５０ａおよび右扉２５０ｂの上部には、図示しない２つのプーリに巻き回したベルトをそれぞれ固定している。すなわち、左扉２５０ａおよび右扉２５０ｂは、モータによりプーリを介して駆動するベルトの動作に伴って左右にそれぞれ移動する。遮蔽手段２５０は、左右扉２５０ａ、２５０ｂを閉じた状態ではそれぞれの内側端部が重なり、遊技者が装飾図柄表示装置１１０を視認し難いように遮蔽する。左右扉２５０ａ、２５０ｂを開いた状態ではそれぞれの内側端部が装飾図柄表示装置１１０の表示画面の外側端部と若干重なるが、遊技者は装飾図柄表示装置１１０の表示の全てを視認可能である。また、左右扉２５０ａ、２５０ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左右扉２５０ａ、２５０ｂは、格子の孔から後方の装飾図柄表示装置１１０の一部を視認可能にしてもよいし、格子の孔の障子部分を半透明のレンズ体で塞ぎ、後方の装飾図柄表示装置１１０による表示を漠然と遊技者に視認させるようにしてもよいし、格子の孔の障子部分を完全に塞ぎ（遮蔽し）、後方の装飾図柄表示装置１１０を全く視認不可にしてもよい。
【００３５】
図３は、図１に示すパチンコ機１００を背面側から見た外観斜視図である。
【００３６】
パチンコ機１００の背面上部には、上方に開口した開口部を有し、球を一時的に貯留するための球タンク１５１と、この球タンク１５１の下方に位置し、球タンク１５１の底部に形成した連通孔を通過して落下する球を背面右側に位置する払出装置５５２に導くためのタンクレール１５３とを配設している。
【００３７】
払出装置５５２は、筒状の部材からなり、その内部には、スプロケット１５７と払出センサ１５８とを備えている。
【００３８】
スプロケット１５７は、モータによって回転可能に構成されており、タンクレール１５３を通過して払出装置５５２内に落下した球を一時的に滞留させると共に、モータを駆動して所定角度だけ回転することにより、一時的に滞留した球を払出装置５５２の下方へ１個ずつ送り出すように構成している。
【００３９】
払出センサ１５８は、スプロケット１５７が送り出した球の通過を検知するためのセンサであり、球が通過しているときにオンの信号を出力し、球が通過していないときはオフの信号を出力する。なお、この払出センサ１５８を通過した球は、図示しない球レールを通過してパチンコ機１００の表側に配設した貯留皿１４４に到達するように構成しており、パチンコ機１００は、この構成により遊技者に対して球の払い出しを行う。
【００４０】
図３に示す球タンク１５１の右側には、後述するインタフェース部５５６等を構成する外部集中端子板１５５が配設されている。
【００４１】
払出装置５５２の左側には、後述する主制御部３００を構成する主基板１６１と、後述する副制御部４００を構成するサブ基板１６４とを配設している。また、これら主基板１６１やサブ基板１６４の下方には、後述する発射制御部６００を構成する発射基板１６６と、後述する電源管理部６５０を構成する電源基板１６２と、後述する払出制御部５５０を構成する払出基板１６５と、この払出基板１６５に接続したＣＲインターフェース部１６３とを配設している。電源基板１６２には、電源スイッチ１６２１、リセットスイッチ１６２２、およびＲＡＭクリアスイッチ１６２３が設けられている。図３に示す電源スイッチ１６２１は、このパチンコ機１００の主電源操作子である。また、後述するように、このパチンコ機１００には起動信号出力回路（リセット信号出力回路）３３８（図４参照）が設けられている。この起動信号出力回路（リセット信号出力回路）３３８は、電源が投入されると起動信号（リセット信号）を出力する他、電源投入にかかわらず、図３に示すリセットスイッチ１６２２がオンされた場合にも起動信号（リセット信号）を出力する。ＲＡＭクリアスイッチ１６２３がオンされると、ＲＡＭクリア信号はオンになり、後述するように、主制御部３００に設けられたＲＡＭ３０８の全ての記憶領域の初期化が行われる。さらに、主基板１６１やサブ基板１６４の上方には、後述する装飾図柄表示制御部５００が配設されている。
【００４２】
＜制御部＞
次に、図４を用いて、このパチンコ機１００の制御部の回路構成について詳細に説明する。なお、同図は制御部の回路ブロック図を示したものである。
【００４３】
パチンコ機１００の制御部は、大別すると、遊技の中枢部分を制御する主制御部３００と、主制御部３００が送信するコマンド信号（以下、単に「コマンド」と呼ぶ）に応じて、主に演出の制御を行う副制御部４００と、主制御部３００が送信するコマンドに応じて、主に遊技球の払い出しに関する制御を行う払出制御部５５０と、遊技球の発射制御を行う発射制御部６００と、パチンコ機１００に供給される電源を制御する電源管理部６５０によって構成されている。
【００４４】
＜主制御部＞
まず、パチンコ機１００の主制御部３００について説明する。
【００４５】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ（ＲＷＭ）３０８と、各種デバイスの入出力を制御するためのＩ／Ｏ３１０と、時間や回数等を計測するためのカウンタタイマ３１２と、プログラム処理の異常を監視するＷＤＴ３１３を搭載している。なお、ＲＯＭ３０６やＲＡＭ３０８については他の記憶手段を用いてもよく、この点は後述する副制御部４００についても同様である。この基本回路３０２のＣＰＵ３０４は、水晶発振器３１４ｂが出力する所定周期のクロック信号をシステムクロックとして入力して動作する。
【００４６】
また、基本回路３０２には、水晶発振器３１４ａが出力するクロック信号を受信する度に０〜６５５３５の範囲で数値を変動させるハードウェア乱数カウンタとして使用しているカウンタ回路３１６（この回路には２つのカウンタを内臓しているものとする）と、各種センサ３１８が出力する信号を受信し、増幅結果や基準電圧との比較結果をカウンタ回路３１６および基本回路３０２に出力するためのセンサ回路３２０と、第１特図表示装置１９８および第２特図表示装置１１４の表示制御を行うための表示回路３２２と、普図表示装置１１２の表示制御を行うための表示回路３２４と、各種状態表示部３２６（普図保留ランプ１１６、第１特図保留ランプ１９９、第２特図保留ランプ１１８、高確中ランプ１１８等）の表示制御を行うための表示回路３２８と、第２特図始動口１２８や可変入賞口１３０等を開閉駆動する各種ソレノイド３３０を制御するためのソレノイド回路３３２を接続している。図４に示す各種センサ３１８には、上述のガラス枠開放センサや内枠開放センサや下皿満タンセンサ等、また球検出センサである上述の一般入賞口センサ、ゲートセンサ、第１始動口センサ、第２始動口センサ、カウントセンサ等が含まれる。
【００４７】
なお、第１特図始動口１２６に球が入賞したことを第１始動口センサである球検出センサ３１８が検出した場合には、センサ回路３２０は球を検出したことを示す信号をカウンタ回路３１６に出力する。この信号を受信したカウンタ回路３１６は、第１特図始動口１２６に対応するカウンタのそのタイミングにおける値をラッチし、ラッチした値を、第１特図始動口１２６に対応する内蔵のカウンタ値記憶用レジスタに記憶する。また、カウンタ回路３１６は、第２特図始動口１２８に球が入賞したことを示す信号を受信した場合も同様に、第２特図始動口１２８に対応するカウンタのそのタイミングにおける値をラッチし、ラッチした値を、第２特図始動口１２８に対応する内蔵のカウンタ値記憶用レジスタに記憶する。
【００４８】
さらに、基本回路３０２には、情報出力回路３３４を接続しており、主制御部３００は、この情報出力回路３３４を介して、情報入力回路６５２にパチンコ機１００の遊技情報を出力する。この遊技情報には、特図１変動遊技や特図２変動遊技の保留数、特図の変動表示回数等の情報や、遊技状態を表す情報等が含まれている。図４に示す情報入力回路６５２は、本実施例のパチンコ機１０の周囲に設置される不図示のデータ表示器に備えられた回路である。データ表示器は、遊技者に大当たり回数や、特図の変動表示回数等を表示するものである。このデータ表示器は、不図示の遊技店コンピュータに接続されている。
【００４９】
また、主制御部３００には、電源管理部６５０から主制御部３００に供給している電源の電圧値を監視する電圧監視回路３３６を設けており、この電圧監視回路３３６は、電源の電圧値が所定の値（本実施例では９ｖ）未満である場合に電圧が低下したことを示す低電圧信号を基本回路３０２に出力する。
【００５０】
また、主制御部３００には、電源が投入されると起動信号（リセット信号）を出力する起動信号出力回路（リセット信号出力回路）３３８を設けており、ＣＰＵ３０４は、この起動信号出力回路３３８から起動信号を入力した場合に、後述する主制御部メイン処理を開始する。
【００５１】
また、主制御部３００は、副制御部４００にコマンドを送信するための出力インタフェースと、払出制御部５５０にコマンドを送信するための出力インタフェースをそれぞれ備えており、この構成により、副制御部４００および払出制御部５５０との通信を可能としている。なお、主制御部３００と副制御部４００および払出制御部５５０との情報通信は一方向の通信であり、主制御部３００は副制御部４００および払出制御部５５０にコマンド等の信号を送信できるように構成しているが、副制御部４００および払出制御部５５０からは主制御部３００にコマンド等の信号を送信できないように構成している。
【００５２】
＜副制御部＞
次に、パチンコ機１００の副制御部４００について説明する。
【００５３】
副制御部４００は、主に主制御部３００が送信したコマンド等に基づいて副制御部４００の全体を制御する基本回路４０２を備えており、この基本回路４０２には、ＣＰＵ４０４と、制御プログラムや各種データを記憶するためのＲＯＭ４０６と、一時的にデータを記憶するためのＲＡＭ（ＲＷＭ）４０８と、各種デバイスの入出力を制御するためのＩ／Ｏ４１０と、時間や回数等を計測するためのカウンタタイマ４１２を搭載している。この基本回路４０２のＣＰＵ４０４は、水晶発振器４１４が出力する所定周期のクロック信号をシステムクロックとして入力して動作する。
【００５４】
また、基本回路４０２には、スピーカ４１６（およびアンプ）の制御を行うための音源ＩＣ４１８と、各種ランプ４２０の制御を行うための表示回路４２２と、演出装置２００の演出用可動体等を駆動する駆動装置であるソレノイドまたはモータ等が含まれる各種演出用駆動装置４２４の制御を行うための演出用駆動装置制御回路４２６と、装飾図柄表示装置（液晶表示装置）１１０および遮蔽手段２５０の制御を行うための装飾図柄表示制御部５００と、チャンスボタン１４６の押下を検出して信号を出力するチャンスボタン検出回路３８０を接続している。
【００５５】
＜払出制御部、発射制御部、電源管理部＞
次に、パチンコ機１００の払出制御部５５０、発射制御部６００、電源管理部６５０について説明する。
【００５６】
払出制御部５５０は、主に主制御部３００が送信したコマンド等の信号に基づいて払出装置５５２を制御すると共に、払出センサ５５４が出力する制御信号に基づいて賞球または貸球の払い出しが完了したか否かを検出すると共に、インタフェース部５５６を介して、パチンコ機１００とは別体で設けられたカードユニット６５４との通信を行う。
【００５７】
発射制御部６００は、払出制御部５５０が出力する、発射許可または停止を指示する制御信号や、操作ハンドル１４８内に設けた発射強度出力回路が出力する、遊技者による発射ハンドル１４８の操作量に応じた発射強度を指示する制御信号に基づいて、発射杆１３８および発射槌１４０を駆動する発射モータ６０２の制御や、貯留皿１４４から発射レール１４２に球を供給する球送り装置６０４の制御を行う。
【００５８】
電源管理部６５０は、パチンコ機１００に外部から供給される交流電源を直流化し、所定の電圧に変換して主制御部３００、副制御部４００等の各制御部や払出装置５５２等の各装置に供給する。さらに、電源管理部６５０は、外部からの電源が断たれた後も所定の
部品（例えば主制御部３００のＲＡＭ３０８等）に所定の期間（例えば１０日間）電源を供給するための蓄電回路（例えばコンデンサ）を備えている。
【００５９】
＜図柄の種類＞
次に、図５（ａ）〜（ｃ）を用いて、パチンコ機１００の第１特図表示装置１９８、第２特図表示装置１１４、装飾図柄表示装置１１０、普図表示装置１１２が停止表示する特図および普図の種類について説明する。
【００６０】
図５（ａ）は特図の停止表示図柄の一例を示したものである。第１特図始動口１２６に球が入球したことを上述の第１始動口センサが検出したことに基づいて、第１特図表示装置１９８は、７個のセグメントの全消灯と、中央の１個のセグメントの点灯を繰り返す「特図の変動表示」を開始する。そして、第１特図表示装置１９８の変動開始前に決定した変動時間が経過すると、第１特図表示装置１９８は、特図１変動遊技の当選を報知する場合には「特図Ａ」、「特図Ｂ」、「特図Ｃ」、「特図Ｄ」、「特図Ｅ」または「特図Ｆ」を停止表示し、特図１変動遊技の外れを報知する場合には「特図Ｇ」を停止表示する。なお、図中の白抜きの部分が消灯するセグメントの場所を示し、黒塗りの部分が点灯するセグメントの場所を示している（以下、同じ）。
【００６１】
また、第２特図始動口１２８に球が入球したことを上述の第２始動口センサが検出したことに基づいて、第２特図表示装置１１４も、７個のセグメントの全点灯と、中央の１個のセグメントの点灯を繰り返す「特図の変動表示」を開始する。そして、第２特図表示装置１１４の変動開始前に決定した変動時間が経過すると、第２特図表示装置１１４も、特図２変動遊技の当選を報知する場合には「特図Ａ」、「特図Ｂ」、「特図Ｃ」、「特図Ｄ」、「特図Ｅ」または「特図Ｆ」を停止表示し、特図２変動遊技の外れを報知する場合には「特図Ｇ」を停止表示する。
【００６２】
図５（ａ）に示す「特図Ａ」は１５ラウンド（１５Ｒ）特別大当たり図柄であり、「特図Ｂ」は１５Ｒ大当たり図柄である。また、「特図Ｃ」は２ラウンド（２Ｒ）特別大当たり図柄であり、「特図Ｄ」は２ラウンド（２Ｒ）大当たり図柄である。本実施例のパチンコ機１００では、後述するように、特図変動遊技における大当たりか否かの決定はハードウェア乱数の抽選によって行い、特別大当たりか否かの決定はソフトウェア乱数の抽選によって行う。大当たりと特別大当たりの違いは、次回の特図変動遊技で、大当たりに当選する確率が高い（特別大当たり）か低い（大当たり）かの違いである。大当たり遊技でも特別大当たり遊技でも、図２に示す可変入賞口１３０の扉部材１３０１が開閉動作を所定回数連続で行う。「特図Ａ」および「特図Ｂ」が停止表示されると、図２に示す可変入賞口１３０の扉部材１３０１が、開放時間２９秒、閉鎖時間１．５秒の開閉動作（ただし可変入賞口１３０に１０個目の入球があった時点で閉鎖）を１５回連続で行う。一方、「特図Ｃ」および「特図Ｄ」が停止表示されると、図２に示す可変入賞口１３０の扉部材１３０１が、開放時間０．９秒、閉鎖時間０．２秒の開閉動作を２回連続で行う。以下、可変入賞口１３０における扉部材１３０１の開放・閉鎖制御を開始し、可変入賞口１３０に所定数の入球があるまで、その扉部材１３０１の開閉動作を２以上の所定回数繰り返して、開放・閉鎖制御を終了するまでの間を「大当たり遊技（状態）」という。なお、１５Ｒ大当たり（１５Ｒ特別大当たりを含む）であっても２Ｒ大当たり（２Ｒ特別大当たりを含む）であっても、大当たり遊技中には非時短状態になり、大当たり遊技終了後には時短状態になる。本実施例では、１５Ｒ特別大当たり、１５Ｒ大当たり、２Ｒ特別大当たり、および２Ｒ大当たりはいずれもいわゆる時短付きの大当たりである。時短についての詳しい説明は後述する。
【００６３】
一方、図５（ａ）に示す「特図Ｅ」は第１小当たり図柄であり、「特図Ｆ」は第２小当たり図柄である。ここにいう小当たりは、時短無しである点を除いて２Ｒ大当たりと同じ
ものに相当する。すなわち、第１および第２小当たり遊技中にも非時短状態になるが、第１および第２小当たり遊技終了後にもその非時短状態が維持される。また、「特図Ｇ」は外れ図柄である。
【００６４】
なお、本実施例のパチンコ機１００には、１５Ｒ特別大当たり図柄として「特図Ａ」以外の図柄も用意されており、１５Ｒ大当たり図柄等の他の図柄についても同様である。また、特図の停止表示図柄として、時短無しの、１５Ｒ特別大当たりや１５Ｒ大当たりや２Ｒ特別大当たりや２Ｒ大当たりを用意しておいてもよい。
【００６５】
図５（ｂ）は装飾図柄の一例を示したものである。本実施例の装飾図柄には、「装飾１」〜「装飾１０」の１０種類がある。特図１変動遊技あるいは特図２変動遊技が開始すると、装飾図柄表示装置１１０の左図柄表示領域１１０ａ、中図柄表示領域１１０ｂ、右図柄表示領域１１０ｃの各図柄表示領域に、「装飾１」→「装飾２」→「装飾３」→・・・・「装飾９」→「装飾１０」→「装飾１」→・・・の順番で表示を切り替える「装飾図柄の変動表示」を行う。そして、１５Ｒ大当たりを報知する場合には、図柄表示領域１１０ａ〜１１０ｃに１５Ｒ大当たりに対応する図柄組合せ（本実施形態では、同一の数字の装飾図柄の組合せ（例えば、「装飾２−装飾２−装飾２」））を停止表示し、１５Ｒ特別大当たりを報知する場合には、１５Ｒ特別大当たりに対応する図柄組合せ（本実施形態では、同一の奇数番号数字の装飾図柄の組合せ（例えば、「装飾１−装飾１−装飾１」））を停止表示する。また、２Ｒ特別大当たり、２Ｒ大当たり、第１小当たり、および第２小当たりを報知する場合には、図柄表示領域１１０ａ〜１１０ｃに、それらに対応する図柄組合せ（例えば、「装飾１−装飾２−装飾３」）を停止表示する。一方、外れを報知する場合には、図柄表示領域１１０ａ〜１１０ｃに図３（ｂ）に示す図柄組合せ以外の図柄組合せを停止表示する。すなわち、装飾図柄表示装置１１０が、特図１変動遊技の抽選結果および特図２変動遊技の抽選結果を報知する。
【００６６】
なお、ここでは図示省略したが、普図表示装置１１２についても、当たり図柄と外れ図柄の２種類が用意されている。普図始動口１２４を球が通過したことをゲートセンサが検出したことを条件として普図表示遊技が開始される。普図表示遊技が開始されると、普図表示装置１１２は、７個のセグメントの全点灯と、中央の１個のセグメントの点灯を繰り返す「普図の変動表示」を行う。そして、普図変動遊技の当選を報知する場合には当たり図柄を停止表示し、普図変動遊技の外れを報知する場合には外れ図柄を停止表示する。
【００６７】
＜主制御部メイン処理＞
次に、図６を用いて、主制御部３００のＣＰＵ３０４が実行する主制御部メイン処理について説明する。なお、同図は主制御部メイン処理の流れを示すフローチャートである。
【００６８】
上述したように、主制御部３００には、電源が投入されると起動信号（リセット信号）を出力する起動信号出力回路（リセット信号出力回路）３３８を設けている。この起動信号を入力した基本回路３０２のＣＰＵ３０４は、リセット割り込みによりリセットスタートしてＲＯＭ３０６に予め記憶している制御プログラムに従って図６に示す主制御部メイン処理を実行する。
【００６９】
ステップＳ１０１では、初期設定１を行う。この初期設定１では、ＣＰＵ３０４のスタックポインタ（ＳＰ）へのスタック初期値の設定（仮設定）、割り込みマスクの設定、Ｉ／Ｏポート３１０の初期設定、ＲＡＭ３０８に記憶する各種変数の初期設定、ＷＤＴ３１３への動作許可及び初期値の設定等を行う。なお、本実施例では、ＷＤＴ３１３に、初期値として３２．８ｍｓに相当する数値を設定する。
【００７０】
ステップＳ１０２では、ＷＤＴ３１３のカウンタの値をクリアし、ＷＤＴ３１３による
時間計測を再始動する。
【００７１】
ステップＳ１０３では、低電圧信号がオンであるか否か、すなわち、電圧監視回路３３６が、電源管理部６５０から主制御部３００に供給している電源の電圧値が所定の値（本実施例では９ｖ）未満である場合に電圧が低下したことを示す低電圧信号を出力しているか否かを監視する。そして、低電圧信号がオンの場合（ＣＰＵ３０４が電源の遮断を検知した場合）にはステップＳ１０２に戻り、低電圧信号がオフの場合（ＣＰＵ３０４が電源の遮断を検知していない場合）にはステップＳ１０４に進む。なお、電源が投入された直後で未だ上記所定の値（９Ｖ）に達しない場合にもステップＳ１０２に戻り、供給電圧がその所定の値以上になるまで、ステップＳ１０３は繰り返し実行される。
【００７２】
ステップＳ１０４では、初期設定２を行う。この初期設定２では、後述する主制御部タイマ割り込み処理を定期毎に実行するための周期を決める数値をカウンタタイマ３１２に設定する処理、Ｉ／Ｏ３１０の所定のポート（例えば試験用出力ポート、副制御部４００への出力ポート）からクリア信号を出力する処理、ＲＡＭ３０８への書き込みを許可する設定等を行う。
【００７３】
ステップＳ１０５では、電源の遮断前（電断前）の状態に復帰するか否かの判定を行い、電断前の状態に復帰しない場合（主制御部３００の基本回路３０２を初期状態にする場合）には初期化処理（ステップＳ１０７）に進む。
【００７４】
具体的には、最初に、電源基板に設けたＲＡＭクリアスイッチを遊技店の店員などが操作した場合に送信されるＲＡＭクリア信号がオン（操作があったことを示す）であるか否か、すなわちＲＡＭクリアが必要であるか否かを判定し、ＲＡＭクリア信号がオンの場合（ＲＡＭクリアが必要な場合）には、基本回路３０２を初期状態にすべくステップＳ１０７に進む。一方、ＲＡＭクリア信号がオフの場合（ＲＡＭクリアが必要でない場合）には、ＲＡＭ３０８に設けた電源ステータス記憶領域に記憶した電源ステータスの情報を読み出し、この電源ステータスの情報がサスペンドを示す情報であるか否かを判定する。そして、電源ステータスの情報がサスペンドを示す情報でない場合には、基本回路３０２を初期状態にすべくステップＳ１０７に進み、電源ステータスの情報がサスペンドを示す情報である場合には、ＲＡＭ３０８の所定の領域（例えば全ての領域）に記憶している１バイトデータを初期値が０である１バイト構成のレジスタに全て加算することによりチェックサムを算出し、算出したチェックサムの結果が特定の値（例えば０）であるか否か（チェックサムの結果が正常であるか否か）を判定する。そして、チェックサムの結果が特定の値（例えば０）の場合（チェックサムの結果が正常である場合）には電断前の状態に復帰すべくステップＳ１０６に進み、チェックサムの結果が特定の値（例えば０）以外である場合（チェックサムの結果が異常である場合）には、パチンコ機１００を初期状態にすべくステップＳ１０７に進む。同様に電源ステータスの情報が「サスペンド」以外の情報を示している場合にもステップＳ１０７に進む。
【００７５】
ステップＳ１０６では、復電時処理を行う。この復電時処理では、電断時にＲＡＭ３０８に設けられたスタックポインタ退避領域に記憶しておいたスタックポインタの値を読み出し、スタックポインタに再設定（本設定）する。また、電断時にＲＡＭ３０８に設けられたレジスタ退避領域に記憶しておいた各レジスタの値を読み出し、各レジスタに再設定した後、割り込み許可の設定を行う。以降、ＣＰＵ３０４が、再設定後のスタックポインタやレジスタに基づいて制御プログラムを実行する結果、パチンコ機１００は電源断時の状態に復帰する。すなわち、電断直前にタイマ割り込み処理（後述）に分岐する直前に行った（ステップＳ１０８、ステップＳ１０９内の所定の）命令の次の命令から処理を再開する。また、図７に示す主制御部３００における基本回路３０２に搭載されているＲＡＭ３０８には、送信情報記憶領域が設けられている。このステップＳ１０６では、その送信
情報記憶領域に、ＥＨを復電コマンドとしてセットする。この復電コマンドは、電源断時の状態に復帰したことを表すコマンドであり、後述する、主制御部３００のタイマ割り込み処理におけるステップＳ２１７において、副制御部４００へ送信される。
【００７６】
ステップＳ１０７では、初期化処理を行う。この初期化処理では、割り込み禁止の設定、スタックポインタへのスタック初期値の設定、ＲＡＭ３０８の全ての記憶領域の初期化などを行う。さらにここで、主制御部３００のＲＡＭ３０８に設けられた送信情報記憶領域に正常復帰コマンドをセットする。この正常復帰コマンドは、主制御部３００の初期化処理（ステップＳ１０７）が行われたことを表すコマンドであり、復電コマンドと同じく、主制御部３００のタイマ割り込み処理におけるステップＳ２１７において、副制御部４００へ送信される。
【００７７】
ステップＳ１０８では、割り込み禁止の設定を行った後、基本乱数初期値更新処理を行う。この基本乱数初期値更新処理では、普図当選乱数カウンタ、特図１大当たり図柄抽選用乱数値カウンタ、特図２大当たり図柄抽選用乱数値カウンタ、特図１小当たり図柄抽選用乱数値カウンタ、および特図２小当たり図柄抽選用乱数値カウンタの初期値をそれぞれ生成するための５つの初期値生成用乱数カウンタと、普図タイマ乱数値を生成するための乱数カウンタを更新する。例えば、普図タイマ乱数値として取り得る数値範囲が０〜２０とすると、ＲＡＭ３０８に設けた普図タイマ乱数値を生成するための乱数カウンタ記憶領域から値を取得し、取得した値に１を加算してから元の乱数カウンタ記憶領域に記憶する。このとき、取得した値に１を加算した結果が２１であれば０を元の乱数カウンタ記憶領域に記憶する。他の初期値生成用乱数カウンタ、乱数カウンタもそれぞれ同様に更新する。また、この基本乱数初期値更新処理の終了後に割り込み許可の設定を行ってステップＳ１０９に進む。
【００７８】
ステップＳ１０９では、演出乱数更新処理を行う。この演出乱数更新処理では、主制御部３００で使用する演出用乱数値を生成するための乱数カウンタを更新する。
【００７９】
主制御部３００は、所定の周期ごとに開始するタイマ割り込み処理を行っている間を除いて、ステップＳ１０８およびＳ１０９の処理を繰り返し実行する。
【００８０】
＜主制御部タイマ割り込み処理＞
次に、図７を用いて、主制御部３００のＣＰＵ３０４が実行する主制御部タイマ割り込み処理について説明する。なお、同図は主制御部タイマ割り込み処理の流れを示すフローチャートである。
【００８１】
主制御部３００は、所定の周期（本実施例では約２ｍｓに１回）でタイマ割り込み信号を発生するカウンタタイマ３１２を備えており、このタイマ割り込み信号を契機として主制御部タイマ割り込み処理を所定の周期で開始する。
【００８２】
ステップＳ２０１では、タイマ割り込みスタート処理を行う。このタイマ割り込みスタート処理では、ＣＰＵ３０４の各レジスタの値をスタック領域に一時的に退避する処理などを行う。
【００８３】
ステップＳ２０２では、ＷＤＴ３１３のカウント値が初期設定値（本実施例では３２．８ｍｓ）を超えてＷＤＴ割り込みが発生しないように（処理の異常を検出しないように）、ＷＤＴを定期的に（本実施例では、主制御部タイマ割り込みの周期である約２ｍｓに１回）リスタートを行う。
【００８４】
ステップＳ２０３では、入力ポート状態更新処理を行う。この入力ポート状態更新処理
では、Ｉ／Ｏ３１０の入力ポートを介して、上述のガラス枠開放センサや内枠開放センサや下皿満タンセンサ等、また各種の球検出センサを含む各種センサ３１８の検出信号を入力して検出信号の有無を監視し、ＲＡＭ３０８に各種センサ３１８ごとに区画して設けた信号状態記憶領域に記憶する。球検出センサの検出信号を例にして説明すれば、前々回のタイマ割り込み処理（約４ｍｓ前）で検出した各々の球検出センサの検出信号の有無の情報を、ＲＡＭ３０８に各々の球検出センサごとに区画して設けた前回検出信号記憶領域から読み出し、この情報をＲＡＭ３０８に各々の球検出センサごとに区画して設けた前々回検出信号記憶領域に記憶し、前回のタイマ割り込み処理（約２ｍｓ前）で検出した各々の球検出センサの検出信号の有無の情報を、ＲＡＭ３０８に各々の球検出センサごとに区画して設けた今回検出信号記憶領域から読み出し、この情報を上述の前回検出信号記憶領域に記憶する。また、今回検出した各々の球検出センサの検出信号を、上述の今回検出信号記憶領域に記憶する。
【００８５】
また、ステップＳ２０３では、上述の前々回検出信号記憶領域、前回検出信号記憶領域、および今回検出信号記領域の各記憶領域に記憶した各々の球検出センサの検出信号の有無の情報を比較し、各々の球検出センサにおける過去３回分の検出信号の有無の情報が入賞判定パターン情報と一致するか否かを判定する。一個の遊技球が一つの球検出センサを通過する間に、約２ｍｓという非常に短い間隔で起動を繰り返すこの主制御部タイマ割り込み処理は何回か起動する。このため、主制御部タイマ割り込み処理が起動する度に、上述のステップＳ２０３では、同じ遊技球が同じ球検出センサを通過したことを表す検出信号を確認することになる。この結果、上述の前々回検出信号記憶領域、前回検出信号記憶領域、および今回検出信号記領域それぞれに、同じ遊技球が同じ球検出センサを通過したことを表す検出信号が記憶される。すなわち、遊技球が球検出センサを通過し始めたときには、前々回検出信号無し、前回検出信号有り、今回検出信号有りになる。本実施例では、球検出センサの誤検出やノイズを考慮して、検出信号無しの後に検出信号が連続して２回記憶されている場合には、入賞があったと判定する。図４に示す主制御部３００のＲＯＭ３０６には、入賞判定パターン情報（本実施例では、前々回検出信号無し、前回検出信号有り、今回検出信号有りであることを示す情報）が記憶されている。このステップＳ２０３では、各々の球検出センサにおいて過去３回分の検出信号の有無の情報が、予め定めた入賞判定パターン情報（本実施例では、前々回検出信号無し、前回検出信号有り、今回検出信号有りであることを示す情報）と一致した場合に、一般入賞口１２２、可変入賞口１３０、第１特図始動口１２６、および第２特図始動口１２８への入球、または普図始動口１２４の通過があったと判定する。すなわち、これらの入賞口１２２，１３０や、これらの始動口１２４，１２６，１２８への入賞があったと判定する。例えば、一般入賞口１２２への入球を検出する一般入賞口センサにおいて過去３回分の検出信号の有無の情報が上述の入賞判定パターン情報と一致した場合には、一般入賞口１２２へ入賞があったと判定し、以降の一般入賞口１２２への入賞に伴う処理を行うが、過去３回分の検出信号の有無の情報が上述の入賞判定パターン情報と一致しなかった場合には、以降の一般入賞口１２２への入賞に伴う処理を行わずに後続の処理に分岐する。なお、主制御部３００のＲＯＭ３０６には、入賞判定クリアパターン情報（本実施例では、前々回検出信号有り、前回検出信号無し、今回検出信号無しであることを示す情報）が記憶されている。入賞が一度あったと判定した後は、各々の球検出センサにおいて過去３回分の検出信号の有無の情報が、その入賞判定クリアパターン情報に一致するまで入賞があったとは判定せず、入賞判定クリアパターン情報に一致すれば、次からは上記入賞判定パターン情報に一致するか否かの判定を行う。
【００８６】
ステップＳ２０４およびステップＳ２０５では、基本乱数初期値更新処理および基本乱数更新処理を行う。これらの基本乱数初期値更新処理および基本乱数更新処理では、上記ステップＳ１０８で行った初期値生成用乱数カウンタの値の更新を行い、次に主制御部３００で使用する、普図当選乱数値、特図１大当たり図柄抽選用乱数値、特図２大当たり図
柄抽選用乱数値、特図１小当たり図柄抽選用乱数値、および特図２小当たり図柄抽選用乱数値それぞれを生成するための５つの乱数カウンタを更新する。例えば、普図当選乱数値として取り得る数値範囲が０〜１００とすると、ＲＡＭ３０８に設けた普図当選乱数値を生成するための乱数カウンタ記憶領域から値を取得し、取得した値に１を加算してから元の乱数カウンタ記憶領域に記憶する。このとき、取得した値に１を加算した結果が１０１であれば０を元の乱数カウンタ記憶領域に記憶する。また、取得した値に１を加算した結果、乱数カウンタが一周していると判定した場合にはそれぞれの乱数カウンタに対応する初期値生成用乱数カウンタの値を取得し、乱数カウンタの記憶領域にセットする。例えば、０〜１００の数値範囲で変動する普図当選乱数値生成用の乱数カウンタから値を取得し、取得した値に１を加算した結果が、ＲＡＭ３０８に設けた所定の初期値記憶領域に記憶している前回設定した初期値と等しい値（例えば７）である場合に、普図当選乱数値生成用の乱数カウンタに対応する初期値生成用乱数カウンタから値を初期値として取得し、普図当選乱数値生成用の乱数カウンタにセットすると共に、普図当選乱数値生成用の乱数カウンタが次に１周したことを判定するために、今回設定した初期値を上述の初期値記憶領域に記憶しておく。また、普図当選乱数値生成用の乱数カウンタが次に１周したことを判定するための上述の初期値記憶領域とは別に、その他４つの乱数カウンタ（特図１大当たり図柄抽選用乱数生成用の乱数カウンタ，特図２大当たり図柄抽選用乱数生成用の乱数カウンタ，特図１小当たり図柄抽選用乱数生成用の乱数カウンタ，特図２小当たり図柄抽選用乱数生成用の乱数カウンタ）それぞれが１周したことを判定するための４つの初期値記憶領域をＲＡＭ３０８に設けている。なお、本実施例では、大当たり図柄抽選用乱数値を取得するためのカウンタおよび小当たり図柄抽選用乱数値を取得するためのカウンタを、特図１用と特図２用にそれぞれ分けて設けたが、特図１用と特図２用で同一のカウンタを用いてもよい。
【００８７】
ステップＳ２０６では、演出乱数更新処理を行う。この演出乱数更新処理では、主制御部３００で使用する演出用乱数値を生成するための乱数カウンタを更新する。ここでは上記ステップＳ１０９で行った演出用乱数値を生成するための乱数カウンタを更新する。
【００８８】
ステップＳ２０７では、タイマ更新処理を行う。このタイマ更新処理では、普通図柄表示装置１１２に図柄を変動・停止表示する時間を計時するための普図表示図柄更新タイマ、第１特図表示装置１９８に図柄を変動・停止表示する時間を計時するための特図１表示図柄更新タイマ、第２特図表示装置１１４に図柄を変動・停止表示する時間を計時するための特図２表示図柄更新タイマ、所定の入賞演出時間、所定の開放時間、所定の閉鎖時間、所定の終了演出期間などを計時するためのタイマなどを含む各種タイマを更新する。
【００８９】
ステップＳ２０８では、入賞口カウンタ更新処理を行う。この入賞口カウンタ更新処理では、入賞口１２２，１３０や始動口１２４，１２６，１２８に入賞があった場合に、ＲＡＭ３０８に各入賞口ごと、あるいは各始動口ごとに設けた賞球数記憶領域の値を読み出し、１を加算して、元の賞球数記憶領域に設定する。
【００９０】
また、ステップＳ２０９では、入賞受付処理（詳細は後述）を行う。
【００９１】
ステップＳ２１０では、払出要求数送信処理を行う。なお、払出制御部５５０に出力する出力予定情報および払出要求情報は１バイトで構成しており、ビット７にストローブ情報（オンの場合、データをセットしていることを示す）、ビット６に電源投入情報（オンの場合、電源投入後一回目のコマンド送信であることを示す）、ビット４〜５に暗号化のための今回加工種別（０〜３）、およびビット０〜３に暗号化加工後の払出要求数を示すようにしている。
【００９２】
ステップＳ２１１では、普図状態更新処理を行う。この普図状態更新処理は、普図の状
態に対応する複数の処理のうちの１つの処理を行う。例えば、普図変動表示の途中（上述する普図表示図柄更新タイマの値が１以上）における普図状態更新処理では、普図表示装置１１２を構成する７セグメントＬＥＤの点灯と消灯を繰り返す点灯・消灯駆動制御を行う。この制御を行うことで、普図表示装置１１２は普図の変動表示（普図変動遊技）を行う。
【００９３】
また、普図変動表示時間が経過したタイミング（普図表示図柄更新タイマの値が１から０になったタイミング）における普図状態更新処理では、当たりフラグがオンの場合には、上述の普図Ａの態様となるように普図表示装置１１２を構成する７セグメントＬＥＤの点灯・消灯駆動制御を行い、当たりフラグがオフの場合には、上述の普図Ｂの態様となるように普図表示装置１１２を構成する７セグメントＬＥＤの点灯・消灯駆動制御を行う。また、主制御部３００のＲＡＭ３０８には、普図状態更新処理に限らず各種の処理において各種の設定を行う設定領域が用意されている。ここでは、上記点灯・消灯駆動制御を行うとともに、その設定領域に普図停止表示中であることを示す設定を行う。この制御を行うことで、普図表示装置１１２は、当たり図柄（普図Ａ）および外れ図柄（普図Ｂ）いずれか一方の図柄の確定表示を行う。さらにその後、所定の停止表示期間（例えば５００ｍ秒間）、その表示を維持するためにＲＡＭ３０８に設けた普図停止時間管理用タイマの記憶領域に停止期間を示す情報を設定する。この設定により、確定表示された図柄が所定期間停止表示され、普図変動遊技の結果が遊技者に報知される。
【００９４】
また、普図変動遊技の結果が当たりであれば、後述するように、普図当たりフラグがオンされる。この普図当たりフラグがオンの場合には、所定の停止表示期間が終了したタイミング（普図停止時間管理用タイマの値が１から０になったタイミング）における普図状態更新処理では、ＲＡＭ３０８の設定領域に普図作動中を設定するとともに、所定の開放期間（例えば２秒間）、第２特図始動口１２８の羽根部材１２８１の開閉駆動用のソレノイド（３３０）に、羽根部材１２８１を開放状態に保持する信号を出力するとともに、ＲＡＭ３０８に設けた羽根開放時間管理用タイマの記憶領域に開放期間を示す情報を設定する。
【００９５】
また、所定の開放期間が終了したタイミング（羽根開放時間管理用タイマの値が１から０になったタイミング）で開始する普図状態更新処理では、所定の閉鎖期間（例えば５００ｍ秒間）、羽根部材１２８１の開閉駆動用のソレノイド３３０に、羽根部材１２８１を閉鎖状態に保持する信号を出力するとともに、ＲＡＭ３０８に設けた羽根閉鎖時間管理用タイマの記憶領域に閉鎖期間を示す情報を設定する。
【００９６】
また、所定の閉鎖期間が終了したタイミング（羽根閉鎖時間管理用タイマの値が１から０になったタイミング）で開始する普図状態更新処理では、ＲＡＭ３０８の設定領域に普図非作動中を設定する。さらに、普図変動遊技の結果が外れであれば、後述するように、普図外れフラグがオンされる。この普図外れフラグがオンの場合には、上述した所定の停止表示期間が終了したタイミング（普図停止時間管理用タイマの値が１から０になったタイミング）における普図状態更新処理でも、ＲＡＭ３０８の設定領域に普図非作動中を設定する。普図非作動中の場合における普図状態更新処理では、何もせずに次のステップＳ２１２に移行するようにしている。
【００９７】
ステップＳ２１２では、普図関連抽選処理（詳細は後述）を行う。
【００９８】
次いで、特図１および特図２それぞれについての特図状態更新処理を行うが、まず最初に、特図２についての特図状態更新処理（特図２状態更新処理）を行う（ステップＳ２１３）。この特図２状態更新処理は、特図２の状態に応じて、次の８つの処理のうちの１つの処理を行う。例えば、特図２変動表示の途中（上述の特図２表示図柄更新タイマの値が
１以上）における特図２状態更新処理では、第２特図表示装置１１４を構成する７セグメントＬＥＤの点灯と消灯を繰り返す点灯・消灯駆動制御を行う。この制御を行うことで、第２特図表示装置１１４は特図２の変動表示（特図２変動遊技）を行う。
【００９９】
また、詳しくは後述するが、主制御部３００のＲＡＭ３０８には、１５Ｒ大当たりフラグ、２Ｒ大当たりフラグ、第１小当たりフラグ、第２小当たりフラグ、および確率変動フラグそれぞれのフラグが用意されている。特図２変動時間が経過したタイミング（特図２表示図柄更新タイマの値が１から０になったタイミング）で開始する特図２状態更新処理では、１５Ｒ大当たりフラグがオン、確率変動フラグもオンの場合には図５（ａ）に示す特図Ａ、１５Ｒ大当たりフラグがオン、確率変動フラグはオフの場合には特図Ｂ、２Ｒ大当たりフラグがオン、確率変動フラグもオンの場合には特図Ｃ、２Ｒ大当たりフラグがオン、確率変動フラグはオフの場合には特図Ｄ、第１小当たりフラグがオンの場合には特図Ｅ、第２小当たりフラグがオンの場合には特図Ｆ、１５Ｒ大当たりフラグも２Ｒ大当たりフラグも第１小当たりフラグも第２小当たりフラグもオフの場合には特図Ｇそれぞれの態様となるように、第２特図表示装置１１４を構成する７セグメントＬＥＤの点灯・消灯駆動制御を行い、ＲＡＭ３０８の設定領域に特図２停止表示中であることを表す設定を行う。この制御を行うことで、第２特図表示装置１１４は、１５Ｒ特別大当たり図柄（特図Ａ）、１５Ｒ大当たり図柄（特図Ｂ）、２Ｒ特別大当たり図柄（特図Ｃ）、２Ｒ大当たり図柄（特図Ｄ）、第１小当たり図柄（特図Ｅ）、第２小当たり図柄（特図Ｆ）、および外れ図柄（特図Ｇ）のいずれか一つの図柄の確定表示を行う。さらにその後、所定の停止表示期間（例えば５００ｍ秒間）その表示を維持するためにＲＡＭ３０８に設けた特図２停止時間管理用タイマの記憶領域に停止期間を示す情報を設定する。この設定により、確定表示された特図２が所定期間停止表示され、特図２変動遊技の結果が遊技者に報知される。また、ＲＡＭ３０８に設けられた時短回数記憶部に記憶された時短回数が１以上であれば、その時短回数から１を減算し、減算結果が１から０となった場合は、確率変動中（詳細は後述）でなければ、時短フラグをオフする。さらに、特図２変動遊技の終了と同時に、ＲＡＭ３０８に設けられた特図高確率状態維持回数記憶部に記憶された維持回数が１以上であれば、その維持回数から１を減算し、減算結果が１から０となった場合は、確率変動フラグをオフにし、特図低確率状態（通常変動状態）に移行する。
【０１００】
また、コマンド設定送信処理（ステップＳ２１７）で一般コマンド回転停止設定送信処理を実行させるために上述の送信情報記憶領域に４Ｈを送信情報（一般情報）として追加記憶するとともに、変動表示を停止する図柄が特図２であることを示す特図２識別情報を、後述するコマンドデータに含める情報としてＲＡＭ３０８に追加記憶してから処理を終了する。
【０１０１】
また、特図２変動遊技の結果が大当たりであれば、後述するように、大当たりフラグがオンされる。この大当たりフラグがオンの場合には、所定の停止表示期間が終了したタイミング（特図２停止時間管理用タイマの値が１から０になったタイミング）における特図２状態更新処理では、ＲＡＭ３０８の設定領域に特図２作動中を設定するとともに、所定の入賞演出期間（例えば３秒間）すなわち装飾図柄表示装置１１０による大当たりを開始することを遊技者に報知する画像を表示している期間待機するためにＲＡＭ３０８に設けた特図２待機時間管理用タイマの記憶領域に入賞演出期間を示す情報を設定する。また、コマンド設定送信処理（ステップＳ２１７）で一般コマンド入賞演出設定送信処理を実行させるために上述の送信情報記憶領域に５Ｈを送信情報（コマンド種別）として追加記憶する。
【０１０２】
また、所定の入賞演出期間が終了したタイミング（特図２待機時間管理用タイマの値が１から０になったタイミング）で開始する特図２状態更新処理では、所定の開放期間（例えば２９秒間、または可変入賞口１３０に所定球数（例えば１０球）の遊技球の入賞を検
出するまで。）可変入賞口１３０の扉部材１３０１の開閉駆動用のソレノイド（３３０）に、扉部材１３０１を開放状態に保持する信号を出力するとともに、ＲＡＭ３０８に設けた扉開放時間管理用タイマの記憶領域に開放期間を示す情報を設定する。また、コマンド設定送信処理（ステップＳ２１７）で一般コマンド大入賞口開放設定送信処理を実行させるために上述の送信情報記憶領域に７Ｈを送信情報（コマンド種別）として追加記憶する。
【０１０３】
また、所定の開放期間が終了したタイミング（扉開放時間管理用タイマの値が１から０になったタイミング）で開始する特図２状態更新処理では、所定の閉鎖期間（例えば１．５秒間）可変入賞口１３０の扉部材１３０１の開閉駆動用のソレノイド（３３０）に、扉部材１３０１を閉鎖状態に保持する信号を出力するとともに、ＲＡＭ３０８に設けた扉閉鎖時間管理用タイマの記憶領域に閉鎖期間を示す情報を設定する。また、コマンド設定送信処理（ステップＳ２１７）で一般コマンド大入賞口閉鎖設定送信処理を実行させるために上述の送信情報記憶領域に８Ｈを送信情報（コマンド種別）として追加記憶する。
【０１０４】
また、この扉部材１３０１の開放・閉鎖制御を所定回数（例えば１５ラウンド）繰り返し、終了したタイミングで開始する特図２状態更新処理では、所定の終了演出期間（例えば３秒間）すなわち装飾図柄表示装置１１０による大当たりを終了することを遊技者に報知する画像を表示している期間待機するように設定するためにＲＡＭ３０８に設けた演出待機時間管理用タイマの記憶領域に演出待機期間を示す情報を設定する。なお、上述のごとく、可変入賞口１３０の開放・閉鎖制御を開始し、２以上の所定の回数繰り返して、開放・閉鎖制御を終了するまでの間を「大当たり遊技（状態）」という。また、大当たりフラグがオンに設定されていれば、この大当たり遊技の終了と同時に、ＲＡＭ３０８に設けられた時短回数記憶部に時短回数１００回をセットするともに、ＲＡＭ３０８に設けられた時短フラグをオンする。なお、その大当たりフラグがオフに設定されていれば、時短回数記憶部に時短回数をセットすることもなく、また時短フラグをオンすることもない。さらに、コマンド設定送信処理（ステップＳ２１７）で一般コマンド終了演出設定送信処理を実行させるために上述の送信情報記憶領域に６Ｈを送信情報（コマンド種別）として追加記憶する。加えて、この大当たり遊技の終了と同時に、確率変動フラグがオンの場合には、ＲＡＭ３０８に設けられた特図高確率状態維持回数記憶部に、特図１変動遊技の抽選回数と特図２変動遊技の抽選回数の合算になる維持回数１００回をセットする。
【０１０５】
また、所定の終了演出期間が終了したタイミング（演出待機時間管理用タイマの値が１から０になったタイミング）で開始する特図２状態更新処理では、ＲＡＭ３０８の設定領域に特図２非作動中を設定する。さらに、特図２変動遊技の結果が外れであれば、後述するように、大当たりフラグがオフされる。この大当たりフラグがオフの場合には、上述した所定の停止表示期間が終了したタイミング（特図２停止時間管理用タイマの値が１から０になったタイミング）における特図２状態更新処理でも、ＲＡＭ３０８の設定領域に特図２非作動中を設定する。特図２非作動中の場合における特図２状態更新処理では、何もせずに次のステップＳ２１４に移行するようにしている。
【０１０６】
続いて、特図１についての特図状態更新処理（特図１状態更新処理）を行う（ステップＳ２１４）。この特図１状態更新処理では、特図１の状態に応じて、上述の特図２状態更新処理で説明した各処理を行う。この特図１状態更新処理で行う各処理は、上述の特図２状態更新処理で説明した内容の「特図２」を「特図１」と読み替えた処理と同一であるため、その説明は省略する。なお、特図２状態更新処理と特図１状態更新処理の順番は逆でもよい。
【０１０７】
ステップＳ２１３およびステップＳ２１４における特図状態更新処理が終了すると、今度は、特図１および特図２それぞれについての特図関連抽選処理を行う。ここでも先に、
特図２についての特図関連抽選処理（特図２関連抽選処理）を行い（ステップＳ２１５）、その後で、特図１についての特図関連抽選処理（特図１関連抽選処理）を行う（ステップＳ２１６）。これらの特図関連抽選処理についても詳細は後述するが、主制御部３００が特図２関連抽選処理を特図１関連抽選処理よりも先に行うことで、特図２変動遊技の開示条件と、特図１変動遊技の開始条件が同時に成立した場合でも、特図２変動遊技が先に変動中となるため、特図１変動遊技は変動を開始しない。また、装飾図柄表示装置１１０による、特図変動遊技の大当たり判定の結果の報知は、副制御部４００によって行われ、第２特図始動口１２８への入賞に基づく抽選の抽選結果の報知が、第１特図始動口１２６への入賞に基づく抽選の抽選結果の報知よりも優先して行われる。本実施例のパチンコ機１００のように、特図が２つ（特図１，特図２）あり、特図２が優先変動するパチンコ機にあっては、特図２の変動が特図１の変動に割りこむため、未来の抽選の際の遊技状態を把握することが困難になる。そこで、以下に説明するように、予め複数の遊技状態に対応する事前判定情報を取得しておくことが望ましい。
【０１０８】
ステップＳ２１７では、コマンド設定送信処理を行う。なお、副制御部４００に送信する出力予定情報は１６ビットで構成しており、ビット１５はストローブ情報（オンの場合、データをセットしていることを示す）、ビット１１〜１４はコマンド種別（０Ｈの場合は基本コマンド、１Ｈの場合は図柄変動開始コマンド、４Ｈの場合は図柄変動停止コマンド、５Ｈの場合は入賞演出開始コマンド、６Ｈの場合は終了演出開始コマンド、７Ｈの場合は大当たりラウンド数指定コマンド、ＥＨの場合は復電コマンド、ＦＨの場合はＲＡＭクリアコマンドをそれぞれ示すなどコマンドの種類を特定可能な情報）、ビット０〜１０はコマンドデータ（コマンド種別に対応する所定の情報）で構成している。
【０１０９】
具体的には、ストローブ情報は上述のコマンド送信処理でオン、オフするようにしている。また、コマンド種別が図柄変動開始コマンドの場合であれば、コマンドデータに、大当たりフラグの値、確率変動フラグの値、特図関連抽選処理で選択したタイマ番号などを示す情報が含まれる。さらに、本実施例では、この図柄変動開始コマンドに、後述する、遊技状態に応じた停止図柄情報も含まれる。また、コマンド種別が、図柄変動停止コマンドの場合であれば、コマンドデータに、大当たりフラグの値、確率変動フラグの値などを含み、入賞演出コマンドおよび終了演出開始コマンドの場合であれば、確率変動フラグの値などを含み、大当たりラウンド数指定コマンドの場合であれば確率変動フラグの値、大当たりラウンド数などを含むようにしている。コマンド種別が基本コマンドを示す場合は、コマンドデータにデバイス情報、第１特図始動口１２６への入賞の有無、第２特図始動口１２８への入賞の有無、可変入賞口１３０への入賞の有無などを含む。
【０１１０】
また、上述の一般コマンド回転開始設定送信処理では、コマンド種別に１Ｈ、コマンドデータにＲＡＭ３０８に記憶している大当たりフラグの値、確率変動フラグの値、特図１関連抽選処理および特図２関連抽選処理で選択したタイマ番号、保留している特図１変動遊技または特図２変動遊技の数などを示す情報や、遊技状態に応じた停止図柄情報を設定する。上述の一般コマンド回転停止設定送信処理では、コマンド種別に４Ｈ、コマンドデータにＲＡＭ３０８に記憶している大当たりフラグの値、確率変動フラグの値などを示す情報を設定する。上述の一般コマンド入賞演出設定送信処理では、コマンド種別に５Ｈ、コマンドデータに、ＲＡＭ３０８に記憶している、入賞演出期間中に装飾図柄表示装置１１０・各種ランプ４２３・スピーカ４１６に出力する演出制御情報、確率変動フラグの値、保留している特図１変動遊技または特図２変動遊技の数などを示す情報を設定する。上述の一般コマンド終了演出設定送信処理では、コマンド種別に６Ｈ、コマンドデータに、ＲＡＭ３０８に記憶している、演出待機期間中に装飾図柄表示装置１１０・各種ランプ４２３・スピーカ４１６に出力する演出制御情報、確率変動フラグの値、保留している特図１変動遊技または特図２変動遊技の数などを示す情報を設定する。上述の一般コマンド大入賞口開放設定送信処理では、コマンド種別に７Ｈ、コマンドデータにＲＡＭ３０８に記
憶している大当たりラウンド数、確率変動フラグの値、保留している特図１変動遊技または特図２変動遊技の数などを示す情報を設定する。上述の一般コマンド大入賞口閉鎖設定送信処理では、コマンド種別に８Ｈ、コマンドデータにＲＡＭ３０８に記憶している大当たりラウンド数、確率変動フラグの値、保留している特図１変動遊技または特図２変動遊技の数などを示す情報を設定する。また、このステップＳ２１７では一般コマンド特図保留増加処理も行われる。この一般コマンド特図保留増加処理では、コマンド種別にＡＨ、コマンドデータにＲＡＭ３０８の送信用情報記憶領域に記憶している特図識別情報（特図１または特図２を示す情報）を設定する。
【０１１１】
副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【０１１２】
ステップＳ２１８では、外部出力信号設定処理を行う。この外部出力信号設定処理では、ＲＡＭ３０８に記憶している遊技情報を、情報出力回路３３４を介してパチンコ機１００とは別体の情報入力回路６５２に出力する。
【０１１３】
ステップＳ２１９では、デバイス監視処理を行う。このデバイス監視処理では、ステップ２０３において信号状態記憶領域に記憶した各種センサの信号状態を読み出して、ガラス枠開放エラーの有無または下皿満タンエラーの有無などを監視し、ガラス枠開放エラーまたは下皿満タンエラーを検出した場合に、副制御部４００に送信すべき送信情報に、ガラス枠開放エラーの有無または下皿満タンエラーの有無を示すデバイス情報を設定する。また、各種ソレノイド３３０を駆動して第２特図始動口１２８や、可変入賞口１３０の開閉を制御したり、表示回路３２２、３２４、３２８を介して普図表示装置１１２、第１特図表示装置１９８、第２特図表示装置１１４、各種状態表示部３２６などに出力する表示データを、Ｉ／Ｏ３１０の出力ポートに設定する。また、払出要求数送信処理（ステップＳ２１０）で設定した出力予定情報を出力ポート３１０を介して副制御部４００に出力する。
【０１１４】
ステップＳ２２０では、低電圧信号がオンであるか否かを監視する。そして、低電圧信号がオンの場合（電源の遮断を検知した場合）にはステップＳ２２１に進み、低電圧信号がオフの場合（電源の遮断を検知していない場合）にはステップＳ２２２に進む。
【０１１５】
ステップＳ２２１では、タイマ割り込みエンド処理を行う。このタイマ割り込みエンド処理では、ステップＳ２０１で一時的に退避した各レジスタの値を元の各レジスタに設定したり、割り込み許可の設定などを行い、その後、図６に示す主制御部メイン処理に復帰する。
【０１１６】
一方、ステップＳ２２２では、復電時に電断時の状態に復帰するための特定の変数やスタックポインタを復帰データとしてＲＡＭ３０８の所定の領域に退避し、入出力ポートの初期化等の電断処理を行い、その後、図６に示す主制御部メイン処理に復帰する。
【０１１７】
＜入賞受付処理＞
次に、図８〜図１１を用いて、図７に示す主制御部タイマ割り込み処理におけるステップＳ２０９の入賞受付処理について説明する。図８〜図１１は主制御部３００のＣＰＵ３０４が実行する入賞受付処理の流れを示すフローチャートである。
【０１１８】
まず、第１特図始動口１２６に関する入賞受付処理を行う。図８は、第１特図始動口１２６に関する入賞受付処理の流れを示すフローチャートである。この図８に示すステップＳ１１０１では、第１特図始動口１２６への入賞があったか否かを判定する。ここでは、図７に示すステップＳ２０３における入賞判定パターン情報と一致するか否かの判定結果を用いて判定する。入賞があった場合にはステップＳ１１０２に進み、入賞がなかった場合には図１０に示すステップＳ１２０１に進む。ステップＳ１１０２では、ＲＡＭ３０８に設けた特図１保留数記憶領域を参照し、保留している特図１変動遊技の数が所定数（本実施例では４）未満であるか否かを判定し、所定数未満の場合はステップＳ１１０３に進む。一方、所定数以上の場合は、図１０に示すステップＳ１２０１に進み、この時の第１特図始動口１２６への入賞による大当たりの抽選は行われない。
【０１１９】
ステップＳ１１０３では、第１特図始動口１２６に対応するカウンタ回路３１６ｂのカウンタ値記憶用レジスタから値を特図１当選乱数値として取得するとともに、上述の大当たり図柄抽選用乱数値生成用の乱数カウンタから値を大当たり図柄抽選用乱数値として取得する。上述のごとく、図４に示すカウンタ回路３１６ｂのカウンタ値記憶用レジスタには、第１始動口センサが遊技球を検出したことによって送られてきた信号の受信タイミングでカウンタ回路３１６においてラッチされた値（ハードウエア乱数値）が記憶されている。ここで取得したこのハードウエア乱数値（特図１当選乱数値）は、詳しくは後述する特図１関連抽選処理（ステップＳ２１６）において特図１変動遊技における大当たりか否かの判定に用いられる。また、大当たり図柄抽選用乱数値生成用の乱数カウンタは、図７に示すステップＳ２０５において更新された値（ソフトウエア乱数値）になっている。ここで取得したこのソフトウエア乱数値（大当たり図柄抽選用乱数値）は、特図１関連抽選処理（ステップＳ２１６）において特図１の特別大当たり（確変大当たり）か否かの判定に用いられる。さらに、上述の小当たり図柄抽選用乱数値生成用の乱数カウンタも、図７に示すステップＳ２０５において更新された値になっており、この値（小当たり図柄抽選用乱数値）も取得する。ここで取得したこの小当たり図柄抽選用乱数値は、特図１関連抽選処理（ステップＳ２１６）において特図１の第１小当たりか第２小当たりか否かの判定に用いられる。ステップＳ１１０３を実行する副制御部４００が、本発明にいうカウント値取得部の一例に相当する。加えて、このステップＳ１１０３では、ＲＡＭ３０８に設けた特図１保留数記憶領域の値を更新する。すなわち、特図１保留数記憶領域の値に１を加算する。ステップＳ１１０３の実行が終了すると、ステップＳ１１０４に進む。
【０１２０】
主制御部３００のＲＡＭ３０８には保留情報記憶領域が設けられている。ステップＳ１１０４では、その保留情報記憶領域に、上述のステップＳ１１０３で取得した３種類の値（特図１当選乱数値と大当たり図柄抽選用乱数値と小当たり図柄抽選用乱数値）を格納する。また、主制御部３００のＲＡＭ３０８には、保留情報記憶領域とは別に事前判定情報記憶領域も設けられている。
【０１２１】
図９は、主制御部３００のＲＡＭ３０８に設けられた保留情報記憶領域と事前判定情報記憶領域を示す図である。
【０１２２】
図９に示すように、保留情報記憶領域と事前判定情報記憶領域それぞれは、特図１変動遊技の保留数に応じた４つの領域と、特図２変動遊技の保留数に応じた４つの領域とに区分けされている。
【０１２３】
ステップＳ１１０４では、上記３種類の値をひとまとめにして、保留情報記憶領域における特図１変動遊技の保留数に応じた４つの領域のうちの未格納の領域に格納する。図９では、いずれの領域にも値が格納されている。なお、事前判定情報記憶領域については後述する。ステップＳ１１０４の実行が終わると、ステップＳ１１０５に進む。
【０１２４】
ステップＳ１１０５では、コマンド設定送信処理（ステップＳ２１７）で一般コマンド特図保留増加設定処理を実行させるために、ＲＡＭ３０８に設けた送信情報記憶領域に、
特図保留増加を示す情報であるＡＨを送信情報（コマンド種別）として追加記憶する。
【０１２５】
ステップＳ１１０６では、上記送信情報記憶領域に、保留が増加した特図が特図１であることを示す情報を追加記憶する。
【０１２６】
本実施例のパチンコ機１００では、特図高確率状態と特図低確率状態（通常状態）とのうちのいずれか一方の状態をとる。特図高確率状態は、特図２変動遊技終了後あるいは特図１変動遊技終了後に、大当たりに当選する確率が相対的に高い遊技状態である。この特図高確率状態であることは確率変動中と呼ばれる。一方、特図低確率状態は、特図２変動遊技終了後あるいは特図１変動遊技終了後に、大当たりに当選する確率が相対的に低い遊技状態である。特図低確率状態は本発明にいう第１の遊技状態の一例に相当し、特図高確率状態は本発明にいう第２の遊技状態の一例に相当する。
【０１２７】
また、主制御部３００のＲＯＭ３０６には、当たり判定テーブル、小当たり当選時の特図決定テーブル、大当たり当選時のラウンド数決定テーブル、および大当たり当選時の特図高確率状態移行判定テーブルといった４種類の抽選テーブルが記憶されている。当たり判定テーブルには、特図低確率状態と特図高確率状態ごとに、大当たりおよび小当たりそれぞれの数値範囲を定義した抽選データが含まれており、これらの抽選データはＲＡＭ３０８に展開されている。小当たり当選時の特図決定テーブルには、特図低確率状態と特図高確率状態ごとに、第１小当たりおよび第２小当たりそれぞれの数値範囲を定義した抽選データが含まれており、これらの抽選データもＲＡＭ３０８に展開されている。大当たり当選時のラウンド数決定テーブルには、特図１と特図２ごとに、１５Ｒ当たりおよび２Ｒ当たりそれぞれの数値範囲を定義した抽選データが含まれており、これらの抽選データもＲＡＭ３０８に展開されている。大当たり当選時の特図高確率状態移行判定テーブルには、特図１と特図２ごとに、特図高確率状態移行および特図低確率状態移行それぞれの数値範囲を定義した抽選データが含まれており、これらの抽選データもＲＡＭ３０８に展開されている。
【０１２８】
ステップＳ１１０７では、まず、ステップＳ１１０３で取得した特図１当選乱数値が、当たり判定テーブルの、特図低確率状態に応じたいずれの抽選データに属するか否かを判定する。ここでは、現在の遊技状態とは無関係に特図低確率状態に応じた判定を行う。この判定で、いずれの抽選データにも属さない場合には、第１特図表示装置１９８に表示される特図１停止図柄が、図５（ａ）に示す特図Ｇの外れの停止図柄であるという判定結果を取得する。一方、特図１当選乱数値が、大当たりの抽選データに属する場合には、今度は、ステップＳ１１０３で取得した特図１大当たり図柄抽選用乱数値が、大当たり当選時のラウンド数決定テーブルの、特図１における１５Ｒ当たりの抽選データおよび２Ｒ当たりの抽選データのいずれの抽選データに属するかを判定するとともに、大当たり当選時の特図高確率状態移行判定テーブルの、特図１における特図高確率状態移行の抽選データおよび特図低確率状態移行の抽選データのいずれの抽選データに属するかも判定する。その結果、１５Ｒ当たりの抽選データに属し、かつ特図高確率状態移行の抽選データに属する場合には、第１特図表示装置１９８に表示される特図１停止図柄が、図５（ａ）に示す特図Ａの１５Ｒ特別大当たり図柄であるという判定結果を取得し、１５Ｒ当たりの抽選データに属し、かつ特図低確率状態移行の抽選データに属する場合には、その特図１停止図柄が、同図（ａ）に示す特図Ｂの１５Ｒ大当たり図柄であるという判定結果を取得し、２Ｒ当たりの抽選データに属し、かつ特図高確率状態移行の抽選データに属する場合には、その特図１停止図柄が、同図（ａ）に示す特図Ｃの２Ｒ特別大当たり図柄であるという判定結果を取得し、２Ｒ当たりの抽選データに属し、かつ特図低確率状態の抽選データに属する場合には、その特図１停止図柄が、同図（ａ）に示す特図Ｄの２Ｒ大当たり図柄であるという判定結果を取得する。また、特図１当選乱数値が、小当たりの抽選データに属する場合には、ステップＳ１１０３で取得した特図１小当たり図柄抽選用乱数値が、小当たり
当選時の特図決定テーブルの、ここでも現在の遊技状態とは無関係に特図低確率状態に応じた第１小当たりの抽選データおよび第２小当たりの抽選データのいずれの抽選データに属するかを判定する。その結果、第１小当たりの抽選データに属する場合には、第１特図表示装置１９８に表示される特図１停止図柄が、図５（ａ）に示す特図Ｅの第１小当たり図柄であるという判定結果を取得し、第２小当たりの抽選データに属する場合には、その特図１停止図柄が、同図（ａ）に示す特図Ｆの第２小当たり図柄であるという判定結果を取得する。図９に示すように、事前判定情報記憶領域は、特図１変動遊技の保留数に応じた４つの領域と特図２変動遊技の保留数に応じた４つの領域とに区分けされており、さらに特図高低確率状態用事前判定情報記憶領域と特図低確率状態用事前判定情報記憶領域とに分かれている。ステップＳ１１０７では、取得した判定結果になる第１特図表示装置１９８の停止図柄を表す情報を、特図低確率状態用事前判定情報記憶領域のうちの、特図１変動遊技の保留数に応じた領域（特図１低確率状態用事前判定情報記憶領域）に記憶する。
【０１２９】
以上説明したステップＳ１１０７では、特図低確率状態における特図１変動遊技の抽選結果がどのような抽選結果になるのかの判定から一歩進め、その抽選結果を表す第１特図表示装置１９８の停止図柄が、どのような停止図柄になるのかの判定結果を取得する。このステップＳ１１０７で取得した判定結果は、本発明にいう第１遊技状態判定の結果の一例に相当する。こうして、第１特図始動口１２６への入賞時に事前判定情報を取得することで、ステップＳ１１０４において乱数値をＲＡＭ３０８に格納するついでに事前判定情報を取得することができ、改めて事前判定情報を取得するタイミングを設けなくて済むため、処理負荷を軽減することができる場合がある。また、入賞した際の乱数値に対しての事前判定情報を取得することで、既に保留記憶している事前判定情報を更新しなくて済み、不必要な処理を行わなくて済む場合がある。なお、特図低確率状態における特図１変動遊技の抽選結果がどのような抽選結果になるのかの判定で止めてその判定結果を取得するようにしてもよい。また、本実施例では、図２に示す装飾図柄表示装置１１０に表示される、図５（ｂ）に示す装飾図柄の組み合わせの停止表示態様は、副制御部４００によって決定されるものであるが、主制御部３００が、特図低確率状態における特図１変動遊技の抽選結果を表す、装飾図柄表示装置１１０の停止図柄がどのような停止図柄になるのかの判定結果を取得してもよい。
【０１３０】
ステップＳ１１０７に続くステップＳ１１０８では、現在の遊技状態とは無関係に特図高確率状態に応じた、ステップＳ１１０８と同様の判定を行う。すなわち、ステップＳ１１０８では、特図高確率状態における特図１変動遊技の抽選結果を表す第１特図表示装置１９８の停止図柄が、どのような停止図柄になるのかの判定結果を取得する。ステップＳ１１０８では、取得した判定結果になる第２特図表示装置１１４の停止図柄を表す情報を、図１６に示す特図高確率状態用事前判定情報記憶領域のうちの、特図１変動遊技の保留数に応じた領域（特図１高確率状態用事前判定情報記憶領域）に記憶する。このステップＳ１１０８で取得した判定結果は、本発明にいう第２遊技状態判定の結果の一例に相当する。なお、このステップＳ１１０８でも、特図高確率状態における特図１変動遊技の抽選結果がどのような抽選結果になるのかの判定結果を取得するようにしてもよいし、特図高確率状態における特図１変動遊技の抽選結果を表す、装飾図柄表示装置１１０の停止図柄がどのような停止図柄になるのかの判定結果を取得してもよい。
【０１３１】
以上説明したステップＳ１１０７およびステップＳ１１０８を実行する主制御部３００が、本発明にいう事前判定部の一例に相当する。また、図９に示す事前判定情報記憶領域が、本発明にいう判定結果記憶部の一例に相当する。
【０１３２】
次に、第２特図始動口１２８に関する入賞受付処理を行う。図１０は、第２特図始動口１２８に関する入賞受付処理の流れを示すフローチャートである。この図１０に示すステ
ップＳ１２０１からステップＳ１２０８までの各ステップは、図７に示すステップＳ１１０１からステップＳ１１０８までの各ステップにおける「第１」を「第２」に読み替えるとともに「特図１」を「特図２」に読み替えたステップと同一であるため説明は省略するが、図１０に示すステップＳ１２０７で取得した判定結果は、本発明にいう第１遊技状態判定の結果の一例に相当し、図１０に示すステップＳ１２０８で取得した判定結果は、本発明にいう第２遊技状態判定の結果の一例に相当する。また、ステップＳ１２０７およびステップＳ１２０８を実行する主制御部３００も、本発明にいう事前判定部の一例に相当する。
【０１３３】
最後に、普図始動口１２４および可変入賞口１３０に関する入賞受付処理を行う。図１１は、普図始動口１２４および可変入賞口１３０に関する入賞受付処理の流れを示すフローチャートである。この図１１に示すステップＳ１３０１では、普図始動口１２４への入賞があったか否かを判定する。ここでは、図７に示すステップＳ２０３における入賞判定パターン情報と一致するか否かの判定結果を用いて判定する。入賞があった場合にはステップＳ１３０２に進み、入賞がなかった場合にはステップＳ１３０６に進む。ステップＳ１３０２では、ＲＡＭ３０８に設けた普図保留数記憶領域を参照し、保留している普図変動遊技の数が所定数（本実施例では２）未満であるか否かを判定し、所定数未満の場合はステップＳ１３０３に進む。一方、所定数以上の場合は、ステップＳ１３０６に進み、この時の普図始動口１２４への入賞に基づく抽選は行われない。
【０１３４】
ステップＳ１３０３では、上述の普図当選乱数値生成用の乱数カウンタから値を普図当選乱数値として取得する。普図当選乱数値生成用の乱数は、図７に示すステップＳ２０５において更新された値（ソフトウエア乱数値）になっている。ここで取得したこのソフトウエア乱数値（普図当選乱数値）は、詳しくは後述する普図関連抽選処理（ステップＳ２１２）において普図変動遊技の結果を当選とするか、不当選とするかを決定する当たり判定に用いられる。ステップＳ１３０３の実行が終了すると、ステップＳ１３０４に進む。
【０１３５】
主制御部３００のＲＡＭ３０８には、普図用の乱数値記憶領域が設けられている。ステップＳ１３０４では、その普図用の乱数値記憶領域に、上述のステップＳ１３０３で取得した普図当選乱数値を格納する。普図用の乱数値記憶領域はさらに、普図変動遊技の保留数に応じた２つの領域に区分けされており、このステップＳ１３０４では、普図当選乱数値を、これら２つの領域のうちの未格納の領域に格納する。すなわち、普図用の乱数値記憶領域のうちの普図変動遊技の保留数に基づいて決定される記憶領域に、ステップＳ１３０３で取得した普図当選乱数値を格納する。ステップＳ１３０４の実行が終わると、ステップＳ１３０５に進む。
【０１３６】
ステップＳ１３０５では、コマンド設定送信処理（ステップＳ２１７）で一般コマンド普図保留増加設定処理を実行させるために、ＲＡＭ３０８に設けた送信情報記憶領域に、普図保留増加を示す情報であるＣＨを送信情報（コマンド種別）として追加記憶する。
【０１３７】
ステップＳ１３０６では、可変入賞口１３０への入賞があったか否かを判定する。ここでも、図７に示すステップＳ２０３における入賞判定パターン情報と一致するか否かの判定結果を用いて判定する。入賞があった場合にはステップＳ１３０７に進み、入賞がなかった場合には図７に示す主制御部タイマ割り込み処理に復帰する。
【０１３８】
主制御部３００のＲＡＭ３０８には、可変入賞口用の入賞記憶領域も設けられている。ステップＳ１３０７では、ＲＡＭ３０８に設けた可変入賞口用の入賞記憶領域に、可変入賞口１３０に球が入球したことを示す情報を格納する。
【０１３９】
ステップＳ１３０８では、コマンド設定送信処理（ステップＳ２１７）で一般コマンド
可変入賞口入賞処理を実行させるために、ＲＡＭ３０８に設けた送信情報記憶領域に、可変入賞口入賞を示す情報であるＤＨを送信情報（コマンド種別）として追加記憶した後、図７に示す主制御部タイマ割り込み処理に復帰する。
【０１４０】
＜普図関連抽選処理＞
次に、図７に示す主制御部タイマ割り込み処理におけるステップＳ２１２の普図関連抽選処理について説明する。図１２は主制御部３００のＣＰＵ３０４が実行する普図関連抽選処理の流れを示すフローチャートである。
【０１４１】
まず、ステップＳ２００１では、普図非変動表示中および普図非作動中であるか否かを判定する。すなわち、後述するステップＳ２０２４では、ＲＡＭ３０８の設定領域に普図変動表示中が設定される。また、上述のごとく、図７の主制御部タイマ割り込み処理における普図状態更新処理（ステップＳ２１１）では、ＲＡＭ３０８の設定領域に普図作動中か普図非作動中が設定される。このステップＳ２００１では、そのＲＡＭ３０８の設定領域を参照し、普図変動表示中が設定されていれば図７に示す主制御部タイマ割り込み処理に戻り、普図作動中が設定されていても、図７に示す主制御部タイマ割り込み処理に戻る。一方、普図変動表示中が非設定であって、かつ普図非作動中が設定されていれば、今度は、ＲＡＭ３０８に設けた普図保留数記憶領域を参照し、普図変動遊技の保留数が０より大きいか否かを判定する（ステップＳ２００２）。すなわち、保留している普図変動遊技の数が１以上であるかを否かを判定し、０であれば、図７に示す主制御部タイマ割り込み処理に戻り、１以上であればステップＳ２００３に進む。
【０１４２】
ステップＳ２００３では、ＲＡＭ３０８に設けられた時短フラグがオフに設定されているか否かを判定する。時短フラグがオフに設定されていると普図低確率状態であり、時短フラグがオンに設定されていると普図高確率状態である。本実施例のパチンコ機１００は、上述の特図高確率状態および特図低確率状態とは別に、普図高確率状態と普図低確率状態のいずれか一方の遊技状態もとる。普図低確率状態では普図変動遊技を相対的に低い所定の低確率で当選と判定し、普図高確率状態ではその普図変動遊技を相対的に高い所定の高確率で当選と判定する。詳しくは後述するように、普図高確率状態は、普図低確率状態と比較して、普図変動遊技に当選しやすいばかりか、１回の普図当選による電チューの開放時間が長くなりやすい、１回の普図当選による電チューの開放回数が多くなりやすい、特図の変動時間が短くなりやすい、および普図の変動時間も短くなりやすい、といったことの少なくともいずれか１つを含むように規定されている。なお、時短とは、普図変動遊技に当選しやすい、１回の普図当選による電チューの開放時間が長くなりやすい、１回の普図当選による電チューの開放時間が長くなりやすい、１回の普図当選による電チューの開放回数が多くなりやすい、特図の変動時間が短くなりやすい、および普図の変動時間も短くなりやすい、といったことの少なくともいずれか１つを含む状態であり、本実施例では時短中であれば必ず普図変動遊技に当選しやすくなるようになっているが、必ずしも時短中に普図変動遊技に当選しやすくならなくてもよい。ステップＳ２００３における判定で、時短フラグがオフに設定されていれば、普図低確率用判定テーブルから普図の当たり判定を行い（ステップＳ２００４）、反対に時短フラグがオンに設定されていれば、普図高確率用判定テーブルから普図の当たり判定を行う（ステップＳ２００５）。
【０１４３】
ステップＳ２００４およびステップＳ２００５いずれにおいても、まず、ＲＡＭ３０８に設けられた普図用の乱数値記憶領域から普図当選乱数値を取得し、その取得した普図当選乱数値についての当たり判定を行う。ＲＡＭ３０８に設けられた普図用の乱数値記憶領域には、図１１に示す、普図始動口１２４に関する入賞受付処理におけるステップＳ１３０４において、普図用当選乱数値が格納される。ステップＳ２００４およびステップＳ２００５では、その普図用当選乱数値を取得し、図１３に示す判定テーブルを用いて、当たり判定を行い、ステップＳ２００６に進む。
【０１４４】
図１３（ａ）は、主制御部３００のＲＯＭ３０６が記憶している普図低確率用の判定テーブルを示す図であり、図１３（ｂ）は、主制御部３００のＲＯＭ３０６が記憶している普図高確率用の判定テーブルを示す図である。
【０１４５】
図１３（ａ）に示す普図低確率用の判定テーブルも、図１３（ｂ）に示す普図高確率用の判定テーブルも、普図状態判定乱数値の範囲を示す抽選データと、普図変動時間（単位；秒）と、図２に示す一対の羽根部材１２８１の開放回数（普図開放回数）と、それら一対の羽根部材１２８１の１回の開放における開放時間（普図開放時間（単位；秒））との関係を規定したものである。ステップＳ２００４における普図低確率状態の判定では、取得した普図用当選乱数値が０〜１２６であれば外れと判定し、その普図用当選乱数値が１２７であれば当たりと判定する。一方、ステップＳ２００５における普図高確率状態の判定では、取得した普図用当選乱数値が０〜１２６であれば当たりと判定し、その普図用当選乱数値が１２７であれば外れと判定する。ここにいう当たりとは、普図変動遊技の当選を意味し、図２に示す一対の羽根部材１２８１が開放することであり、外れとは、普図変動遊技の外れを意味し、図２に示す一対の羽根部材１２８１が開放しないことである。上述の如く、図２に示す一対の羽根部材１２８１が閉鎖したままでは第２特図始動口１２８への入賞は不可能であり、これら一対の羽根部材１２８１が所定の時間間隔で所定回数開閉して初めて、第２特図始動口１２８への入賞が可能になる。
【０１４６】
ここで、普図当選乱数値の取り得る数値範囲は０〜１２７（数値範囲の大きさは１２８）であり、図１３（ａ）に示すように、普図低確率状態で当たりとなる数値範囲は１２７のみ（数値範囲の大きさは１）であるから、普図低確率状態における普図始動口１２４への入賞に基づく普図変動遊技の当選確率は、１／１２８（＝約０．８％）である。これに対して、普図高確率状態で当たりとなる数値範囲は０〜１２６（数値範囲の大きさは１２７）であるから、普図変動遊技の当選確率は、１２７／１２８（＝約９９．２％）である。したがって、普図高確率状態である場合の第２特図始動口１２８は、相対的に入賞しやすい入賞容易状態にあり、普図低確率状態である場合の第２特図始動口１２８は、相対的に入賞しにくい入賞困難状態にある。すなわち、第２特図始動口１２８に入賞した球が通過する第２始動口センセが設けられた領域は、普図高確率状態である場合には遊技球が相対的に通過しやすい通過容易状態にあり、普図低確率状態である場合には遊技球が相対的に通過しにくい通過困難状態にあるといえる。
【０１４７】
ステップＳ２００６は、普図変動遊技に当選したか否かについて判定する。主制御部３００のＲＡＭ３０８には、普図当たりフラグと、普図外れフラグが用意されており、普図変動遊技に当選していれば、一方の普図当たりフラグを設定して（ステップＳ２００７）、ステップＳ２００９に進み、普図変動遊技に不当選であれば、もう一方の普図外れフラグを設定して（ステップＳ２００８）、ステップＳ２００９に進む。
【０１４８】
ステップＳ２００９では、ステップＳ２００３と同様にしてもう一度、時短フラグがオフに設定されているか否かを判定する。時短フラグがオフに設定されていれば、普図低確率用判定テーブルから普図の変動時間の判定を行い（ステップＳ２０１０）、反対に時短フラグがオンに設定されていれば、普図高確率用判定テーブルから普図の変動時間の判定を行う（ステップＳ２０１１）。ステップＳ２０１０およびステップＳ２０１１いずれにおいても、まず、ＲＡＭ３０８に設けられた普図用の乱数値記憶領域から普図当選乱数値を取得し、その取得した普図当選乱数値について図１３に示す判定テーブルを用いて普図の変動時間の判定を行う。ステップＳ２０１０における普図低確率状態の判定では、取得した普図用当選乱数値が０〜１２６であっても１２７であっても普図変動遊技の変動時間は１０秒と判定する。一方、ステップＳ２０１１における普図高確率状態の判定では、取得した普図用当選乱数値が０〜１２６であっても１２７であっても普図変動遊技の変動時
間は３秒と判定する。したがって、普図高確率状態の方が、普図低確率状態に比べて普図変動遊技の変動時間は短くなる。
【０１４９】
続いて、判定結果に応じた普図変動時間を、ＲＡＭ３０８に設けた普図変動時間記憶領域に設定するとともに、上述の普図表示図柄更新タイマにも設定し（ステップＳ２０１２）、ステップＳ２０１３に進む。
【０１５０】
ステップＳ２０１３では、上述のステップＳ２００７で説明した普図当たりフラグが設定されているか否かを判定し、普図当たりフラグが設定されていなければ後述するステップＳ２０２２に進み、普図当たりフラグが設定されていればステップＳ２０１４に進む。
【０１５１】
ステップＳ２０１４では、ステップＳ２００３と同様にしてもう一度、時短フラグがオフに設定されているか否かを判定し、時短フラグがオフに設定されていれば、普図低確率用判定テーブルから普図開放回数の判定を行い（ステップＳ２０１５）、反対に時短フラグがオンに設定されていれば、普図高確率用判定テーブルから普図開放回数の判定を行う（ステップＳ２０１６）。ステップＳ２０１５およびステップＳ２０１６いずれにおいても、まず、ＲＡＭ３０８に設けられた普図用の乱数値記憶領域から普図当選乱数値を取得し、その取得した普図当選乱数値について図１３に示す判定テーブルを用いて普図開放回数に相当する、図２に示す一対の羽根部材１２８１の開放回数の判定を行う。ステップＳ２０１５における普図低確率状態の判定では、取得した普図用当選乱数値が０〜１２６であれば上述のごとく普図変動遊技に外れたことになり普図開放回数は値無し（０回）と判定し、一対の羽根部材１２８１は開かないことになる。一方、取得した普図用当選乱数値が１２７であれば上述のごとく普図変動遊技に当選したことになり普図開放回数は１回と判定し、一対の羽根部材１２８１は１回だけ開くことになる。また、ステップＳ２０１６における普図高確率状態の判定では、取得した普図用当選乱数値が０〜１２６であれば上述のごとく普図変動遊技に当選したことになり普図開放回数は３回と判定し、一対の羽根部材１２８１は３回開くことになる。反対に、取得した普図用当選乱数値が１２７であれば上述のごとく普図変動遊技に外れたことになり普図開放回数は値無し（０回）と判定し、一対の羽根部材１２８１は開かないことになる。したがって、普図高確率状態で普図変動遊技に当選した場合の方が、普図低確率状態で普図変動遊技に当選した場合に比べて一対の羽根部材１２８１は２回多く開くことになる。
【０１５２】
続いて、判定結果に応じた普図開放回数を、ＲＡＭ３０８に設けた設定領域に設定し（ステップＳ２０１７）、ステップＳ２００３と同様にしてさらにもう一度、時短フラグがオフに設定されているか否かを判定し（ステップＳ２０１８）、時短フラグがオフに設定されていれば、普図低確率用判定テーブルから今度は普図開放時間の判定を行い（ステップＳ２０１９）、反対に時短フラグがオンに設定されていれば、普図高確率用判定テーブルから普図開放時間の判定を行う（ステップＳ２０２０）。ステップＳ２０１９およびステップＳ２０２０いずれにおいても、これまでと同様にして普図当選乱数値を取得し、その取得した普図当選乱数値について図１３に示す判定テーブルを用いて普図開放時間に相当する、一対の羽根部材１２８１の１回の開放における開放時間の判定を行う。ステップＳ２０１９における普図低確率状態の判定では、取得した普図用当選乱数値が０〜１２６であれば普図開放時間は値無し（０秒）と判定し、その普図用当選乱数値が１２７であれば普図開放時間は０．３秒と判定し、一対の羽根部材１２８１は０．３秒間だけ開くことになる。また、ステップＳ２０２０における普図高確率状態の判定では、取得した普図用当選乱数値が０〜１２６であれば普図開放時間は１．８秒と判定し、一対の羽根部材１２８１は１回の開放につき１．８秒開くことになる。反対に、その普図用当選乱数値が１２７であれば普図開放時間は値無し（０秒）と判定する。したがって、普図高確率状態で普図変動遊技に当選した場合の方が、普図低確率状態で普図変動遊技に当選した場合に比べて一対の羽根部材１２８１の１回の開放における開放時間は１．５秒長くなる。
【０１５３】
続いて、判定結果に応じた普図開放時間を、ＲＡＭ３０８に設けた設定領域に設定し（ステップＳ２０２１）、ＲＡＭ３０８に設けた普図保留数記憶領域に記憶されている普図変動遊技の保留数を１つデクリメントする（ステップＳ２０２２）。続いて、ＲＡＭ３０８に設けた普図用の乱数値記憶領域から普図当選乱数値を削除し（ステップＳ２０２３）、最後に、ＲＡＭ３０８の設定領域に、普図変動表示中の設定を行い（ステップＳ２０２４）、図７に示す主制御部タイマ割り込み処理に戻る。なお、本実施例では、普図に当選した場合の普図変動時間は固定的な値（図１３のテーブルに示された値）を採っているが、これに限られず、複数の変動時間からいずれかの変動時間を選択するように抽選してもよい。普図開放回数および普図開放時間についても同様である。
【０１５４】
ここで、時短について説明する。時短は、特図変動遊技における大当たりを終了してから、次の大当たりを開始するまでの時間を短くするため、パチンコ機が遊技者にとって有利な状態になることをいう。本実施例のパチンコ機１００では、上述のごとく、時短フラグが用いられており、時短フラグがオンに設定されていると、普図高確率状態である。普図高確率遊技状態では、図１３を用いて説明したように、普図高確率状態の方が、普図低確率状態に比べて普図変動遊技の変動時間は短くなる。また、普図高確率状態では普図低確率状態に比べて、図２に示す一対の羽根部材１２８１の１回の開放における開放時間が長くなりやすい。さらに、普図高確率状態では普図低確率状態に比べて、一対の羽根部材１２８１は多く開きやすい。なお、普図高確率状態では普図低確率状態に比べて、短い特図変動タイマが選択される可能性が高いようにしてもよい。
【０１５５】
また、時短フラグは、大当たり遊技中（特別遊技状態中）にはオフに設定される。したがって、大当たり遊技中には、普図低確率状態が維持される。これは、大当たり遊技中に普図高確率状態であると、大当たり遊技中に可変入賞口１３０に所定の個数、遊技球が入球するまでの間に第２特図始動口１２８に多くの遊技球が入球し、大当たり中に獲得することができる遊技球の数が多くなってしまい射幸性が高まってしまうという問題があり、これを解決するためのものである。
【０１５６】
さらに、時短フラグは、確率変動中にはオンに設定された状態が維持される。したがって、確率変動中には、普図高確率状態が維持される。
【０１５７】
＜特図関連抽選処理＞
次に、図７に示す主制御部タイマ割り込み処理におけるステップＳ２１５の特図２関連抽選処理について説明する。図１４は主制御部３００のＣＰＵ３０４が実行する特図２関連抽選処理の流れを示すフローチャートである。この図１４に示す特図２関連抽選処理と後述する図１７に示す特図１関連抽選処理を実行する主制御部３００を併せたものが、本発明にいう抽選部の一例に相当する。
【０１５８】
まず、ステップＳ２１０１では、図１７に示す特図１関連抽選処理におけるステップＳ２２２６においてＲＡＭ３０８の設定領域に設定される特図１変動表示中の設定と、図７に示す主制御部タイマ割り込み処理におけるステップＳ２１４の特図１状態更新処理においてＲＡＭ３０８の設定領域に設定される停止表示中の設定とに関する判定を行う。すなわち、ステップＳ２１０１では、ＲＡＭ３０８の設定領域を参照し、第１特図表示装置１９８が特図１変動表示中であるか、または停止表示中であるか否かを判定し、いずれかの表示中である場合には図７に示す主制御部タイマ割り込み処理に戻り、いずれの表示中でもない場合にはステップＳ２１０２に進む。
【０１５９】
ステップＳ２１０２では、後述するステップＳ２１２６においてＲＡＭ３０８の設定領域に設定される特図２変動表示中の設定と、図７に示す主制御部タイマ割り込み処理にお
けるステップＳ２１３の特図２状態更新処理においてＲＡＭ３０８の設定領域に設定される停止表示中の設定とに関する判定を行う。このステップＳ２１０２では、ＲＡＭ３０８の設定領域を参照し、第２特図表示装置１１４が特図２変動表示中であるか、または停止表示中であるか否かを判定し、いずれかの表示中である場合には、図７に示す主制御部タイマ割り込み処理に戻り、いずれの表示中でもない場合には、特図２作動中または特図１作動中であるか否かを判定する（ステップＳ２１０３）。上述のごとく、図７の主制御部タイマ割り込み処理における特図２状態更新処理（ステップＳ２１３）では、ＲＡＭ３０８の設定領域に特図２作動中か特図２非作動中を設定する。また図７の主制御部タイマ割り込み処理における特図１状態更新処理（ステップＳ２１４）では、ＲＡＭ３０８の設定領域に特図１作動中か特図１非作動中を設定する。このステップＳ２１０３では、そのＲＡＭ３０８の設定領域を参照し、特図２作動中が設定されているか、または特図１作動中が設定されているかを判定し、いずれかの設定がある場合には図７に示す主制御部タイマ割り込み処理に戻る。以上説明したステップＳ２１０１〜ステップＳ２１０３において、主制御部３００は、先に入賞したことに基づく特図２変動遊技および特図１変動遊技が終了するまで、後に入賞したことに基づく特図２変動遊技を保留する。一方、特図２作動中および特図１作動中のいずれの設定もない場合には、今度は、ＲＡＭ３０８に設けた特図２保留数記憶領域を参照し、特図２変動遊技の保留数が０より大きいか否かを判定する（ステップＳ２１０４）。すなわち、保留している特図２変動遊技の数が１以上であるか否かを判定し、０であれば、図７に示す主制御部タイマ割り込み処理に戻る。
【０１６０】
反対に、保留している特図２変動遊技の数が１以上であればステップＳ２１０５に進む。ステップＳ２１０５では、ＲＡＭ３０８の第２の乱数値記憶領域から特図２当選乱数値を取得し、その取得した特図２当選乱数値について大当たりおよび小当たりの抽選を行う。ＲＡＭ３０８の第２の乱数値記憶領域には、図１０に示す、第２特図始動口１２８に関する入賞受付処理におけるステップＳ１２０４において、ハードウエア乱数値である特図２当選乱数値が格納される。このステップＳ２１０５では、その特図２当選乱数値を取得し、図１５（ａ）に示す当たり判定テーブルを用いて、特図２当選乱数値について特図２変動遊技の抽選を行い、ステップＳ２１０６に進む。なお、保留についてより正確に記載すると、主制御部３００は、先に入賞したことに基づく特図２変動遊技および特図１変動遊技が終了し、特図２停止時間管理用タイマの記憶領域に設定された停止期間が経過するまで、後に入賞したことに基づく特図２変動遊技を保留する。
【０１６１】
図１５（ａ）は、主制御部３００のＲＯＭ３０６が記憶している当たり判定テーブルを示す図である。
【０１６２】
上述のごとく、本実施例のパチンコ１００は、特図２変動遊技終了後あるいは特図１変動遊技終了後に、大当たりに当選する確率が相対的に低い特図低確率状態と、相対的に高い特図高確率状態のいずれか一方の状態をとる。特図高確率状態であることは確率変動中と呼ばれる。主制御部３００のＲＡＭ３０８には、後述する確率変動フラグが用意されている。この確率変動グラグがオンに設定されていると、特図高確率状態（確率変動中）であり、確率変動グラグがオフに設定されていると、特図低確率状態である。
【０１６３】
図１５（ａ）に示す当たり判定テーブルは、特図２関連抽選処理においても特図１関連抽選処理においても共通で使用される判定テーブルである。この当たり判定テーブルは、遊技状態（特図低確率状態，特図高確率状態）と特図始動口用抽選データとの関係を規定したものである。特図始動口用抽選データには、大当たりの抽選データと、小当たりの抽選データが含まれている。
【０１６４】
ステップＳ２１０５における当たりの判定では、ＲＡＭ３０８に用意された確率変動フラグを参照し、このパンチコ機１００が特図低確率状態である場合には、取得した特図２
当選乱数値が、１０００１〜１０１８７の数値範囲（大きさは１８７）に属していれば大当たりに当選したと判定し、２０００１〜２１０９２の数値範囲（大きさは１０９２）に属していれば小当たりに当選したと判定し、これらいずれの数値範囲にも属さなければハズレに当選したと判定する。本実施例では、特図２当選乱数値の取り得る数値範囲は０〜６５５３５（数値範囲の大きさは６５５３６）であり、特図１当選乱数値の取り得る数値範囲もこの数値範囲と同じである。したがって、特図低確率状態における特図変動遊技の大当たりの当選確率は、約１／３５０（＝１８７／６５５３６）である。これに対して、特図高確率状態における大当たりの抽選データが示す数値範囲は３０００１〜３１０９２（数値範囲の大きさは１０９２）であり、特図高確率状態における特図変動遊技の大当たりの当選確率は、約１／６０（＝１０９２／６５５３６）である。したがって、特図変動遊技における大当たりの当選確率は、特図低確率状態よりも特図高確率状態の方が高くなるように設定されている。
【０１６５】
また、特図変動遊技の小当たりの当選確率は、特図低確率状態であっても特図高確率状態であっても、約１／６０（＝１０９２／６５５３６）である。この小当たりの当選確率は、特図高確率状態における大当たりの当選確率と同じである。
【０１６６】
なお、特図２関連抽選処理において使用する当たり判定テーブルと、特図１関連抽選処理において使用する当たり判定テーブルを別々に設けておいてもよい。
【０１６７】
ステップＳ２１０６は、ハズレに当選したか否かについて判定し、ハズレに当選していれば後述するステップＳ２１１８に進む。一方、ハズレに不当選であれば、今度は、小当たりに当選したか否かについて判定する（ステップＳ２１０７）。小当たりに当選していれば、ＲＡＭ３０８の第２の乱数値記憶領域から特図２小当たり図柄抽選用乱数値を取得し、その取得した特図２小当たり図柄抽選用乱数値に基づいて、第２特図表示装置１１４に表示させる小当たりの停止図柄を決定する（ステップＳ２１０８）。このステップＳ２１０８では、図１５（ｂ）に示す小当たり当選時の特図決定テーブルを用いる。
【０１６８】
図１５（ｂ）は、主制御部３００のＲＯＭ３０６が記憶している小当たり当選時の特図決定テーブルを示す図である。
【０１６９】
図１５（ｂ）に示す特図決定テーブルは、特図２関連抽選処理においても特図１関連抽選処理においても共通で使用される決定テーブルである。この小当たり当選時の特図決定テーブルは、遊技状態（特図低確率状態，特図高確率状態）と小当たり停止図柄用抽選データとの関係を規定したものである。本実施例のパチンコ機１００では、小当たりには、第１小当たりと第２小当たりとの２種類の小当たりがあり、いずれの小当たりでも、遊技者に付与する利益量は同じであるが、装飾図柄表示装置１１０に表示される演出の態様が異なる。小当たり当選時の特図決定テーブルの小当たり停止図柄用抽選データには、第１小当たり停止図柄の抽選データと、第２小当たり停止図柄の抽選データが含まれている。
【０１７０】
ステップＳ２１０８では、ＲＡＭ３０８に用意された確率変動フラグを参照し、このパンチコ機１００が特図低確率状態である場合には、取得した特図２小当たり図柄抽選用乱数値が、０〜６３の数値範囲（大きさは６４）に属していれば図５（ａ）に示す特図Ｅの第１小当たり図柄に決定し、ＲＡＭ３０８に用意された第１小当たりフラグをオンに設定する。一方、その特図２小当たり図柄抽選用乱数値が、６４〜１２７の数値範囲（大きさは６４）に属していれば図５（ａ）に示す特図Ｆの第２小当たり図柄に決定し、同じくＲＡＭ３０８に用意された第２小当たりフラグをオンに設定する。本実施例では、特図２小当たり図柄抽選用乱数値の取り得る数値範囲は０〜１２７（数値範囲の大きさは１２８）である。なお、特図１小当たり図柄抽選用乱数値の取り得る数値範囲も０〜１２７（数値範囲の大きさは１２８）である。したがって、特図低確率状態では、第１小当たり図柄の
決定確率と第２小当たり図柄の決定確率は同じ（５０％）である。これに対して、特図高確率状態における、第１小当たり停止図柄の抽選データが示す数値範囲は０〜９５（数値範囲の大きさは９６）であり、第２小当たり停止図柄の抽選データが示す数値範囲は９６〜１２７（数値範囲の大きさは３２）である。したがって、特図高確率状態では、第２小当たり図柄の決定確率（２５％）よりも第１小当たり図柄の決定確率（７５％）の方が高い。
【０１７１】
一方、ステップＳ２１０７における判定で、小当たりにも不当選であれば、主制御部３００のＲＡＭ３０８に用意された大当たりフラグをオンにを設定する（ステップＳ２１０９）。ここで大当たりフラグがオンに設定されると、特図２変動遊技終了後に大当たり遊技が開始される。
【０１７２】
続いて、ＲＡＭ３０８の第２の乱数値記憶領域から今度は特図２大当たり図柄抽選用乱数値を取得し、その取得した特図２大当たり図柄抽選用乱数値についてラウンド数の抽選を行う（ステップＳ２１１０）。ＲＡＭ３０８の第２の乱数値記憶領域には、図１０に示す、第２特図始動口１２８に関する入賞受付処理におけるステップＳ１２０４において、ソフトウエア乱数値である特図２大当たり図柄抽選用乱数値も格納される。このステップＳ２１１０では、その特図２大当たり図柄抽選用乱数値を取得し、図１５（ｃ）に示す大当たり当選時のラウンド数決定テーブルを用いて、特図２大当たり図柄抽選用乱数値がいずれのラウンド数の数値範囲に属しているかを判定し、ステップＳ２１１１に進む。
【０１７３】
図１５（ｃ）は、主制御部３００のＲＯＭ３０６が記憶している、大当たり当選時のラウンド数決定テーブルを示す図である。
【０１７４】
特図変動遊技において大当たりに当選すると、可変入賞口１３０を開閉する扉部材１３０１が所定の回数開閉する。この扉部材１３０１が開閉する回数（ラウンド数）には、１５ラウンド（Ｒ）と２ラウンド（Ｒ）が用意されている。図１５（ｃ）に示すラウンド数決定テーブルは、特図１と特図２ごとに、遊技状態（特図低確率状態，特図高確率状態）とラウンド数決定用抽選データとの関係を規定したものである。このラウンド数決定用抽選データには、１５Ｒ決定用の抽選データと、２Ｒ決定用の抽選データが含まれている。
【０１７５】
ステップＳ２１１０では、遊技状態に関係なく、取得した特図２大当たり図柄抽選用乱数値が、０〜１２６の数値範囲（大きさは１２７）に属していれば１５Ｒに決定し、１５Ｒ大当たりに当選したことになる。また、その特図２大当たり図柄抽選用乱数値が、１２８（数値範囲の大きさは１）であれば２Ｒに決定し、２Ｒ大当たりに当選したことになる。本実施例では、特図２大当たり図柄抽選用乱数値の取り得る数値範囲は０〜１２７（数値範囲の大きさは１２８）である。したがって、特図２変動遊技では、大当たりに当選すると、１５Ｒの大当たりを高確率で獲得することができる。これに対して、特図１変動遊技における、１５Ｒ決定用の抽選データが示す数値範囲は０〜９９（数値範囲の大きさは１００）であり、２Ｒ決定用の抽選データが示す数値範囲は１００〜１２７（数値範囲の大きさは２８）である。特図１大当たり図柄抽選用乱数値の取り得る数値範囲も０〜１２７（数値範囲の大きさは１２８）であることから、特図１変動遊技において大当たりを獲得するよりも特図２変動遊技において大当たりを獲得する方が、有利なラウンド数（１５Ｒ）の当選確率が高いことになる。このように、特図２で大当たりとなるほうが、特図１で大当たりとなるよりも有利な大当たりが抽選されやすいというようにすることで、大当たり直後の時短中は、有利な大当たりが選択されやすいため、出球の塊を創出することができる。そして、特図２変動遊技の抽選を特図１変動遊技の抽選よりも優先して行うようにしていることで、時短中は特図１変動遊技の抽選が行われにくくすることができ、より有利な大当たりが選択されやすくなる。
【０１７６】
ステップＳ２１１１では、１５Ｒ大当たりに当選したか否かについて判定する。主制御部３００のＲＡＭ３０８には、２Ｒ大当たりフラグと、１５Ｒ大当たりフラグが用意されており、１５Ｒ大当たりに当選していれば、一方の１５Ｒ大当たりフラグをオンに設定して（ステップＳ２１１２）、ステップＳ２１１４に進み、２Ｒ大当たりに当選していれば、もう一方の２Ｒ大当たりフラグをオンに設定して（ステップＳ２１１３）、同じくステップＳ２１１４に進む。
【０１７７】
ステップＳ２１１４では、ＲＡＭ３０８の第２の乱数値記憶領域から特図２大当たり図柄抽選用乱数値を再び取得し、その取得した特図２大当たり図柄抽選用乱数値について確率変動の抽選を行う。ここでは、ステップＳ２１１０におけるラウンド数の抽選にも使用した特図２大当たり図柄抽選用乱数値を用いているが、ステップＳ２１０５における大当たり判定に用いた特図２当選乱数値を用いてもよい。このステップＳ２１１４では、特図２大当たり図柄抽選用乱数値を取得し、図１５（ｄ）に示す特図高確率状態移行判定テーブルを用いて確率変動の抽選を行いステップＳ２１１５に進む。
【０１７８】
図１５（ｄ）は、主制御部３００のＲＯＭ３０６が記憶している、大当たり当選時の特図高確率状態移行判定テーブルを示す図である。
【０１７９】
図１５（ｄ）に示す特図高確率状態移行判定テーブルは、特図１と特図２ごとに、遊技状態移行用の抽選データを規定したものである。この遊技状態移行用の抽選データには、特図高確率状態移行の抽選データと、特図低確率状態移行の抽選データが含まれている。
【０１８０】
ステップＳ２１１４では、現在の遊技状態に関係なく、取得した特図２大当たり図柄抽選用乱数値が、１２８（数値範囲の大きさは１）であれば、特図２変動遊技の終了後に特図高確率状態へ移行すること（確率変動）に当選し、特別大当たり遊技に当選したことになる。一方、その特図２大当たり図柄抽選用乱数値が、０〜１２６の数値範囲（大きさは１２７）に属していれば、特図２変動遊技の終了後に特図高確率状態へ移行すること（確率変動）にハズレ、特別大当たり遊技には当選せず、単なる大当たり遊技に当選したことになる。また、特図１変動遊技における、特図高確率状態移行の抽選データが示す数値範囲は６４〜１２７（数値範囲の大きさは６４）であり、特図低確率状態移行の抽選データが示す数値範囲は０〜６３（数値範囲の大きさは６４）である。上述のごとく、特図２大当たり図柄抽選用乱数値も特図１大当たり図柄抽選用乱数値も、その取り得る数値範囲は０〜１２７（数値範囲の大きさは１２８）であるから、特図２変動遊技よりも特図１変動遊技の方が、特別大当たりに当選しやすい。
【０１８１】
ステップＳ２１１５では、確率変動に当選したか否かを判定し、確率変動に不当選（特別大当たり遊技に不当選）ならばステップＳ２１１７に進み、確率変動に当選（特別大当たり遊技に当選）していれば、ＲＡＭ３０８に用意された上述の確率変動フラグをオンに設定して（ステップＳ２１１６）から、ステップＳ２１１７に進む。ここで、本発明にいう第１の遊技状態の一例に相当する特図低確率状態と、本発明にいう第２の遊技状態の一例に相当する特図高確率状態との間で遊技状態が切り替わるタイミングについてまとめておく。上述のごとく、主制御部３００は、大当たり遊技の終了と同時に、確率変動フラグがオンの場合には、ＲＡＭ３０８に設けられた特図高確率状態維持回数記憶部に、特図１変動遊技の抽選回数と特図２変動遊技の抽選回数の合算になる維持回数１００回をセットし、特図高確率状態に移行する。一方、特図変動遊技の終了と同時に、主制御部３００は、ＲＡＭ３０８に設けられた特図高確率状態維持回数記憶部に記憶された維持回数から１を減算し、減算結果が１から０となった場合は、確率変動フラグをオフにし、特図低確率状態に移行する。したがって、これらの処理を行う主制御部３００が、本発明にいう遊技状態切替部の一例に相当する。
【０１８２】
ステップＳ２１１７では、２Ｒ大当たりフラグ、１５Ｒ大当たりフラグ、および確率変動フラグに基づいて、第２特図表示装置１１４に表示させる停止図柄を決定し、ステップＳ２１１８に進む。すなわち、第２特図表示装置１１４に表示させる停止図柄を、１５Ｒ大当たりフラグがオン、確率変動フラグもオンの場合には図５（ａ）に示す特図Ａに決定し、１５Ｒ大当たりフラグがオン、確率変動フラグはオフの場合には特図Ｂに決定し、２Ｒ大当たりフラグがオン、確率変動フラグもオンの場合には特図Ｃに決定し、２Ｒ大当たりフラグがオン、確率変動フラグはオフの場合には特図Ｄに決定し、１５Ｒ大当たりフラグも２Ｒ大当たりフラグもオフの場合には特図Ｇに決定する。
【０１８３】
ステップＳ２１１８では、上述のステップＳ２１０５の大当たり判定に用いた特図２当選乱数値を用いて、タイマ番号を決定して記憶する。タイマ番号は、第２特図表示装置１１４による特図２の変動表示、あるいは第１特図表示装置１９８による特図１の変動表示を開始してから停止表示をするまでの変動時間を示す番号である。このステップＳ２１１８では、ＲＡＭ３０８の第２の乱数値記憶領域から特図２当選乱数値を再び取得し、図１６（ａ）に示すタイマ番号決定テーブルを用いてタイマ番号を決定する。
【０１８４】
図１６（ａ）は、主制御部３００のＲＯＭ３０６が記憶しているタイマ番号決定テーブルを示す図である。
【０１８５】
図１６（ａ）に示すタイマ番号決定テーブルは、特図２関連抽選処理においても特図１関連抽選処理においても共通で使用される決定テーブルである。このタイマ番号決定テーブルには、上述したステップＳ２１１３において設定される１５Ｒ大当たりフラグ、ステップＳ２１１２において設定される２Ｒ大当たりフラグ、ステップＳ２１０８において設定される第１小当たりフラグおよび第２小当たりフラグと、タイマ番号、およびそのタイマ番号に応じた変動時間と、そのタイマ番号を決定するための抽選に使用するタイマ番号決定用の抽選データとの関係が規定されている。なお、このタイマ番号決定テーブルには、タイマ番号に対応した変動形態が参考までに示されている。この変動形態は、副制御部４００がタイマ番号に応じて決定するものであり、変動形態に従った演出表示が、変動時間中に装飾図柄表示装置１１０に表示される。
【０１８６】
図１６（ａ）に示すように、本実施例では、タイマ１からタイマ５までの５種類のタイマ番号が用意されている。主制御部３００のＣＰＵ３０４は、まず、１５Ｒ大当たりフラグ、２Ｒ大当たりフラグ、第１小当たりフラグ、および第２小当たりフラグそれぞれの設定状況を参照し、取り得る数値範囲が０〜６５５３５（数値範囲の大きさは６５５３６）の特図２当選乱数値が、いずれのタイマ番号決定用の抽選データの数値範囲に属するかによって、タイマ番号の決定を行う。
【０１８７】
１５Ｒ大当たりフラグがオンに設定されている状態、すなわち１５Ｒ特別大当たりか１５Ｒ大当たりの場合には、タイマ４か５のタイマ番号になり、変動時間が長くなる（４０秒か５０秒）。また、第１小当たりフラグがオンに設定されている状態（第１小当たりの場合）にも、タイマ４のタイマ番号になり、変動時間が長くなる（４０秒）。したがって、図５（ａ）に示す、１５Ｒ特別大当たり図柄である「特図Ａ」あるいは１５Ｒ大当たり図柄である「特図Ｂ」や、第１小当たり図柄である「特図Ｅ」を停止表示する図柄変動停止表示（以下、特定図柄変動停止表示と称することがある）における変動時間が長くなる。この特定図柄変動停止表示は、図柄変動停止表示を複数回連続する場合には、最後の図柄変動停止表示になり、最後の図柄変動停止表示における変動時間が長いものになる。その結果、クライマックスが盛り上がり、演出効果がより高まる。また、最後の図柄変動停止表示において、詳しくは後述する事前予告や偽事前予告といった演出がなされることを攻略本等で知っている遊技者にとっては、これらの事前予告や偽事前予告がなされることで、遊技状態の移行が近く行われることを察知し、遊技に対する期待度が一層高まる。こ
こで、図柄変動停止表示が複数回連続する場合に、最後の図柄変動停止表示における停止図柄態様について、それより前の図柄変動停止表示（以下、先図柄変動停止表示と称することがある）において予告（事前予告および偽事前予告）することを、連続図柄変動停止表示における事前予告（連続予告）と呼ばれることがある。また、第１小当たりの場合には、変動時間が確実に長いため、その長い変動時間の間に事前予告や偽事前予告を１回又は複数回行うことができる。
【０１８８】
さらに、２Ｒ大当たりフラグが設定されている状態（２Ｒ特別大当たりの場合）と、第２小当たりフラグが設定されている状態（第２小当たりの場合）では、いずれもタイマ１のタイマ番号に確実になり、図柄の変動が確実に短い（５秒）。このため、２Ｒ特別大当たりの場合には図柄の変動時間が短くなることを攻略本等で知っている遊技者に対して、第２小当たりの場合の短い図柄変動は、２Ｒ特別大当たりを期待させ、２Ｒ特別大当たりの偽装になる。なお、２Ｒ特別大当たりの場合も第２小当たりの場合も、タイマ４か５のタイマ番号にし、変動時間を長くとれば、その長い変動時間の間に事前予告や偽事前予告が可能になる。遊技者にとっては事前予告と偽事前予告は見分けがつかず、偽事前予告が終了して小当たりで終わっても、遊技者は、２Ｒ特別大当たりによって確率変動状態（特図高確率状態）になっているのではないかといった期待を持って、遊技を楽しむことができる。
【０１８９】
ＲＡＭ３０８にはタイマ番号格納領域が用意されており、主制御部３００のＣＰＵ３０４は、決定したタイマ番号をそのタイマ番号格納領域に記憶させる。さらに、そのタイマ番号に対応する変動時間を、特図２変動表示時間として、上述の特図２表示図柄更新タイマにも記憶させる。
【０１９０】
なお、タイマ番号の抽選は、図１０に示す入賞受付処理において行ってもよい。
【０１９１】
ステップＳ２１１８に続いて実行されるステップＳ２１１９では、ステップＳ２１１８と同じく、特図２当選乱数値を用いて、擬似連タイマ番号を決定してＲＡＭ３０８に記憶する。このステップＳ２１１９では、図１６（ｂ）に示す擬似連タイマ番号決定テーブルを用いて擬似連タイマ番号を決定する。擬似連タイマ番号は、図柄変動開始コマンドに含まれて、主制御部３００から副制御部４００に送られる。ここで説明する擬似連続予告（擬似連）は、主制御部３００が決定する擬似連である。なお、副制御部４００が擬似連演出を行うことを決定してもよい。
【０１９２】
図１６（ｂ）は、主制御部３００のＲＯＭ３０６が記憶している擬似連タイマ番号決定テーブルを示す図である。
【０１９３】
図１６（ｂ）に示す擬似連タイマ番号決定テーブルも、特図２関連抽選処理においても特図１関連抽選処理においても共通で使用される決定テーブルである。この擬似連タイマ番号決定テーブルには、ステップＳ２１１８において決定されるタイマ番号に応じて設けられた擬似連タイマ番号決定用の抽選データと、擬似連タイマ番号、その擬似連タイマ番号に応じた変動時間、および擬似連回数との関係が規定されている。擬似連タイマ番号決定用の抽選データは、タイマ１〜３の、相対的に短い変動時間に応じたタイマ番号の組と、タイマ４および５の、相対的に長い変動時間に応じたタイマ番号の組とに分けられている。ここで説明する擬似連続予告（擬似連）が実行されると、図１６（ａ）に示す変動態様（リーチ態様）とは別に、その変動態様が行われる前に、仮停止を入れた図柄の変動が行われ、遊技者は、実際の図柄変動の回数よりも多くの図柄変動が行われているように思う。例えば、先のステップＳ２１１８でタイマ番号４が決定され、特図２当選乱数値が５１２００であった場合、擬似連タイマ番号は擬似連タイマ４になり、変動時間は１５秒、擬似連３回になる。図２に示す装飾図柄表示装置１１０では、その変動時間である１５秒
の変動表示を行い、この１５秒の変動表示の中で、約５秒おきに３回の仮停止を行い、次にタイマ番号４に応じた図柄の変動表示を続けて行い、最後に停止表示する。
【０１９４】
図１４に示す特図２関連抽選処理では、続いて、各種の情報をＲＡＭ３０８に設けた送信情報記憶領域に追加記憶する（ステップＳ２１２０）。具体的には、コマンド設定送信処理（ステップＳ２１７）で一般コマンド回転開始設定送信処理を実行させるために上記送信情報記憶領域に１Ｈを送信情報（コマンド種別）として追加記憶する。また、変動表示を開始する図柄が特図２であることを示す特図識別情報も追加記憶する。さらに、２Ｒ大当たりフラグ、１５Ｒ大当たりフラグ、第１小当たりフラグ、あるいは第２小当たりフラグが設定されている情報や、確率変動フラグが設定されている情報や、上述のタイマ番号の情報や、擬似連タイマ番号の情報も追加記憶する。
【０１９５】
ステップＳ２１２０に続いて実行されるステップＳ２１２１では、確率変動フラグを参照し、現在の遊技状態が特図高確率状態であるか否かを判定し、特図高確率状態であれば、ＲＡＭ３０８に設けた送信情報記憶領域に、図９に示す特図１の特図高確率状態用事前判定情報記憶領域全体の情報（各保留ごとの第１特図表示装置１９８の停止図柄を表す情報）を追加するとともに、図９に示す特図２の特図高確率状態用事前判定情報記憶領域全体の情報（各保留ごとの第２特図表示装置１１４の停止図柄を表す情報）も追加する（ステップＳ２１２２）。一方、特図低確率状態であれば、ＲＡＭ３０８に設けた送信情報記憶領域に、図９に示す特図１の特図低確率状態用事前判定情報記憶領域全体の情報（各保留ごとの第１特図表示装置１９８の停止図柄を表す情報）を追加するとともに、図９に示す特図２の特図低確率状態用事前判定情報記憶領域全体の情報（各保留ごとの第２特図表示装置１１４の停止図柄を表す情報）も追加する（ステップＳ２１２３）。ステップＳ２１２２において特図１高確率状態用事前判定情報記憶領域全体の情報や、スップＳ２１２３において特図１低確率状態用事前判定情報記憶領域全体の情報も追加するのは、特図２の変動中に特図１の抽選結果に対する予告報知を行う場合があるためである。ここで、ＲＡＭ３０８に設けた送信情報記憶領域に、図９に示す事前判定情報記憶領域の情報に代えて同じく図９に示す保留情報記憶領域の情報を追加してもよい。ただし、保留情報記憶領域の情報には乱数値が含まれているためデータ容量は１バイト以上（本実施例では数値範囲が６５５３６の特図１当選乱数値や特図２当選乱数値が含まれているためこれらの乱数値のデータ容量として２バイト）必要になる。これに対して、事前判定情報記憶領域の停止図柄情報のデータ容量は１バイト未満（本実施例では図５（ａ）に示す特図は７種類のため３ビット）ですむ。したがって、送信情報記憶領域に追加する情報は、送信先の副制御部４００のＣＰＵ４０４の処理負荷の軽減や副制御部４００のＲＡＭ４０８の容量節約の観点から、事前判定情報記憶領域の情報が好ましい。また、他の制御部に情報を出力する構成においては、コマンド数を少なくすることができる場合がある。
【０１９６】
次に、ステップＳ２１２４において、ＲＡＭ３０８に設けた特図２保留数記憶領域に記憶されている特図２変動遊技の保留数を１つデクリメントし、ステップＳ２１２５に進む。
【０１９７】
ステップＳ２１２５では、ＲＡＭ３０８の第２の乱数値記憶領域から特図２当選乱数値、特図２小当たり図柄抽選用乱数値、および特図２大当たり図柄抽選用乱数値を削除するし、ステップＳ２１２６に進む。
【０１９８】
ステップＳ２１２６では、ＲＡＭ３０８の設定領域に、特図２変動表示中の設定を行い、図７に示す主制御部タイマ割り込み処理に戻る。
【０１９９】
なお、本実施例では、大当たり当選時のラウンド抽選、大当たり当選時の特図高確率状態移行抽選、タイマ番号の抽選、および擬似連タイマ番号の抽選を、図１０のＳ１２０４
で取得した特図２大当たり図柄抽選用乱数値を用いて行ったが、それぞれ専用のソフト乱数カウンタを用いて取得した乱数値を用いてもよい。
【０２００】
次に、特図２関連抽選処理に続いて実行される特図１関連抽選処理（図７のステップＳ２１６）について触れておく。図１７は主制御部３００のＣＰＵ３０４が実行する特図１関連抽選処理の流れを示すフローチャートである。この図１７に示すステップＳ２２０１からステップＳ２２２６までの各ステップは、図１４に示すステップＳ２１０１からステップＳ２１２６までの各ステップにおける「第１」を「第２」に読み替えるとともに「特図１」を「特図２」に読み替えたステップと同一であるため、ここでは、ステップＳ２２２２およびステップＳ２２２３についてのみ説明し、他のステップの説明は省略する。現在の遊技状態が特図高確率状態である場合に実行されるステップＳ２２２２では、ＲＡＭ３０８に設けた送信情報記憶領域に、図９に示す特図１の特図高確率状態用事前判定情報記憶領域全体の情報（各保留ごとの第１特図表示装置１９８の停止図柄を表す情報）を追加する。一方、現在の遊技状態が特図低確率状態である場合に実行されるステップＳ２２２３では、その送信情報記憶領域に、図９に示す特図１の特図低確率状態用事前判定情報記憶領域全体の情報（各保留ごとの第１特図表示装置１９８の停止図柄を表す情報）を追加する。これらのステップＳ２２２２およびステップＳ２２２３では、特図２に関する情報は追加しない。これは、特図１関連抽選処理が開始されたということは、その開始の時点では特図２変動遊技の保留がなかったからであり、遊技状態が変化したことによる影響を特図２変動遊技の保留は受けないからである。なお、本実施例においては特図２の抽選を特図１の抽選よりも優先して行うようにしたが、これに限られず、たとえば第１特図始動口１２６および第２特図始動口１２８に先に入賞した順に抽選を行ってもよく、第１特図始動口１２６および第２特図始動口１２８に後に入賞した順に抽選を行ってもよく、第１特図始動口１２６およぴ第２特図始動口１２８に抽選を別個独立して行ってもよい。この場合には、ステップＳ２２２２およびステップＳ２２２３の処理でも特図２に関する情報を追加するようにしたほうがよい。
【０２０１】
＜副制御部メイン処理＞
次に、図１８（ａ）を用いて、副制御部４００のＣＰＵ４０４が実行する副制御部メイン処理について説明する。なお、同図は副制御部メイン処理の流れを示すフローチャートである。
【０２０２】
副制御部４００には、電源が投入されるとリセット信号を出力するリセット信号出力回路を設けている。このリセット信号を入力した基本回路４０２のＣＰＵ４０４は、リセット割り込みによりリセットスタートしてＲＯＭ４０６に予め記憶した制御プログラムに従って図１８（ａ）に示す副制御部メイン処理を実行し、まず、ステップＳ３０１で各種の初期化を行う。この初期化では、入出力ポートの初期設定や、後述するＲＡＭ４０８に設けた連続予告実行記憶部の初期化や、各種変数の初期化等を行う。
【０２０３】
ステップＳ３０２では、コマンド入力処理（詳細は後述）を行う。
【０２０４】
ステップＳ３０３では、後述するタイマ変数記憶領域の値が１０以上であるか否かを判定する。タイマ変数記憶領域の値が１０以上である場合はステップＳ３０４に進み、タイマ変数記憶領域の値が１０未満である場合にはステップＳ３０２に戻る。
【０２０５】
ステップＳ３０４では、タイマ変数記憶領域に０を格納する。
【０２０６】
ステップＳ３０５では、演出データ更新処理を行う。この演出データ更新処理では、後述する変動パターン選択処理で記憶する変動番号、仮停止図柄の組合せ、および停止図柄の組合せの種別の更新を行うと共に、装飾図柄の変動表示を開始してからの経過時間に基
づいて装飾図柄表示装置１１０、遮蔽手段２５０、スピーカ４１６、各種ランプ４２０および演出装置２００の演出用可動体等による演出を制御するための動作制御データの更新を行う。
【０２０７】
ステップＳ３０５では、決定された演出情報が示している態様で装飾図柄変動表示を行うように、装飾図柄表示制御部５００に出力するコマンド（例えば左に装飾７を停止することを指示するコマンドや遮蔽手段２５０を動作させるコマンド等）をＲＡＭ４０８に設けた液晶コマンド格納領域に格納する等、後述するステップＳ３０６、３０７、３０８、３０９による装飾図柄表示制御部５００、スピーカ４１６、各種ランプ４２０、および演出用可動体を制御する準備を行う。また、所定の条件が成立している場合には所定の演出を実行するか否か、例えばチャンスボタンを用いた演出を行うか否か等の抽選を行う。
【０２０８】
ステップＳ３０６では、装飾図柄表示装置制御処理を行う。この装飾図柄表示装置制御処理では、Ｉ／Ｏ４１０の出力ポートを介して装飾図柄表示制御部５００にコマンドを出力する。ここでは、上記ステップＳ３０５で準備した装飾図柄表示制御用の情報に含まれる装飾図柄表示制御部５００に出力する表示データをＩ／Ｏ４１０の出力ポートに設定し、装飾図柄表示装置１１０の表示制御を装飾図柄表示制御部５００に行わせる。
【０２０９】
ステップＳ３０７では、音出力処理を行う。この音出力処理では、上記ステップＳ３０５で準備したスピーカ制御用の情報に含まれるスピーカ４１６に出力する音声データをＩ／Ｏ４１０の出力ポートに設定し、スピーカ４１６の出力制御を音源ＩＣ４１８に行わせる。
【０２１０】
ステップＳ３０８では、ランプ制御処理を行う。このランプ制御処理では、上記ステップＳ３０５で準備した各種ランプ制御用の情報に含まれる各種ランプ４２０に出力するランプの点灯・消灯を示すデータ等をＩ／Ｏ４１０の出力ポートに設定し、各種ランプ４２０の点灯や消灯の制御を表示回路４２２に行わせる。
【０２１１】
ステップＳ３０９では、演出用駆動装置制御処理を行う。この演出用駆動装置制御処理では、上記ステップＳ３０５で準備した演出用可動体の制御用の情報に含まれる動作タイミングを示すデータ等をＩ／Ｏ４１０の出力ポートに設定し、演出用可動体等を駆動する各種演出用駆動装置４２４の制御を演出用駆動回路４２６に行わせる。
【０２１２】
副制御部４００は、後述するストローブ処理、チャンスボタン処理、または副制御部タイマ割り込み処理による中断を除いて、以降、ステップＳ３０２〜Ｓ３０４の処理を繰り返し実行する。
【０２１３】
＜コマンド入力処理＞
次に、図１８（ｂ）を用いて、上記副制御部メイン処理におけるコマンド入力処理（ステップＳ３０２）について説明する。同図はコマンド入力処理の流れを示すフローチャートである。
【０２１４】
図４に示す副制御部４００における基本回路４０２に搭載されているＲＡＭ４０８には、コマンド記憶領域が設けられている。副制御部４００は、図７に示す主制御部タイマ割り込み処理におけるステップＳ２１７において、主制御部３００から副制御部４００に送信されてきた各種コマンドを、後述するストローブ割り込み処理を実行することで、そのコマンド記憶領域に未処理コマンドとして格納する。コマンド記憶領域には、図柄変動開始コマンドや図柄変動停止コマンド、ＲＡＭクリアコマンド、さらには特図保留増加コマンド等が格納される。図１８（ｂ）に示すステップＳ４０１では、ＲＡＭ４０８に設けられたコマンド記憶領域の内容を確認し、未処理のコマンドが残っているか否かを判断する
。そして、コマンド記憶領域に未処理のコマンドが残っている場合にはステップＳ４０２に進み、コマンド記憶領域に未処理のコマンドが残っていない場合には処理を終了して副制御部メイン処理に復帰する。
【０２１５】
ステップＳ４０２では、ステップＳ４０１においてその存在を肯定した未処理コマンドに応じた処理にジャンプする。以下に、未処理コマンドに応じた処理のいくつかについて詳述する。
【０２１６】
図１８（ｃ）は変動パターン選択処理の流れを示すフローチャートである。この図１８（ｃ）に示す変動パターン選択処理は、図柄変動開始コマンドが未処理コマンドであった場合に実行される。ここでのステップＳ５０１では、演出データ選択処理が実行される。この演出データ選択処理については、詳しくは後述する。
【０２１７】
図１８（ｄ）は図柄停止処理の流れを示すフローチャートであり、この図１８（ｄ）に示す図柄停止処理は、図柄変動停止コマンドが未処理コマンドであった場合に実行される。ここでのステップＳ６０１では、ＲＡＭ４０８に用意された図柄記憶領域に記憶している停止図柄の組合せを構成する３つの装飾図柄を装飾図柄表示装置１１０の左、中、右図柄表示領域１１０ａ〜１１０ｃの３つの表示領域に表示するように設定して処理を終了する。
【０２１８】
さらに、未処理コマンドに基づく処理は他にもある。例えば、大当たり中に可変入賞口１３０の開放制御を開始するたびに主制御部３００が出力し、大当たり開始後の可変入賞口１３０の開放回数を示す情報を含むラウンド開始コマンドが未処理コマンドである場合に行うラウンド開始処理等である。このラウンド開始処理では未処理コマンドに含まれている上記大当たり開始後の可変入賞口１３０の開放回数を示す情報を抽出し、ＲＡＭ４０８の記憶領域に記憶する。その他の処理は、ここでは割愛する。
【０２１９】
＜ストローブ割り込み処理＞
次に、図１８（ｅ）を用いて、副制御部４００のストローブ割り込み処理について説明する。なお、同図はストローブ割り込み処理の流れを示すフローチャートである。
【０２２０】
このストローブ割り込み処理は、副制御部４００が、主制御部３００が出力するストローブ信号を検出した場合に実行する処理である。すなわち、上述の如く、ストローブ信号は、副制御部４００に送信されるコマンドにストローブ情報として含まれており、図７に示す主制御部タイマ割り込み処理のコマンド設定送信処理（ステップＳ２１７）において、主制御部３００から副制御部４００にコマンドが送信され、副制御部４００が、送信されてきたコマンドにストローブ信号を検出した場合に、このストローブ割り込み処理が実行される。ストローブ割り込み処理のステップＳ７０１では、主制御部３００が出力したコマンドを未処理コマンドとしてＲＡＭ４０８に設けた上記コマンド記憶領域に記憶する。
【０２２１】
＜チャンスボタン割り込み処理＞
次に、図１８（ｆ）を用いて、副制御部４００のチャンスボタン割り込み処理について説明する。なお、同図はチャンスボタン割り込み処理の流れを示すフローチャートである。
【０２２２】
このチャンスボタン割り込み処理は、副制御部４００がチャンスボタン検出回路３６４によってチャンスボタン１４６の操作を検出した場合に実行する処理である。
【０２２３】
チャンスボタン割り込み処理のステップＳ８０１では、ＲＡＭ４０８の検知カウンタ記
憶領域に記憶している、チャンスボタン１４６の押下回数を計測するための検知カウンタから値を取得し、取得した値に１を加算してから元の検知カウンタ記憶領域に記憶する。
【０２２４】
＜変数更新割り込み処理＞
次に、図１８（ｇ）を用いて、副制御部４００のＣＰＵ４０４によって実行する変数更新割り込み処理について説明する。なお、同図は変数更新割り込み処理の流れを示すフローチャートである。
【０２２５】
副制御部４００は、所定の周期（本実施例では２ｍｓに１回）でタイマ割り込みを発生するハードウェアタイマを備えており、このタイマ割り込みを契機として、副制御部タイマ割り込み処理を所定の周期で実行する。
【０２２６】
変数更新割り込み処理のステップＳ９０１では、図１８（ａ）に示す副制御部メイン処理におけるステップＳ３０３において説明したＲＡＭ４０８のタイマ変数記憶領域の値に、１を加算して元のタイマ変数記憶領域に記憶する。従って、ステップＳ３０３において、タイマ変数の値が１０以上と判定されるのは２０ｍｓ毎（２ｍｓ×１０）となる。
【０２２７】
次に、図１８（ｃ）に示す変動パターン選択処理における演出データ選択処理（Ｓ５０１）について詳述する。
【０２２８】
図１９は、演出データ選択処理の流れを示すフローチャートである。
【０２２９】
まず、変動パターン選択処理が開始されるまでの流れについて説明する。図１４に示す特図２関連抽選処理におけるステップＳ２１２０や、図１７に示す特図１関連抽選処理におけるステップＳ２２２０において、主制御部３００のＣＰＵ３０４が、ＲＡＭ３０８に設けた送信情報記憶領域に、変動開始を示す情報である１Ｈを送信情報（コマンド種別）として追加記憶する。また、遊技状態が特図高確率状態であれば、ステップＳ２１２２あるいはステップＳ２２２２において、その送信情報記憶領域に、図９に示す特図高確率状態用事前判定情報記憶領域全体の情報（各保留ごとの停止図柄を表す情報）を追加記憶し、遊技状態が特図低確率状態であれば、ステップＳ２１２３あるいはステップＳ２２２３において、その送信情報記憶領域に、図９に示す特図低確率状態用事前判定情報記憶領域全体の情報（各保留ごとの停止図柄を表す情報）を追加記憶する。続いて、図６に示す、主制御部タイマ割り込み処理におけるコマンド設定送信処理（ステップＳ２１７）で一般コマンド回転開始設定送信処理が実行される。こうすることで、主制御部３００から副制御部４００に、コマンド種別が１Ｈである図柄変動開始コマンドが送信される。この図柄変動開始コマンドには、１５Ｒ大当たりフラグの値、２Ｒ大当たりフラグの値、小当たりフラグの値、ハズレフラグの値、特図確率変動フラグの値、タイマ番号、および擬似連タイマ番号の情報が含まれている。さらに、図柄変動開始コマンドには、特図１あるいは特図２関連抽選処理実行時の遊技状態が特図高確率状態であれば特図高確率状態用事前判定情報記憶領域全体の情報が含まれており、それらの遊技状態が特図低確率状態であれば特図低確率状態用事前判定情報記憶領域全体の情報が含まれている。上述のごとく、特図低確率状態から特図高確率状態への移行は大当たり遊技の終了時であり、特図高確率状態から特図低確率状態への移行は特図１変動遊技あるいは特図２変動遊技の終了時である。したがって、特図１あるいは特図２関連抽選処理が実行されてから、副制御部４００が図柄変動開始コマンドを受信して、この変動パターン選択処理を実行するまでの間に、特図高確率状態と特図低確率状態との間で遊技状態が変更されることはなく、変動パターン選択処理実行特の遊技状態は、特図１あるいは特図２関連抽選処理実行時の遊技状態と同じである。主制御部３００から副制御部４００への図柄変動開始コマンドの出力の際に、遊技状態に応じて事前判定情報を選択（図１４に示すステップＳ２１２１〜Ｓ２１２３，図１７に示すステップＳ２２２１〜Ｓ２２２３）することで、簡易な制御構造で事前判定情報
を出力することができる。
【０２３０】
副制御部４００が、図１８（ｅ）に示すストローブ処理において、図柄変動開始コマンドを未処理コマンドとして保存すると（ステップＳ７０１）、図１８（ｂ）に示すコマンド入力処理（Ｓ４０２）を経て、この変動パターン選択処理が開始される。変動パターン選択処理は図柄の変動開始直前に行われる。
【０２３１】
図１９に示す演出データ選択処理のステップＳ５０１１では、予告演出抽選処理が行われる。この予告演出抽選処理については後述する。ステップＳ５０１１に続いて実行されるステップＳ５０１２では、副制御部４００は、変動決定用乱数の値を取得してから、ＲＯＭ４０６に記憶されている不図示の変動番号選択テーブルを参照し、取得した変動決定用乱数の値、および未処理コマンドである図柄変動開始コマンドに含まれている、１５Ｒ大当たりフラグの値、２Ｒ大当たりフラグの値、小当たりフラグの値、ハズレフラグの値、特図確率変動フラグの値、タイマ番号、および擬似連タイマ番号に基づいて演出データを選択し、選択した演出データをＲＡＭ４０８に設けた記憶領域に記憶する。ここでの演出データは変動番号である。
【０２３２】
次に、ステップＳ５０１３では、副制御部４００は、図柄決定用乱数の値を取得してから、ＲＯＭ４０６に記憶されている不図示の図柄決定テーブルを参照し、上記図柄決定用乱数の値、およびステップＳ５０１２で選択した変動番号に基づいて、装飾図柄表示装置１１０に停止させる装飾図柄の組合せの種類を決定する。すなわち、装飾図柄表示装置１１０の左、中、右図柄表示領域１１０ａ〜１１０それぞれに停止させる装飾図柄を決定し、図１８（ｃ）に示す変動パターン選択処理に復帰する。
【０２３３】
図２０は、図１９に示す予告演出抽選処理の流れを示すフローチャートである。
【０２３４】
図１９に示す予告演出抽選処理は、図１８（ｃ）に示す変動パターン選択処理の中の一つの処理であることから、副制御部４００が主制御部３００から、図柄変動開始コマンドを受け取ったことを契機にして起動する。すなわち、この予告演出抽選処理は、図柄の変動開始直前に行われる。
【０２３５】
副制御部４００のＲＡＭ４０８には連続予告実行記憶部が設けられている。
【０２３６】
図２１は、副制御部４００のＲＡＭ４０８に設けられた連続予告実行記憶部を示す図である。
【０２３７】
図２１に示すように、連続予告実行記憶部は、特図１変動遊技の保留数と特図２変動遊技の保留数を加えた８つの領域に区分けされており、各領域には保留番号が付されている。この保留番号は、保留が消化される順番を表すものであり、保留番号１番から順に保留が消化される。また、各領域には、予告報知に関する、実行情報および非実行情報のいずれかの情報が格納されている。予告報知については、詳しくは後述する。図２１に示す連続予告実行記憶部における８つの領域総てには非実行情報が格納されており、図２１では非実行情報が×印で示されている。
【０２３８】
図２０に示すステップＳ５０１１ａでは、その連続予告実行記憶部に、実行情報が格納されている領域があるか否かを判定する。その結果、図２１に示す連続予告実行記憶部のように、実行情報が格納されている領域がない場合には、ステップＳ５０１１ｂに進む。
【０２３９】
ステップＳ５０１１ｂでは、今回送信されてきた図柄変動開始コマンドに含まれている、図９に示す特図高確率状態用事前判定情報記憶領域全体の情報（各保留ごとの停止図柄
を表す情報）あるいは同図に示す特図低確率状態用事前判定情報記憶領域全体の情報（各保留ごとの停止図柄を表す情報）に、図５（ａ）に示す特図Ａの１５Ｒ特別大当たりの停止図柄の情報が含まれているか否かを判定する。すなわち、保留内に１５Ｒ特別大当たりがあるか否かを判定する。１５Ｒ特別大当たりの停止図柄の情報が含まれていれば、図２２に示す当たり系予告抽選テーブルを用いて保留に基づく予告報知の抽選を行い、１５Ｒ特別大当たりの停止図柄の情報が含まれていなければ、図２３に示すハズレ系予告抽選テーブルを用いて保留に基づく予告報知の抽選を行う。なお、本実施例では、図２２に示す予告抽選テーブルと図２３に示す予告抽選テーブルとのいずれの予告抽選テーブルを用いるかの判定基準として、１５Ｒ特別大当たりの停止図柄の情報が含まれているか否かを判定基準としたが、１５Ｒ特別大当たりの停止図柄の情報に加えて１５Ｒ大当たりの停止図柄の情報も含めた判定基準にしてもよいし、さらには、２Ｒ特別大当たりの停止図柄の情報や、２Ｒ大当たりの停止図柄の情報も含めた判定基準にしてもよい。
【０２４０】
図２２は当たり系予告抽選テーブルを示す図であり、図２３はハズレ系予告抽選テーブルを示す図である。
【０２４１】
図２２に示す当たり系予告抽選テーブルは、今回の図柄変動停止表示を含む１５Ｒ特別大当たりの図柄を停止表示する図柄変動停止表示（特定図柄変動停止表示）までの回数、すなわち、当該変動の保留を含む１５Ｒ特別大当たりまでの保留数（１回〜８回）ごとに、予告報知の抽選データを規定したものである。また、図２３に示すハズレ系予告抽選テーブルは、この抽選時の残り図柄確定回数、すなわち、当該変動の保留を含むこの抽選時の保留数（１回〜８回）ごとに、予告報知の抽選データを規定したものである。いずれの予告抽選テーブルにも、予告報知の抽選データに対応した当選番号が示されている。また、当たりの抽選データには、予告報知の際に装飾図柄表示装置１１０に登場させるキャラクタ（姫，娘，爺，殿）が対応付けられて示されている。なお、ハズレの抽選データには、キャラクタが登場しないため、ハズレと示されている。
【０２４２】
図２２に示す当たり系予告抽選テーブルでは、保留数が１の場合には、予告報知は行われないが、保留数が２以上の場合には、予告報知を行う当たりに当選する確率の方が、予告報知を行わないハズレに当選する確率よりも高く、保留数が多くなればなるほど、当たりの当選確率が高くなる。この当たり系予告抽選テーブルを用いた予告報知の抽選に当選したことによって実行される予告報知は、特図変動遊技の結果が１５Ｒ特別大当たりの抽選結果になることを遊技者に示唆する演出になり、本発明にいう予告報知の一例に相当する。
【０２４３】
一方、図２３に示すハズレ系予告抽選テーブルでも、保留数が１の場合には、予告報知は行われず、保留数が２以上の場合であっても、予告報知を行わないハズレに当選する確率の方が、予告報知を行う当たりに当選する確率よりも高く、保留数が多くなればなるほど、ハズレの当選確率が高くなる。このハズレ系予告抽選テーブルを用いた予告報知の抽選に当選したことによって実行される予告報知は、特図変動遊技の結果が１５Ｒ特別大当たりの抽選結果になることを遊技者に期待させる演出になり、本発明にいう予告報知の一例に相当する。ただし、ハズレ系予告抽選テーブルを用いた予告報知は、当たり系予告抽選テーブルを用いた予告報知とは異なり、特図変動遊技の結果が１５Ｒ特別大当たりの抽選結果にはならない。しかしながら、遊技者には、ハズレ系予告抽選テーブルを用いた予告報知なのか、当たり系予告抽選テーブルを用いた予告報知なのかの区別はつかず、ハズレ系予告抽選テーブルを用いた予告報知がなされても、遊技者は、特図変動遊技の結果が１５Ｒ特別大当たりの抽選結果になることを期待する。ここで、ハズレ系予告抽選テーブルを用いた予告報知が頻繁に行われると、当たり系予告抽選テーブルを用いた予告報知の信頼度が遊技者に疑われるようになる。そこで、図２３に示すハズレ系予告抽選テーブルでは、予告報知の抽選に当選しにくくなっている。ところで、図１５（ａ）に示すように
、特図高確率状態において１５Ｒ特別大当たりの抽選結果になる場合には、遊技状態が特図高確率状態から特図低確率状態へ移行（確変転落と称されることがある）すると、１５Ｒ特別大当たりの抽選結果にならなくなる。しかしながら、確変転落したのに、予告報知をそのまま続けると、特図変動遊技の結果が１５Ｒ特別大当たりの抽選結果にはならない予告報知が頻繁に行われることになる恐れがあり、せっかく、ハズレ系予告抽選テーブルを用いた予告報知の実行頻度を抑えていても、無意味になってしまう。本実施例のパチンコ機１００は、このような不都合を解消することを目的の一つにする。
【０２４４】
副制御部４００のＲＡＭ４０８には、予告抽選乱数カウンタが用意されている。この予告抽選乱数カウンタで生成される予告抽選乱数値は０から６５５３５の数値範囲を取り得るものである。また、副制御部４００のＲＡＭ４０８には保留情報記憶領域も設けられている。この保留情報記憶領域は、主制御部３００とは別に、副制御部４００が、現在の特図変動遊技の保留数をカウントするためのものである。保留が増加すると、副制御部４００には、図８や図１０に示す入賞受付処理のステップＳ１１０５，Ｓ１１０６や、ステップＳ１２０５，Ｓ１２０６を経て、主制御部３００から特図保留増加コマンドが送信されてくる。副制御部４００は、特図保留増加コマンドが送信されてくると、その保留情報記憶領域の保留数のカウント値を１つ加算する。ステップＳ５０１１ｃでは、副制御部４００は、予告抽選乱数値を取得するとともに、ＲＡＭ４０８の保留情報記憶領域を参照し、図２２に示す当たり系予告抽選テーブルから、予告抽選乱数値と現在の保留数とに基づいて、当選番号を選択する。当たり系予告抽選テーブルを用いて予告報知の抽選に当選した場合には、当選番号５１〜７８のうちのいずれか一つの当選番号が選択され、予告報知の抽選にハズレた場合には、当選番号１００が選択される。また、ステップＳ５０１１ｄでも、副制御部４００は、予告抽選乱数値を取得するとともに、ＲＡＭ４０８の保留情報記憶領域を参照し、ここでは図２３に示すハズレ系予告抽選テーブルから、予告抽選乱数値と現在の保留数とに基づいて、当選番号を選択する。ハズレ系予告抽選テーブルを用いて予告報知の抽選に当選した場合には、当選番号１〜２８のうちのいずれか一つの当選番号が選択され、予告報知の抽選にハズレた場合には、ここでも当選番号１００が選択される。これらのようにして選択された当選番号が、ステップＳ５０１１ｃの抽選結果、あるいはステップＳ５０１１ｄの抽選結果になる。
【０２４５】
続いて、ステップＳ５０１１ｅでは、先の抽選処理（ステップＳ５０１１ｃ，ステップＳ５０１１ｄ）における抽選結果（当選番号）に基づく予告データを、ＲＡＭ４０８に設けられた連続予告実行記憶部にセットする。
【０２４６】
図２４（ａ）は、副制御部４００のＲＯＭ４０６に記憶されている予告判定テーブルを示す図である。
【０２４７】
図２４（ａ）に示す予告判定テーブルは、当選番号と予告データとの関係が規定されている。図２４（ａ）に示すように、一つの当選番号に対応する予告データは、特図１変動遊技の保留数と特図２変動遊技の保留数を加えた８つの領域に区分けされており、各領域には保留番号が付されている。この保留番号は、保留が消化される順番を表すものであり、保留番号１番から順に保留が消化される。各領域には、非実行情報か実行情報が用意されている。非実行情報は、装飾図柄表示装置１１０に、予告報知としてのキャラクタを登場させずに、予告報知を行わないという情報であり、キャラクタなし（図２４（ａ）では“−”と表示。以降の図においても同じ。）になる。一方、実行情報には、予告報知の際に装飾図柄表示装置１１０にキャラクタ（姫，娘，爺，殿）を登場させ予告報知を行わせる情報（図２４（ａ）ではキャラクタ名を表示）と、待機の情報（図２４（ａ）では待機と表示）との２種類の情報がある。ハズレ系予告抽選テーブルを用いた抽選で選択される当選番号１〜２８（図２４（ａ）では一部の当選番号を表示）に対応するそれぞれ予告データの、キャラクタの実行情報が用意された一番大きな保留番号（残り図柄確定回数の保
留番号）の次の保留番号の領域には、この待機の情報が用意されている。一方、当たり系予告抽選テーブルを用いた抽選で選択された当選番号５１〜７８（図２４（ａ）では一部の当選番号を表示）に対応するそれぞれ予告データには、この待機の情報が用意されていない。ここにいう待機の情報は、装飾図柄表示装置１１０に、予告報知としてのキャラクタを登場させないという情報であるが、実行情報に含まれ、上述のステップＳ５５０１ａにおける判定では、ＲＡＭ４０８に設けられた連続予告実行記憶部に、この待機の情報が格納されていると、実行情報が格納されている領域があるという判定結果になりステップＳ５０１１ｂに進む。ここで、ハズレ系予告抽選テーブルを用いて予告報知に当選した場合には、待機の実行情報を設けておかないと、たとえば、「殿」のキャラクタが登場する予告報知が３回行われた後に、ハズレの停止図柄が表示され、さらに続いて、「殿」のキャラクタが登場する予告報知がまた３回行われた場合、「殿」のキャラクタが登場する予告報知が連続して６回行われたと思われてしまう。そのため、当選番号１〜２８のように、待機の実行情報を設けておき、予告報知が３回行われてハズレの停止図柄が表示された後の、４回目になる予告報知を強制的に行わせず、一旦、「殿」のキャラクタが登場する予告報知が終了したようにする。なお、当たり系予告抽選テーブルを用いて予告報知に当選した場合には、１５Ｒの特別大当たりを挟むため、「殿」のキャラクタが登場する予告報知が連続して６回行われたと思われず、待機の実行情報は不要である。なお、第１の大当たり（たとえば１５Ｒの大当たり）に当選した場合の予告判定テーブルには「待機」の情報が含まれず、第１の大当たりよりも大当たり中の時間が短い第２の大当たり（たとえば２Ｒの大当たり）に当選した場合の予告判定テーブルには「待機」の情報が含まれるようにしてもよい。
【０２４８】
図２４（ｂ）は、ステップＳ５０１１ｅにおいて当選番号３に基づく予告データがセットされた連続予告実行記憶部を示す図である。
【０２４９】
図２４（ｂ）に示す連続予告実行記憶部は、残り図柄確定回数が３回の状態におけるものであり、保留番号１の領域には、予告報知の際に装飾図柄表示装置１１０に「姫」のキャラクタを登場させ予告報知を行わせる実行情報（以下、「姫」の実行情報と称する）が格納されており、保留番号２および３の領域にも、「姫」の実行情報が格納されている。また、保留番号４の領域には、待機の実行情報が格納されている。したがって、３番目になる最後の保留に基づく図柄変動停止表示の最中に「姫」のキャラクタが登場する予告報知が行われ、その後に続く保留（４番目の保留に相当）があった場合には、その保留に基づく図柄変動停止表示では予告報知は強制的に行われない。なお、保留番号５以降の領域には、非実行情報が格納されている。
【０２５０】
副制御部４００のＲＡＭ４０８には、当たり用連続予告実行フラグが用意されている。ステップＳ５０１１ｅに続いて実行されるステップＳ５０１１ｆでは、図２２に示す当たり系予告抽選テーブルを用いて予告報知の抽選を行ったか否かを判定し、当たり系予告抽選テーブルを用いた場合には、その当たり用連続予告実行フラグをオンにセットし（ステップＳ５０１１ｇ）、ステップＳ５０１１ｈに進む。一方、図２３に示すハズレ系予告抽選テーブルを用いて予告報知の抽選を行った場合には、ステップＳ５０１１ｈに直接進む。
【０２５１】
ステップＳ５０１１ｈでは、ＲＡＭ４０８に設けた連続予告実行記憶部の情報に基づいて予告演出をセットする。例えば、図２４（ｂ）に示す連続予告実行記憶部における保留番号１の情報に基づいて、ＲＡＭ４０８に設けられた送信情報記憶領域に、「姫」のキャラクタが登場する予告報知の情報をセットする。ここでセットされた予告報知の情報がコマンドに含められ、そのコマンドが装飾図柄表示制御部５００に出力され（図１８（ａ）に示すステップＳ３０６）、装飾図柄表示装置１１０に予告報知が表示される。したがって、装飾図柄表示装置１１０が本発明にいう予告報知部の一例に相当する。
【０２５２】
続いて、ＲＡＭ４０８に設けられた保留情報記憶領域の保留数のカウント値を１つ減算する（ステップＳ５０１１ｉ）。次に、ＲＡＭ４０８に設けた連続予告実行記憶部の各領域に格納されている情報を、一つ左の保留番号が１少ない領域にシフトし、保留番号１の領域に格納されていた情報はクリアする（ステップＳ５０１１ｊ）。例えば、図２４（ｂ）に示す連続予告実行記憶部では、保留番号１の領域に格納されていた「姫」の実行情報はクリアされ、保留番号２の領域に格納されていた「姫」の実行情報は保留番号１の領域にシフトされるとともに、保留番号３の領域に格納されていた「姫」の実行情報は保留番号２の領域にシフトされる。また、保留番号４の領域に格納されていた待機の実行情報は保留番号３の領域にシフトされる。ステップＳ５０１１ｊが実行されると、図１９に示す演出データ選択処理に復帰する。
【０２５３】
一方、図２０に示すステップＳ５０１１ａの判定で、ＲＡＭ４０８に設けた連続予告実行記憶部に、実行情報が格納されている領域がある場合には、上述の当たり用連続予告実行フラグがオンにセットされているか否かを判定する（ステップＳ５０１１ｍ）。なお、上述のごとく、ＲＡＭ４０８に設けられた連続予告実行記憶部に待機の実行情報は格納されておらず、キャラクタの実行情報は格納されていれば、当たり系予告抽選テーブルを用いて予告報知の抽選を行ったことになる。このため、当たり用連続予告実行フラグがオンにセットされているか否かの判定に代えて、連続予告実行記憶部に待機の実行情報が格納されていないか否かの判定を行ってもよい。
【０２５４】
当たり用連続予告実行フラグがオンにセットされていなければ、既に、保留内に１５Ｒ特別大当たりがないことになり、ステップＳ５０１１ｈに進む。反対に、当たり用連続予告実行フラグがオンにセットされていれば、先のステップＳ５０１１ｂと同じように、今回送信されてきた図柄変動開始コマンドに含まれている、図９に示す特図高確率状態用事前判定情報記憶領域全体の情報（各保留ごとの停止図柄を表す情報）あるいは同図に示す特図低確率状態用事前判定情報記憶領域全体の情報（各保留ごとの停止図柄を表す情報）に、図５（ａ）に示す特図Ａの１５Ｒ特別大当たりの停止図柄の情報が含まれているか否かを判定する（ステップＳ５０１１ｎ）。１５Ｒ特別大当たりの停止図柄の情報が含まれていれば、遊技状態が特図高確率状態から特図低確率状態へ移行していないことになり、ステップＳ５０１１ｈに進む。一方、１５Ｒ特別大当たりの停止図柄の情報が含まれていなければ、遊技状態が特図高確率状態から特図低確率状態へ移行（確変転落）したことになり、特定図柄変動停止表示において１５Ｒ特別大当たりの停止図柄が表示されないことになるため、予告報知の実行を中止する。すなわち、ＲＡＭ４０８の連続予告実行記憶部の各領域に格納されている実行情報を総てクリアし（ステップＳ５０１１ｐ）、さらに、オンにセットされていた当たり用連続予告実行フラグもクリアし（ステップＳ５０１１ｑ）、ステップＳ５０１１ｈに進む。
【０２５５】
以上説明した、予告演出抽選処理を実行する副制御部４００は、本発明にいう予告報知決定部の一例に相当する。本実施例のパチンコ機１００では、図８や図１０に示す入賞受付処理において予め複数の遊技状態に対応した事前判定を行っておくことで、予告報知を行うに際しての主制御部３００や副制御部４００の処理負荷を分散することができる場合がある。
【０２５６】
次に、本実施例における予告報知の一例について説明する。
【０２５７】
図２５は、特図高確率状態が維持されている場合の入賞順変動の一例を示した図である。
【０２５８】
この図２５に示す例では、パチンコ機１００は特図高確率状態を維持しており、装飾図
柄表示装置１１０には、特図高確率状態であることを表す“確変中”という表示がなされている。また、図２５（ａ）に示す装飾図柄表示装置１１０には、装飾図柄のハズレに対応する装飾２−装飾３−装飾４の停止表示がなされており、第１特図表示装置１９８および第２特図表示装置１１４はいずれも、図５（ａ）に示す特図Ｇのハズレ図柄を停止表示している。さらに、特図１保留ランプ１９９は、保留している特図１変動遊技の回数が１回であることを表示するとともに、特図２保留ランプ１１８は、保留している特図２変動遊技がないことを示している。加えて、図２５（ａ）には、図２４（ｂ）に一例を示した、副制御部４００のＲＡＭ４０８に設けられた連続予告実行記憶部４０８１が示されている。図２５（ａ）に示す連続予告実行記憶部４０８１の保留番号１〜８の各領域には、非実行情報が格納されている。
【０２５９】
続いて、図２５（ｂ）に示すように、特図１変動遊技の保留に基づいて、第１特図表示装置１９８が特図１の変動表示を開始するとともに、副制御部４００には主制御部３００から図柄変動開始コマンドが送信されてくる。図２５（ｂ）には、主制御部３００から副制御部４００に送信されてきた図柄変動開始コマンドに含まれている特図高確率状態用事前判定情報記憶領域全体の情報４０８Ｈが示されている。この情報４０８Ｈは、８つの領域に区分けされており、左４つの領域が特図１変動遊技の保留に関する領域であり、右４つの領域が特図２変動遊技の保留に関する領域である。特図１変動遊技の保留に関する領域には、入賞順に従って左側の領域から順に、第１特図表示装置１９８の停止図柄を表す情報が格納されており、特図２変動遊技の保留に関する領域には、同じく入賞順に従って左側の領域から順に、第２特図表示装置１１４の停止図柄を表す情報が格納されている。ここでは、図５（ａ）に示す特図Ａの１５Ｒ特別大当たり図柄を表す情報を○印で表し、１５Ｒ特別大当たり図柄を表す情報以外の情報（図５（ａ）に示すそれ以外の特図（特図Ｂ〜Ｇ）の図柄を表す情報を含む）を×印で表す（以降の図においても同じ。）。図２５（ｂ）に示す情報４０８Ｈのいずれの領域にも、×印で表す情報が格納されており、○印で表す１５Ｒ特別大当たり図柄を表す情報は格納されていない。このため、図２０に示すステップＳ５０１１ｄにおける図２３のハズレ系予告抽選テーブルを用いた予告報知の抽選が行われるが、その抽選にハズレ、当選番号１００に基づく予告データが連続予告実行記憶部４０８１にセットされる。図２５（ｂ）には、こうして当選番号１００に基づく予告データがセットされた連続予告実行記憶部４０８１が示されているが、保留番号１〜８の各領域には予告報知の非実行情報が格納されている。この結果、予告報知は実行されない。装飾図柄表示装置１１０では、図柄変動開始コマンドを受けて、特図１変動遊技に関する装飾図柄の変動表示が開始される。
【０２６０】
特図１変動遊技に関する装飾図柄の変動表示中である図２５（ｃ）では、第１特図始動口１２６に２回の入賞があるとともに第２特図始動口１２８に１回の入賞があり、特図変動遊技の保留数は３回になる。やがて、装飾図柄表示装置１１０には、特図１変動遊技の抽選の結果を表す停止図柄の組み合わせが表示される（図２５（ｄ）参照）。ここでは、ハズレに対応する装飾４−装飾３−装飾２の装飾図柄の組み合わせが停止表示される。また、第１特図表示装置１９８には、図５（ａ）に示す特図Ｇのハズレ図柄が表示される。
【０２６１】
次に、特図１変動遊技よりも特図２変動遊技が優先して行われることにより、図２５（ｅ）に示すように、第２特図表示装置１１４が特図２の変動表示を開始するとともに、副制御部４００には主制御部３００から図柄変動開始コマンドが再び送信されてくる。この情報４０８Ｈも、特図高確率状態用事前判定情報記憶領域全体の情報である。また、図２５（ｅ）に示す情報４０８Ｈには、１５Ｒ特別大当たり図柄を表す情報が含まれている。すなわち、２回目の第１特図始動口１２６への入賞に基づく、第１特図表示装置１９８の停止図柄の事前判定（図８に示すステップＳ１１０８）の結果を表す領域には○印が示されている。このため、図２０に示すステップＳ５０１１ｃにおける図２２の当たり系予告抽選テーブルを用いた予告報知の抽選が行われる。ここでの予告報知の抽選では、今回の
図柄変動停止表示の保留を含む１５Ｒ特別大当たりまでの保留数が３回であることに基づいて抽選が行われ、その抽選に当選（当選番号５５）し、当たり用連続予告実行フラグがオンにセットされるとともに、当選番号５５に基づく予告データが連続予告実行記憶部４０８１にセットされる。図２５（ｅ）には、こうして当選番号５５に基づく予告データがセットされた連続予告実行記憶部４０８１が示されており、保留番号１〜３の各領域に「姫」の実行情報が格納されている。装飾図柄表示装置１１０では、図柄変動開始コマンドを受けて、特図２変動遊技に関する装飾図柄の変動表示が開始され、姫のキャラクタが登場し「アタリ」という吹き出しが表示される１回目の予告報知が実行される（図２５（ｆ））。ここでの予告報知は、２回目の第１特図始動口１２６への入賞に基づく特図１変動遊技の抽選結果に対するものである。換言すれば、２回目の第１特図始動口１２６への入賞に基づい取得した乱数値に対する予告報知である。このように、複数の乱数値を所定の順序で抽選していくパチンコ機において、抽選されていない乱数値に対する予告報知を行うことで、特定の図柄変動に対する期待度を前もって高めることができる。
【０２６２】
また、図２０に示すステップＳ５０１１ｈにおいてこの１回目の予告報知を行うための情報がＲＡＭ４０８に設けられた送信情報記憶領域にセットされると、図２５（ｅ）に示す連続予告実行記憶部４０８１の各領域に格納されている情報が、一つ左の保留番号が１少ない領域にシフトされ（ステップＳ５０１１ｊ）、図２５（ｆ）に示す連続予告実行記憶部４０８１では、保留番号１と２の各領域に「姫」の実行情報が格納されている。続いて、装飾図柄表示装置１１０には、特図２変動遊技の抽選の結果を表す停止図柄の組み合わせが表示される（図２５（ｇ）参照）。ここでは、ハズレに対応する装飾３−装飾３−装飾２の装飾図柄の組み合わせが停止表示される。また、第２特図表示装置１１４には、図５（ａ）に示す特図Ｇのハズレ図柄が表示される。
【０２６３】
次に、図２５（ｈ）に示すように、第１特図表示装置１９８が特図１の変動表示を開始するとともに、副制御部４００には主制御部３００から図柄変動開始コマンドが再び送信されてくる。この情報４０８Ｈも、特図高確率状態用事前判定情報記憶領域全体の情報である。この図２５（ｈ）に示す情報４０８Ｈにも、１５Ｒ特別大当たり図柄を表す情報が含まれている。装飾図柄表示装置１１０では、図柄変動開始コマンドを受けて、特図１変動遊技に関する装飾図柄の変動表示が開始され、姫のキャラクタが登場し「アタリ」という吹き出しが表示される２回目の予告報知が実行される（図２５（ｉ））。また、ここでも図２５（ｈ）に示す連続予告実行記憶部４０８１の各領域に格納されている情報が、一つ左の保留番号が１少ない領域にシフトされ（ステップＳ５０１１ｊ）、図２５（ｉ）に示す連続予告実行記憶部４０８１では、８つの領域のうち保留番号１の領域のみに「姫」の実行情報が格納されている。やがて、装飾図柄表示装置１１０には、特図１変動遊技の抽選の結果を表す停止図柄の組み合わせが表示される（図２５（ｊ）参照）。ここでも、ハズレに対応する装飾３−装飾３−装飾２の装飾図柄の組み合わせが停止表示される。また、第１特図表示装置１９８には、図５（ａ）に示す特図Ｇのハズレ図柄が表示される。
【０２６４】
次いで、図２５（ｋ）に示すように、第１特図表示装置１９８が特図１の変動表示を開始するとともに、副制御部４００には主制御部３００から図柄変動開始コマンドがまた送信されてくる。この情報４０８Ｈも、特図高確率状態用事前判定情報記憶領域全体の情報である。この図２５（ｋ）に示す情報４０８Ｈにも、１５Ｒ特別大当たり図柄を表す情報が含まれている。なお、同図（ｅ）や同図（ｈ）に示す情報４０８Ｈを含む図柄変動開始コマンドを副制御部４００に送信するタイミングでは特図１変動遊技の保留が２つあったのに対し、同図（ｋ）に示す情報４０８Ｈを含む図柄変動開始コマンドを副制御部４００に送信するタイミングでは特図１変動遊技の保留が１つ消化されたため、その保留は残り１つになり、同図（ｋ）に示す情報４０８Ｈでは、１５Ｒ特別大当たり図柄を表す情報が格納されている領域が一つ左にシフトしている。装飾図柄表示装置１１０では、図柄変動開始コマンドを受けて、特図１変動遊技に関する装飾図柄の変動表示が開始され、姫のキ
ャラクタが登場し「アタリ」という吹き出しが表示される３回目の予告報知が実行される（図２５（ｋ））。なお、ここでも図２５（ｊ）に示す連続予告実行記憶部４０８１の各領域に格納されている情報が、一つ左の保留番号が１少ない領域にシフトされ（ステップＳ５０１１ｊ）、図２５（ｋ）に示す連続予告実行記憶部４０８１から実行情報がなくなっている。そして、装飾図柄表示装置１１０には、特図１変動遊技の抽選の結果を表す停止図柄の組み合わせが表示される（図２５（ｍ）参照）。ここでは、１５Ｒ特別大当たりに対応する装飾３−装飾３−装飾３の装飾図柄の組み合わせが停止表示される。また、第１特図表示装置１９８には、図５（ａ）に示す特図Ａの１５Ｒ特別大当たり図柄が表示される。
【０２６５】
図２６は、確変転落が途中で起こった場合の入賞順変動の一例を示した図である。
【０２６６】
以下、図２５に示す例との違いを中心に説明する。まず、この図２６に示す例では、最初、パチンコ機１００は特図高確率状態であり、図２６（ａ）から同図（ｇ）に示す装飾図柄表示装置１１０には、特図高確率状態であることを表す“確変中”という表示がなされている。しかしながら、図２６（ｅ）〜同図（ｇ）にかけての特図２変動遊技の終了と同時に、ＲＡＭ３０８に設けられた特図高確率状態維持回数記憶部に記憶された維持回数が０になり、特図高確率状態から特図低確率状態に移行する。すなわち、確変転落する。この結果、主制御部３００から副制御部４００に送信されてくる図柄変動開始コマンドに含まれている事前判定情報記憶領域全体の情報は、特図低確率状態用事前判定情報記憶領域全体の情報４０８Ｌになり、この情報４０８Ｌには、１５Ｒ特別大当たり図柄を表す情報が含まれていない（図２６（ｈ）参照）。そのため、図２６（ｈ）に示す連続予告実行記憶部４０８１では、「姫」の実行情報がクリア（図２０に示すステップＳ５０１１ｐ）されている。なお、当たり用連続予告実行フラグもクリアされる（ステップＳ５０１１ｑ）。装飾図柄表示装置１１０では、図柄変動開始コマンドを受けて、特図１変動遊技に関する装飾図柄の変動表示が開始されるが、予告報知は実行されない（図２６（ｉ））。このように、本実施例のパチンコ機１００では、確変転落すると予告報知が中止され、特図変動遊技の結果が１５Ｒ特別大当たりの抽選結果にはならない予告報知が頻繁に行われることが防止される。その結果、当たり系予告抽選テーブルを用いた予告報知の頻度とハズレ系予告抽選テーブルを用いた予告報知の頻度がバランスし、当たり系予告抽選テーブルを用いた予告報知の信頼度を維持しつつ、ハズレ系予告抽選テーブルを用いた予告報知の実行によって遊技者の期待感が高まり、遊技の興趣が向上する場合がある。また、遊技状態の変更を予測するために特図変動遊技の抽選回数を把握しながら事前判定情報の取得を行わなくて済むため、処理負荷を軽減することができる場合がある。特に、本実施例のように、特図が複数あるパチンコ機にあっては、特図２の変動が特図１の変動に割り込むため、仮に抽選回数を把握していたとしても未来の遊技状態を予測できない場合がある。
【０２６７】
また、図２６（ｋ）に示すように、第１特図表示装置１９８が特図１の変動表示を開始するとともに、副制御部４００には主制御部３００から図柄変動開始コマンドがまた送信されてくる。この情報４０８Ｌも、特図低確率状態用事前判定情報記憶領域全体の情報である。この図２６（ｋ）に示す情報４０８Ｌにも、１５Ｒ特別大当たり図柄を表す情報が含まれていない。ここでは、先の図２６（ｈ）において連続予告実行記憶部４０８１の実行情報がクリアされているため、予告報知の抽選（図２０に示すステップＳ５０１１ｄ）が行われ、当該変動の保留を含むこの抽選時の保留数（残り図柄確定回数）は１回であることから、その抽選にハズレ、当選番号１００に基づく予告データが連続予告実行記憶部４０８１にセットされる。図２６（ｋ）には、こうして当選番号１００に基づく予告データがセットされた連続予告実行記憶部４０８１が示されているが、保留番号１〜８の各領域には予告報知の非実行情報が格納されている。この結果、ここでも予告報知は実行されず、図２６（ｍ）において、装飾図柄表示装置１１０には、特図１変動遊技の抽選の結果を表す、ハズレに対応する装飾４−装飾３−装飾３の装飾図柄の組み合わせが停止表示さ
れる。また、第１特図表示装置１９８には、図５（ａ）に示す特図Ｇのハズレ図柄が表示される。
【０２６８】
図２７は、特図低確率状態から特図高確率状態へ途中で移行した場合の入賞順変動の一例を示した図である。
【０２６９】
以下、図２５に示す例との違いを中心に説明する。まず、この図２７に示す例では、最初、パチンコ機１００は特図低確率状態であり、図２７（ａ）から同図（ｇ）に示す装飾図柄表示装置１１０には、特図高確率状態であることを表す“確変中”という表示がなされていない。
【０２７０】
図２７（ｅ）に示すように、第２特図表示装置１１４が特図２の変動表示を開始するとともに、副制御部４００には主制御部３００から図柄変動開始コマンドが送信されてくる。この図柄変動開始コマンドに含まれている事前判定情報記憶領域全体の情報は、特図低確率状態用事前判定情報記憶領域全体の情報４０８Ｌである。また、図２７（ｅ）に示す情報４０８Ｌには、１５Ｒ特別大当たり図柄を表す情報が含まれている。すなわち、第２特図始動口１２８への入賞に基づく、第２特図表示装置１１４の停止図柄の事前判定（図１０に示すステップＳ１２０８）の結果を表す領域には○印が示されている。このため、図２０に示すステップＳ５０１１ｃにおける図２２の当たり系予告抽選テーブルを用いた予告報知の抽選が行われる。ここでの予告報知の抽選では、今回の図柄変動停止表示の保留を含む１５Ｒ特別大当たりまでの保留数が１回であることに基づいて抽選が行われる。保留数が１回であることから、ここでの抽選にはハズレ（当選番号１００）、当たり用連続予告実行フラグがオンにセットされるとともに、当選番号１００に基づく予告データが連続予告実行記憶部４０８１にセットされる。図２７（ｅ）には、こうして当選番号１００に基づく予告データがセットされた連続予告実行記憶部４０８１が示されており、保留番号１〜８の各領域には非実行情報が格納されている。装飾図柄表示装置１１０では、図柄変動開始コマンドを受けて、特図２変動遊技に関する装飾図柄の変動表示が開始されるが、予告報知は行われず、やがて、図２７（ｆ）に示すように、１５Ｒ特別大当たりに対応する装飾３−装飾３−装飾３の装飾図柄の組み合わせが停止表示される。また、第２特図表示装置１１４には、図５（ａ）に示す特図Ａの１５Ｒ特別大当たり図柄が表示される。続いて、図２７（ｇ）に示すように、装飾図柄表示装置１１０には、大当たり演出が表示され、大当たり遊技が開始される。この大当たり遊技の終了と同時に、遊技状態が特図低確率状態から特図高確率状態へ移行する。この結果、図２７（ｈ）から同図（ｍ）に示す装飾図柄表示装置１１０には、特図高確率状態であることを表す“確変中”という表示がなされる。
【０２７１】
次に、図２７（ｈ）に示すように、第１特図表示装置１９８が特図１の変動表示を開始するとともに、副制御部４００には主制御部３００から図柄変動開始コマンドが再び送信されてくる。この情報４０８Ｈは、特図高確率状態用事前判定情報記憶領域全体の情報である。特図低確率状態では１５Ｒ特別大当たり図柄を表す情報ではなかった情報が、遊技状態が特図高確率状態になったことによって１５Ｒ特別大当たり図柄を表す情報になり、図２７（ｈ）に示す情報４０８Ｈには、１５Ｒ特別大当たり図柄を表す情報が含まれている。装飾図柄表示装置１１０では、図柄変動開始コマンドを受けて、特図１変動遊技に関する装飾図柄の変動表示が開始され、姫のキャラクタが登場し「アタリ」という吹き出しが表示される１回目の予告報知が実行される（図２７（ｉ））。また、図２７（ｈ）に示す連続予告実行記憶部４０８１の各領域に格納されている情報が、一つ左の保留番号が１少ない領域にシフトされ（ステップＳ５０１１ｊ）、図２７（ｉ）に示す連続予告実行記憶部４０８１では、８つの領域のうち保留番号１の領域のみに「姫」の実行情報が格納されている。
【０２７２】
次いで、図２７（ｋ）に示すように、第１特図表示装置１９８が特図１の変動表示を開始するとともに、副制御部４００には主制御部３００から図柄変動開始コマンドがまた送信されてくる。この情報４０８Ｈも、特図高確率状態用事前判定情報記憶領域全体の情報である。この図２７（ｋ）に示す情報４０８Ｈにも、１５Ｒ特別大当たり図柄を表す情報が含まれている。装飾図柄表示装置１１０では、図柄変動開始コマンドを受けて、特図１変動遊技に関する装飾図柄の変動表示が開始され、姫のキャラクタが登場し「アタリ」という吹き出しが表示される２回目の予告報知が実行される（図２７（ｋ））。やがて、図２７（ｍ）に示すように、１５Ｒ特別大当たりに対応する装飾３−装飾３−装飾３の装飾図柄の組み合わせが停止表示される。また、第１特図表示装置１９８には、図５（ａ）に示す特図Ａの１５Ｒ特別大当たり図柄が表示される。
【０２７３】
続いて、第２実施例のパチンコ機１００について説明する。以下の説明では、これまで説明したきた第１実施例のパチンコ機１００との相違点を中心に説明し、重複する説明は省略することがある。また、これまで説明した構成要素と同じ名前の構成要素には、これまで用いた符号と同じ符号を付して説明する。
【０２７４】
第２実施例のパチンコ機１００では、図２０に示す予告演出抽選処理におけるステップＳ５０１１ｂやステップＳ５０１１ｎにおいて、保留内に時短付き１５Ｒ特別大当たりがあるか否かを判定する。このため、この第２実施例では、特図高確率状態と特図低確率状態といった遊技状態の他に、普図高確率状態と普図低確率状態といった遊技状態も加味して、予告報知の実行を決定する。第１実施例のパチンコ機１００では、大当たり遊技の終了と同時に、ＲＡＭ３０８に設けられた時短回数記憶部に時短回数１００回をセットするともに、ＲＡＭ３０８に設けられた時短フラグをオンする。すなわち、１５Ｒ特別大当たり、１５Ｒ大当たり、２Ｒ特別大当たり、および２Ｒ大当たりのいずれの大当たりであっても、大当たり遊技の終了と同時に一律に、特図抽選回数１００回分の普図高確率状態になる。一方、第２実施例のパチンコ機１００では、上記いずれの大当たりであっても、大当たり遊技の終了と同時に一律に、普図高確率状態になるわけではなく、普図高確率状態になるか否か（時短回数が０回か１００回か）は、大当たり当選時に抽選によって決定する。
【０２７５】
図２８（ａ）は、主制御部３００のＲＯＭ３０６に記憶された、大当たり終了後の時短回数抽選テーブルを示す図である。
【０２７６】
図２８（ａ）に示す時短回数抽選テーブルは、特図２関連抽選処理においても特図１関連抽選処理においても共通で使用される決定テーブルである。この時短回数抽選テーブルは、特図高確率状態および特図低確率状態と、普図高確率状態および普図低確率状態との組み合わせと、時短回数決定用の抽選データとの関係を規定したものである。図７に示す特図２関連抽選処理（Ｓ２１５）や特図１関連抽選処理（Ｓ２１６）において、この時短回数抽選テーブルを用いて、特図２大当たり図柄抽選用乱数値あるいは特図１大当たり図柄抽選用乱数値に基づいて、時短回数を抽選する。上述のごとく、特図２大当たり図柄抽選用乱数値および特図１大当たり図柄抽選用乱数値はいずれも、取り得る数値範囲が０〜１２７（数値範囲の大きさは１２８）であり、抽選時の遊技状態が、特図高確率状態であってかつ普図高確率状態であれば、必ず、大当たり遊技の終了と同時に特図抽選回数１００回分の普図高確率状態（時短付き）になる。一方、抽選時の遊技状態が、特図低確率状態であってかつ普図低確率状態であれば、５０％の確率で、大当たり遊技の終了と同時に特図抽選回数１００回分の普図高確率状態（時短付き）になるが、反対に５０％の確率で、大当たり遊技の終了と同時に普図高確率状態にならない（時短回数が０回）。また、抽選時の遊技状態が、特図高確率状態であってかつ普図低確率状態であれば、大当たり遊技の終了と同時に特図抽選回数１００回分の普図高確率状態（時短付き）になる確率より、普図高確率状態にならない（時短回数が０回）確率の方が高い。一方、抽選時の遊技状態
が、特図低確率状態であってかつ普図高確率状態であれば、大当たり遊技の終了と同時に普図高確率状態にならない（時短回数が０回）確率より、特図抽選回数１００回分の普図高確率状態（時短付き）になる確率の方が高い。
【０２７７】
なお、ここでは抽選を行うが、特図高確率状態および特図低確率状態と、普図高確率状態および普図低確率状態との組み合わせごとに、時短回数の固定値が予め決定されていてもよい。また、特図１と特図２とで時短回数決定用の抽選乱数値が異なっていてもよい。また、特図高確率状態および特図低確率状態と、普図高確率状態および普図低確率状態との組み合わせごとに、特定の特図停止図柄に対応する時短回数が異なるようにしてもよい。
【０２７８】
また、図２８（ａ）に示す時短回数抽選テーブルの時短回数決定用の抽選データはＲＡＭ３０８に展開されている。図８に示す入賞受付処理では、ステップＳ１１０３で取得した特図１大当たり図柄抽選用乱数値が、その時短回数決定用の抽選データに属するか否かを判定する。また、図１０に示す入賞受付処理では、ステップＳ１２０３で取得した特図２大当たり図柄抽選用乱数値が、その時短回数決定用の抽選データに属するか否かを判定する。
【０２７９】
図２８（ｂ）は、第２実施例における主制御部３００のＲＡＭ３０８に設けられた事前判定情報記憶領域を示す図である。
【０２８０】
なお、これまでの説明した各実施例では、図８に示す入賞受付処理で第１特図表示装置１９８の停止図柄を事前判定するとともに、図１０に示す入賞受付処理で第２特図表示装置１１４の停止図柄を事前判定するが、これらの事前判定に代えて、予告報知を行うか否かの事前判定を行い、図９に示す事前判定情報記憶領域に、予告報知を行う、行わないといった情報を格納し、図２０に示す予告演出抽出処理で、特図１あるいは特図２関連抽選処理実行時の遊技状態と同じである当該処理実行時の遊技状態に応じて、予告報知を行うか否かを決定（図２０に示すステップＳ５０１１ｃ，Ｓ５０１１ｄ）してもよい。
【０２８１】
また、１５Ｒ特別大当たりと２Ｒ特別大当たりの他に６Ｒ特別大当たりを設け、６Ｒ特別大当たりに対しても予告報知を行い、１５Ｒ特別大当たりに対しては６Ｒ特別大当たりに対する予告報知よりも演出効果のより高い予告報知を行い、確変転落すると、１５Ｒ特別大当たりから６Ｒ特別大当たりになってしまう構成のパチンコ機にも、本発明は適用することができる。
【０２８２】
以上、本発明をパチンコ機（弾球遊技機）に適用させた実施例について詳細に説明したが、本発明の遊技台は、これに限るものではなく、例えば、メダルや遊技球（パチンコ球）を使用する回胴遊技機（スロットマシン）にも適用可能である。また、本発明を、アレンジボール遊技機、じゃん球遊技機、ピンボールマシン、に適用してもよい。また、本発明を、遊技媒体の投入を契機として遊技可能となる遊技機（例えば、カジノマシン、ビデオゲームマシン、封入式のパチンコ遊技機）、遊技媒体自体を遊技に使用する遊技機（例えば、メダル落としゲーム機）に適用してもよい。ここで、「遊技媒体の投入」とは「賭ける」を意味し、「ベット」とも同意である。「遊技媒体の投入」は、「通貨の投入」や「電子マネーの投入」を含む。カジノマシンとは、通貨の投入により遊技が開始可能となり、抽選結果が当選の場合に、該当選結果に対応付けられて設定された図柄が停止し、遊技者に特典となる払出しを行う、カジノマシンである。なお、スロットマシンは、複数種類の図柄が施された複数のリールと、前記複数のリールの回転を開始させるスタートスイッチと、前記複数のリールの各々に対応して設けられ、前記リールの回転を個別に停止させるストップスイッチと、予め定められた複数種類の入賞役の内部当選の当否を抽選により判定する抽選手段と、停止時の前記複数のリールにより表示された図柄の組合せが前記
抽選手段により内部当選した入賞役の図柄組合せであるか否かにより前記入賞役への入賞を判定する判定手段と、をさらに備えたものであってもよい。
【０２８３】
また、主制御部３００は副制御部４００に対して、Ｓ２１２１およびＳ２２２１の判定処理を行う毎に事前判定情報を出力するようにしたが、これに限られず、たとえば、判定処理の２回に１回出力するなど、所定の回数毎に事前判定情報を出力するようにしてもよい。
【０２８４】
また、本実施例では特定のキャラクタが連続して登場する演出を事前予告として例にとったが、これに限られず、変動毎にキャラクタの台詞が続いていくようなストーリーを持った演出であってもよい。また、事前予告が特定の回数続いた場合や、特定の事前予告が登場した場合は、事前予告の対象となった抽選が必ず当選することを示す確定事前予告を行ってもよい。
【０２８５】
また、本実施例では、遊技状態に応じて大当たり抽選用乱数値の値に対応する抽選結果が異なることを例にとったが本発明はこれに限られない。たとえば、始動口入賞時にタイマ番号抽選用乱数を取得するとともに、該タイマ番号抽選用乱数値を先読みした結果「短い変動」「短い変動」「短い変動」など、所定のタイマ番号の組み合わせをとる場合に予告抽選を行うようにし、このタイマ番号の抽選は、普図低確率遊技状態の場合は第１のタイマ番号決定テーブルを参照し、普図高確率遊技状態の場合は第１のタイマ番号決定テーブルよりも変動時間が短いタイマ番号を決定しやすい第２のタイマ番号決定テーブルを参照するようにしてもよい。こうすると、普図高確率遊技状態で先読みをして所定のタイマ番号の組み合わせをとって予告報知を開始した後に、普図低確率遊技状態となり所定のタイマ番号の組み合わせをとらなくなることが考えられる。このような場合でも、本発明のように普図高確率遊技状態での先読みの判定結果および普図低確率遊技状態での先読みの判定結果を事前に取得しておくことで、連続予告中に「長い変動」が割り込むことで連続予告の連続性が損なわれるということを防止する際に処理負荷をかけずに行うことができる。すなわち、『前記抽選部は、所定の抽選条件が成立したことに基づいて図柄の変動時間の抽選を前記カウント値を用いて行い、第１の抽選結果および該第１の抽選結果よりも図柄の変動時間の長い第２の抽選結果を含む複数の抽選結果の中からいずれか１つの抽選結果を選択するもの』であってもよい。なお、保留数に応じて参照するタイマ番号決定テーブルを異ならせる場合は、遊技状態に加えて保留毎の事前判定を行うようにしてもよい。たとえば、変動開始時に保留数が４つある場合は、変動開始時に保留数が１つある場合よりも短い変動を選択しやすいようにし、始動口入賞時に保留数が４つの場合の予告報知の態様および保留数が１の場合の予告報知の態様を決定するようにしてもよい。
【０２８６】
なお、止め打ち遊技をされる虞があるので、普図高確率遊技状態における特図２の変動での予告報知は行わないようにしてもよい。また、普図高確率遊技状態における特図２の変動にかかる予告報知は、特図１の抽選値を先読みしたことに基づいては行わず、特図２の抽選値を先読みしたときにのみ行うようにしてもよい。この場合に、主制御部は、副制御部に対して、特図２の事前判定結果のみを出力するようにしてもよい。
【０２８７】
また、本発明は図２９に示すパチンコ式演出装置を備えたスロットマシンにも適用することができる。
【０２８８】
図２９は、封入式パチンコ演出装置が設けられたスロットマシンを示す図である。
【０２８９】
図２９に示す封入式パチンコ演出装置は、図１および図２に示したパチンコ演出装置として必要な機能を備えた機構部品を備えている。すなわち、発射装置から発射された遊技球が遊技領域を転動し、複数の入賞口またはアウト口に入球するように設けられている。
ただし、複数の入賞口またはアウト口に入球した遊技球は外部の島設備に排出はされず、払出通路に案内されるように設けられている。このため、遊技球をスロットマシン内で循環させることができる。
【０２９０】
遊技者は、封入式パチンコ演出装置を特定の条件が成立した場合にプレイできるように設けられている。特定の条件とは、たとえば特別遊技が終了後、所定の回数の遊技を行うまでの間や、特別遊技が終了後、所定の時間が経過するまでの間などである。この間、遊技者は所定の操作を持って封入式パチンコ演出装置の遊技領域に遊技球を発射することができるようになっている。この操作は、たとえばスタートレバーを操作する毎など、スロットマシンを遊技する上で必要な操作を行う毎であってもよいし、発射ハンドルを設け、発射ハンドルを操作する毎であってもよい。
【０２９１】
所定遊技回数終了後や所定期間経過後に、封入式パチンコ演出装置の遊技結果が所定の結果であった場合は遊技者に所定の利益が付与されるようにしてもよい。所定の利益の付与の方法は、パチンコ演出装置の入賞数または遊技球払出数が所定の数以上であることをスロットマシン内に設けられたＣＰＵが判定した場合に、所定の期間や所定の遊技回数、抽選された入賞役を報知するようにしてもよいし（いわゆるＡＴ）、ＱＲコード（登録商標）が表示され、ＱＲコード（登録商標）にアクセスすると所定の特典（プレミア画像など）が取得できるようにしてもよい。また、所定の利益の付与の方法は、スロットマシン内に設けられたＣＰＵが判定することに限られず、たとえば遊技店員が封入式パチンコ演出装置の遊技球の入球状態や封入式パチンコ演出装置の図柄表示装置の図柄組み合わせを確認し、所定の入賞口に入賞した場合や所定の図柄組み合わせが表示された場合に景品を付与するようにしてもよい。
【０２９２】
また、所定の始動口に図柄変動開始条件が成立していない場合は入賞役に基づく抽選または変動開始を保留するようにしてもよい。このとき、本発明でいう予告報知を行うようにしてもよい。
【０２９３】
このように、本発明は、スロットマシンに設けられたパチンコ式演出装置内の演出においても適用することができる。
【０２９４】
ここで、本実施例についての補足を行う。
【０２９５】
＜始動口系＞
第１特図始動口１２６と第２特図始動口１２８のほかに第３特図始動口を備え、その第３特図始動口は特図２に対応する始動口で始動口１よりも入球しにくい非可変入賞口（ＶＩＰ始動口）であってもよい。
【０２９６】
＜抽選部＞
また、図１４に示す特図２関連抽選処理や、図１７に示す特図１関連抽選処理において、本実施例では、ラウンド数および確変の抽選を行って、抽選結果に基づいて対応する大当たり図柄を設定しているが、まず大当たり、小当たりまたはハズレを抽選し、大当たりである場合は大当たり図柄を抽選するようにし、大当たり図柄に応じて遊技者に付与する利益量が定められていてもよい。具体的には、大当たり図柄が第１の大当たり図柄である場合は、時短付き１５Ｒ特別大当たり、大当たり図柄が第２の大当たり図柄である場合は、時短なし２Ｒ大当たり、などといったように定めてもよい。また、遊技状態に応じて、大当たり図柄に対応した遊技者に付与する利益量が異なっていてもよい。たとえば、普図高確率状態で第１の大当たり図柄が停止表示された場合は、時短付き１５Ｒ特別大当たりで、普図低確率状態で第１の大当たり図柄が停止表示された場合は、時短無し１５Ｒ特別大当たりであってもよい。また、第１の大当たり図柄および第２の大当たり図柄があり、
普図高確率状態では、第１の大当たり図柄は、時短１００回付１５Ｒ特別大当たりで、第２の大当たり図柄は、時短１００回付２Ｒ特別大当たりであるが、普図低確率状態では、第１の大当たり図柄は、時短３０回付１５Ｒ特別大当たりで、第２の大当たり図柄は時短３０回付２Ｒ特別大当たりであってもよい。このように、遊技状態に応じて時短終了後の時短回数が有利になったり不利になったりするようにしてもよい。そして、事前判定情報取得時と、抽選が行われるまでに遊技状態が変わることがあってもよい。
【０２９７】
また、特図２は特図１よりも優先して抽選されるようにしたが、これに限られず、単に入賞した順番で抽選が行われるようにしてもよい。また、後に入賞したものを先に抽選するようにしてもよい。また、特図１と特図２の抽選をそれぞれ独立させて抽選が行われるようにしてもよい。なお、抽選結果の報知が終わった後、特図１と特図２の両方に保留がある場合に特図２の抽選を優先するようにしたが、これに限られず、特図１の抽選結果の報知中であっても、特図２に入賞した場合は、特図１の抽選結果の報知を中断して特図２の抽選を行い、特図２の抽選結果の報知が終わった後で特図１の抽選結果の報知を再開するようにしてもよい。
【０２９８】
また、特図低確率状態において大当たりとなる乱数値または乱数範囲は、特図高確率状態において大当たりとなる乱数値または乱数範囲に包含されていなくてもよい。たとえば、特図低確率状態において大当たりとなる乱数値（たとえば「７」）が特図高確率状態において大当たりとなる乱数値でなくてもよい。また、特図低確率状態において有利となる大当たり図柄（たとえば時短付き１５Ｒ大当たり）となる乱数値または乱数範囲は、特図高確率状態において有利となる大当たりとなる乱数値または乱数範囲に包含されていなくてもよい。
【０２９９】
＜事前判定部＞
図８や図１０に示す入賞受付処理では、第１特図始動口１２６や第２特図始動口１２８への入賞に基づいて、今回入賞した保留に対して抽選を行うようにしたがこれに限られず、たとえば変動開始時に前回の変動開始時と今回の変動開始時の保留を比較して、保留が増えていた場合は増えた保留に対して抽選を行うようにしてもよい。このように、所定の条件の成立に基づいて事前判定を実行するようにしてもよい。
【０３００】
また、今回の抽選が大当たりであった場合は事前判定情報を副制御部４００に出力しないようにしてもよい。
【０３０１】
また、特図１が変動する場合は特図１の変動分だけの事前判定情報を副制御部４００に出力し、特図２が変動する場合は特図２の変動分だけの事前判定情報を副制御部４００に出力するようにしてもよい。
【０３０２】
さらに、特図高確率状態の場合は、特図１の事前判定情報を副制御部４００に出力しないようにしてもよいし、特図１の事前判定情報を副制御部４００に出力する処理を飛ばしてもよい。
【０３０３】
また、普図高確率状態の場合は、事前判定情報記憶領域の記憶を維持しつつ、全てハズレであることを意味する情報を副制御部４００に出力してもよいし、事前判定情報記憶領域に格納されている情報をマスクして、全てハズレであることを意味する情報を副制御部４００に出力してもよい。
【０３０４】
＜判定結果記憶部＞
図９に示す事前抽選情報記憶領域は、複数の大当たりのうち所定の大当たりであることを記憶してもよい。
【０３０５】
また、図９に示す事前抽選情報記憶領域は、図９に示す保留情報記憶領域よりも小さい容量で事前判定情報を記憶する。
【０３０６】
さらに、図９に示す事前抽選情報記憶領域は、図９に示す保留情報記憶領域に対応して記憶してもよい。
【０３０７】
＜遊技状態切替部＞
パチンコ機１００の遊技状態を変更するには、大当たり終了後に該大当たりが特別大当たりであれば特図高確率状態に移行させ、時短付大当たりであれば普図高確率状態に移行させる。
【０３０８】
また、パチンコ機１００の遊技状態を変更するには、特図高確率状態の場合は毎抽選毎に特図高確率状態から特図低確率状態に移行する抽選である転落抽選を行ってもよい。普図高確率状態から普図低確率状態に移行する抽選であってもよい。
【０３０９】
＜予告報知部＞
保留が０の場合は予告演出抽選処理を飛ばしてもよい。
【０３１０】
また、予告報知は、同じキャラクタがたくさん登場するだけでなく、シナリオ性があるもの、演出効果が徐々に高められていくもの、同系統の演出が多発するものなどいずれのものであってもよい。また、予告報知は予告演出用のものだけでなく、予告演出以外のものと共通したものであってもよい。
【０３１１】
遊技状態が変更されたため予告報知を終了する場合は、共通の予告報知終了報知を行ってもよい。たとえばキャラクタを登場させ、「今回はダメね・・・次回に期待ね・・・」などの吹き出しを表示してもよい。
【０３１２】
連続予告中に特図２の割込みがあった場合は、連続予告実行記憶部の記憶を修正する。具体的には、特図２の割込み分だけ予告を増やす。特図２が割り込んだか否かは、特図１の保留がある場合に特図２の保留増加コマンドが送信されてきたことに基づいて行えばよい。
【０３１３】
特図１の変動のときは特図１の予告演出情報のみを出力し、特図２の変動のときは特図２の予告演出情報のみを出力する。
【０３１４】
ハズレ図柄が複数あってもよい。
【０３１５】
いわゆる隠れ確変（特図高確率普図低確率状態）中に当たりで予告報知していたら時短無し２Ｒ大当たりが当たっためハズレになる場合などがある。この場合は遊技状態の変更が予測できない。
【０３１６】
大当たり中の遊技状態の入賞に関しても、複数の遊技状態に基づいて予告情報を取得する。
【０３１７】
さらに、主制御部３００のＲＡＭ３０８には、０から６５５３５の範囲の値を取り得る特図１変動時間抽選乱数値を生成する特図１変動時間抽選乱数カウンタ、および同じく０から６５５３５の範囲の値を取り得る特図２変動時間抽選乱数値を生成する特図２変動時間抽選乱数カウンタを設けており、特図１変動時間抽選乱数値に基づいて特図１に関する図柄変動停止表示の変動時間を決定するとともに、特図２変動時間抽選乱数値に基づいて
特図２に関する図柄変動停止表示の変動時間を決定してもよい。
【０３１８】
また、昨今の遊技台では、遊技の開始・結果表示を単におこなうだけでなく、遊技の途中に遊技者に期待感を持たせることが可能になるなど興趣を向上させることが可能になっているが、遊技の幅を拡げられるような機能を搭載しなければ遊技者にすぐに飽きられてしまうといったことが現状である。また、この現状とは別に、複数の入賞口を備えた遊技盤を備えた従来の遊技台で、上記複数の入賞口のうち、第１の始動口または第２の始動口に遊技球が入賞したことを所定の個数まで記憶する入賞記憶部（保留球記憶部）と、上記入賞記憶部に１以上の入賞の記憶がある場合に、遊技者に付与する利益量の抽選を行う抽選手段と、所定の報知開始条件（図柄が変動中ではないなど）が成立した場合に、上記抽選手段が行う抽選の抽選結果を報知する抽選結果報知手段（図柄変動手段）と、上記第２の始動口への入賞確率を、第１の入賞確率および該第１の入賞確率よりも高い第２の入賞確率のいずれかから選択する入賞確率選択手段（普図抽選確率選択手段）と、をさらに備え、上記抽選結果報知手段は、上記第２の始動口への入賞に基づく抽選の抽選結果の報知を、上記第１の始動口への入賞に基づく抽選の抽選結果の報知よりも優先して行うように制御した遊技台に、上記所定の報知開始条件が成立する前に、上記抽選結果が特定の結果であることを示唆する予告報知を所定の予告確率で行うように制御する予告報知制御手段と、を単に追加しただけでは、遊技者に止め打ち遊技をされてしまい、稼動が低下してしまう虞があるという問題がある。すなわち、特図１および特図２を備え、特図２が優先変動する遊技台に、予告報知機能を単に追加しただけでは、止め打ち遊技をされてしまう虞がある。予告報知を行うことで、効果的に遊技者の期待感を煽ることができ、遊技の興趣を高めることが可能となるが、上記入賞確率選択手段が上記第２の入賞確率を選択している場合の上記第１の始動口への入賞に基づく抽選の抽選結果の予告報知を、上記入賞確率選択手段が上記第１の入賞確率を選択している場合の上記第１の始動口への入賞に基づく抽選の抽選結果の予告報知よりも、同等または高い予告確率で行うように制御すると、予告報知演出により遊技者の次回変動以降の大当たりに対する期待感を煽り、遊技者の興趣を高めることが可能となるが、第１の始動口に遊技球が入賞したことを所定の個数まで記憶させた後に、第１の始動口による予告報知が行われなかった場合は記憶された所定の個数の入賞の記憶が減らすために止め打ちを行い、再び所定の個数まで記憶させ、を繰り返すことで第１の始動口による予告報知が行われたことを確認してから、第２の始動口による大当たりを得るために止め打ち遊技を終了することで、止め打ちを行わない場合よりも大当たりを１回以上多く獲得可能となり、そのために止め打ち遊技を行う場合がある。
【０３１９】
しかしながら、本実施例のパチンコ機１００によれば、このような問題点を解決することができ、遊技の興趣を損なわせず、かつ、遊技台の稼動の低下を防止可能である。
【０３２０】
また、普図高確率状態時では、「１の遊技球が第２特図始動口１２８に入球するために要する平均時間」＜「１回の変動サイクル（変動開始〜停止表示終了）の平均時間」となっている。このため、止め打ちを行わなければ、基本的に特図２が変動する。
【０３２１】
普図低確率状態時では、「１の遊技球が第２特図始動口１２８に入球するために要する平均時間」＜「１回の変動サイクル（変動開始〜停止表示終了）の平均時間」となっている。
【０３２２】
また、特図１表示図柄更新タイマや特図２表示図柄更新タイマは、保留球数毎に異ならせてもよい。また、判定する保留球は、特図１と特図２とで別個に判定してもよい。たとえば、特図２に保留が１つしかなかった場合で、特図１に保留が４つあった場合は、保留数を１つとみなして特図２の変動のタイマを決定してもよい。そして、保留が少なければ少ないほど、変動時間が長いタイマが選択されてもよい。これにより、特に、第１特図始動口１２６よりも第２特図始動口１２８のほうが大当たりを獲得できる場合は、特図１で
の変動を極力行わせないことを可能とし、出球の塊を創出可能である。
【０３２３】
また、普図低確率状態かつ特図低確率状態（通常遊技状態）、普図低確率状態かつ特図高確率状態（隠れ確変状態）、普図高確率かつ特図低確率状態（時短状態）、普図高確率状態かつ特図高確率状態（確変状態）を設けてもよい。
【０３２４】
また、普図高確率状態は、所定の回数、抽選が行われた場合（たとえば１００回など）には、終了するようにしてもよい。この場合に、たとえば１００回となった後に１００回となる前に入球した第１特図始動口１２６の乱数に基づいて、事前予告や偽事前予告を行ってもよい。すなわち、ここにいう第２の始動口は、本発明にいう抽選手段が所定回数の抽選を行うと、本発明にいう入賞容易状態から入賞困難状態に移行するものであり、本発明にいう予告報知手段は、上記第２の始動口の状態が入賞容易状態から入賞困難状態へ移行する前の第１の始動口への入賞に基づく抽選の抽選結果の予告報知を所定の予告確率で行うものであってもよい。
【０３２５】
また、大当たり開始前に特図１で大当たりして事前予告や偽事前予告（これらを総称して予告報知と称する）を行うことを決定し、その大当たり以外の大当たりで大当たりが開始した場合で、大当たり終了後、普図高確率状態に移行した場合は、その予告報知を行わないようにしてもよい。
【０３２６】
普図高確率状態かつ特図高確率状態を含み、かつ、特定の条件を満たした場合（大当たりとなるまでに１０００などの特定の回転数（変動回数）を超えた場合や、所定の抽選に当選した場合など）に、特図１でも事前予告や偽事前予告を行ってもよい。特図１で、事前予告や偽事前予告を行うことは好ましくないが、出球の塊を創出するために、特定の条件を満たした場合は行ってもよい。特定の条件に特図高確率状態を含むことで、止め打ち期間を少なくすることが可能である。また、特定の条件に所定の変動回数を超えたことを含むことで、遊技者のハマりが救済可能である。この予告報知には、遊技者に止め打ちまたは打ち出しを示唆する報知を含むものとする。なお、この報知を行った場合は止め打ちが行われることで稼動が低下してしまうため、１回の普図高確率状態での予告報知を行わない確率＞１回の普図高確率状態での予告報知を行う確率を満たすものとし、さらに、１回の普図高確率状態での予告報知を行わない確率＞１回の普図高確率状態での予告報知を行う確率×５を満たすことが望ましい。
【０３２７】
始動口は、ゲートであってもよい。
【０３２８】
第１特図始動口１２６に入球した際に大当たりを判定し、大当たりであった場合に、図４に示す情報出力回路３３４等の外部情報端子盤から大当たり信号を出力してもよい。このようにすることで、第１特図始動口１２６に入球して乱数を取得し、その乱数を変動開始まで記憶している間に、乱数の値を不正に書き換えられて大当たりを発生させられたとしても、外部情報端子盤から大当たり信号が出力されていないことで、不正な乱数の書き換えによる大当たりであることを知ることができる。なお、外部情報端子盤に限られず、所定の報知手段により報知を行ってもよい。
【０３２９】
また、『始動口を有する遊技台において、前記始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行う抽選結果報知手段と、前記抽選結果を報知する前に、該抽選結果が遊技者にとって有利な結果であることを遊技者に期待させる予告情報を含む予告報知を所定の予告確率で行う予告報知手段と、を備えた遊技台』であってもよい。
【０３３０】
なお、ここで説明する例は、上記実施例１を変更した例には限られないが、実施例１に適用可能であるものは全て適用することができるものとする。また、特に実施例１に適用したいものは、「実施例１に適用可能」という文言を付すが、これは、実施例１に適用可能であることを注意的に示すものであって、この文言がないからといって実施例１に適用できないというものではない。
【０３３１】
（変更例１）
変更例１は、普図高確率状態中に第１特図始動口１２６に入賞した場合に基づく特図１の抽選に対する予告報知を、普図低確率状態となった場合に行うというものであり、実施例１またはその他の実施例に適用可能なものである。
【０３３２】
変更例１は、実施例１に示した止め打ちを防止しつつ、普図高確率状態が終了した後に特図１の保留に対する予告報知を行うことを目的としている。
【０３３３】
なお、本変更例では、普図高確率中の第１特図始動口入賞に基づく抽選の予告報知の予告確率と、普図低確率中の第１特図始動口入賞に基づく抽選の予告報知の予告確率とを異ならせる必要がないため、同じ抽選テーブルを用いてもよい。  このように、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことを所定の個数まで記憶すると共に、前記第２の始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果であることを遊技者に期待させる予告情報を含む予告報知を所定の予告確率で行う予告報知手段と、を備え、前記予告報知手段は、前記第２の始動口が前記入賞容易状態である場合における前記第１の始動口への入賞に基づく抽選の抽選結果の予告報知を、前記第２の始動口が前記入賞困難状態になった場合に行うように制御することを特徴とする』ことで、止め打ちを防止しつつ、遊技の興趣を高める遊技台を提供することができる。
【０３３４】
また、『前記予告報知手段は、前記第１の始動口への入賞に基づく抽選の抽選結果の予告報知を、前記第２の始動口が前記入賞容易状態である場合には行わないように制御することを特徴とする』ことで抽選処理の処理プログラムを簡素化できる場合がある。
【０３３５】
また、『前記予告報知手段は、前記第２の始動口が前記入賞容易状態である場合における前記第２の始動口への入賞に基づく抽選の抽選結果の予告報知を、前記第２の始動口が前記入賞容易状態である場合であっても行うように制御することを特徴とする』ことで、普図高確率中の遊技が退屈になってしまうことを防止することができる。
【０３３６】
また、『前記予告報知手段は、第１の始動口に遊技球が入賞した際に前記予告報知を行うか否かの予告抽選を行い、さらに、前記第２の始動口が前記入賞容易状態である場合に、前記予告抽選の抽選結果を記憶する予告抽選結果記憶部と、を備え、前記予告報知手段は、前記入賞確率選択手段が前記第２の始動口が前記入賞困難状態から前記入賞容易状態となった場合に、前記予告抽選結果記憶部の記憶に基づいて、前記第１の始動口に遊技球が入賞したことに基づく抽選の抽選結果の予告報知を行うように制御することを特徴とする』ことで、抽選処理の処理プログラムを簡素化できる場合がある。
【０３３７】
また、『前記抽選手段が前記特定の抽選結果を取得したことを条件に、前記第２の始動
口を前記入賞困難状態から前記入賞容易状態に変更する容易変更手段と、を備え、前記予告報知制御手段は、前記抽選手段が前記特定の抽選結果を取得してから容易変更手段が前記第２の始動口を前記入賞困難状態から前記入賞容易状態に変更する間に前記第１の始動口に遊技球が入賞したことに基づく抽選の抽選結果の予告報知を、前記第２の始動口が前記入賞困難状態になった場合に行うように制御することを特徴とする』ことで、普図高確率中に加えて、該普図高確率中の移行が確定する大当たり抽選乱数を取得してから普図高確率が終了するまでの間も行わないことで止め打ち遊技を確実に防止することができる。詳述すると、大当たり終了後の普図開始時に、予告報知がない場合に特図１の保留を消化するために止め打ちされることを回避することができる。なお、『前記予告報知制御手段は、前記特定の抽選結果が前記容易変更手段が前記第２の始動口を前記入賞困難状態から前記入賞容易状態に変更せず、かつ、特別遊技状態の移行契機となる抽選結果である場合は、前記入賞容易状態である場合にも予告報知を行うように制御し』てもよい。
【０３３８】
また、『前記抽選手段と、前記予告報知手段と、を含む第１の制御部（主制御部）と、前記第１の制御部とは異なる第２の制御部に設けられ、前記予告報知手段により出力される前記予告報知の実行指令となる予告報知指令を受けて予告報知を実行する予告演出実行手段とを含む第２の制御部（副制御部）と、を備え、前記予告報知手段は、前記第２の始動口が前記入賞容易状態である場合における場合は、前記第２の制御部に対して前記予告報知指令を送信せず、前記第２の始動口が前記入賞困難状態になった場合に、前記第２の制御部に対して前記予告報知指令を送信することを特徴とし』てもよい。副制御部に送信し、副制御部で予告報知情報を記憶しておいて、時短終了時に予告報知を行う構成も考えられるが、主制御部から副制御部に出力する出力線を不正行為で読み取られた場合に、実施例１で説明した止め打ち攻略法を行われることで、不正に利益を獲得されてしまう場合があるため、主制御部から出力しないほうが望ましい。
【０３３９】
また、『前記第２の制御部は、前記予告報知とは別に、遊技の興趣を高める演出報知を行う演出報知手段と、を備え、前記演出報知手段は、前記第２の始動口が前記入賞容易状態である際に、前記演出報知として、前記予告報知手段が前記第２の始動口が前記入賞困難状態になった場合に行う予告報知と連続した報知を行うことを行うことを特徴とする』ことで、普図高確率中から普図高確率終了後の低確率状態中の予告報知にかけて連続した報知を行うことができる。なお、この場合の普図高確率中の報知と、普図高確率終了後の低確率中の報知は、連続こそしているが、普図高確率中の報知は予告報知ではない報知で、普図高確率終了後の低確率中の報知は予告報知である。なお、普図高確率中の報知を行っている時点では、副制御部４００は普図高確率状態から普図低確率状態となった場合に予告報知を行うか否かがわからないため、必ず普図高確率終了後に実行される予告報知と連続する報知を行うようにしてもよい。また、普図高確率終了後に実行される予告報知に複数のパターンを設け、普図高確率中に報知した報知に基づいて普図高確率終了後に実行される予告報知を複数のパターンの中から選択するようにしてもよい。
【０３４０】
また、『前記第２の始動口が前記入賞容易状態である場合における前記第１の始動口への入賞に基づく抽選の抽選結果の予告報知を、前記第２の始動口が前記抽選手段の抽選結果が特定の結果であった場合における特別遊技状態になったことで前記入賞困難状態になった場合には行わないように制御することを特徴とする』ことにより、普図低確率状態となった条件から大当たりとなったことを除くことができる。
【０３４１】
（変更例２）
遊技の開始・結果表示を単におこなうだけでなく、遊技の途中に遊技者に期待感を持たせることが可能になるなど興趣を向上させることが可能となったが、遊技の幅を拡げられるような機能を搭載しなければ遊技者にすぐに飽きられてしまうといった虞とは別に、従来の遊技台では、変動表示を開始する前の図柄変動する権利についての当否判定を事前に
行い、有利な遊技状態を発生させると判定した場合、当該権利に基づく図柄変動よりも前の変動表示の変動時間を変更することにより、遊技性の幅を広げていた。しかし、当否判定を事前に行った結果に基づいて変動時間を変更する場合、当否抽選の回数を従来よりも増加させることも可能となってしまうため、大当たりとなる回数も自ずと増加してしまい、射幸性が高まってしまうという問題があった。しかし、当否判定を事前に行った結果に基づいて変動時間を変更せずに予告報知をする場合、連続する変動表示の最後の変動表示を長い変動時間にできない場合があった。この場合、連続する変動表示における予告報知の演出効果が低下してしまい、遊技者の興趣が低下してしまう虞があった。変更例２は、この問題を解決するものであり、実施例１またはその他の実施例に適用可能なものである。
【０３４２】
すなわち、『所定始動口に遊技球が進入した場合に、第１変動時間と、前記第１変動時間よりも短い第２変動時間と、の少なくとも何れかの変動時間に亘る図柄の変動表示を開始する所定図柄表示手段と、前記図柄表示手段が停止表示した図柄態様が第１特定図柄態様である場合に遊技者に有利な第１特別遊技状態を開始し、前記図柄表示手段が停止表示した図柄態様が第２特定図柄態様である場合に遊技者に殆ど有利とならない第２特別遊技状態を開始する特別遊技状態開始手段と、を備え、前記図柄表示手段が前記第１特定図柄態様又は前記第２特定図柄態様を変動表示後に停止表示する場合、当該変動表示を最後とする複数回の変動表示において、前記図柄表示手段が前記第１特定図柄態様を停止表示する可能性が高いことを示唆する予告報知を行い、当該変動表示を前記第１変動時間に亘って行うことを特徴とする』ことで、複数回の予告報知を行う場合に、最後の変動表示を長い変動時間（第１変動時間）行うことができる。または、最後の変動表示が短い変動時間（第２変動時間）の場合と比べて、予告報知の演出効果が低下するのをふせぐことができ、遊技者の興趣の低下を防止することができる。または、予告報知がなされたことで、遊技者は第１特別遊技状態か殆ど有利とならない第２特別遊技状態かが開始されることを認識することができるため、有利度の高い第１特別遊技状態が開始されるか否かについて遊技者に興味を持たせることができ、遊技者の興趣を向上させることができる。また、連続予告の最後にハズレではなく、殆ど有利とならない第２特別遊技状態を開始させてあげることで、遊技者にハズレよりかはマシであるという気持ち与えることができ、遊技の興趣の低減を防止することができる場合がある（がっかりさせ度合いを減少させることができる）。なお、ここでいう「殆ど有利とならない第２特別遊技状態」とは、実施例１の２Ｒ通常大当たりや、小当たり（大当たり抽選の際に、大当たり、小当たりまたはハズレの中から抽選されるもので、１Ｒ分しかアタッカが開放せず、普図高確率状態または特図高確率状態に移行しないもの）を指す。
【０３４３】
また、『前記複数回の変動表示のうち、前記第２変動時間の変動表示の前に前記第１変動時間の変動表示がある場合、当該第１変動時間の変動表示において、前記第２変動時間を超えない間隔で前記予告報知を行うことを特徴とする』ことで、長い変動表示の後に短い変動表示を行うときに予告報知を行う場合、長い変動表示で第２変動時間を超えない間隔で予告報知を行うため、長い変動表示の終了後の短い変動表示において予告報知を行ったときに、前の予告報知との関連性（連続性）を遊技者に認識させることができる。従って、予告報知の演出効果が低下するのを防ぐことができ、遊技者の興趣の低下を防止することができる。
【０３４４】
また、『前記複数回の変動表示のうちの最初の変動表示の変動時間が前記第１変動時間よりも短い場合、前記予告報知を行うことを特徴とする』ことで、最初の変動時間が長くない（短い）場合に予告報知が開始されるので、最後の変動時間を最初より長い変動時間にしてあるので連続する予告報知の演出効果を高めることができ、遊技者の興趣を向上させることができる。
【０３４５】
また、『前記予告報知は、図柄の停止表示とは異なる図柄の仮停止表示を含むことを特徴とする』ことで、予告報知が仮停止表示であるため、１回の変動表示において図柄が停止する表示が複数回行われることとなる。また、長い変動表示においては、仮停止表示が複数回行われることとなるため、仮停止表示と停止表示とが連続した予告報知を行うことができ、予告報知の演出効果を高めることができ、遊技者の興趣を向上させることができる。
【０３４６】
また、『前記複数回の変動表示のうちのいずれかの連続する変動表示において、前の変動表示における前記予告報知が終了してから前記第２変動時間よりも短い第３変動時間が少なくとも経過後に、次の変動表示における前記予告報知を行うことを特徴とする』ことで、予告報知と予告報知の間の少なくとも第３変動時間は、予告報知を行わないため、予告報知にメリハリを持たせて演出が単調となることを防ぎ、遊技者の興趣を向上させることができる。
【０３４７】
また、『前記特別遊技状態開始手段は、前記第２特別遊技状態の終了を少なくとも条件の１つとして、遊技者に有利な第３特別遊技状態を開始することを特徴とする』ことで、第２特別遊技状態の終了後に遊技者に有利な第３特別遊技状態が開始される場合もあるため、遊技者は、予告報知後に第２特別遊技状態が開始されたとしても、その後に第３特別遊技状態が開始されるかもしれないと期待して遊技することができる。また、第３特別遊技状態が遊技者による判別が困難な状態である場合、第２特別遊技状態が終了した後も、第３特別遊技状態であるか否かを遊技者に予想させることができ、遊技者の興趣を向上させることができる。
【０３４８】
また、『前記第２特定図柄態様は、第１の図柄態様と第２の図柄態様とを含み、前記第１の図柄態様を停止表示する場合の変動表示の変動時間は前記第１変動時間であり、前記第２の図柄態様を停止表示する場合の変動表示の変動時間は前記第２変動時間であり、前記第３特別遊技状態を開始することとなる変動表示の変動時間は、前記第２変動時間であることを特徴とする』ことで、予告報知のある複数回の変動表示のうちの最後が第１変動時間の変動表示の場合には、第１特別遊技状態となるか否かについて期待することができ、第２変動時間の変動表示後に第２特別遊技状態が開始された場合には、第３特別遊技状態となるか否かについて期待することができる。
【０３４９】
また、『前記図柄表示手段が前記第１特定図柄態様又は前記第２特定図柄態様を変動表示後に停止表示しない場合、当該変動表示を最後とする複数回の変動表示において、前記予告報知を行うか否かを判定するハズレ予告報知判定手段を備えたことを特徴する』ことで、ハズレの場合にも予告報知を行うことができるため、演出をより多彩にすることができる。
【０３５０】
また、『前記図柄表示手段が前記第１特定図柄態様又は前記第２特定図柄態様を変動表示後に停止表示する場合、当該変動表示を最後とする複数回の変動表示において、前記予告報知を行うか否かを判定する予告報知判定手段を備え、前記予告報知が行われている間は、前記予告報知判定手段は前記判定を行わないことを特徴とし』てもよい。
【０３５１】
また、『前記所定図柄表示手段は、第１図柄表示手段と第２図柄表示手段とを含み、前記第１図柄表示手段又は前記第２図柄表示手段のうちの一方が前記第１特定図柄態様又は前記第２特定図柄態様を変動表示後に停止表示する場合、前記第１図柄表示手段又は前記第２図柄表示手段のうちの他方の変動表示において、前記一方が前記第１特定図柄態様を停止表示する可能性が高いことを示唆する予告報知を行い、前記第２特定図柄態様を停止表示する可能性が前記一方と前記他方とで異なることを特徴とし』てもよい。
【０３５２】
また、『遊技球が進入可能な開状態と不可能な閉状態とに変化可能な複数の可変入賞口を備え、前記特別遊技状態開始手段は、前記予告報知が行われた前記第１特別遊技状態又は前記第２特別遊技状態時に前記複数の可変入賞口の一方を所定態様で開状態とし、前記予告報知が行われない前記第１特別遊技状態又は前記第２特別遊技状態時に前記複数の可変入賞口の他方を所定態様で開状態とすることを特徴とし』てもよい。
【０３５３】
（変更例３）
変更例３は、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことを所定の個数まで記憶すると共に、前記第２の始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果であることを遊技者に期待させる予告情報を含む予告報知を所定の予告確率で行う予告報知手段と、を備え、前記予告報知手段は、前記第１の始動口への入賞に基づく抽選の抽選結果の予告報知を、前記第２の始動口が前記入賞容易状態かつ所定の報知条件が成立していない場合よりも、前記第２の始動口が前記入賞容易状態かつ所定の報知条件が成立した場合のほうが高い予告確率で行うようにに制御することを特徴とする』ものである。これも、実施例１またはその他の実施例に適用可能なものである。
【０３５４】
所定の条件は、たとえば『前記抽選手段が所定の回数抽選した場合に前記入賞容易状態から前記入賞困難状態に移行する入賞困難移行手段とを備え、前記所定の条件は、入賞困難移行手段が前記入賞容易状態から前記入賞困難状態に移行する場合の移行までの残り回数が所定の回数』であってもよい。普図高確率状態が終了する間際であれば、前記第１の始動口への入賞に基づく抽選の抽選結果の予告報知を行ったとしても、間際でない場合よりも止め打ち遊技が行われないからである。また、たとえば、『前記抽選手段が所定の回数抽選した場合に前記入賞容易状態から前記入賞困難状態に移行する入賞困難移行手段とを備え、前記所定の条件は、入賞困難移行手段が前記入賞容易状態から前記入賞困難状態に移行する場合の移行までの残り回数が所定の回数であり、かつ、第２の始動口の保留数が所定の個数であること』であってもよい。たとえば、普図低確率状態の移行までの残り回数が２回で、特図２の保留数が４個であれば、止め打ちをしても特図１の保留に基づく抽選を行う頃には普図低確率状態となっているため、問題ないからである。なお、処理の手順によって式が異なるため、絶対的な式を示すことが難しいが、『前記所定の条件は、前記予告報知手段が予告報知を開始してから前記入賞困難状態に移行するまでに第１始動口の保留が抽選されないことを条件とし』てもよい。このようにすれば、止め打ちを行って特図１の保留を消化できないため、二重の大当たりを獲得することができず、止め打ちをする遊技者を減らすことができる。
【０３５５】
（変更例４）
遊技の開始・結果表示を単におこなうだけでなく、遊技の途中に遊技者に期待感を持たせることが可能になるなど興趣を向上させることが可能となったが、遊技の幅を拡げられるような機能を搭載しなければ遊技者にすぐに飽きられてしまうといった虞とは別に、従来の遊技台では、変動表示を開始する前の図柄変動する権利についての当否判定を事前に行い、有利な遊技状態を発生させると判定した場合、当該権利に基づく図柄変動よりも前の変動表示の変動時間を変更することにより、遊技性の幅を広げていた。しかし、当否判定を事前に行った結果に基づいて変動時間を変更する場合、当否抽選の回数を従来よりも増加させることも可能となってしまうため、大当たりとなる回数も自ずと増加してしまい
、射幸性が高まってしまうという問題があった。しかし、当否判定を事前に行った結果に基づいて変動時間を変更せずに予告報知をする場合、連続予告演出の途中に４０秒など、長い変動時間を選択してしまう場合があり、連続予告演出の連続性が損なわれ、演出効果が低下してしまい、遊技者の興趣が低下してしまう虞があった。このため、複数回の特図抽選に亘って大当たりを報知しようとする連続予告よりも、１回の特図抽選を複数回の特図抽選があったかのように見せかけ、遊技の興趣を高める擬似連続予告のほうが、抽選後に変動時間を決定できるため時間の調整を行いやすく、遊技者の遊技の興趣を高めやすいとう評価を受けることが考えられる。しかし、擬似連続予告は、１回の特図変動を複数回の特図変動に見せかけるため、単位時間あたりの特図変動の時間が長くなってしまい、遊技店の稼動が低下する場合があるという問題がある。変更例４は、この問題を解決するものであり、実施例１またはその他の実施例に適用可能なものである。
【０３５６】
すなわち、『始動口を有する遊技台において、前記始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行う抽選結果報知手段と、前記抽選結果を報知する前に、該抽選結果が遊技者にとって有利な結果であることを遊技者に期待させる予告情報を含む予告報知を所定の予告確率で行う予告報知手段と、を備え、前記抽選結果報知手段は、前記抽選手段が行う１回の抽選結果の報知を複数回の抽選結果の報知があったかのように見せかける擬似連続抽選結果報知を行い、前記予告報知手段は、前記抽選結果報知手段が行う前記擬似連続抽選報知と連続性のある予告報知を行うことを特徴とする』ことで、従来、擬似連続予告を５回やっていたところを、予告演出１回＋擬似連続予告４回などと変更することができ、単位時間あたりの特図抽選時間を低下させ、遊技店の稼動を上昇することができる場合がある。
【０３５７】
また、『前記予告報知手段は、前記抽選結果が前記予告報知を行うこととした抽選結果を報知する前に行われる他の抽選結果の報知に際して行い、前記抽選結果報知手段は、前記抽選結果を報知する際に前記擬似連続抽選報知を行うように制御し』てもよい。具体的には、予告報知の契機となった入賞に基づく抽選の抽選結果の報知の前に他の抽選結果の報知を行うための保留がある場合に、その保留に対する抽選結果の報知に際して予告報知を行うということで、たとえば、停止図柄が所定の図柄であれば期待度が高かったり、停止態様が所定の態様であれば期待度が高かったり、などといった予告報知を行うことができる。
【０３５８】
また、『前記予告報知手段は、前記抽選結果報知手段が行う前記擬似連続抽選報知の一部とみせかける予告報知を行うことを特徴とする』ことで、単位時間あたりの特図抽選時間を低下させることができる。たとえば、予告演出で「５」と表示し、擬似連続抽選報知で「４」「３」「２」「１」「大当たり！」と表示するなど、擬似連続予告が行う擬似的な連続予告の一部にするようにすることで、単位時間あたりの特図抽選時間を低下させることができる。
【０３５９】
また、『前記抽選結果報知手段は、擬似連続抽選結果報知として、抽選結果の報知を開始し、抽選結果の報知を終了するまでに１回以上の抽選結果の偽終了報知と偽開始報知を行うと共に、偽終了報知または偽開始報知が行われたことを強調するための擬似連続予告強調報知を行い、前記予告報知手段は、前記予告報知を行うこととした抽選結果を報知する前に行われる他の抽選結果の報知の開始に際して、前記偽開始報知と関連した報知を行うことを特徴とし』てもよい。具体例を出すと、特図の保留が３つあり、３番目に行われる抽選に対する予告報知が行われる場合に、１番目の装飾図柄の変動が終了してから２番目の装飾図柄が変動開始する際に、擬似連続予告強調報知と関連した報知として「もう一回！」と報知する。２番目の装飾図柄が変動終了した後、３番目の装飾図柄が変動開始す
る際に「またまたもう一回！」と報知する。３番目の装飾図柄の変動は、大当たり（又は小当たり）であるためハズレよりも長い変動時間を選択しやすくなるようにしてあり（ここでは４０秒）、長い変動時間を選択した場合の３番目の装飾図柄の変動は、事前に予告演出を実行していれば、事前に予告演出を実行していない場合よりも擬似連続予告を行いになりやすいようになっている。擬似連続予告を選択した場合は、３番目の装飾図柄の変動に際して、偽終了報知（図柄の仮停止など）を行った後、偽開始報知（図柄の再変動）を行う際に「またもやもう一回！」と報知する。さらに偽終了報知を経て、偽開始報知を行う際に「もう４回目だぞ！」と報知する。さらに偽終了報知を経て、偽開始報知を行う際に「５回目！  これはすごい！」と報知する。その後、特別図柄は大当たりを停止表示し、それに伴って装飾図柄も大当たりを示す図柄組み合わせを表示する。なお、『予告報知手段は、擬似連続予告報知を行う抽選結果の１つ前の抽選結果の報知に際して予告報知を行う場合に、抽選結果報知時間が第１の時間である場合と、第１の時間よりも長い第２の時間のいずれかの時間で報知する場合に、第１の時間のほうが、第２の時間よりも予告報知を行う予告確率が高いことを特徴とし』てもよい。長い変動時間が選択された場合は、擬似連続予告としての連続性が損なわれるため、連続予告とは別の抽選結果報知をすることが望ましいからである。なお、第２の時間が選択された場合は予告報知を全く行わなくてもよい。
【０３６０】
また、『前記抽選結果報知手段は、擬似連続抽選結果報知として、抽選結果の報知を開始し、抽選結果の報知を終了するまでに１回以上の抽選結果の偽終了報知と偽開始報知を行うと共に、偽終了報知と偽開始報知が行われたことを強調するための擬似連続予告強調報知を行い、前記予告報知手段は、前記予告報知を行うこととした抽選結果を報知する前に行われる他の抽選結果の終了に際して、前記偽開始報知と関連した報知を行うことを特徴とし』てもよい。具体例を出すと、特図の保留が３つあり、３番目に行われる抽選に対する予告報知が行われる場合に、１番目の装飾図柄の変動が終了した際に擬似連続予告強調報知と関連した報知として遮蔽部材を１回全遮蔽する。そして、２番目の装飾図柄が変動開始し、２番目の装飾図柄が変動終了した後、擬似連続予告強調報知と関連した報知として遮蔽部材を２回全遮蔽する（１回全遮蔽した後、１回全開放して、また全遮蔽する。以下、３回、４回の場合も同じ態様）。そして、３番目の装飾図柄が変動開始する。３番目の装飾図柄の変動は、大当たり（または小当たり）であるためハズレの場合よりも長い変動時間を選択しやすくなるようにしてあり（ここでは４０秒）、長い変動時間を選択した場合の３番目の装飾図柄の変動は、事前に予告演出を実行していれば、事前に予告演出を実行していない場合よりも擬似連続予告を行いになりやすいようになっている。擬似連続予告を選択した場合は、３番目の装飾図柄の変動に際して、偽終了報知（装飾図柄の仮停止など）を行った際に擬似連続予告強調報知として遮蔽部材を３回全遮蔽する。その後、偽開始報知（装飾図柄の再変動）を行い、さらに偽終了報知を行った際に、擬似連続予告強調報知として遮蔽部材を４回全遮蔽する偽開始報知をして大当たりを停止表示し、それに伴って装飾図柄も大当たりを示す図柄組み合わせを表示する。
【０３６１】
なお、『予告報知手段は、擬似連続予告報知を行う抽選結果の１つ前の抽選結果の報知に際して予告報知を行う場合に、抽選結果報知時間が第１の時間である場合と、第１の時間よりも長い第２の時間のいずれかの時間で報知する場合に、第１の時間のほうが、第２の時間よりも予告報知を行う予告確率が高いことを特徴とし』てもよい。長い変動時間が選択された場合は、擬似連続予告としての連続性が損なわれるため、連続予告とは別の抽選結果報知をすることが望ましいからである。なお、第２の時間が選択された場合は予告報知を全く行わなくてもよい。
【０３６２】
また、『予告報知手段は、擬似連続予告報知を行う抽選結果の１つ前の抽選結果の報知に際して予告報知を行う場合に、抽選結果報知時間が第１の時間である場合と、第１の時間よりも長い第２の時間である場合とで、第２の時間が選択された場合に、予告報知とし
て、前記抽選結果報知手段が行う前記１つ前の抽選結果の報知を開始し、抽選結果の報知を終了するまでに１回以上の抽選結果の偽終了報知と偽開始報知を行うと共に、前記１つ前の抽選結果の報知を開始してから前記１つ前の抽選結果の偽終了報知をするまでの時間が、前記１つ前の抽選結果の偽開始報知をしてから前記１つ前の抽選結果の報知の終了を行うまでの時間よりも長いようにしたことを特徴とし』てもよい。具体的には、変動時間の長い報知（リーチなど）を行い、変動時間の長いリーチを偽終了報知（リーチの結果がハズレたことを示す報知）を行い、変動時間の短い報知（リーチがかからない通常変動）を偽開始し、変動時間の短い報知（リーチがかからない通常変動がハズレたことを示す報知）を行い、その後、次の抽選結果の報知として擬似連続予告報知をするようにする。また、１つ前の抽選結果の報知に際しての予告報知中の偽終了報知と偽開始報知は、擬似連続予告報知を行う抽選結果の偽終了報知と偽開始報知と関連性のある報知であることが望ましい。これにより、１つ前の抽選結果の報知に際して長い変動時間が選択された場合でも、擬似連続予告と連続性を維持下報知を行うことができる。なお、リーチはリーチ後にキャラクタが活躍したり、図柄変動の方向や早さが不規則になるリーチで、期待度が高いスーパーリーチであってもよい。
【０３６３】
また、１つ前としたが、２つ前でも、３つ前でも、同様である。
【０３６４】
（変更例５）
従来、遊技球が入賞した際に、遊技者に付与する利益量を抽選するための乱数を取得していた。これは、遊技者に付与する利益量を抽選のための乱数は遊技球入賞により行われるようにしないと遊技者に公平感を与えることができないためである（たとえば、遊技球が入賞してから抽選が開始されるまで乱数が取得されないと、遊技者は抽選までの先の抽選結果報知時間で乱数が操作されているような感覚に陥る場合がある）。一方、抽選結果を報知するための報知時間を抽選するための乱数や、複数のハズレ図柄を備えている場合にどのハズレ図柄を表示するかを抽選するための乱数は、遊技者に付与する利益量とは直接関係がなく、これらの乱数取得も入賞時に行ってしまうと入賞時の処理負荷が多くかかってしまうことが懸念され、入賞時ではなく抽選時に取得するようにしていた。
【０３６５】
ここで、抽選結果を報知する前に抽選結果が遊技者にとって有利な結果であることを期待させるというという予告報知の性質上、予告報知開始の判定は始動口入賞に基づく抽選の抽選結果の報知開始のときに行うわけにはいかず、遊技者に付与する利益量の抽選のために乱数を取得する入賞時に行うことが最も効率的であった。しかし、この場合、予告報知を行う契機となった入賞の抽選結果の報知時間が入賞時には分からないため、予告報知の最後（つまり、予告報知の開始の契機となった抽選の抽選結果の報知時）が短い抽選結果の報知時間となる場合があり、遊技者の期待感を煽るだけ煽っておいて、抽選結果の報知時間が３秒や４秒など、短い時間であると、遊技者は偽予告報知で興奮する時間が少なくなってしまい、遊技の興趣が低下してしまう虞があった。
【０３６６】
変更例５は、始動口に入賞した際に、連続予告（偽連続予告含む）の報知の契機となった入賞の抽選結果の報知時間を特定のもの（特に長いもの）にすることを可能としつつ、入賞の際に取得する乱数の数を増えてしまうことを防ぎ、入賞の際の処理負荷を軽減可能な遊技台を提供することを目的とするものである。
【０３６７】
ここで、実施例１と入賞時および抽選時に取得する乱数の種類および乱数の取得タイミングが異なるため、改めて、本変更例の乱数の種類および乱数の取得タイミングを詳述する。
【０３６８】
本変更例では、大当たり抽選用乱数カウンタ、大当たり図柄抽選用乱数カウンタ、小当たり図柄抽選用乱数カウンタ、ハズレ図柄抽選用乱数カウンタおよび図柄変動抽選用乱数
カウンタの５つが存在し、それぞれのカウンタ毎に使用目的の異なる乱数がカウントされている。
【０３６９】
大当たり抽選用乱数カウンタは、遊技球が入賞口に入賞したことに基づいてにハード乱数カウンタから取得される大当たり抽選用乱数値をカウントしているカウンタである。大当たり抽選用乱数値は、実施例１の特図当選乱数値のように、特図の大当たり抽選を行うものであるが、本変更例では、大当たり、ハズレのほかに小当たりを抽選するところに若干の違いがある。取得された大当たり抽選用乱数値は、抽選時に抽選され、抽選結果に基づいて大当たり、小当たりまたはハズレに基づく処理を行う。なお、大当たりおよびハズレに関しては実施例１と同じであるが、小当たりに関しては実施例１に記載していないので説明する。大当たりと小当たりの違いとして、作動の終了で遊技者に有利な状態に移行する可能性があるのが大当たりで、作動の終了で遊技者に有利な状態に移行しないのが小当たりということを挙げることができる。また、アタッカーを複数セットにわけて開放するのが大当たりで、アタッカーを１セット解放するのが小当たりである。大当たり抽選用乱数値は、遊技者に付与する利益量に直接関係する乱数値である。
【０３７０】
大当たり図柄抽選用乱数カウンタは、遊技球が入賞口に入賞したことに基づいてソフト乱数カウンタから取得される大当たり図柄抽選用乱数値をカウントしているカウンタである。大当たり図柄抽選用乱数値は、効果としては実施例１の特図乱数値のようなものであるが、細かい点で異なる。まず、大当たり図柄抽選用乱数値は、遊技球が入賞するごとに取得されるものであるが、入賞に基づく抽選の抽選結果が大当たりとならなかった場合は使用されない。大当たりとなった場合は、抽選結果が大当たりであることを報知するための図柄の停止態様を抽選するために使用される。実施例１の図３では、大当たり図柄と特別大当たり図柄とで停止図柄が異なるが、この停止図柄を異ならせるための乱数値として大当たり図柄抽選用乱数値として使用される。この停止図柄に基づいて大当たり（特図高確率状態に移行しない）と、特別大当たり（特図高確率状態に移行する）とが決定されるので、図柄抽選用乱数値は、大当たり確定後の大当たりにより付与される利益量を抽選するための抽選するものという点で、実施例１の特図乱数値と効果が似ている。なお、本変更例では、大当たり図柄として、２Ｒ大当たり（時短つき）、２Ｒ大当たり（時短なし）、１５Ｒ大当たり（時短つき）、１５Ｒ大当たり（時短なし）、２Ｒ特別大当たり（時短つき）、２Ｒ特別大当たり（時短なし）、１５Ｒ特別大当たり（時短つき）、１５Ｒ特別大当たり（時短なし）のいずれかから大当たり図柄抽選用乱数カウンタに基づいて抽選され、抽選結果により、普図高確率状態に移行するか否か、特図高確率状態に移行するか否かおよびラウンド数が決定される。なお、異なる図柄であっても、遊技者に付与する利益量が同じものがあってもよい（たとえば、２Ｒ大当たりで時短つきの図柄が複数あってもよい）。なお、大当たり図柄抽選用乱数値は、遊技者に付与する利益量に直接関係する乱数値である。
【０３７１】
小当たり図柄抽選乱数カウンタは、遊技球が入賞口に入賞したことに基づいてソフト乱数カウンタから取得される小当たり図柄抽選用乱数値をカウントしているカウンタである。まず、小当たり図柄抽選用乱数値は、遊技球が入賞するごとに取得されるものであるが、入賞に基づく抽選の抽選結果が小当たりとならなかった場合は使用されない。小当たりとなった場合は、抽選結果が小当たりであることを報知するための図柄の停止態様を抽選するために使用される。そして、抽選によって選択された停止図柄に基づいて小当たりＡ（開放回数１回、開放時間２秒）、小当たりＢ（開放回数２回、開放時間２秒）または小当たりＣ（開放回数３回、開放時間１秒）のいずれかが表示され、表示結果に基づいてアタッカーの解放時間、開放回数を設定する。なお、異なる図柄であっても、遊技者に付与する利益量が同じであってもよい。なお、小当たり図柄抽選用乱数値は、遊技者に付与する利益量に直接関係する乱数値である。
【０３７２】
ハズレ図柄抽選乱数カウンタは、入賞に基づく抽選が行われたことに基づいてソフト乱数カウンタから取得されるハズレ図柄抽選用乱数値をカウントしているカウンタである。まず、ハズレ図柄抽選用乱数値は、抽選結果がハズレである場合に取得されるものであり、抽選結果がハズレであるという報知をどのハズレ図柄で表示するにするかを選択するためのものである。なお、ハズレ図柄が複数あったとしても、どのハズレを表示しても遊技者に付与する利益量に直接影響がないため、ハズレ図柄抽選乱数値は、遊技者に付与する利益量に直接関係しない乱数値である。
【０３７３】
図柄変動抽選乱数カウンタは、入賞に基づく抽選が行われたことに基づいてソフト乱数カウンタから取得される図柄変動抽選用乱数値をカウントしているカウンタである。まず、図柄変動抽選乱数値は、抽選結果がいずれの結果であっても取得される。この図柄変動乱数値に基づいて、抽選結果を報知する時間である抽選結果報知時間が決定され、抽選結果報知時間経過後に抽選結果が停止表示される。なお、遊技者に付与する利益量に直接関係しない乱数値である。
【０３７４】
以下、本変更例における特徴となる点を示す。
【０３７５】
本変更例においては、図柄変動抽選乱数値に基づく抽選結果報知時間の抽選は、抽選結果として報知される図柄毎に選択された抽選結果報知時間抽選テーブルと、前記図柄変動抽選乱数値に基づいて決定される。抽選結果報知時間抽選テーブルは、停止図柄毎に異なる抽選テーブルが用意されている。すなわち、２Ｒ大当たり（時短つき）用抽選結果報知時間抽選テーブル、２Ｒ大当たり（時短なし）用抽選結果報知時間抽選テーブル、１５Ｒ大当たり（時短つき）用抽選結果報知時間抽選テーブル、１５Ｒ大当たり（時短なし）用抽選結果報知時間抽選テーブル、２Ｒ特別大当たり（時短つき）用抽選結果報知時間抽選テーブル、２Ｒ特別大当たり（時短なし）用抽選結果報知時間抽選テーブル、１５Ｒ特別大当たり（時短つき）用抽選結果報知時間抽選テーブル、１５Ｒ特別大当たり（時短なし）用抽選結果報知時間抽選テーブル、小当たりＡ（開放回数１回、開放時間２秒）用抽選結果報知時間抽選テーブル、小当たりＢ（開放回数２回、開放時間２秒）用抽選結果報知時間抽選テーブル、小当たりＣ（開放回数３回、開放時間１秒）用抽選結果報知時間抽選テーブルおよびハズレ用抽選結果報知時間抽選テーブルが用意されている。また、特図の保留球数が所定の数（本変更例では３以上）である場合に、所定の数以下（本変更例では３未満）である場合よりも短い抽選結果報知時間が選択されやすいよう（変動時短短縮）に、さらに、以下の抽選結果テーブルが用意されている。すなわち、変動時短短縮２Ｒ大当たり（時短つき）用抽選結果報知時間抽選テーブル、変動時短短縮２Ｒ大当たり（時短なし）用抽選結果報知時間抽選テーブル、変動時短短縮１５Ｒ大当たり（時短つき）用抽選結果報知時間抽選テーブル、変動時短短縮１５Ｒ大当たり（時短なし）用抽選結果報知時間抽選テーブル、変動時短短縮２Ｒ特別大当たり（時短つき）用抽選結果報知時間抽選テーブル、変動時短短縮２Ｒ特別大当たり（時短なし）用抽選結果報知時間抽選テーブル、変動時短短縮１５Ｒ特別大当たり（時短つき）用抽選結果報知時間抽選テーブル、変動時短短縮１５Ｒ特別大当たり（時短なし）用抽選結果報知時間抽選テーブル、変動時短短縮小当たりＡ（開放回数１回、開放時間２秒）用抽選結果報知時間抽選テーブル、変動時短短縮小当たりＢ（開放回数２回、開放時間２秒）用抽選結果報知時間抽選テーブル、変動時短短縮小当たりＣ（開放回数３回、開放時間１秒）用抽選結果報知時間抽選テーブルおよび変動時短短縮ハズレ用抽選結果報知抽選テーブルが用意されている。
【０３７６】
また、ここでの特徴として、大当たり抽選でハズレが当選した場合の図柄変動抽選乱数値に基づく抽選結果報知時間の抽選の際に、大当たり図柄抽選用乱数値を参照して所定の値であった場合には、所定の変動時間（たとえば４０秒）を選択する、または、所定の値でない場合と異なる抽選結果報知時間抽選テーブルを選択するようにし、所定の値でない場合の抽選結果報知時間抽選テーブルよりも長い抽選結果報知時間が選択されやすい抽選
結果報知時間抽選テーブルを選択するようにしてもよい。
【０３７７】
そして、始動口に入賞したことに基づいて行われる予告報知の抽選は、取得した大当たり抽選用乱数の値がハズレであり、かつ、取得した大当たり図柄抽選用乱数の値が所定の値である場合に、取得した大当たり抽選用乱数の値がハズレであり、かつ、取得した大当たり図柄抽選用乱数の値が所定の値ではない場合よりも予告報知の報知確率が高くなるようにしてもよい（所定の値である場合は１００％、所定の値である場合は０％としてもよい）。
【０３７８】
また、ここでの特徴として、大当たり抽選でハズレが当選した場合の図柄変動抽選乱数値に基づく抽選結果報知時間の抽選の際に、小当たり図柄抽選用欄値を参照して所定の値であった場合には、所定の変動時間（たとえば４０秒）を選択する、または、所定の値でない場合と異なる抽選結果報知時間抽選テーブルを選択するようにし、所定の値でない場合の抽選結果報知時間抽選テーブルよりも長い抽選結果報知時間が選択されやすい抽選結果報知時間抽選テーブルを選択するようにしてもよい。
【０３７９】
そして、始動口に入賞したことに基づいて行われる予告報知の抽選は、取得した大当たり抽選用乱数の値がハズレであり、かつ、取得した小当たり図柄抽選用乱数の値が所定の値である場合に、取得した大当たり抽選用乱数の値がハズレであり、かつ、取得した小当たり図柄抽選用乱数の値が所定の値ではない場合よりも予告報知の報知確率が高くなるようにしてもよい（所定の値である場合は１００％、所定の値である場合は０％としてもよい）。
【０３８０】
また、ここでの特徴として、大当たり抽選で小当たりが当選した場合の図柄変動抽選乱数値に基づく抽選結果報知時間の抽選の際に、大当たり図柄抽選用乱数値を参照して所定の値であった場合には、所定の変動時間（たとえば４０秒）を選択する、または、所定の値でない場合と異なる抽選結果報知時間抽選テーブルを選択するようにし、所定の値でない場合の抽選結果報知時間抽選テーブルよりも長い抽選結果報知時間が選択されやすい抽選結果報知時間抽選テーブルを選択するようにしてもよい。
【０３８１】
そして、始動口に入賞したことに基づいて行われる予告報知の抽選は、取得した大当たり抽選用乱数の値が小当たりであり、かつ、取得した大当たり図柄抽選用乱数の値が所定の値である場合に、取得した大当たり抽選用乱数の値が小当たりであり、かつ、取得した大当たり図柄抽選用乱数の値が所定の値ではない場合よりも予告報知の報知確率が高くなるようにしてもよい（所定の値である場合は１００％、所定の値である場合は０％としてもよい）。
【０３８２】
このように、『始動口を有する遊技台において、前記始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行う抽選結果報知手段と、前記抽選結果を報知する前に、該抽選結果が遊技者にとって有利な結果であることを遊技者に期待させる予告情報を含む予告報知を所定の予告確率で行う予告報知手段と、前記抽選手段が行う抽選の抽選結果の報知時間を抽選する抽選結果報知時間抽選手段と、を備え、前記抽選結果報知時間抽選手段は、前記始動口に遊技球が入賞した際に取得された乱数が所定の値であった場合に、所定の値でない場合よりも長い時間の抽選結果報知時間を選択する確率が高くなるように設けられ、前記予告報知手段は、前記始動口遊技球が入賞した際に取得された乱数が所定の値であった場合は、所定の値でない場合よりも前記予告報知の予告確率が高くなるように設けられていることを特徴とする』ことで、始動口に入賞した際に、連続予告（偽連続予告含む）の報知の契機となった入賞の抽選結果の報知時間を特定のもの（特に長いもの）にすることを可能と
しつつ、入賞の際に取得する乱数の数を増えてしまうことを防ぎ、入賞の際の処理負荷を軽減可能な遊技台を提供することを目的とするものである。
【０３８３】
また、『前記抽選結果報知時間抽選手段は、前記長い時間の抽選結果報知時間を選択した場合は、スーパーリーチが行われやすいことを特徴とし』てもよい。これにより、連続予告の最後をスーパーリーチで終わることができ、遊技者の遊技の興趣を低下させることがない。
【０３８４】
また、『前記始動口に遊技球が入賞した際に取得される乱数値は、第１の乱数値と、第２の乱数値とがあり、前記抽選手段は、前記第１の乱数値を用いて遊技者に付与する第１の利益量の抽選を行い、前記第１の利益量の抽選結果が所定の抽選結果であった場合は、前記第２の乱数値を用いて第２の利益量の抽選を行い、前記抽選結果報知時間抽選手段は、前記抽選手段が行う第１の利益量の抽選結果が所定の抽選結果でなかった場合に、前記第２の乱数値を前記所定の値として、抽選結果報知時間を選択することを特徴とする』ことで、抽選結果と直接関わりがないが、入賞時に取得する乱数値を用いて抽選結果報知時間を選択することで、抽選結果報知時間の偏りを防止することができる。
【０３８５】
また、『前記第１の乱数値および前記第２の乱数値は、遊技者に付与する利益量を抽選するための乱数値であることを特徴し』てもよい。これにより、入賞時に取得しておくべき乱数値を用いて、連続予告の最後を長い時間の抽選結果報知時間で終わらせることができる。なお、前記第１の乱数値および前記第２の乱数値は、大当たり終了後に特図高確率状態に移行するか否かを抽選するための乱数値、大当たり終了後に普図高確率状態に移行するか否かを抽選するための乱数値、大当たりの利益量（ラウンド数）を抽選するための乱数値、などであってもよい。また、特図高確率状態に移行するとして何回の特図抽選まで特図高確率状態が維持されるかを抽選するための乱数値、普図高確率状態に移行するとして何回の特図抽選まで普図高確率状態が維持されるかを抽選するための乱数値、などであってもよい。
【０３８６】
なお、特定の図柄（小当たりＣなど）が当選した場合は変動時短短縮をせず（変動時間短縮した抽選結果報知時間抽選テーブルを備えず）、特定図柄が当選する乱数値を取得した場合は、乱数値を取得しなかった場合よりも長い抽選結果報知時間が選択やすいようにしてもよい。変動時間短縮により、抽選結果報知時間が変わってしまうと、連続予告の最後が長い抽選結果報知時間とならない場合があるためである。なお、所定の乱数値を取得した場合は、変動時間短縮用のテーブルを選択した場合でも選択しなかった場合でも、どちらも、所定の乱数値を取得しなかった場合よりも長い抽選結果報知時間を選択しやすいようにしておけば特に問題なく、さらに、変動時間短縮用のテーブルを選択した場合でも選択しなかった場合でも、所定の乱数値を取得した場合は同じ変動時間を選択するように抽選データを設定しておいてもよい。
【０３８７】
なお、小当たりのうち、特定の小当たり（小当たりＡおよび小当たりＢ）は、特定の大当たり（１５Ｒ、普図高確率状態、特図高確率状態など）と図柄変動抽選テーブルが同一であってもよい。特定の小当たりでない小当たり（小当たりＣ）は異なっていてもよい。
【０３８８】
（変更例６）
＜特図抽選処理＞
上記実施例１では、第１特図始動口または第２特図始動口に入球したことにより乱数を取得し、該乱数を基に予告報知の抽選を行い、その後、該乱数を基に大当たり抽選を行ったが、この構成に限られない。たとえば、第１特図始動口または第２特図始動口に入球したことにより乱数を取得し、該乱数を基に大当たり抽選を行い、大当たり抽選の結果に基
づいて予告報知の抽選を行ってもよい。
【０３８９】
＜メイン演出抽選＞
上記実施例１では、特図の変動時間の抽選確率を普図高確率状態か普図低確率状態かで異ならせていたが、特図の変動時間の抽選確率を異ならせる要因を、普図の確率状態以外に設けてもよい。たとえば、特図の保留球数に応じて特図の変動時間の抽選確率を異ならせてもよい。この場合、特図の保留球数が多い場合の変動（たとえば４個）は、特図の保留球数が少ない場合の変動（たとえば１個）よりも短い変動時間が選択されやすいようにしてもよい。このようにすることで、特図の保留球数が多い場合は変動時間を短くすることで止め打ちを防止し、特図の保留球数が短い場合は変動時間を長くすることで特図の非変動状態を少なくし、遊技の興趣が低下することを防止可能とする。
【０３９０】
さらに詳述すると、上記特図の変動時間の抽選確率を異ならせる要因となる特図の保留球数は、特図１の変動の場合は特図１の保留球数に、特図２の変動の場合は特図２の保留球数にしてもよい。このようにすることで、特図の保留球数が多い場合は変動時間を短くすることで止め打ちを防止し、特図の保留球数が短い場合は変動時間を長くすることで特図の非変動状態を少なくし、遊技の興趣が低下することを防止可能とする。このようにしなければ、特図２の保留球数が１で特図１の保留球数が４つの場合と、特図２の保留球数が４で特図１の保留球数が１の場合とで、変動時間の選択確率が同じになってしまい、特図２の保留球数が４で特図１の保留球数が１場合に長い変動を行ってしまい止め打ち期間が長くなってしまう場合がある。
【０３９１】
また、特図の変動時間の抽選確率を異ならせる要因を、予告報知に当選したか否かに応じて異ならせてもよい。この場合、普図高確率中の特図１での予告報知に当選した場合は、普図低確率中の特図１での予告報知に当選した場合または普図高確率中の特図２での予告報知に当選した場合よりも選択される特図の変動時間が短くなるようにしてもよい。さらに、予告報知が複数ゲームに亘り継続して行われる場合は、その後の変動も特図の変動時間が短くなるようにしてもよい。このようにすることで、特図１で大当たりに当選した場合に止め打ちを行わなくても特図２の変動があまり行われないようにすることで、１回の普図高確率状態で２回の大当たりを獲得することを困難にし、止め打ち遊技を防止することができる場合がある。
【０３９２】
なお、実施例１では、大当たり終了後に確率変動状態にならなければ、必ず１００回の普図高確率遊技状態に移行するようになっている。しかし、これに限られず、大当たり判定の際など、所定の契機で普図高確率状態移行抽選を行い、該抽選に当選したことに基づいて普図高確率状態に移行してもよい。たとえば、大当たり判定の際に普図高確率状態移行抽選に当選した場合は、大当たり終了後に１００回の普図高確率状態に移行するようにしてもよい。
【０３９３】
＜主制御部から送信するコマンド＞
上記実施例１では、乱数を取得し、該乱数に基づく変動の開始前に該乱数に基づいて予告報知を行うか否かの抽選を行い、抽選結果を副制御部に送信していた。しかし、これに限られず、乱数を取得し、該乱数に基づく変動の開始前に該乱数に基づいて大当たりの抽選を行い、その抽選結果を副制御部に送信してもよい。この場合、大当たりの抽選結果の他に、ラウンド数、確率変動、大当たり終了後の普図の状態等の情報を付加してもよい。また、副制御部には特図の変動の都度、これらの情報を送信してもよい。また、副制御部にこれらの情報を送信すると共に、外部情報端子盤からホールコンピュータなどの外部出力するようにしてもよい。
【０３９４】
＜演出内容＞
上記実施例１では確率変動となった場合に予告報知抽選を行い、予告報知に当選した場合は予告報知コマンドを副制御部に送信していたが、これに限られず、確率変動となった場合は予告報知コマンドを送信するようにしてもよい。このようにすることで、１００％予告報知を実行することになり、抽選データや抽選のためのプログラムを要せず、作業工数の削減、メモリ容量の圧縮または処理負荷の軽減の少なくともいずれかを達成することができる。
【０３９５】
また、予告報知として、保留表示の態様の変化（当選した場合はランプの色が赤から青になるなど）、画像表示装置の背景画像の変化（青空の背景が夕焼けになるなど）を行ってもよい。
【０３９６】
また、保留球に２以上の大当たりがある場合は、２以上の大当たりがあることを示唆する予告報知（たとえば、画像表示装置に「２回当たったよ」などの表示）を行ってもよい。ただし、複数の特図がどの特図で当たったかによって、２以上の大当たりの予告報知の抽選確率を異ならせてもよい。さらに、複数の特図がどの特図で当たったかおよび普図の確率状態によって、２以上の大当たり予告報知の抽選確率を異ならせてもよい。
【０３９７】
たとえば、特図２の保留球に１回の大当たりがあり、特図１の保留球に１回の大当たりがある場合に、普図高確率状態では、普図低確率状態よりも２以上の大当たりがあることを示唆する予告報知を行わないようにしてもよい。ここで、逆に、普図高確率状態では、普図低確率状態よりも２以上の大当たりがあることを示唆する予告報知を行うようにしてしまうと、遊技者は特図２の大当たりの際に、２以上の大当たりがあることを示唆する予告報知が行われなかったことで特図１の保留球に大当たりがないことを認識し、特図２の大当たり終了後、普図高確率状態であったならば特図１の保留球数を消化するために止め打ちをされる場合がある。
【０３９８】
また、特図２の保留球に１回の大当たりがあり、特図１の保留球に１回の大当たりがある場合に、特図２の保留球の大当たり終了後に普図高確率状態に移行する場合は、普図高確率状態に移行しない場合よりも、２以上の大当たりがあることを示唆する予告報知を行わないようにしてもよい。特図２の大当たり保留球に基づく変動による大当たり終了後が低確率状態であれば、特図１で大当たりすることを報知しても特図２に入球しにくいため止め打ち遊技は行われない。しかし、特図２の大当たり保留球に基づく変動による大当たり終了後が高確率状態であれば、特図１で大当たりすることを報知すると、報知がないことを認識された場合に止め打ちをされる場合がある。
【０３９９】
また、予告演出が所定の時間行われるもので、予告演出を行う契機となった抽選が行われるまでの他の抽選の抽選結果報知時間が、予告演出が行われる所定の時間に満たない場合に、予告演出の一部を省略することで予告演出の報知時間と他の抽選の抽選結果報知時間と時間の尺を合わせて報知を行ってもよい。その省略の再に、フェードイン、フェードアウトを行ってもよい。特に、予告演出がムービーなどで行われる場合は、前半と後半とでデータを持ち、所定のタイミングになった場合に後半のムービーをフェードインして行うことがよい。
【０４００】
また、予告演出が所定の時間行われるもので、予告演出を行う契機となった抽選が行われるまでの他の抽選の抽選結果報知時間が、予告演出が行われる所定の時間以上である場合に、予告演出の報知時間と他の抽選の抽選結果報知時間と時間の尺を合わせて報知を行ってもよい。
【０４０１】
＜電断復帰＞
また、副制御部は、電断時に予告報知情報を記憶しないようにしてもよい。
【０４０２】
また、主制御部は、電断復帰時に保留球に大当たりがある場合に、電源投入情報と共に予告情報を送信するようにしてもよい。
【０４０３】
大当たり中は、特図１の入球に基づいて予告報知を行わなくてもよい。但し、大当たり終了後が普図高確率状態である場合には、予告報知を行ってもよい。
【０４０４】
予告報知を行わない方法としては、抽選確率が０であるほか、抽選自体を行わない構成でもよい。
【０４０５】
この変更例６をまとめると、『所定の入賞口に入賞した場合に、所定の遊技領域への移動確率を、第１の移動確率および第１の移動確率よりも高い第２の移動確率のいずれかから第２の移動確率に変化させる移動確率変化手段と、前記所定の入賞口に入賞した場合に、遊技者に付与する利益の利益量を抽選によって選択する利益量抽選手段と、前記所定の遊技領域内の特定の遊技領域を遊技球が通過したことに基づいて、前記利益量抽選手段が抽選した利益量の付与を開始する利益量付与手段と、前記所定の始動口への入賞確率を、第１の入賞確率および該第１の入賞確率よりも高い第２の入賞確率のいずれかから選択する入賞確率選択手段と、前記利益量付与手段が利益を付与する前に、前記利益量抽選手段の抽選結果が特定の結果であることを所定の予告確率で予告報知する予告報知手段と、備え、前記予告報知手段は、前記入賞確率選択手段が第２の入賞確率を選択している場合の予告報知の予告確率を、前記入賞確率選択手段が第１の入賞確率を選択している場合の予告報知の予告確率よりも低い確率としたことを特徴とする遊技台。』になる。
【０４０６】
（変更例７）
連続予告報知（連続偽予告報知を含む）に当選した場合と当選していない場合とで変動時間を変化させることができるようにすると、連続予告報知の対象となる変動遊技とは別に、連続予告報知中の変動に対しても必要以上に期待感を煽ることが可能となり、遊技者の中には、感情が高ぶり自制心が麻痺し、必要以上に金銭を消費してしまう場合があった。このため、連続予告報知に当選した場合でも、当たりとなる変動遊技でない場合には、連続予告報知に当選していない場合の変動時間抽選テーブルを参照する必要があった。しかし、このような遊技台では、連続予告報知の開始タイミングに長い変動時間が選択されてしまった場合に、連続予告の連続性が失われる場合があるという問題があった。
【０４０７】
この問題を解決するための手段は、『所定の入賞口を備えた遊技盤を備えた遊技台であって、前記所定の入賞口に遊技球が入賞した場合に、遊技者に利益を付与する利益量を選択する抽選手段と、所定の報知開始条件（図柄が変動中ではないなど）が成立した場合に、前記抽選手段が行う抽選の抽選結果を報知する抽選結果報知手段（図柄変動手段）と、前記抽選結果報知手段の報知時間を抽選する報知時間抽選手段と、前記所定の報知開始条件が成立する前に、前記抽選結果が特定の結果であることを示唆する予告報知を所定の予告確率で行うように制御する予告報知制御手段と、をさらに備え、前記予告報知制御手段は、前記報知時間抽選手段の抽選結果が第１の結果である場合と、前記第１の結果よりも報知時間の長い第２の結果である場合とで、第２の結果よりも第１の結果のほうが前記予告報知の開始確率が高いことを特徴とする遊技台。』になる。
【０４０８】
こうすることで、遊技の興趣の低下を防止する遊技台を提供することが可能である。
【０４０９】
なお、ハズレの場合は予告報知を行わなくてもよいが、小当たりの場合は保留球数分の連続予告を必ず行う。
【０４１０】
（変更例８）
予告報知（偽予告報知含む）に当選した場合と当選していない場合とで変動時間を変化させることができるようにすると、予告報知の対象となる変動遊技とは別に、予告報知中の変動に対しても必要以上に期待感を煽ることが可能となり、遊技者の中には、感情が高ぶり自制心が麻痺し、必要以上に金銭を消費してしまう場合があった。このため、予告報知に当選した場合でも、当たりとなる変動遊技でない場合には、予告報知に当選していない場合の変動時間抽選テーブルを参照する必要があった。しかし、このような遊技台では、ガセ予告報知を行った場合にガセ予告報知の対象となった変動遊技についても変動時間を変化させることができないため、肝心の予告報知の対象となった変動について遊技者の期待感を煽ることができず、遊技の興趣を低下させる虞があった。
【０４１１】
上記問題を解決するための手段は、『所定の入賞口を備えた遊技盤を備えた遊技台であって、前記所定の入賞口に遊技球が入賞した場合に、遊技者に利益を付与する第１の当選役（大当たり）、該第１の当選役よりも遊技者に付与する利益量が低い第２の当選役（小当たり）および遊技者に利益を付与しない第３の当選役（ハズレ）のうちのいずれかから抽選により遊技者に付与する利益量を選択する抽選手段と、所定の報知開始条件（図柄が変動中ではないなど）が成立した場合に、前記抽選手段が行う抽選の抽選結果を報知する抽選結果報知手段（図柄変動手段）と、前記所定の報知開始条件が成立する前に、前記抽選結果が第１の当選役であることを示唆する予告報知を所定の予告確率で行うように制御する予告報知制御手段と、をさらに備え、前記予告報知制御手段は、前記抽選結果が第１の当選役でない場合に、第１の当選役であるかのように示唆する偽予告報知を所定の予告確率で行うように制御し、前記偽予告報知の予告確率は、前記抽選結果が前記第３の当選役である場合よりも、前記第２の当選役である場合のほうが高いことを特徴とする遊技台。』になる。
【０４１２】
また、『前記第２の当選役は、当選に基づいて特図高確率状態または普図高確率状態に移行しない小当たりであることを特徴とする遊技台』であってもよい。
【０４１３】
さらに、『前記偽予告報知は、所定の遊技回数に亘って行われる偽連続予告報知であることを特徴とする遊技台。』であってもよい。
【０４１４】
またさらに、『前記予告報知制御手段は、前記偽連続予告報知を所定の遊技回数に亘って行う回数を、前記抽選結果が第３の当選役である場合よりも、前記第２の当選役である場合のほうが多い回数を選択する確率が高いことを特徴とする遊技台。』であってもよい。
【０４１５】
こうすることで、遊技の興趣の低下を防止する遊技台を提供することが可能である。
【０４１６】
なお、ハズレの場合は予告報知を行わなくてもよいが、小当たりの場合は保留球数分の連続予告を必ず行う。
【０４１７】
（その他の変更例）
以下は、単発的な限定である。これらの限定は、『始動口を有する遊技台において、前記始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行う抽選結果報知手段と、前記抽選結果を報知する前に、該抽選結果が遊技者にとって有利な結果であることを遊技者に期待させる予告情報を含む予告報知を所定の予告確率で行う予告報知手段と、を備えた遊技台』に対するものであるが、適用可能であれば上記実施例１に適用してもよいし上記変更例に適用してもよい。
【０４１８】
まず、『予告報知手段は、大当たり中に特図１の入賞に基づく抽選の抽選結果の予告報知は、大当たり後に普図が低確率状態となる場合は、大当たり後に普図が高確率状態となる場合よりも高い確率で行うようにし』てもよい。大当たり後が普図低確率状態である場合は、遊技者に止め打ちされる可能性が低いためである。
【０４１９】
また、『予告報知手段は、特図１の入賞があった時点で該入賞の前に大当たりが確定していた場合に、抽選結果の予告報知を、該大当たり遊技後に普図が低確率状態となる場合は、該大当たり遊技後に普図が高確率状態となる場合よりも高い確率で行うようにし』てもよい。大当たり後が普図低確率状態である場合は、遊技者に止め打ちされる可能性が低いためである。
【０４２０】
また、『予告報知手段は、特定の始動口に入賞があり該入賞結果の抽選が実行された場合に抽選が実行される前よりも抽選が実行された後のほうが不利に働く第１の抽選結果であることに基づく抽選の抽選結果の予告報知を、第１の抽選結果よりも有利に働く第２の抽選結果よりも低い確率で行うようにし』てもよい。たとえば、確率変動中に２Ｒの時短なし大当たりを引いた場合などは、予告報知を行うことで遊技者の興趣が低下することが早まってしまうためである。また、この不利に働く第１の抽選結果には、『特図高確率状態を特図低確率状態にする抽選結果』も含まれる。
【０４２１】
また、『予告報知手段は、特定の始動口に入賞があり該入賞結果の抽選が実行された場合に抽選が実行される前よりも抽選が実行された後のほうが不利に働く第１の抽選結果であることに基づく抽選の抽選結果の予告報知を、第１の抽選結果よりも有利に働く第２の抽選結果よりも高い確率で行うようにし』てもよい。たとえば、確率変動中に２Ｒの時短なし大当たりを引いた場合などは、予告報知を行うことで前もって特図高確率状態が終了してしまうことを遊技者に認識させ、突然終わってしまうことによる遊技者の突発的な苛立ちを緩和することができる場合がある。また、この不利に働く第１の抽選結果には、『特図高確率状態を特図低確率状態にする抽選結果』も含まれる。
【０４２２】
また、『第１の始動口と、相対的に入賞しやすい入賞容易状態と相対的に入賞しにくい入賞困難状態とのうちのいずれか一方の状態をとる第２の始動口と、第１の始動口よりも入賞しにくい第３の入賞口と、を備え、前記予告報知手段は、第３の入賞口に入賞したことに基づく抽選の抽選結果の予告報知を前記第１の始動口または前記第２の始動口に入賞したことに基づく抽選の抽選結果の予告報知よりも高い確率で行うようにしたことを特徴とする』ことで、滅多に入賞しない第３の始動口（当業者間ではＶＩＰ始動口と呼ばれる）に入賞したことを高い確率で予告報知することで、遊技者の遊技の興趣を高めることができる。
【０４２３】
また、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことを所定の個数まで記憶すると共に、前記第２の始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果であることを遊技者に期待させる予告情報を含む予告報知を所定の予告確率で行う予告報知手段とを備え、前記予告報知手段は、前記第２の始動口が前記入賞困難状態である場合における前記第１の始動口への入賞に基づく抽選の抽選結果の予告報知を行い、前記抽選手段は、前記第２の始動口への入賞での利益量の抽選によって前記入賞困難状態から前記入賞容易状態にする抽選結果を選択する確率が、前記
第１の始動口への入賞での利益量の抽選によって前記入賞困難状態から前記入賞容易状態にする抽選結果を選択する確率よりも低いことを特徴とする』ことで、普図低確率中に特図１で保留４つで、予告報知を開始していない場合に、特図２で普図高確率に移行する契機となる大当たりに当選した場合、該大当たり終了後に止め打ちをされる虞があるため、特図２での大当たりは時短となる可能性が、特図１の大当たりで時短となる可能性よりも低いようにした。なお、『前記抽選手段は、前記第２の始動口への入賞での利益量の抽選によって前記入賞困難状態から前記入賞容易状態にしなく』てもよい。
【０４２４】
また、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことを所定の個数まで記憶すると共に、前記第２の始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果であることを遊技者に期待させる予告情報を含む予告報知を所定の予告確率で行う予告報知手段とを備え、前記予告報知手段は、前記第１の始動口への入賞に基づく抽選結果の予告報知を行わず、前記第２の始動口への入賞に基づく抽選結果の予告報知を行うことを特徴とし』てもよい。普図低確率中に特図１で保留４つで、予告報知を開始していない場合に、特図２で普図高確率に移行する契機となる大当たりに当選した場合、該大当たり終了後に止め打ちをされる虞があるため、第１特図始動口では大当たりの予告報知は行わず、第２特図始動口では大当たりの予告報知を行うようにした。なお、『前記予告報知手段は、前記入賞容易状態における前記第１の始動口への入賞に基づく抽選結果の予告報知を、前記入賞容易状態における前記第２の始動口への入賞に基づく抽選結果の予告報知よりも低い確率で行うように制御し、前記入賞困難状態における前記第１の始動口への入賞に基づく抽選結果の予告報知を、前記入賞困難状態における前記第２の始動口への入賞に基づく抽選結果の予告報知よりも低い確率で行うように制御し』てもよい。
【０４２５】
また、『前記予告報知手段は、前記抽選結果が特定の結果であることを確定告知することを特徴とし』てもよい。確定告知とは、抽選結果を単に示唆するのではなく、「大当たり」と文字や音声などで報知するなど、抽選結果を確実に報知することである。
【０４２６】
また、『前記抽選手段は、前記特定の結果を第１の確率で抽選する第１の抽選確率と、前記特定の結果を前記第１の確率よりも高い確率である第２の確率で抽選する第２の抽選確率と、を備え』てもよい。特図高確率状態とは、第２の確率で抽選する状態で、特図低確率とは第１の確率で抽選することを指す。
【０４２７】
また、『前記予告報知手段は、特図高確率状態のほうが、特図低確率状態よりも高い確率で確定告知を行っても』よい。特図高確率状態はすぐに終わってしまうので、だらだらと連続予告をするよりも確定告知をしたほうが遊技者の遊技の興趣を高める場合がある。
【０４２８】
また、『始動口は、普図始動口であってもよく』、『第１の始動口および第２の始動口は第１普図始動口および第２普図始動口』であってもよい。
【０４２９】
また、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことを所定の個数まで記憶すると共に、前記第２の始動口に遊技球が入賞したことを所定の個数まで記憶する入賞記憶部と、前記入賞
記憶部に１以上の入賞の記憶がある場合に、遊技者に付与する利益量の抽選を行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果であることを遊技者に期待させる予告情報を含む予告報知を所定の予告確率で行う予告報知手段とを備え、前記抽選手段および前記予告報知手を含む第１の制御部と、前記第１の制御部からの予告指令を受けて前記予告報知を実行する予告報知実行手段を備えた第２の制御部と、を備え』た遊技台であって、以下の限定をするとよい。まず、『前記第２の制御部は、前記入賞容易状態で前記第１の制御部が前記第２の制御部に予告指令を送信した場合は、前記予告指令を破棄または非受信し』てもよい。これにより、普図高確率状態での第１特図始動口入賞に基づく抽選の抽選結果の予告報知を確実に行わないようにすることができる。また、『前記第２の制御部は、前記予告報知実行手段が予告報知を実行中であることを示す予告報知実行中報知を、予告報知を実行中の場合は必ず行うことを特徴とし』てもよい。第２の制御部（たとえば副制御部）は、第１の制御部（たとえば主制御部）よりもプログラム容量およびデータ容量が複雑であることが多いため、普図高確率状態での第１特図始動口入賞に基づく抽選の抽選結果の予告報知を、出荷前の検定機関（保通協など）に分からないように申請させる虞がある。このため、第２の制御部に、予告報知が行われている間は常に点灯するＬＥＤなどを設けておけば、確実に予告報知を実行中であることを報知することができる。なお、予告報知実行中報知は、第１の制御部が行ってもよい。
【０４３０】
また、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことを所定の個数まで記憶すると共に、前記第２の始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果であることを遊技者に期待させる予告情報を含む予告報知を所定の予告確率で行う予告報知手段と、前記予告報知手段は、前記抽選結果を報知するまでの他の抽選結果の報知の報知時間を、前記第２の始動口が前記入賞容易状態である場合における前記第１の始動口への入賞に基づく抽選の抽選結果の予告報知である場合には、前記第２の始動口が前記入賞困難状態である場合における該第１の始動口への入賞に基づく抽選の抽選結果の予告報知の場合よりも、予告報知を行わない場合の報知時間の抽選テーブルを選択する確率が高いことを特徴とし』てもよい。抽選結果を報知するまでの他の抽選結果の報知を露骨に長い時間するようにすることなどは予告報知に含まれるということである。
【０４３１】
また、『始動口を有する遊技台において、前記始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行う抽選結果報知手段と、前記抽選結果を報知する前に、該抽選結果が遊技者にとって有利な結果であることを遊技者に期待させる予告情報を含む予告報知を所定の予告確率で行う予告報知手段と、を備え、前記抽選手段および前記予告報知手を含む第１の制御部と、前記第１の制御部からの予告指令を受けて前記予告報知を実行する予告報知実行手段を備えた第２の制御部と、を備え、前記第１の制御部は、前記第２の制御部に前記予告指令を送信した後も、所定の条件が成立するまで前記予告指令に関する情報を保持し続け、所定の条件が成立した場合には前記予告指令を再送信することを特徴とし』てもよい。ここで『前記予告指令に関する情報』とは、予告コマンドとして送信した情報と予告コマン
ドの中身の情報（予告抽選結果の情報など）を含むものとする。このようにすることで、たとえば電断等が起こった場合に、予告情報が消えてしまった場合でも電断復帰時に予告情報を送信することで副制御部は確実に予告報知を行うことができる。
【０４３２】
また、上記変更例では、予告報知の実行手段は液晶表示装置（可変表示装置）であったが、これに限られず、スピーカ、ランプなど、あらゆる報知装置によって予告報知は実行可能である。
【０４３３】
なお、大当たりと小当たりの違いとして、作動の終了で遊技者に有利な状態に移行する可能性があるのが大当たりで、作動の終了で遊技者に有利な状態に移行しないのが小当たりということを挙げることができる。
【０４３４】
また、所定の大当たりに基づく大入賞口の開放回数と所定の小当たりに基づく大入賞口の開放回数を同じにしてもよい。
【０４３５】
また、１回の所定の大当たりに基づいて大入賞口を開放させる時間の長さと、１回の所定の小当たりに基づいて大入賞口を開放させる時間の長さをほぼ同一にしてもよい。
【０４３６】
また、所定の大当たり、所定の小当たりに基づいて、大入賞口の開放閉鎖を繰返す場合には、のべ開放時間の長さをほぼ同一としてもよい、
また、大入賞口の扉が遊技球を受けてから大入賞口に入賞したことを検知するまでに必要な時間未満の長さの場合に時間の長さがほぼ同一としてもよい。
【０４３７】
また、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことを所定の個数まで記憶すると共に、前記第２の始動口に遊技球が入賞したことを所定の個数まで記憶する入賞記憶部と、前記入賞記憶部に１以上の入賞の記憶がある場合に、遊技者に付与する利益量の抽選を行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果であることを遊技者に期待させる予告情報を含む予告報知を所定の予告確率で行う予告報知手段とを備え、前記予告報知手段は、前記入賞記憶部が、前記第１の始動口に遊技球が入賞したことを１以上の所定の数だけ記憶し、かつ、前記第２の始動口に遊技球が入賞したことを前記第１の始動口と同じ数だけ記憶している場合の前記第２の始動口が前記困難容易状態である場合における前記第１の始動口への入賞に基づく抽選の抽選結果の予告報知を、前記第２の始動口が前記入賞困難状態である場合における該第１の始動口への入賞に基づく抽選の抽選結果の予告報知よりも、高い予告確率で行うるものであることを特徴し』てもよい。換言すれば、第１特図始動口と第２特図始動口に同数の保留がある場合に第１特図始動口に入賞したことに基づく予告報知を、第２特図始動口に入賞したことに基づく予告報知よりも高くしている。これにより、第２特図始動口の入賞に基づく抽選が優先して行われるため、第１特図始動口の入賞に基づく予告報知のほうが、第２特図始動口の入賞に基づく予告報知よりも長い時間予告報知を行うことができ、遊技の興趣を高めることができる。また、途中で特図２の抽選が割り込む場合があり、その観点からも、第１特図始動口の入賞に基づく予告報知のほうが、第２特図始動口の入賞に基づく予告報知よりも長い時間予告報知を行うことができる。
【０４３８】
また、『抽選結果報知手段が行う抽選結果の報知の報知時間を抽選する抽選結果報知時間抽選手段と、を備え、前記抽選結果報知時間抽選手段は、第１の時間と、第１の時間よりも長い第２の時間と、のうちのいずれかから抽選を行い、前記予告報知手段は、前記予
告報知を開始してから予告演出を行う契機となった抽選が行われるまでの他の抽選の抽選結果報知時間として前記抽選結果報知時間抽選手段が前記第１の時間を抽選した場合は前記第１の時間に基づく抽選結果の報知が終了した後も前記予告報知を継続し、前記抽選結果報知時間抽選手段が前記第２の時間を抽選した場合は前記第２の時間に基づく抽選結果の報知が終了した後で前記予告報知を終了することを特徴し』てもよい。これにより、予告演出の最後をスーパーリーチなど、遊技者の興趣が最大限に高まる演出をもって終了させることができる。特に、『前記予告報知は偽予告報知で、予告報知である場合には前記第２の時間に基づく抽選結果の報知が修理用した後でも前記予告報知を継続することを特徴とし』てもよい。
【０４３９】
また、実施例１では主制御部が副制御部に予告情報を送信し、副制御部は主制御部から予告情報を受信した場合に、現在予告を行っていなければ予告を行うようにしていたが、それに限られず、副制御部は、主制御部から予告情報を受信した後、さらに予告演出を実行するか否かの抽選を行うようにしてもよい。
【０４４０】
また、実施例１では副制御部は主制御部から予告情報を受信した場合に、現在予告を行っていなければ予告を行うようにしていたが、それに限られず、副制御部は、予告報知を実行中である場合に、さらに予告報知を実行したことを示す予告報知を行うようにしてもよい。この場合、どの抽選に基づく予告報知が行われているかが明確になるような報知を行うことが望ましい。明確になるような報知とは、たとえば、特図１の保留３と、特図２の保留２の２つの予告報知を液晶画面で行う場合に、特図１予告用のキャラクタと、特図２予告用のキャラクタを登場させるなどして行ってもよい。
【０４４１】
なお、大当たりとなる抽選に基づいて開始した予告報知中に、他の大当たりとなる抽選に基づいて予告報知を開始するには、一番後に行われる大当たりとなる抽選の抽選結果以外では普図高確率状態に移行しない大当たりでないことを条件としてもよい。
【０４４２】
また、実施例１では副制御部が予告報知を行っていたが、それに限られず、主制御部が予告報知を行ってもよい。たとえば、保留ランプりＬＥＤの点灯色を異ならせるなどして、期待感を出してもよい。
【０４４３】
また、第１の抽選結果報知時間と第２の抽選結果報知時間があり、第２の抽選結果報知時間のほうが長い、という趣旨で表現されている記載の、第２の抽選結果報知時間では、スーパーリーチを行うようにしてもよい。
【０４４４】
また、小当たりを複数設け、特定の小当たりは、特定の大当たりと図柄変動抽選テーブル（リーチがマルチラインリーチからなどを選択するテーブル）が同一であってもよい。特定の小当たりでない小当たりは異なっていてもよい。
【０４４５】
また、たとえば、小当たりを備えていてもよい。小当たりとは、後述する特図１当選乱数値により大当たりまたはハズレとは別に抽選され、当選した場合は１Ｒ分しかアタッカが開放せず、普図高確率状態または特図高確率状態に移行しないもののことを指す。小当たりに対応する小当たり図柄は１つでも複数備えてもよいが、小当たり図柄を複数備えた場合は後述する特図１図柄抽選乱数値または特図２図柄抽選乱数値とは別に小当たり図柄乱数値を入賞受付処理で取得し、特図１図柄抽選処理または特図２図柄抽選処理内で小当たりに当選した場合は、該小当たり図柄乱数値に基づいて小当たり図柄を決定してもよい。なお、小当たりに当選した場合は前述したタイマ番号選択テーブルとして小当たり専用のタイマ番号選択テーブルを備えてもよく、小当たり専用のタイマ番号選択テーブルにより選択される変動時間は、当たりフラグがオフの場合の普図低確率時タイマ番号選択テーブルまたは普図高確率時タイマ番号選択テーブルで選択される変動時間よりも長い変動時
間が選択されやすいようにしてもよい。また、複数の小当たり図柄を設けた場合は、一方の小当たり図柄は、他方の小当たり図柄よりも選択される変動時間が長いものが選択されやすいようにしてもよく、変動時間が長いものが選択されやすい第１の小当たり図柄が当選する乱数値を入賞受付処理で受け付けた場合は、変動時間が第１の小当たり図柄よりも短い小当たり図柄が選択されやすい第２の小当たり図柄が当選する乱数値を入賞受付処理で受け付けた場合よりも連続予告が行われる確率が高くなるようにしてもよい。変動時間が第１の小当たり図柄よりも短い小当たり図柄が選択されやすい第２の小当たり図柄が当選した場合の大入賞口の開放時間または開放態様は、２Ｒ大当たり（時短なし）が当選した場合と遊技者から区別がつかないように似せた開放時間または開放態様でもよい（開放時間または開放態様が同一であってもよい）。
【０４４６】
また、注意逸らし手段が行う注意引きつけ動作は、チャンスボタンの押下を示唆することであってもよい。たとえば、擬似図柄表示期間内に「チャンスボタン押して」と画像表示器上に表示することで遊技者の注意をチャンスボタンに集中させるようにしてもよい。また、注意引きつけ動作は、チャンスボタンの押下があったことで行われる演出であってもよい。
【０４４７】
また、本実施例では、Ｓ２１１５において、ラウンド数および確変の有無に基づいて図柄を決定していたが、図柄の抽選を行い、その図柄の抽選結果に基づいてラウンド数および確変の有無が決定されるようにしてもよい。
【０４４８】
また、装飾図柄表示部に表示された保留数表示と特図保留ランプとの保留の減少のタイミングを異ならせるようにしてもよい。たとえば、装飾図柄表示部に表示された保留数表示の減少のタイミングは、図柄変動開始コマンドを受信してから１秒経過後など、保留数表示の減少より少しだけ遅くするようにしてもよい。
【０４４９】
また、本実施例では、特図２の変動を特図１よりも優先して行うようにしたが、これに限られず、入賞した順に変動を行ってもよいし、特図２と特図１の変動を並行して行うようにしてもよい。特に、特図２と特図１の変動を並行して行う場合は、注意引きつけ動作として他の図柄を報知する報知装置が注意を引きつける報知を行うようにしてもよい。たとえば、特図２と特図１が別々の装飾図柄表示器により変動表示される場合に特図２で擬似連続変動を行う場合は、擬似図柄表示期間内に特図１の装飾図柄表示器が注意引きつけ報知として「注目！」などと表示してもよい。
【０４５０】
また、特図２の変動を特図１よりも優先して行う方法として、特図２に保留がない状態で特図１の変動が行われている場合に特図２に入賞があった場合、特図１の変動を中断して特図２の変動を行い、特図２の変動後に特図１の変動を再開するようにしてもよい。このようにする場合、特に第２特図始動口入賞による抽選が第１特図始動口入賞による抽選よりも有利な抽選が行われやすい場合は特図１の抽選を停止して特図２で抽選を行うことで、より遊技者に有利な図柄変動を提供することができる。
【０４５１】
また、本実施例では擬似連続予告の場合は必ず注意引きつけ動作を行うようにし、また、連続予告の場合も必ず注意引きつけ動作を行うようにしたが、これに限られず、擬似連続予告の場合または連続予告の場合でも必ずしも注意引きつけ動作を行わないようにしてもよい。
【０４５２】
また、時短以外では、擬似連続予告よりも連続予告を実行する確率を高くするようにし、注意引きつけ動作が行われた場合は、前記真変動開始および前記真変動停止のうちの少なくとも一方が行われると報知内容が変化する報知装置の報知内容が変化する確率が高いようにしてもよい。
【０４５３】
また、時短中は、擬似連続予告よりも連続予告を実行する確率を低くするようにし、注意引きつけ動作が行われた場合は、前記真変動開始および前記真変動停止のうちの少なくとも一方が行われると報知内容が変化する報知装置の報知内容が変化しない確率が高いようにしてもよい。これにより、注意逸らし報知の際にたまたま報知装置を見たとしても、報知装置の報知内容が変化する確率が高いため、擬似連続変動の場合の注意逸らし報知がより効果的に逸らすことができる。
【０４５４】
なお、擬似連続予告は保留が１つの場合であっても行うことができるため、連続予告よりも優れている場合がある。一方、連続予告は、擬似連続予告と表示上同じ演出をした場合に２回の図柄抽選を行っているため、単位時間あたりの図柄変動時間を短くすることができるという効果がある。
【０４５５】
また、装飾図柄は必ずしも数字が設定されている必要はない。たとえば、装飾１として青い服を着たスキーヤー、装飾２として赤い服を着たスキーヤー、装飾３として黄色い服を着たスキーヤー・・・といったように、数字が設けられていなくても、そのキャラクタが所定の態様で停止表示したことで大当たりやハズレを報知するようにしてもよい。
【０４５６】
また、連続予告および擬似連続予告は、同じ演出が連続する、ストーリー性のある演出が連続する、同系統の演出（１回目は背景の滝から鮫が出現、２回目は背景の滝から鮫が出現、３回目は背景の滝から竜が出現など）が連続する、背景演出など図柄変動以外の表示が真図柄停止または擬似図柄停止で途切れない、などいずれの態様であってもよい。
【０４５７】
また、擬似連続予告を行うと単位時間あたりの特図の変動回数が低下するため、稼動が下がり、遊技店としては好ましくない。しかし、擬似連続予告は保留の数に関係なく（たとえ１つであっても）行うことができる。したがって、保留の数が第１の値（たとえば２つ）である場合は連続予告が行われにくい代わりによりも擬似連続変動が行われやすく、保留の数が第１の値よりも少ない第２の値（たとえば４つ）である場合は擬似連続変動が行われやすい代わりによりも連続予告が行われにくいようにしてもよい。
【０４５８】
また、連続予告を行うとした場合に保留の数に応じた値だけ連続予告を行うとしたが、これに限られず、保留の数以下の数だけ連続予告を行うようにしてもよい。たとえば、保留が４個あった場合の偽予告演出として行われる連続予告は２回だけ行うようにしてもよい。また、保留の数だけ全部行わなくてもよい。たとえば保留が４個あった場合の予告演出とて行われる連続予告は１回目、３回目および４回目に行うようにしてもよい。
【０４５９】
また、時短中の第１特図始動口入賞に基づく特図１の変動は予告報知を行わないようにした場合、時短中の第１特図始動口入賞に基づく特図１の変動では擬似連続変動を行わないようにしてもよい。また、時短中の第１特図始動口入賞に基づく特図１の変動に対する予告報知は時短中の第２特図始動口入賞に基づく特図２の変動に対する予告報知よりも予告確率を低くした場合、時短中の第１特図始動口入賞に基づく特図１の変動に対する擬似連続変動は時短中の第２特図始動口入賞に基づく特図２の変動に対する擬似連続変動よりも擬似連続変動確率を低くしてもよい。また、時短中の第１特図始動口入賞に基づく特図１の変動に対する予告報知は時短中以外の第１特図始動口入賞に基づく特図１の変動に対する予告報知よりも予告確率を低くした場合、時短中の第１特図始動口入賞に基づく特図１の変動に対する擬似連続変動は時短中以外の第１特図始動口入賞に基づく特図１の変動に対する擬似連続変動よりも擬似連続変動確率を低くしてもよい。
【０４６０】
また、時短中の特図始動口入賞に基づく特図の変動に対する予告報知の報知確率は、時短中以外の特図始動口入賞に基づく特図の変動に対する予告報知の報知確率よりも低くし
てもよい。時短中は時短中以外よりも変動が早く行われるため遊技者が暇になることが少ないので予告報知により遊技者の期待感を煽る必要性が低いためである。このときに擬似連続変動を行ってしまうと、注意逸らし報知で注意が逸らされなかった場合に擬似連続変動であることが遊技者に認識されやすいため、時短中の特図始動口入賞に基づく特図の変動に対する擬似連続変動の実行確率は、時短中以外の特図始動口入賞に基づく特図の変動に対する擬似連続変動の実行確率よりも低くしてもよい。
【０４６１】
また、予告報知は保留が多いほど実行確率が高いとした場合、演出のバランス上、保留が少ないときは予告報知が実行されにくい。たとえば、遊技店の釘調整を悪くして保留が多く溜まらなかった場合には予告報知が実行されにくくなってしまう。この場合でも、擬似連続変動による擬似連続予告を行うことで、遊技者の遊技の興趣が低下してまうことを回避できる。すなわち、保留が第１の値（１個）である場合は、保留が第１の値よりも多い第２の値（４個）である場合よりも予告報知は選択されにくく、保留が第１の値である場合は、保留が第２の値である場合よりも擬似連続予告が選択されやすいことを特徴としてもよい。このようにすることで、演出のバランスをとりやすい遊技台が提供可能となる。
【０４６２】
なお、擬似連続変動を３回行い第１のリーチを経て大当たりとなる変動パターンと、擬似連続変動を２回行い第１のリーチよりも時間が長い第２のリーチを経て大当たりとなる変動パターンと、擬似連続変動を１回行い、第２のリーチよりも時間が長い第３のリーチを経て大当たりとなる変動パターンと、擬似連続変動を行わず第３のリーチよりも長い第４のリーチで大当たりとなる変動パターンを備え、これらの変動パターンは全て同一の変動時間とし、始動口入賞時にこの変動パターンが選択されたことを先読みした場合は、この変動パターンが抽選されるまで連続予告を行い、この変動パターン抽選時の変動パターンは、この変動パターン抽選までに行った連続予告の回数に応じて決定してもよい。たとえば、この変動パターン抽選までに３回連続予告を行った場合は、１回の擬似連続変動を経て大当たりとするようにしてもよい。このように、擬似連続変動の回数が異なる同一のタイマの変動パターンを複数備え、該変動パターンを抽選する変動タイマが選択された場合は、複数の前記変動パターンがら、抽選が行われるまでに実行した連続予告の回数に応じていずれかの変動パターンを選択するようにしてもよい。このようにすることで、たとえば、４回擬似連続変動を行った後で長いスーパーリーチ（上記の例では第３のリーチ）を経て大当たりをすると大変長い変動時間が必要となり、また、このような演出は遊技者の興趣を高めるために一定の割合で選択されるようにしなければならないが、連続予告を絡めることで、遊技者からみて同じような演出態様で同様の演出を割合を低下させずに行うことができ、稼働率の低下を防止することができる。
【０４６３】
なお、本実施例では主制御部がタイマ番号を選択し、副制御部がタイマ番号に応じて擬似連続変動を伴う変動パターンまたは擬似連続変動を伴わない変動パターンを抽選を行って、または行わず決定していたが、これに限られず、主制御部が、真変動開始から最後の擬似確定表示までの時間（擬似連続変動の回数に応じて決定される時間）と、最後の擬似確定表示から真確定表示までの時間（リーチ変動等のための時間）を別々に決定し、この２つの変動パターンを識別可能に副制御部に出力し、副制御部はこの主制御部からの入力に基づいて、擬似連続変動を伴った変動パターンを決定してもよい。たとえば、主制御部から擬似連続変動２回の変動タイマとマルチラインリーチを行ういう変動タイマがきた場合は、副制御部は、真変動開始⇒擬似予告報知⇒擬似変動停止⇒注意逸らし報知⇒擬似確定表示⇒擬似変動開始⇒擬似予告報知⇒擬似変動停止⇒注意逸らし報知⇒擬似確定表示⇒擬似変動開始⇒擬似予告報知⇒マルチラインリーチ⇒真変動停止⇒大当たり、というように変動を行ってもよい。
【０４６４】
また、変動パターンを先読みし、該先読結果として擬似連続変動の回数が所定の擬似連
続変動回数であると判定した場合に、該擬似連続回数に基づいて、予告演出または注意逸らし報知の報知開始時期を決定するようにしてもよい。たとえば、保留４つ目の変動パターンを先読みし、擬似連続変動の回数が２回であった場合に、保留球が４つあった場合は、保留２つ目から連続予告を開始するようにしてもよい。この場合、真開始⇒真停止⇒真確定表示（１回目）⇒真開始⇒予告報知⇒真停止⇒注意逸らし報知⇒真確定表示（２回目）⇒真開始⇒予告報知⇒真停止⇒注意逸らし報知⇒真確定表示（３回目）⇒真開始⇒擬似予告報知⇒擬似停止⇒注意逸らし報知⇒擬似確定表示⇒擬似開始⇒擬似予告報知⇒擬似変動停止⇒注意逸らし報知⇒擬似確定表示⇒擬似開始⇒擬似予告報知⇒マルチラインリーチ⇒真変動停止⇒大当たりのようになる。また、予告演出の報知開始時期は、先読みした擬似連続変動回数から所定の上限値（たとえば４回）を引いた値前の変動から開始してもよい。
【０４６５】
また、ここにいう「報知装置」は報知装置そのものに限られず、報知装置内の所定の表示領域であってもよい。たとえば、報知装置が装飾図柄表示器である場合で表示領域内に保留図柄数が表示されている場合は、該保留図柄数の表示から注意を逸らすようにしてもよい。
【０４６６】
また、擬似連続変動中は装飾図柄内の保留の表示を消してもよい。このように、擬似連続変動中は、真変動開始および真変動停止のうちの少なくとも一方が行われると報知内容が変化する報知装置または報知装置内の所定の表示領域を遮蔽したり目立たせなくしたりすることで注意逸らし報知がより効果的行われる場合がある。
【０４６７】
また、変動開始時の保留球数が多いほど、短い変動が選択されるようにしてもよい。
【０４６８】
また、予告報知なしで注意逸らし報知を行ってもよい。
【０４６９】
また、入賞時の該入賞した保留の前に行われる図柄変動の回数と変動開始時の保留球数とに基づいて変動時間を決定してもよい。たとえば、入賞時に該入賞した保留の前に保留が３つあった場合は図柄変動回数を３回とし、その数を記憶する。そしてその入賞の変動開始時に、図柄変動回数３回と保留数（たとえば３つ）に基づいて図柄変動パターンを選択するようにしてもよい。
【０４７０】
また、擬似確定表示期間および真確定表示期間は、変動開始直後を含むようにしてもよいし含まなくてもよい。変動開始直後とは、たとえば図柄変動が加速中である間などである。
【０４７１】
また、２回以上の擬似連続変動を行う場合に、真開始から擬似停止または擬似開始から擬似停止の間の少なくとも１回は、擬似予告を行わないようにしてもよい。その１回は、真開始から擬似停止であってもよい。また、擬似予告を行わない場合であっても、そのときの擬似停止後には注意逸らし報知を行うようにしてもよい。
【０４７２】
また、特図１で連続予告中に特図２の図柄変動が割り込んだ場合は、特図２の図柄変動では予告演出または注意逸らし報知の一方もしくは両方を行わないようにしてもよい。
【０４７３】
また、『遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのよう
な抽選結果になるかの判定を行い、該抽選の結果が特定の結果であることを該遊技者に予測させる予告報知を行う予告報知決定手段と、前記予告報知決定手段が前記予告報知を行うと決定したときに判定した抽選の結果を表す図柄を確定図柄として真確定表示する前に該予告報知を行う予告報知手段とを備えたことを特徴とする』遊技台に関するものである。なお、ここからさらに説明する変更例は、上記実施例を変更した例には限られないが、上記実施例に適用可能であるものは全て適用することができるものとする。
【０４７４】
（変更例Ａ）
従来の連続予告を行う遊技台は、保留している特定の抽選に対する抽選結果が遊技者にとって有利となることを期待させる連続予告を行うことで遊技の際に行われる演出が単調となり、遊技者の興趣が低下することを防止した。しかし、遊技者にとつて不利となることを覚悟させる連続予告は行われていなかったため、遊技者にとって不利となる抽選結果に対して（たとえば特図高確率中に特図低確率に移行する２Ｒ大当たりなど）の連続予告は行われていなかった。このため、不意に特図高確率状態が終了することで遊技者は特図高確率状態から特図低確率状態に突然移行した感覚を覚え、苛立ちを感じ、遊技の興趣が低下してしまう場合があった。これに対して、次の解決方法が提案される。すなわち、
『遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのような抽選結果になるかの判定を行い、該抽選の結果が特定の結果であることを該遊技者に予測させる予告報知を行う予告報知決定手段と、前記予告報知決定手段が前記予告報知を行うと決定したときに判定した抽選の結果を表す図柄を確定図柄として真確定表示する前に該予告報知を行う予告報知手段とを備え、前記予告報知決定手段は、該抽選の結果が遊技者にとって不利な抽選結果であることを該遊技者に予測させる予告報知を行うことを特徴とする遊技台』であってもよい。
【０４７５】
このようにすることで、単に有利な抽選結果であることを該遊技者に予測させる予告報知だけではなく、不利な抽選結果であることを該遊技者に予測させることで、前もって遊技者は不利な結果であることを予測することができ、不利な結果となることに対して覚悟を決めることができるため、突然不利な結果が訪れた場合よりも不利な結果に対するショックを和らげることができ、不利な結果というショックによる遊技の興趣の低を防止することができる。
【０４７６】
なお、不利な結果とは、たとえば遊技状態が特図高確率状態であるときに、大当たりによる賞球をほとんど得ることができない（たとえば２Ｒ大当たり）などに当選して、さらに大当たり終了後に特図低確率状態に移行するような場合である。このような場合に、たとえば２Ｒ大当たり（特図高確率状態移行なし）の抽選が４回後に抽選される４個目の保留に際に行われるとした場合、演出として、１回目の抽選結果の表示では「４」と書かれた爆弾の絵を液晶表示器に表示し、２回目の抽選結果の表示では「３」と書かれた爆弾の絵を液晶表示器に表示し、３回目の抽選結果の表示では「２」と書かれた爆弾の絵を液晶表示器に表示し、２Ｒ大当たり（特図高確率状態移行なし）の抽選の抽選結果の報知となる４回目の抽選結果の表示では「１」と書かれた爆弾の絵を液晶表示器に表示するとともに図柄の変動を開始し、図柄確定前では０と書かれた爆弾の絵を表示した後に爆弾が爆発する表示を行う。そして、２Ｒの大当たりを行った後に遊技状態を特図低確率状態とする。このようにすることで、遊技者は特図高確率状態が終わってしまう抽選が行われたことを予め予測することができるため、突然特図高確率状態が終わってしまうことによるショックが和らぎ、遊技者の遊技の興趣の低下を防止することができる。なお、爆弾の絵を連
続して表示することが不利な抽選結果であることを遊技者に予測させる予告報知にあたる。
【０４７７】
なお、ラウンド数には関係なく、単に遊技状態が現在の遊技状態よりも不利となる遊技状態となるのであれば、いずれの構成であってもよい。たとえば、遊技状態が特図高確率状態であるときに、１５Ｒ大当たり（特図高確率状態移行なし）に当選した場合でも不利な抽選結果であることを遊技者に予測させる予告報知を行ってもよい。
【０４７８】
また、遊技状態が普図高確率遊技状態である場合に、遊技状態が普図低確率遊技状態に移行する大当たりに当選した場合でも不利な抽選結果であることを遊技者に予測させる予告報知を行ってもよい。
【０４７９】
また、不利な抽選結果であることを遊技者に予測させる予告報知は、実際に不利な抽選結果とならない場合に行ってもよい。たとえば、爆弾の絵を連続して表示する場合に、爆弾の絵の表示が「２」の表示が行われた次の抽選結果の報知の際に「１」を表示しなくてもよい。このようにすることで、遊技者は不利な抽選結果でないようにという願いをこめて抽選結果の表示に注目することになり、遊技に対する興味を高めることができ、遊技に対する興趣も向上する。
【０４８０】
また、前記予告報知決定手段は、該抽選の結果が遊技者にとって有利な抽選結果であることを該遊技者に予測させる予告報知を行も行い、有利な抽選結果であることを予測させる予告報知と不利な抽選結果であることを予測させる予告報知は、抽選手段が抽選を行うまで遊技者にとって見た目上同一に見える態様で報知を行うようにしてもよい。たとえば、爆弾の絵を液晶表示器に表示する例でたとえると、遊技者にとって有利な抽選結果であることを予測させる予告報知を行う場合でも、前述した「４」、「３」、「２」と爆弾の絵を表示し遊技者の不安感を煽り、抽選結果の報知となる図柄変動では「１」を表示して爆弾が爆発するかのような表示を行いつつ、爆弾の中から「大当たり」と書かれたカードが表示されることで、遊技者にとって有利な抽選結果を表示する、といったことである。
【０４８１】
なお、遊技状態がわかるようにいずれかの報知装置により遊技状態を報知していてもよい。たとえば、液晶表示器で「通常遊技中」または「確率変動遊技中」などと表示していてもよい。
【０４８２】
（変更例Ｂ）
また、従来の遊技台よりも遊技の興趣を高める目的で次の構成を備えた遊技台を提供する。すなわち、『遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのような抽選結果になるかの判定を行い、該抽選の結果が特定の結果であることを該遊技者に予測させる予告報知を行う予告報知決定手段と、前記予告報知決定手段が前記予告報知を行うと決定したときに判定した抽選の結果を表す図柄を確定図柄として真確定表示する前に該予告報知を行う予告報知手段とを備え、前記予告報知手段は、該抽選の結果が真確定表示されるまでＢＧＭを変化させるＢＧＭ予告報知を行うことを特徴とする遊技台』であっもてよい。
【０４８３】
ＢＧＭ予告報知とは、予告報知決定手段により予告報知を行うと決定したことに基づいて、予告報知の対象となる抽選の抽選結果が行われるまでの複数回の抽選結果の報知にわ
たってＢＧＭを変化させるものである。
【０４８４】
なお、複数回の抽選の抽選結果の報知にわたって変化するＢＧＭは、抽選結果の報知が行われる毎にテンポが速くなったり、音量が大きくなるなどして予告報知の対象となった抽選の抽選結果の報知に対して期待感を煽るようにしてもよい。
【０４８５】
また、複数回の抽選の抽選結果の報知にわたって変化するＢＧＭは、途切れることがなく再生させるようにしてもよい。
【０４８６】
（変更例Ｃ）
また、従来の遊技台よりも遊技の興趣を高める目的で次の構成を備えた遊技台を提供する。すなわち、『遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのような抽選結果になるかの判定を行い、該抽選の結果が特定の結果であることを該遊技者に予測させる予告報知を行う予告報知決定手段と、前記予告報知決定手段が前記予告報知を行うと決定したときに判定した抽選の結果を表す図柄を確定図柄として真確定表示する前に該予告報知を行う予告報知手段とを備え、前記予告報知手段は、前記予告報知決定手段が前記予告報知を行うと決定した場合と、前記予告報知決定手段が前記予告報知を行うと決定しなかった場合とで、前記図柄変動表示が真確定してから次の図柄変動表示が開始させるまでの確定表示時間を異ならせるようにしたことを特徴とする遊技台』であってもよい。
【０４８７】
予告報知を行うとした場合の真確定表示時間を、予告報知を行うとしなかった場合の真確定表示時間と異なるようにすることで、遊技者に違和感を与え、演出に対する注目度を高めることができる。なお、予告報知を行うとした場合の真確定表示時間が予告報知を行うとしなかった場合の真確定表示時間と異なるようにすること自体が予告報知であってもよい。
【０４８８】
なお、予告報知を行うとした場合の真確定表示時間を、予告報知を行うとしなかった場合の真確定表示時間と異なるようにしたとは、具体的にいうと、予告報知を行うとした場合の真確定表示時間を４秒として、予告報知を行うとしなかった場合の真確定表示時間を３秒とするなど、予告報知の有無に応じて一義的に変更するほか、予告報知を行うとした場合の真確定表示時間を第１の真確定表示時間抽選テーブルから選択し、予告報知を行うとしなかった場合の真確定表示時間を第２の真確定表示時間抽選テーブルから選択するようにするなどして、第１の真確定表示時間抽選テーブルと第２の真確定表示時間抽選テーブルは、抽選結果となる時間または抽選確率が異なるようになっているようにしてもよい。この場合、第１の真確定表示時間抽選テーブルは、第２の真確定表示時間抽選テーブルよりも短い真確定表示時間が抽選されやすいようにしてもよく、逆に、第１の真確定表示時間抽選テーブルは、第２の真確定表示時間抽選テーブルよりも長い真確定表示時間が抽選されやすいようにしてもよい。
【０４８９】
また、「真確定表示時間」を「擬似確定表示時間」に置き換えても良い。また、「真確定表示時間」を「真確定表示時間および擬似確定表示時間」に置き換えてもよい。
【０４９０】
（変更例Ｄ）
また、パチンコ機に代表される遊技台は、発射装置から球を発射し、所定の遊技領域に
設けられた所定の入賞口に入球することで所定の利益を獲得できるように構成されている。このような遊技台において、複数の連続した図柄変動で連続した演出を行う、いわゆる連続予告演出を備えた遊技台が提供されている。たとえば特開２００５−１１１１４９など。しかし、特許文献１に記載の遊技台にあっては、メイン側可否判定は、前記入賞検知に基づく図柄組み合わせゲームの開始直前に行う大当たり判定とは異なるタイミング（異なる判定時期）  で前記入賞検知時に読み出した大当たり乱数の値がメイン判定値（予告判定値）と一致するか否かを判定している。そして、この予告判定値を用いて予告報知を行うか否かを判定している。予告報知が行われるとなると連続予告を開始することとなるが、たとえば連続予告が４回に亘って行われるときに、遊技状態が変化して図柄組み合わせゲーム開始直前に行う大当たり判定結果が異なったものとなってしまったときに、改めてもう一度予告判定値の取得を迫られる場合があり、処理負荷が集中してしまう場合があった。これに対して、以下の解決方法を提案する。すなわち、
『所定の入賞口に遊技球が入賞したことに基づいて、所定の抽選に使用するカウント値を取得して記憶するカウント値記憶部と、前記カウント値記憶部が記憶したカウント値と抽選を実行する際の遊技状態とに基づいて、遊技者に付与する利益量を抽選する利益量抽選部と、を備えた遊技台において、前記利益量抽選部が前記利益量の抽選を行う前に、前記カウント値記憶部が記憶したカウント値と遊技状態とに基づいて、遊技者に付与する利益量を事前に抽選する利益量事前抽選部と、前記利益量事前抽選部の抽選結果である事前抽選情報を記憶する事前抽選情報記憶部と、前記事前抽選情報に基づいて、前記利量抽選部が行う抽選の抽選結果が遊技者にとって有利な結果であることを遊技者に期待させる予告報知を行う予告報知部と、を備え、前記利益量事前抽選部は、遊技者に付与する利益量を複数の遊技状態のそれぞれについて事前に抽選し、前記事前抽選情報記憶部は、遊技状態に応じた複数の前記事前抽選情報を記憶し、前記予告報知部は、前記予告報知を実行する際の遊技状態に応じた前記事前抽選情報に基づいて、前記予告報知を行うことを特徴とする遊技台』であってもよい。
【０４９１】
このようにすることで、処理負荷を分散できる遊技台を提供することができる。
【０４９２】
主制御部は、始動口に遊技球が入賞したことに基づいて、遊技者に付与する利益量を抽選するための乱数として使用するカウント値を所定の乱数カウンタから取得して記憶するとともに、入賞により記憶対象となったカウント値と複数の遊技状態（たとえば、特図高確率状態と特図低確率状態）とに基づいてカウント値による抽選が大当たりか否かに関して事前に抽選し、複数の遊技状態のそれぞれについての抽選結果（たとえば特図高確率状態であれば１５Ｒ特別大当たり、特図低確率状態であればハズレなど）を事前抽選情報記憶部に記憶する。さらに、利益量の抽選を行い、抽選結果を副制御部に送信する際に、抽選時の遊技状態に基づいて事前抽選情報記憶部に記憶された事前抽選情報のうちいずれかの事前抽選情報を選択して副制御部に出力する。たとえば、抽選時に特図低確率状態である場合は特図低確率状態の場合として事前抽選された事前抽選情報を出力する。副制御部は受信した事前抽選情報に基づいて予告報知の制御を行う。
たとえば、保留が３個ある場合に、事前抽選情報記憶部には特図低確率遊技状態での保留内が大当たりか否かに関する情報（たとえば、保留１はハズレ、保留２はハズレ、保留３はハズレ、保留４は保留なし）と、特図高確率遊技状態での保留内が大当たりか否かに関する情報（たとえば、保留１はハズレ、保留２はハズレ、保留３はあたり、保留４は保留なし）の遊技状態のそれぞれについての予告情報を記憶している。主制御部は、事前抽選情報記憶部に記憶された遊技状態のそれぞれに対する予告情報を変動開始時に出力するが、その際に、その時点での遊技状態対応する予告情報を副制御部に出力する。たとえば、特図高確率状態であれば、事前抽選情報記憶部に記憶された特図高確率状態に対する予告情報（保留１はハズレ、保留２はハズレ、保留３はあたり、保留４は保留なし）を変動開始時に出力する。副制御部は、受信した予告情報にあたりが含まれている場合は予告演出抽選テーブルから予告演出を抽選し、あたりが含まれていない場合はガセ予告演出抽選テ
ーブルからガセ予告演出を抽選する。そして、抽選結果に基づいて予告演出を実行する。ここで、副制御部があたりに基づいて予告演出を複数回の変動に亘って行う連続予告を行っている最中に、主制御部から受信した予告情報があたりを含まなくなった場合（連続予告中に遊技状態が変更したため、乱数に基づく判定があたりからハズレへと変わった場合など）、副制御部は連続予告の実行を中止する。なお、遊技状態が変更されても予告情報にあたりが含まれていた場合は副制御部は連続予告の実行を中止しない。なお、ここでは単に「あたり」と記載したが、このあたりは実施例１で挙げたいずれのあたりでもよい。また、１５Ｒ特別大当たりのときのみ「あたり」であり、ほかは「ハズレ」であってもよい。この「あたり」か「ハズレ」は１ビットの情報であってもよく、この場合「保留なし」は「ハズレ」と区別がつかない態様で記憶されていてもよい（たとえば「あたり」はビットがオン、「ハズレ」および「保留なし」はビットがオフなど）。
【０４９３】
なお、『前記カウント値記憶部は、前記カウント値を所定の数まで記憶可能に設けられ、前記利益量抽選部は、前記カウント値記憶部が複数のカウント値を記憶している場合に、所定の順序でカウント値記憶部が記憶したカウント値に基づく前記利益量の抽選を行うことを特徴とする遊技台』であってもよい。複数のカウント値を所定の順序で抽選していく遊技台において、抽選されていないカウント値に対する予告報知を行うことで、特定の図柄変動に対する期待度を前もって高めることができる。
【０４９４】
なお、『少なくとも、前記事前抽選情報記憶部を備えた第１の制御基板と、少なくとも、前記予告報知部を備えた第２の制御基板と、を備え、前記第１の制御基板は、前記事前抽選情報記憶部に記憶された複数の前記事前抽選情報から、出力時の遊技状態に応じた前記事前抽選情報を前記第２の制御基板に出力する事前抽選情報出力部を備えたことを特徴とする遊技台』であってもよい。出力の際に、遊技状態に応じて事前抽選情報を選択することで、簡易な制御構造で事前抽選情報を出力することができる。
【０４９５】
なお、『前記事前抽選情報記憶部は、前記カウント値記憶部が記憶するカウント値よりも小さいデータ容量で前記事前抽選情報を記憶することを特徴とする遊技台』であってもよい。小さいデータ用容量で記憶しておくことで、ＲＡＭ容量を削減することができる。さらに、他の制御部に情報を出力する構成においては、コマンド数を少なくすることができる場合がある。
【０４９６】
なお、『前記利益量事前抽選部は、前記カウント値記憶部が前記カウント値を取得して記憶する際に、該取得して記憶する対象のカウント値に対して事前抽選を行うことを特徴とする遊技台』であってもよい。始動入賞時に事前抽選情報を取得することで、カウント値をＲＡＭに記憶するついでに事前抽選情報を取得することができ、改めて事前抽選情報を取得するタイミングを設けなくて済むため、処理負荷を軽減することができる場合がある。また、入賞した際のカウント値に対しての事前抽選情報を取得することで、既に保留記憶している事前抽選情報を更新しなくて済み、不必要な処理を行わなくて済む場合がある。
【０４９７】
なお、『前記カウント値記憶部は、第１の始動口および第２の始動口に遊技球が入賞したことに基づいて、所定の抽選に使用するカウント値を取得して記憶し、前記利益量抽選部は、前記第２の始動口への入賞に基づく利益量の抽選を、前記第１の始動口への入賞に基づく利益量の抽選よりも優先して行うことを特徴とする遊技台』であってもよい。特図が２つあり、特図２が優先変動する遊技台にあっては、特図２の変動が割りこむため、未来の抽選の際の遊技状態を把握することが困難になるため、予め複数の遊技状態に対応する事前抽選情報を取得しておくことが望ましい。
【０４９８】
なお、『所定の条件に基づいて、前記利益量の抽選が遊技者にとって有利となる第１の
遊技状態から前記利益量の抽選が第１の遊技状態よりも遊技者にとって不利となる第２の遊技状態に変更し、または、前記第２の遊技状態から前記第１の遊技状態に変更する遊技状態変更部と、を備え、前記遊技状態変更部は、所定の基準から前記利益量抽選部による利益量の抽選が所定の回数行われた場合に、前記第２の遊技状態から前記第１の遊技状態へと遊技状態を変更することを特徴とする遊技台』であってもよい。所定の回数抽選が行われた場合に遊技状態が変更するが、遊技状態の変更を予測するために所定の回数を把握しながら事前抽選情報の取得を行わなくて済むため、処理負荷を軽減することができる場合がある。特に、特図を複数備え、特図１と特図２がある遊技台にあっては、特図２の変動が割り込むため、仮に所定の回数を把握していたとしても未来の遊技状態を予測できない場合がある。
【０４９９】
なお、『前記利益量抽選部は、前記カウント値と遊技状態に基づいて、大当たりとするか否かに関する抽選を行うことを特徴とする遊技台』であってもよい。
なお、『前記カウント値と遊技状態に基づいて、大当たりの停止図柄に関する抽選を行うことを特徴とする遊技台』であってもよい。
【０５００】
なお、『前記利益量抽選部が行う抽選の抽選結果を報知する抽選結果報知手段と、を備え、前記利益量抽選部は、前記抽選結果報知手段が抽選結果を報知している間は、前記利益量の抽選を行わないことを特徴する遊技台』であってもよい。
【０５０１】
なお、『前記利益抽選手段が行った抽選の抽選結果を出力する抽選結果出力部と、を備え、前記事前抽選情報出力部は前記抽選結果出力部が前記抽選結果を出力するに際して前記事前抽選情報を出力することを特徴とする遊技台』であってもよい。
【０５０２】
なお、この変更例Ｄは連続予告中に遊技状態が変化する場合に適用されるため、たとえば特図低確率状態での連続予告中に特図２の変動が割込み、特別大当たりとなり、その後、特図高確率状態となった場合などでも特図高確率状態となったことで主制御部は改めて予告情報を取得せずに済み、処理負荷の分散を図ることができる。
【０５０３】
（変更例Ｅ）
複数の図柄変動にまたがった予告である連続予告を行う方法としては、（１）１回の図柄変動を複数回の図柄変動とみせかける擬似図柄変動内で複数の図柄変動内でまたがっているかのように演出を行う方法  （２）複数回の図柄変動にまたがって予告を行う方法  の２種類が従来存在していた。また、この２種類を組み合わせる方法も考えられる。たとえば、保留が３個あり、３回目の図柄変動で大当たりが行われる場合は、１回目の図柄変動で「チャンス」と表示し、２回目の図柄変動でもう一度「チャンス」と表示し、３回目の図柄変動では、「チャンス」と表示した後、擬似停止をして擬似確定表示を経て擬似開始を行い、擬似開始後にもう一度「チャンス」と表示した後でスーパーリーチを行い大当たりを表示するといった場合である。しかし、この場合に、３回目の図柄変動では、１回目、２回目の図柄変動内で連続予告が行われているため、十分に期待感が煽られているという場合があり、改めて３回目の図柄変動内で擬似連続変動による連続予告の期待感の向上を求める必要性が低いとも考えられる。これに対して、次に掲げる解決方法を提案する。すなわち、
『遊技球が始動口に１回入賞したことに基づいて図柄の変動を開始する真変動開始を行うとともに、決められた変動時間が経過すると該図柄の変動を停止する真変動停止を行い、引き続いて確定図柄を所定時間表示し続ける真確定表示を行う、該真変動開始から該真確定表示までの一連の図柄変動表示を実行する図柄表示手段を備えた遊技台において、前記図柄表示手段が、前記一連の図柄変動表示の中で、前記真変動停止が行われたかのように見せかける擬似変動停止と、前記真確定表示が行われているかのように見せかける擬似確定表示と、前記真変動開始が行われたかのように見せかける擬似変動開始とが行われる擬
似図柄表示を実行する擬似図柄表示手段を有し、さらに、遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのような抽選結果になるかの判定を行い、該抽選の結果が特定の結果であることを該遊技者に予測させる予告報知を行う予告報知決定手段と、前記予告報知決定手段が前記予告報知を行うと決定したときに判定した抽選の結果を表す図柄を確定図柄として真確定表示する前に該予告報知を行う予告報知手段と、を備え、前記擬似図柄表示手段は、前記抽選手段による抽選後に行われる一連の図柄変動表示を行う際に、該抽選に対して予告報知手段による予告報知が行われていた場合は、該抽選に対して予告報知手段による予告報知が行われていなかった場合よりも、前記擬似図柄表示を行う確率を低くなるようにしたことを特徴する遊技台』であってもよい。
【０５０４】
さらに、『前記始動口への遊技球の入賞状況に応じて、前記図柄表示手段に前記図柄変動表示を連続して複数回行わせる図柄変動表示制御部と、前記擬似変動停止が行われる前に第１演出を行うとともに、該擬似変動停止の後に行われる前記擬似変動開始が行われた後に該第１演出の続きになる第２演出を行う演出手段とを備え、前記演出手段が、２回以上連続して行われる前記図柄変動表示において、最後の図柄変動表示よりも前に行われる図柄変動表示における前記真変動停止前に遊技者にとって前記第１演出と区別がつかない第３演出を行うとともに、該第３演出が行われた図柄変動表示の後に行われる図柄変動表示における前記真変動開始後に遊技者にとって前記第２演出と区別がつかない第４演出を行うものであることを特徴とし』てもよい。
【０５０５】
このようにすることで、期待感を高める必要性がある場合は高め、期待感を高める必要性が高いとはいえない場合は高めないことで適切な期待感向上演出を行うことができ、遊技の興趣を高めることができる。
【０５０６】
たとえば、保留３個目が大当たりの場合に、予告報知を行うとなった場合には、１回目の変動で「チャンス」と表示し、２回目の変動でも「チャンス」と表示する。そして、３回目の変動では擬似連続予告が選択されずにスーパーリーチを経て大当たりが表示されやすいようにする。一方、予告報知を行わないとなった場合は、１回目の変動、２回目の変動ともに３回目の変動結果が期待度の高い変動結果であるということを報知せず、３回目の変動では「チャンス」と表示した後、擬似停止をして擬似確定表示を経て擬似開始を行い、擬似開始後にもう一度「チャンス」と表示した後、擬似停止をして擬似確定表示を経て擬似開始を行い、擬似開始後にもう一度「チャンス」と表示した後でスーパーリーチを経て大当たりが表示されやすいようにする。どのように表示されやすいようにするかというと、予告演出が当選した場合に予告演出実行フラグなどのフラグをセットする。大当たりであることを報知する演出の抽選を行う場合に、予告演出実行フラグがセットされている場合は、予告演出実行フラグがセットされていない場合よりも擬似連続予告を選択しにくい演出抽選テーブルから擬似連続予告の実行抽選を行う。
【０５０７】
なお、予告演出実行フラグがセットされている場合は、擬似連続予告が全く行われないようにしてもよく、具体的には擬似連続予告の抽選自体を行わないようにしてもよい。
【０５０８】
また、予告演出実行フラグがセットされていない場合は、擬似連続予告実行フラグがセットされている場合よりもより発展したスーパーリーチによる大当たりが表示されやすいようにしてもよい。発展したスーパーリーチとは、（１）キャラクタが戦う  （２）キャラクタが負ける  （３）お助けキャラクタが助けてくれる  （４）お助けキャラクタが勝
つ  （５）大当たり  となる第１のスーパーリーチと、（１）キャラクタが戦う  （２）キャラクタが負ける  （３）お助けキャラクタが助けてくれる  （４）お助けキャラクタが負ける  （５）２人目のお助けキャラクタが登場する  （６）２人目のお助けキャラクタが勝つ  （７）大当たり  となる第２のスーパーリーチとがあり、予告演出実行フラグがセットされていない場合は第２のスーパーリーチが選択されやすいということである。第２のスーパーリーチは、第１のスーパーリーチよりもリーチの発展先が多いという特徴がある。
【０５０９】
また、予告演出フラグがセットされていない場合のみ、全回転リーチが行われるようにしてもよい。
【０５１０】
なお、『前記擬似図柄表示手段は、前記抽選手段による抽選後に行われる一連の図柄変動表示を行う際に、該抽選に対して予告報知手段による予告報知が行われていた場合は、該抽選に対して予告報知手段による予告報知が行われていなかった場合よりも、前記擬似図柄表示を行う回数が低くなる確率が高いようにしたことを特徴する遊技台』であってもよい。たとえば、予告報知フラグがセットされている場合は平均１回の擬似連続予告が行われるのに対して、予告報知フラグがセットされていない場合は平均３回の擬似連続予告が行われるといったようなことである。
【０５１１】
（変更例Ｆ）
また、従来の遊技台よりも遊技の興趣を高める目的で次の構成を備えた遊技台を提供する。すなわち、『遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのような抽選結果になるかの判定を行い、該抽選の結果が特定の結果であることを該遊技者に予測させる予告報知を行う予告報知決定手段と、前記予告報知決定手段が前記予告報知を行うと決定したときに判定した抽選の結果を表す図柄を確定図柄として真確定表示する前に該予告報知を行う予告報知手段と、予告報知を第１の態様で行う第１予告ステージと予告報知を第２の態様で行う第２予告ステージとを切り替えるステージ切り替え手段と備えたことを特徴とする遊技台』であつて、以下の特徴を備えてもよい。
【０５１２】
（変更例Ｆ−１）
『前記ステージ切り替え手段は、前記予告報知手段が予告報知を行っている間はステージを切り替えることがないようにし、前記予告報知手段が予告報知を行っていない間はステージを切り替え可能にしたことを特徴とする遊技台』であってもよい。変動毎など所定の条件に基づいてステージの切り替え抽選を行う遊技台にあっては、予告報知を行っている間はステージ切り替えの抽選を行わず、予告報知を行っていない間はステージ切り替えの抽選を行い、当選した場合はステージを切り替えるようにしてもよい。また、ステージ切り替えを遊技者の操作により行う場合も同様に、予告報知を行っている間はステージ切り替えの操作を受け付けず、予告報知を行っていない間はステージ切り替えの操作を受け付けるようにしてもよい。
【０５１３】
なお、ステージとは、正確には演出ステージのことで、たとえば背景を異ならせたり登場キャラクタを異ならせたりするなどして演出の幅を広げるためのものである。たとえば、第１のステージとして姫ステージ（お姫様のキャラクタが登場し、お祭りに関する背景で、ダーツで大当たりという表示に当たれば大当たりとなるリーチ演出を行う）があり、第２のステージとして爺ステージ（お爺さんのキャラクタが登場し、城の中の背景で、殿
中に忍び込んだ曲者を倒せば大当たりとなるリーチ演出を行う）があるなどである。演出ステージ毎に演出抽選テーブルが異なるため、演出を選択する条件が異なった結果（第１の条件は姫ステージ、第２の条件は爺ステージなど）、姫ステージを構成する演出を選択しまたは抽選し、爺ステージを構成する演出を選択しまたは抽選することで、複数のステージを設けることができる。
【０５１４】
なお、姫ステージでは可愛らしい人形が連続して登場する予告報知が行われ、爺ステージでは曲者が忍び込むためのカウントダウンをしている予告報知が行われる。具体的に書くと、爺ステージでは、１回目の変動で予告報知として曲者が「１」と声を出し、２回目の変動で予告報知として曲者が「２」と声を出し、３回目の変動で予告報知として曲者が「３」と声を出す音声を出力するとともに忍び込みリーチ演出に発展する。この場合、自由に予告報知中に演出ステージを変更できるとすると、姫ステージで可愛らしい人形が２回連続した後で爺ステージに切り替えた場合に、突然「３」から始まって遊技者はわけのわからないのまま曲者リーチ演出を見ることになり、遊技の興趣が低下する。
【０５１５】
（変更例Ｆ−２）
『前記予告報知手段は、前記ステージ切り替え手段によりステージが切り替えられた場合は、予告報知を終了したことを特徴とする』遊技台であってもよい。これも、変更例Ａと同様の理由でステージを切り替えた際の演出の表示がおかしなものにならないようにしたものである。なお、ステージ切り替え方法は、変更例Ｆ−１と同様に、抽選によるものでも遊技者の操作によるものなど、任意の方法であってよい。
【０５１６】
（変更例Ｆ−３）
『前記ステージ切り替え手段は、予告報知を行わない第３の予告ステージについても切り替え可能に設けられ、前記予告報知手段が予告報知を行っている間にステージを切り替える場合は前記第３の予告ステージには切り替えすることがないようにし、前記予告報知手段が予告報知を行っていない間は前記第３のステージに切り替え可能にしたことを特徴とする遊技台』であってもよい。連続予告を実行しない第３のステージには移行しないようにすることで、連続予告を最後まで楽しませることができる。なお、ステージ切り替え方法は、変更例Ｆ−１と同様に、抽選によるものでも遊技者の操作によるものなど、任意の方法であってよい。
【０５１７】
（変更例Ｆ−４）
『前記予告報知手段は、前記第２のステージではストーリー性を伴わない非ストーリー予告報知とストーリー性を伴うストーリー予告報知とを行い、第１のステージで予告報知を行っている間にステージが切り替えられた場合は、第２のステージで行う予告報知としてストーリー予告報知を行わず、非ストーリー予告報知を行うことを特徴とする遊技台』であってもよい。変更例Ｆ−１の例で、さらに第２のステージである爺ステージには、曲者がカウントアップする予告報知のほかに、曲者が連続して登場する予告報知を行うようにしている。曲者がカウントアップする予告報知は、「いちにのさん！」で予告が完了するため、いきなり「さん！」から始まったら遊技者は違和感を覚えるが、曲者が連続して登場する予告報知はストーリー性がないため、１回目、２回目の予告報知を姫ステージの可愛らしい人形で行い、３回目の予告報知を曲者が登場する予告報知で行っても遊技者はさして違和感を覚えない。なお、ステージ切り替え方法は、変更例Ｆ−１と同様に、抽選によるものでも遊技者の操作によるものなど、任意の方法であってよい。
【０５１８】
（変更例Ｇ）
また、変更例Ｄのように、主制御部は、入賞時に予告情報を取得し、変動開始時に保留内の予告情報をまとめて副制御部に出力し、副制御部は入力した予告情報に基づいて予告演出を行う遊技台にあって、副制御部が予告演出を抽選により行う遊技台にあっては次に
挙げられる問題がある。
【０５１９】
たとえば、副制御部が予告情報を受け取り、該予告情報がハズレのみの予告情報であつた場合は副制御部はガセ連続予告の抽選を行う。ガセ連続予告の抽選確率は１／２０でるとする。主制御部は、前回の図柄変動が終了したことに基づいて変動開始コマンドをとともに予告情報を出力する。ここで、図柄変動が行われている間に始動口に遊技球が１つ入賞したため保留が１つ増加し、保留の数は合計２つ（全てハズレ）になったとする。この場合、副制御部は変動開始コマンドとともに予告情報を入力し、予告情報が全てハズレであるため１／２０でガセ連続予告の抽選を行う。また、別の例として、図柄変動が行われている間に始動口に遊技球が３つ入賞したため保留が３つ増加し、保留の数は合計４つ（全てハズレ）になったとする。この場合も、副制御部は変動開始コマンドとともに予告情報を入力し、予告情報が全てハズレであるため１／２０でガセ連続予告の抽選を行う。しかし、保留が１つ増えた場合と保留が３つ増えた場合とでは、当然ながら保留３つ増えた場合のほうが保留が１増えた場合よりもあたり（たとえばハズレと小当たり以外など）となる確率が３倍高い。このような場合は、たとえハズレであってもガセ連続予告を行うことにより遊技者を興奮させ、遊技者の遊技の興趣を高める必要があるが、保留の増加分に応じて予告確率を変化させないと、効果的に煽ることができず、遊技者の遊技の興趣を効果的に高めることができないという問題があった。
【０５２０】
これに対して、以下の方法ににより解決する。すなわち、
『遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのような抽選結果になるかの事前判定手段と、前記事前判定手段の判定結果から予告実行抽選を行い、該予告実行抽選に基づいて特定の結果であることを該遊技者に予測させる予告報知を行うか否かを決定する予告報知決定手段と、前記予告報知決定手段が前記予告報知を行うと決定したときに判定した抽選の結果を表す図柄を確定図柄として真確定表示する前に該予告報知を行う予告報知手段とを備え、前記予告報知決定手段は、前記抽選手段が保留した前記抽選の保留数の増加数に基づいて、前記予告実行抽選を行うことを特徴とする遊技台』であってもよい。保留数の増加分を加味した予告実行抽選を行うことができるため、遊技者の遊技の興趣を高めることができる。
【０５２１】
さらに、『遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのような抽選結果になるかの事前判定手段と、前記事前判定手段の判定結果から予告実行抽選を行い、該予告実行抽選に基づいて特定の結果であることを該遊技者に予測させる予告報知を行うか否かを決定する予告報知決定手段と、前記予告報知決定手段が前記予告報知を行うと決定したときに判定した抽選の結果を表す図柄を確定図柄として真確定表示する前に該予告報知を行う予告報知手段とを備え、前記予告報知決定手段は、前記事前予告実行抽選を前回行ってから今回行うまでの間に前記抽選手段が保留した前記抽選の保留数の増加数に基づいて、前記予告実行抽選を行うことを特徴とする遊技台』であってもよい。予告実行抽選を前回行ってから今回行うまでの間に増加した保留球数を加味した予告実行抽選を行うことができるため、期待度に応じた予告実行抽選を行うことができる。また、遊
技台を開発時に、予告実行抽選の抽選値の予測が容易になり、開発工数を削減することができる場合がある。
【０５２２】
また、『少なくとも前記抽選手段および前記事前判定手段とを含む主制御基板と、少なくとも前記予告報知決定手段および前記予告報知手段とを含む副制御基板と、を備え、前記主制御基板は、前記抽選手段による抽選を行った際に、前記抽選結果とともに前記事前判定手段の判定結果を前記副制御基板に出力し、前記副制御基板は、入力した前記事前判定手段の判定結果に基づいて前記予告報知決定手段による前記予告実行抽選を行うことを特徴とする遊技台』であってもよい。このような場合は、処理構造が単純化なるが事前判定手段の判定結果を副制御部は自由に取得できないまたは保留数増加毎に取得できないため、代わりに本変更例の増加数に応じた予告抽選を行う構成を設けることで遊技者の期待度を適切に煽ることができる遊技台が提供可能となり、遊技者の遊技の興趣をより向上させることができる。
【０５２３】
また、『前記予告報知決定手段は、前記事前判定手段の判定結果が第１の利益量（１５Ｒ特別大当たりなど）である場合は第１の抽選テーブルにより予告実行抽選を行い、前記事前判定手段の判定結果が第２の利益量（ハズレなど）である場合は第２の抽選テーブルにより予告実行抽選を行い』さらに、『前記予告報知決定手段は、前記第２の抽選テーブルにより抽選を行う場合に、前記抽選手段が保留した前記抽選の保留数が第１の保留数である場合は、該第１の保留数よりも少ない数である第２の保留数である場合よりも前記予告報知を行う報知確率が小さいことを特徴とする遊技台』であってもよい。第２の抽選テーブルによる抽選とは、たとえばガセ連続予告の抽選のことである。たとえば、先の例では、副制御部は変動開始コマンドとともに予告情報を入力し、予告情報が全てハズレであるため１／２０でガセ連続予告の抽選を行うとしたが、予告情報が全てハズレである場合に、保留が１つの場合は１／２０で、保留が２つの場合は１／３０で、保留が３つの場合は１／４０で、保留が４つの場合は１／５０でそれぞれ予告抽選を行うようにし、さらに、保留の増加数に応じて補正値を入れるようにしたということである。この場合、保留の増加数を考えなければ、保留が多ければ多いほど予告の実行確率は小さい。これは、保留が多いほど変動時間が短くなるということが関係する。すなわち、保留が４つである場合は、それ以上保留がたまらないため早く変動が終了するようにと短い変動時間が選択されやすく、保留が０つである場合は早く変動を終了してしまうと遊技者が暇になってしまう場合があるため、最近の遊技台は保留が多いほど変動時間が短くなるようにしている。そこで、短い変動時間が選択されやすいときに予告を行いやすくしてしまうと、せっかく予告を行ったのにすぐに変動が終わってしまうため、遊技者の中には遊技の興趣が低下してしまう場合がある。そこで、予告の実行確率も保留が多いほど小さくなるようにした。
【０５２４】
しかし、この場合に保留の増加数を加味して予告の実行抽選を行わないと、たとえば前回の予告実行抽選のときは保留が１で、今回の予告実行抽選のときは保留が４つである場合に、保留３つに対するガセ予告報知による遊技者への期待感の煽りが１／５０となってしまうため、あまり好ましくない。そこで、たとえば、１−（１９／２０×２９／３０×３９／４０×４９／５０）＝１４７０３９／１２０００００（約１２％）で行われるようにすることで、遊技者の遊技の興趣を適切なタイミングで向上させることができる。なお、『前記予告報知決定手段は、前記第１の抽選テーブルにより抽選を行う場合に、前記抽選手段が保留した前記抽選の保留数が第１の保留数である場合は、該第１の保留数よりも少ない数である第２の保留数である場合よりも前記予告報知を行う報知確率が大きいことを特徴とする遊技台』であってもよい。連続予告が連続するほど遊技者の期待感を煽ることができるため、１５Ｒ特別大当たりが当たった場合に保留が４つの場合は可能な限り連続予告を行うことで遊技者の遊技の興趣を確実に向上させることができる。
【０５２５】
また、『前記予告報知決定手段は、前記抽選手段が保留した前記抽選の保留数の増加数
した保留数の数に応じて予告報知の抽選を行うようにしたことを特徴とする遊技台』であってもよい。たとえば、保留が３個増加した場合は、従来は１／２０の抽選を１回やっていたところ、３回行うようにしてもよい。この場合の抽選確率は１−（１９／２０）３＝１４％となる。また、『前記予告報知決定手段は、前記抽選手段が保留した前記抽選の保留数の増加数した保留数の数および記憶箇所に応じて予告報知の抽選を行うようにしたことを特徴とする遊技台』であってもよい。増加した保留が３番目の保留と４番目の保留に記憶された場合は、３番目の保留に対する抽選テーブルと４番目の保留に対する抽選テーブルにより抽選されるようにしてもよい。
【０５２６】
なお、『前記予告報知決定手段は、前記第２の抽選テーブルにより抽選を行う場合に、前記抽選手段が保留した前記抽選の保留数が第１の保留数である場合は、該第１の保留数よりも少ない数である第２の保留数である場合よりも前記予告報知を行う報知確率が大きいことを特徴とする遊技台』であってもよい。
【０５２７】
（変更例Ｈ）
また、従来の遊技台よりも遊技の興趣を高める目的で次の構成を備えた遊技台を提供する。すなわち、『遊技球が始動口に１回入賞したことに基づいて、遊技者に付与する利益量の抽選を行う抽選手段を備え、前記図柄表示手段が、前記抽選１回につき前記図柄変動表示を１回行い該抽選の結果を表す図柄を確定図柄として真確定表示するものであり、前記抽選手段が、先に入賞したことに基づく前記抽選の結果を表す図柄を確定図柄として真確定表示する図柄変動表示が終了するまで、後に入賞したことに基づく前記抽選を保留するものであり、さらにこの遊技台が、前記抽選手段が抽選を行う前に、該抽選の結果がどのような抽選結果になるかの判定を行い、該抽選の結果が特定の結果であることを該遊技者に予測させる予告報知を行う予告報知決定手段と、前記予告報知決定手段が前記予告報知を行うと決定したときに判定した抽選の結果を表す図柄を確定図柄として真確定表示する前に該予告報知を行う予告報知手段と、前記抽選手段が行う抽選の抽選結果に基づいて決定される演出の制御を行う演出制御手段と、演出用に設けられた演出用可動物を駆動する駆動手段と、を備え、前記予告報知手段は、前記予告報知として前記駆動手段に駆動信号を出力し、前記演出制御手段は、前記予告報知手段が前記駆動手段に駆動信号を出力することを予定している場合であっても、特定の演出を行うことが決定された場合は前記駆動手段に優先して前記駆動信号に駆動信号を出力することを特徴とする遊技台』であってもよい。予告演出が設定されている場合は、抽選手段による遊技者に付与する利益量の抽選を行ったことに基づいて決定される演出で演出装置（たとえばシャッタ）を駆動する演出が選択されない、または選択されても演出を実行されないようにする。これは、連続予告がそのときの変動の抽選に基づく演出に上書きされ、連続予告に見えないようになってしまうということをないようにするためである。しかし、特図１で４回先の抽選で大当たりとなる場合に演出装置を駆動する予告演出を始めたとして、途中で特図１よりも優先して変動される特図２で大当たりが当選した場合に、大当たりが当選したことを演出装置により確定報知（その演出が行われた場合に必ず大当たりとなる）をする演出が選択されたとする。この場合は、確定報知を優先することで遊技者の遊技の興趣を高めることができる。なお、大当たりの期待度が高い演出などでもよく、確定報知に限定されない。
【０５２８】
（変更例Ｉ）
遊技の開始・結果表示を単におこなうだけでなく、遊技の途中に遊技者に期待感を持たせることが可能になるなど興趣を向上させることが可能となったが、遊技の幅を拡げられるような機能を搭載しなければ遊技者にすぐに飽きられてしまうといった虞とは別に、従来の遊技台では、図柄の変動を開始する前の図柄変動する権利についての当否判定を事前に行い（いわゆる先読みを行い）、有利な遊技状態を発生させると判定した場合、当該権利に基づく図柄変動よりも前の図柄変動の時間（変動時間）を変更することにより、遊技性の幅を広げていた。
【０５２９】
しかし、当否判定を事前に行った結果に基づいて変動時間を変更する場合、当否抽選の回数を従来よりも増加させることも可能となってしまうため、大当たりとなる回数も自ずと増加してしまい、遊技者に不公平感を与えるとともに射幸性が高まってしまうという問題があった。一方、遊技の結果によらずに図柄の変動時間を変更すると、遊技機が独自の判断で特図変短を発生させたかのように遊技客に捉えられる危険があり、遊技客に公平性に関して不信感を抱かせてしまう。従って、当否判定を事前に行った結果（先読みを行った結果）に基づいて予告報知を行う場合に変動時間を変更しないことで、遊技者に不公平感を与えず射幸性を抑えることができる。
【０５３０】
しかし、当否判定を事前に行った結果に基づいて変動時間を変更せずに予告報知する場合、連続する図柄変動停止表示の最後の図柄変動を長い変動時間にできない場合があった。この場合、連続する図柄変動停止表示における予告報知の演出効果が低下してしまい、遊技者の興趣が低下してしまう虞があった。
【０５３１】
このため、変動時間を変更せずに予告報知する場合、あたりやハズレとなる図柄変動の時間を必ず長いものにすることで連続する予告報知の最後の図柄変動を必ず長い変動時間とすることができるが、その場合、通常時の変動時間の大半を占めるハズレの変動時間も自ずと長くなってしまうため、抽選結果が報知されるまで遊技者に止め打ちを行われて遊技台の稼動が低下してしまったり、当否抽選を行う回数が著しく減少するので遊技者の興趣を低下させてしまうという問題があった。また、演出効果の高い予告報知を行うことができないという問題があった。
【０５３２】
このような従来の問題点を解決するためになされたものであって、遊技者に不公平感を与えること無く、事前予告報知の演出効果を高めることができる遊技台を提供することを目的とする。すなわち、
『所定の始動口に遊技球が入賞した場合に、図柄を変動表示した後に停止表示する変動停止表示を所定変動時間行う図柄表示手段と、前記図柄表示手段が停止表示した図柄態様が特定の図柄態様である場合に遊技者に有利な特別遊技状態を開始する特別遊技状態開始手段と、第１特定条件を満たす特定変動時間のみを含む特定変動時間グループと、特定条件を満たさない非特定変動時間を含む非特定変動時間グループと、を少なくとも含む複数の変動時間グループが予め定められた変動時間グループテーブルのうちから何れかの変動時間グループを前記所定の始動口に遊技球が入賞した場合に決定する変動時間グループ決定手段と、前記変動時間グループ決定手段が決定した変動時間グループを記憶する変動時間グループ記憶手段と、前記変動停止表示開始時に前記記憶された変動時間グループのうちから第２特定条件に応じた変動時間を決定する変動時間決定手段と、前記決定された変動時間に基づいて前記図柄表示手段に前記変動停止表示をさせる表示制御手段と、前記特定変動時間グループの何れかの特定変動時間に基づく特定変動停止表示の開始よりも先に開始される前記変動停止表示である先変動停止表示が１または複数ある場合、当該先変動停止表示において前記特別遊技状態を開始することを示唆する事前予告報知を行う事前予告報知手段と、を備えたことを特徴とする遊技台』であってもよい。こうすることで、変動時間を変化させずに先変動停止表示で事前予告報知を行った後に特定条件を満たす変動時間に基づく特定変動停止表示を行う。このため、遊技者に不公平感を与えること無く、事前予告報知と特定変動停止表示の演出効果を高めることができ、遊技者の興趣を向上させることができる。また、図柄種別を複数持つ必要が無いため、種別抽選に係る制御処理もする必要がなく、制御負担を軽減することができる。また、検査機関（保安電子通信技術協会など）に提出するための書類に記載する図柄種別に係る記載事項を削減して書類作成の負担を軽減することができる。
【０５３３】
また、『前記事前予告報知手段は、前記先変動停止表示が前記非特定変動時間である場
合、当該先変動停止表示において前記事前予告報知を行うことを特徴とする遊技台』であってもよい。こうすることで、非特定変動時間である先変動停止表示中に事前予告報知を行った後に特定変動時間である特定変動停止表示を行うため、事前予告報知と特定変動停止表示の演出効果をさらに高めることができ、遊技者の興趣を向上させることができる。
【０５３４】
また、『前記事前予告報知手段は、前記先変動停止表示が前記特定変動時間となる可能性がある場合、当該先変動停止表示から前記特定変動停止表示までの変動表示において前記事前予告報知を行わないことを特徴とする遊技台』であってもよい。こうすることで、先変動停止表示が特定変動時間となる可能性がある場合には事前予告を行わないため、事前予告報知と特定変動停止表示の演出効果が低下してしまうことを防ぐことができる。
【０５３５】
また、『前記事前予告報知手段は、前記特定変動停止表示が前記特定の図柄態様を表示せず且つ前記先変動停止表示が前記特定変動時間となる可能性がある場合、当該先変動停止表示から前記特定変動停止表示までの変動表示において前記事前予告報知を行わないことを特徴とする遊技台』であってもよい。こうすることで、特定変動停止表示がハズレで先変動停止表示が特定変動時間となる可能性がある場合には事前予告を行わないため、事前予告報知と特定変動停止表示の演出効果が低下してしまうことを防ぐことができる。また、特定変動停止表示があたりで先変動停止表示が特定変動時間となる可能性がある場合に事前予告報知を行って演出効果が低下したとしても遊技者が有利となるため、遊技者の遊技に対する興趣を損なうことはない。
【０５３６】
また、『前記特定変動時間は、前記非特定変動時間よりも長いことを特徴とする遊技台』であってもよい。こうすることで、先変動停止表示の変動時間を短く、特定変動停止表示の変動時間を長くすることができるため、短い変動時間の先変動停止表示で事前予告報知を遊技者に印象付けた後に長い変動時間の特定変動停止表示を行うことで事前予告報知と特定変動停止表示の演出効果を高めることができ、遊技者の興趣を向上させることができる。
【０５３７】
また、『前記非特定変動時間グループは、前記非特定変動時間のみを含む第１非特定変動時間グループと、前記特定変動時間と前記非特定変動時間を含む第２非特定変動時間グループと、を含み、前記事前予告報知手段は、１または複数の前記先変動停止表示の全てが前記第１非特定変動時間グループの何れかの非特定変動時間に基づく場合、当該先変動停止表示において前記事前予告報知を行い、１または複数の前記先変動停止表示の少なくとも何れかが前記第２非特定変動時間グループの何れかの変動時間に基づく場合、当該先変動停止表示から前記特定変動停止表示までの変動表示において前記事前予告報知を行わないことを特徴とする遊技台』であってもよい。こうすることで、先変動停止表示が第１非特定変動時間グループの変動時間に基づく場合には必ず変動時間が非特定変動時間となるため、演出効果の高い事前予告報知を必ず行うことができる。また、先変動停止表示が第２非特定変動時間グループの変動時間に基づく場合には必ず変動時間が非特定変動時間とならないため、事前予告報知を行わないことで事前予告報知と特定変動停止表示の演出効果が低下してしまうことを防ぐことができる。
【０５３８】
また、『前記所定の始動口に遊技球が入賞した場合に前記変動停止表示の権利を所定数まで保留するとともに、保留数が１以上のときに前記変動停止表示が終了したときに前記保留数から１減算する保留手段を備え、前記変動時間グループの各変動時間のうちの前記変動停止表示開始時の前記保留数が所定保留数である場合に対応する変動時間は、前記変動停止表示開始時の前記保留数が前記所定保留数よりも多い場合に対応する変動時間以上の長さであり、前記変動時間決定手段は、前記記憶された変動時間グループのうちから前記変動停止表示開始時の前記保留数に対応する変動時間を決定し、前記事前予告報知手段は、前記第２非特定変動時間グループの何れかの変動時間に基づく前記先変動停止表示が
ある場合、当該先変動停止表示開始時の保留数となる可能性のある特定保留数に対応する変動時間がいずれも非特定変動時間であるときに当該先変動停止表示において前記事前予告報知を行い、前記特定保留数に対応する変動時間のいずれかが特定変動時間であるときに当該先変動停止表示から前記特定変動停止表示までの変動表示において前記事前予告報知を行わないことを特徴とする遊技台』であってもよい。こうすることで、先変動停止表示が第２非特定変動時間グループの何れかの変動時間に基づく場合でも、当該先変動停止表示開始時に必ず非特定変動時間が選択される場合には事前予告報知を行うことができるため、事前予告報知の発生確率を向上させることができる。また、当該先変動停止表示開始時に必ず非特定変動時間が選択されない場合には事前予告報知を行わないため、事前予告報知の演出効果が低下することを防ぐことができる。また、第２非特定変動時間グループは、保留数が少ない場合と多い場合とでそれぞれの変動時間に特定変動時間（比較的長い）と非特定変動時間（比較的短い）を対応させているため、保留数が多いときは抽選結果を早く遊技者に報知することで保留数を保留できない状態を短くして遊技者が止め打ちするのを防止するとともに遊技をテンポ良く進めることができ、保留数が少ないときは抽選結果の報知を遅らせて保留数が増える期間を設けるとともに変動停止表示が行われない時間を短くして遊技者の遊技に対する興趣の低下を防ぐことができる。
【０５３９】
また、『前記事前予告報知手段は、前記特定変動停止表示において前記事前予告報知を行うことを特徴とする遊技台』であってもよい。こうすることで、特定変動停止表示でも事前予告報知を行うことで、事前予告報知と特定変動停止表示の演出効果を高めることができ、遊技者の興趣を向上させることができる。
【０５４０】
また、『前記特定の図柄態様を表示しない場合の前記特定変動停止表示は、前記特定の図柄態様を表示する場合の前記特定変動停止表示よりも発生率が高いことを特徴とする遊技台』であってもよい。こうすることで、当たりよりハズレの場合の事前予告報知のほうが発生しやすいので事前予告報知を遊技者に多く見せることができ、遊技者の興趣を向上させることができる。
【０５４１】
（変更例Ｊ）
また、従来の遊技台よりも遊技の興趣を高める目的で次の構成を備えた遊技台を提供する。すなわち、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことに基づいて、所定の変動時間に亘って図柄の変動表示を行い第１特定図柄態様および第２特定図柄態様を含む複数種類の停止図柄態様のうち１種類の停止図柄態様を該変動時間が経過した後に停止表示する一連の図柄変動停止表示を実行するとともに、前記第２の始動口に遊技球が入賞したことに基づいて、所定の変動時間に亘って図柄の変動表示を行い複数種類の停止図柄態様のうち１種類の停止図柄態様を該変動時間が経過した後に停止表示する一連の図柄変動停止表示を実行する図柄表示手段と、前記図柄変動停止表示によって停止表示した停止図柄態様が第１特定図柄態様である場合には、所定の普通状態より遊技者に有利な第１特別遊技状態へ移行させ、該図柄変動表示によって停止表示した図柄態様が第２特定図柄態様である場合には、該普通状態よりは遊技者に有利であるが該第１特別遊技状態よりは遊技者に不利な第２遊技状態へ移行させる特別遊技状態移行手段と、前記図柄表示手段が前記図柄変動停止表示によって前記第１特定図柄態様および前記第２特定図柄態様のうちのいずれか一方の特定図柄態様を停止表示する場合に、該停止表示前に、前記図柄表示手段が前記第１特定図柄態様を停止表示する可能性が高いことを示唆する予告報知を所定確率で行う予告報知手段と、を備え、前記予告報知手段は、前記特定図柄変動停止表示を最後とする連続した複数回の図柄変動停止表示において、前記予告報知を行い、前記図柄表示手段は、前記第２の始動口への入賞に基づく利益量の抽選を、前記第１の始動口への入賞に基づく利益量の抽選よりも優先して行い、前記入賞困難状態の場合は、前記第２の始動口に遊技球が入
賞したことに基づいて、第１特定図柄態様を含み第２特定図柄態様を含まない複数種類の停止図柄態様のうち１種類の停止図柄態様を該変動時間が経過した後に停止表示する一連の図柄変動停止表示を実行することを特徴とする遊技台』であってもよい。
【０５４２】
入賞困難状態にあっては特図１の変動がメインとなり、特図１に保留が溜まり、特図１の抽選に対する連続予告が行われる。この場合に、特図２で小当たりに当選すると、連続予告中に特図２の小当たりによる大入賞口の開放動作が行われ、連続予告の連続性が阻害される場合がある。このため、入賞困難状態にあっては特図１では小当たり図柄が停止表示されるようにし、特図２では小当たり図柄停止表示しないようにした。なお、小当たりでの大入賞口の開放動作はたとえば８秒程度行われる場合がある。
【０５４３】
なお、『図柄表示手段は、遊技球が所定の始動口に進入したことに基づいて、所定の長変動時間および該長変動時間よりも短い短変動時間のうちのいずれか一方の変動時間に亘って図柄の変動表示を行い第１特定図柄態様および第２特定図柄態様を含む複数種類の停止図柄態様のうち１種類の停止図柄態様を該変動時間が経過した後に停止表示する一連の図柄変動停止表示を実行し、前記図柄表示手段は、図柄の変動表示を行い前記第１特定図柄態様および前記第２特定図柄態様のうちのいずれか一方の特定図柄態様を停止表示する場合、該一方の特定図柄態様を停止表示する特定図柄変動停止表示における図柄の変動表示を前記長変動時間に亘って行うことを特徴とする遊技台』であってもよい。パチンコ機などの遊技台では、遊技盤の遊技領域に遊技球の落下の方向に変化を与える障害物や、遊技球が入賞可能な入賞口、始動口、可変入賞口などを設けているのが一般的である。これらに遊技球が入賞すると賞球を払い出すなど遊技者に特典が与えられるようになっている。また、こういった遊技台では、７セグメントディスプレイ等の図柄表示装置を備え、始動口に遊技球が入賞すると、その図柄表示装置の図柄を所定時間変動して、変動後の図柄が予め定めた特定図柄態様になった場合に、可変入賞口を所定時間開放させる等、遊技者に有利な遊技状態を発生させるようにしている。遊技台では、この遊技者に有利な遊技状態の発生の有無を制御することにより、遊技者が上述の特典を得る機会を増減させることで遊技台の興趣性を向上させるようにしている。このような遊技台について、図柄が変動を終了するよりも前に、変動後の図柄が特定図柄態様となることを遊技者に予め報知する遊技台が知られている（例えば、特開平３−７３１８０号公報）。上記特許文献１記載の遊技台では、図柄の変動を単に行うだけでなく、変動後の図柄が特定図柄態様となることを遊技者に予め報知するため、遊技者に期待感を持たせることが可能になるなど興趣を向上させることがある程度可能となったが、さらに、遊技性を高め、遊技者の遊技意欲を持続させることができるようにしなければ、遊技者にすぐに飽きられてしまうといった恐れがある。そこで、遊技性を高め、遊技者の遊技意欲を持続させることができる遊技台を提供することを目的とする。
【０５４４】
また、『前記予告報知手段は、前記特定図柄変動停止表示を最後とする連続した複数回の図柄変動停止表示において、最初の図柄変動停止表示における図柄の変動表示の変動時間が所定時間よりも長ければ、該最初の図柄変動停止表示を実行する間は、前記予告報知を行わないものであることを特徴とする遊技台』であってもよい。
【０５４５】
また、『前記予告報知手段は、前記特定図柄変動停止表示を最後とする連続した複数回の図柄変動停止表示において、前記長変動時間に亘る図柄の変動表示を行う図柄変動停止表示を実行する場合には、該長変動時間に亘る図柄の変動表示において、該短変動時間を超えない間隔で前記予告報知を繰り返し行うことを特徴とする遊技台』であってもよい。
【０５４６】
また、『前記図柄表示手段は、前記図柄変動停止表示における図柄の変動表示の最中に、図柄の停止表示とは異なる図柄の仮停止表示を行うものであることを特徴とする遊技台』であってもよい。
【０５４７】
また、『前記特別遊技状態移行手段は、前記第２遊技状態の終了を少なくとも条件の１つとして、遊技者に有利な第３遊技状態へ移行させるものであることを特徴とする遊技台』であってもよい。
【０５４８】
また、『前記図柄表示手段が、通常状態よりも前記第３遊技状態の方が前記第２特定図柄態様を停止表示する確率が高いことを特徴とする記載の遊技台』であってもよい。
【０５４９】
また、『前記図柄表示手段が、通常状態よりも前記第３遊技状態の方が前記第１特定図柄態様を停止表示する確率が高いことを特徴とする遊技台』であってもよい。
【０５５０】
なお、入賞困難状態にあっては特図１の変動がメインとなり、特図１に保留が溜まり、特図１の抽選に対する連続予告が行われる。この場合に、特図２でスーパーリーチに当選すると、連続予告中に特図２でスーパーリーチが行われ、連続予告の連続性が阻害される場合がある。このため、入賞容易状態にあっては特図２ではスーパーリーチが行われやすくし、特図２ではスーパーリーチが行われにくくしてもよい。つまり、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことに基づいて、所定の変動時間に亘って図柄の変動表示を行い第１特定図柄態様および第２特定図柄態様を含む複数種類の停止図柄態様のうち１種類の停止図柄態様を該変動時間が経過した後に停止表示する一連の図柄変動停止表示を実行するとともに、前記第２の始動口に遊技球が入賞したことに基づいて、所定の変動時間に亘って図柄の変動表示を行い複数種類の停止図柄態様のうち１種類の停止図柄態様を該変動時間が経過した後に停止表示する一連の図柄変動停止表示を実行する図柄表示手段と、前記図柄変動停止表示によって停止表示した停止図柄態様が第１特定図柄態様である場合には、所定の普通状態より遊技者に有利な第１特別遊技状態へ移行させ、該図柄変動表示によって停止表示した図柄態様が第２特定図柄態様である場合には、該普通状態よりは遊技者に有利であるが該第１特別遊技状態よりは遊技者に不利な第２遊技状態へ移行させる特別遊技状態移行手段と、前記図柄表示手段が前記図柄変動停止表示によって前記第１特定図柄態様および前記第２特定図柄態様のうちのいずれか一方の特定図柄態様を停止表示する場合に、該停止表示前に、前記図柄表示手段が前記第１特定図柄態様を停止表示する可能性が高いことを示唆する予告報知を所定確率で行う予告報知手段と、を備え、前記予告報知手段は、前記特定図柄変動停止表示を最後とする連続した複数回の図柄変動停止表示において、前記予告報知を行い、前記図柄表示手段は、前記入賞困難状態の場合は、前記入賞容易状態の場合よりも、前記第２の始動口に遊技球が入賞したことに基づいて行う変動時間が短い変動時間が選ばれやすいようにしたことを特徴とする遊技台』であってもよい。
【０５５１】
なお、『第１の乱数を取得して前記第１特定図柄態様で停止することを抽選する第１図柄抽選手段と、第２の乱数を取得して前記第２特定図柄態様で停止することを抽選する第２図柄抽選手段と、を備え、前記第２図柄抽選手段は、前記入賞困難状態である場合は、前記第２図柄抽選乱数を取得しないことを特徴とする遊技台』であってもよい。普図低確率状態の場合は、大当たり図柄抽選用乱数を取得し、小当たり図柄抽選用乱数を取得しないということである。
【０５５２】
（変更例Ｊ−１）
また、従来の遊技台よりも遊技の興趣を高める目的で次の構成を備えた遊技台を提供する。すなわち、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことに基づいて、所定の変動時間に亘って図柄の変動表示を行い複数種類の停止図柄態様のうち１種類の停止図柄態様を該変動
時間が経過した後に停止表示する一連の図柄変動停止表示を実行するとともに、前記第２の始動口に遊技球が入賞したことに基づいて、所定の変動時間に亘って図柄の変動表示を行い複数種類の停止図柄態様のうち１種類の停止図柄態様を該変動時間が経過した後に停止表示する一連の図柄変動停止表示を実行する図柄表示手段と、前記図柄変動停止表示によって停止表示した停止図柄態様が特定図柄態様である場合には、所定の普通状態より遊技者に有利な第１特別遊技状態へ移行させる特別遊技状態移行手段と、を備え、前記図柄表示手段は、前記入賞困難状態の場合に前記第１の始動口への入賞に基づく一連の図柄変動停止表示中に、前記第２の始動口への入賞があった場合に、前記第１の始動口への入賞に基づく一連の図柄変動停止表示を中断するとともに前記第２の始動口への入賞に基づく図柄変動を開始して一連の図柄変動停止表示を実行し、該一連の図柄変動停止が終了するとともに中断していた前記第１の始動口への入賞に基づく一連の図柄変動停止表示を再開し、前記入賞容易状態の場合に前記第１の始動口への入賞に基づく一連の図柄変動停止表示中に、前記第２の始動口への入賞があった場合には前記第１の始動口への入賞に基づく前記一連の図柄変動停止表示を中断しないようにしたことを特徴とする遊技台』であってもよい。入賞容易状態においては始動口２に入りやすいため、特図１で大当たり確率が高いリーチが選択されるまで止め打ち遊技を行い、大当たり確率が高いリーチが選択された場合に以後は止め打ち遊技を中止し特図２で大当たりを得るようにすれば、１回の入賞容易状態で２回の大当たりを獲得することが可能となる。このとき、遊技者は止め打ち遊技を行うため、遊技店側の稼動が下がってしまうという問題がある。本変形例はこの問題を解決したものである。なお、特に、特図１で大当たりとなった場合は特図２の割込み変動を行わないようにしてもよい。
【０５５３】
（変更例Ｋ）
変更例Ｋは、変更例の項で記載した宣言と異なり、予告報知手段を備えた遊技台に限定されない。そして、従来の遊技台よりも遊技の興趣を高める目的で次の構成を備えた遊技台を提供する。すなわち、『第１の始動口、および相対的に入賞しやすい入賞容易状態と相対的に入賞しにくい入賞困難状態とのうちのいずれか一方の状態をとる第２の始動口を有する遊技台において、前記第１の始動口に遊技球が入賞したことに基づいて、所定の変動時間に亘って図柄の変動表示を行い第１特定図柄態様および第２特定図柄態様を含む複数種類の停止図柄態様のうち１種類の停止図柄態様を該変動時間が経過した後に停止表示する一連の図柄変動停止表示を実行するとともに、前記第２の始動口に遊技球が入賞したことに基づいて、所定の変動時間に亘って図柄の変動表示を行い複数種類の停止図柄態様のうち１種類の停止図柄態様を該変動時間が経過した後に停止表示する一連の図柄変動停止表示を実行する図柄表示手段と、前記図柄変動停止表示によって停止表示した停止図柄態様が第１特定図柄態様である場合には、所定の普通状態より遊技者に有利な第１特別遊技状態へ移行させ、該図柄変動表示によって停止表示した図柄態様が第２特定図柄態様である場合には、該普通状態よりは遊技者に有利であるが該第１特別遊技状態よりは遊技者に不利な第２遊技状態へ移行させる特別遊技状態移行手段と、前記入賞容易状態で前記第１特定図柄態様が停止された場合は特別遊技状態終了後に必ず前記入賞容易状態に移行させ、前記入賞困難状態で第２特定図柄態様が停止された場合は特別遊技状態終了後に前記入賞困難状態または前記入賞容易状態のどちらかに移行する入賞難易度移行手段と、を備え、前記図柄表示手段は、前記入賞容易状態の場合は、前記第２の始動口に遊技球が入賞したことに基づいて、第１特定図柄態様を含み、第２特定図柄態様を含まない複数種類の停止図柄態様のうち１種類の停止図柄態様を該変動時間が経過した後に停止表示する一連の図柄変動停止表示を実行することを特徴とする遊技台』であってもよい。特図２には入賞困難状態では滅多に入賞せず、入賞容易状態ではたくさん入賞するが、入賞容易状態で小当たりが当選してもベースが上がるだけで意味がない。なお、入賞容易状態中は複数の変動に亘って行われる演出（たとえば、予め提示された条件を達成させる表示をすることで遊技者に大当たりだということを報知するミッションモードなど）が行われる場合は、小当たりが行われることで無意味に大入賞口が開放されるため、ミッションモードに代表
される複数の変動に亘って行われる演出に対して興ざめし、遊技の興趣が低下する場合がある。
【０５５４】
なお、『第１の乱数を取得して前記第１特定図柄態様で停止することを抽選する第１図柄抽選手段と、第２の乱数を取得して前記第２特定図柄態様で停止することを抽選する第２図柄抽選手段と、を備え、前記第２図柄抽選手段は、前記入賞困難状態である場合は、前記第２図柄抽選乱数を取得しないことを特徴とする遊技台』であってもよい。普図低確率状態の場合は、大当たり図柄抽選用乱数を取得し、小当たり図柄抽選用乱数を取得しないということである。
【０５５５】
（変更例Ｌ）
変更例Ｌも、変更例の項で記載した宣言と異なり、予告報知手段を備えた遊技台に限定されない。そして、従来の遊技台よりも遊技の興趣を高める目的で次の構成を備えた遊技台を提供する。すなわち、『遊技球が所定の始動口に進入したことに基づいて、所定の長変動時間および該長変動時間よりも短い短変動時間のうちのいずれか一方の変動時間に亘って図柄の変動表示を行い第１特定図柄態様および第２特定図柄態様を含む複数種類の停止図柄態様のうち１種類の停止図柄態様を該変動時間が経過した後に停止表示する一連の図柄変動停止表示を実行する図柄表示手段と、前記図柄変動停止表示によって停止表示した停止図柄態様が第１特定図柄態様である場合には、所定の普通状態より遊技者に有利な第１特別遊技状態へ移行させ、該図柄変動表示によって停止表示した図柄態様が第２特定図柄態様である場合には、該普通状態よりは遊技者に有利であるが該第１特別遊技状態よりは遊技者に不利な第２遊技状態へ移行させ、該図柄変動表示によって停止表示した図柄態様が第３特定図柄態様である場合には、該普通状態よりは遊技者に有利であるが該第２特別遊技状態よりは遊技者に不利な第３遊技状態へ移行させ、該図柄変動表示によって停止表示した図柄態様が第４特定図柄態様である場合には、前記第３特定図柄態様が停止表示された場合と有利度が等しい第４特別遊技状態へ移行させ、特別遊技状態移行手段と、前記特別遊技状態に移行した場合に所定の入賞口を所定の期間開放する制御を行う大入賞口開放手段と、を備え、前記図柄表示手段が前記図柄変動停止表示によって前記第１特定図柄態様、前記第２特定図柄態様および前記第３特定図柄態様のうちのいずれか一方の特定図柄態様を停止表示する場合に、該停止表示前に、前記図柄表示手段が前記第１特定図柄態様を停止表示する可能性が高いことを示唆する予告報知を所定確率で行う予告報知手段と、を備え、前記図柄表示手段は、図柄の変動表示を行い前記第１特定図柄態様、前記第２特定図柄態様および前記第３特定図柄態様のうちのいずれか一方の特定図柄態様を停止表示する場合、該一方の特定図柄態様を停止表示する特定図柄変動停止表示における図柄の変動表示を前記長変動時間に亘って行い、前記予告報知手段は、前記特定図柄変動停止表示を最後とする連続した複数回の図柄変動停止表示において、前記予告報知を行うものであり、前記大入賞口開放手段は、前記第２特別遊技状態と前記第４特別遊技状態の開放態様を遊技者が区別がつかないようにしたことを特徴とする遊技台。』であってもよい。第１特定図柄態様とは、たとえば１５Ｒ特別大当たり図柄である。第２特定図柄態様とは、たとえば２Ｒ特別大当たり図柄である。第３特定図柄態様とは、たとえばガセ連続予告に使用するための小当たりであり、第４特定図柄態様とは、２Ｒ特別大当たり図柄とみせかけるための小当たりである。また、２Ｒ特別大当たり図柄が当選した場合は、２Ｒ特別大当たりにより行われる第２特別遊技状態後に移行する確率変動状態を、１５Ｒ特別大当たりにより行われる第１と区別遊技状態後に移行する確率変動状態と比較して、遊技者に確率変動であることの報知の報知度合いが低いようにしてもよい。２Ｒ特別遊技状態後に移行する確率変動状態は、いわゆる隠れ確変と呼ばれるものであってもよい。
【０５５６】
なお、『前記大入賞口開放手段は、前記第４特別遊技状態の期間を、前記第３特別遊技状態の期間よりも短くなるようにしたことを特徴とする遊技台』であってもよい。第３特別遊技状態は２Ｒ確変をわかりにくくするためのものであるため、２Ｒ確変に見せかける
ために一定の期間、特別遊技状態とする必要があるが、第４特別遊技状態は連続予告用の小当たりであるため特別遊技状態の期間は可能な限り短くてもよい。また、第３特別遊技状態は大入賞口が２回開放し、第４特別遊技状態は大入賞口が１回開放するようにしてもよい。
【０５５７】
なお、『第１の乱数を取得して前記第１特定図柄態様で停止することを抽選する第１図柄抽選手段と、第２の乱数を取得して前記第２特定図柄態様で停止することを抽選する第２図柄抽選手段と、を備え、前記第２図柄抽選手段は、前記入賞困難状態である場合は、前記第２図柄抽選乱数を取得しないことを特徴とする遊技台』であってもよい。普図低確率状態の場合は、大当たり図柄抽選用乱数を取得し、小当たり図柄抽選用乱数を取得しないということである。
【０５５８】
（変更例Ｍ）
また、以下の遊技台であってもよい。
【０５５９】
先読みの結果が、大当たりが２つ含まれるなど特定の結果の場合に、演出の状態を切り替えてもよい。
【０５６０】
また、所定期間における先読みの結果が所定の結果の場合に、演出の状態を切り替えてもよい。
【０５６１】
また、演出の状態として、ＱＲ画像Ａ、ＱＲ画像Ｂのいずれかを選択して液晶画面に表示する演出状態Ａや、ＱＲ画像Ａ、ＱＲ画像Ｂ、ＱＲ画像Ｃのいずれかを選択して液晶画面に表示する演出状態Ｂを含めても良い
また、所定期間は、所定の大当たり中、所定の時短中、所定の特図確率変動中、所定の普図高確率中、所定の遊技状態中、所定の遊技状態が終了してから所定の回数の特図変動が終了するまで、遊技者によるチャンスボタン、発射ハンドルを操作など所定の遊技操作が行われたことを検出してから所定時間経過するまで、所定の予告表示中、所定のリーチ変動中、所定の演出ステージ中などどのような期間を適用してもよい。
【０５６２】
また、所定の結果は、大当たりが２つ、３つなど所定個数含まれる、所定の大当たりが含まれる、所定の大当たり種別が含まれる、所定の小当たりが含まれる、所定のハズレリーチが選択されることが決定されている識別子が含まれるなど保留内に特定の識別子を含んでいる場合や、特定の識別子の組合せが含まれる場合を適用としてもよい。
【０５６３】
また、表示されるＱＲ画像については、ＱＲに対応付けられたインターネット上のホームページで特典が得られるようにしてもよいし、次回のぱちんこ、パチスロ機を遊技する場合の演出の常態を設定するためのパスワードにしてもよい。
【０５６４】
また、ＱＲ画像に替えて、バーコード、所定桁数の文字の組合せ、所定個数の色彩、形状をした画像の組合せなどとしてもよい。
【０５６５】
（変更例Ｎ）
『第１の始動口、および相対的に入賞しやすい入賞容易状態と相対的に入賞しにくい入賞困難状態とのうちのいずれか一方の状態をとる第２の始動口を有する遊技台において、遊技者に付与する利益量の抽選を、前記第１の始動口および前記第２の始動口のいずれか一方の始動口に入賞したことに基づいて行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果で
あることを遊技者に期待させる予告情報を含む予告報知を行う予告報知手段と、を備え、さらに、第３の始動口と、可動することにより第２の始動口の入賞確率を切り替える可動部材（電チュー）と、第３の始動口に入賞したことに基づいて取得される乱数による抽選に基づいて前記可動部材の可動内容を決定する可動部材可動内容決定手段と、を備え、前記予告報知手段は、前記可動部材可動内容決定手段が抽選を行う前に前記乱数に基づいて、前記第２の始動口の状態が前記入賞困難状態である場合における前記第１の始動口への入賞に基づく抽選の抽選結果に対する予告報知を行うか否かを決定するようにしたことを特徴とする遊技台』であってもよい。また『可動部材可動内容決定手段は、前記可動部材を第１の可動位置と、第１の可動位置よりも第２の始動口に入賞しにくい位置である第２の可動位置とに可動制御し、前記予告報知手段は、前記第３の始動口に入賞したことに基づいて取得される乱数に基づく抽選を前記可動部材可動内容決定手段が行った場合に前記第１の可動位置に可動することが決定される場合は、前記予告報知を第１の予告確率で行うようにし、前記第３の始動口に入賞したことに基づいて取得される乱数に基づく抽選を前記可動部材可動内容決定手段が行った場合に前記第１の可動位置に可動することが決定されない場合は、前記予告報知を第１の予告確率よりも高い第２の予告確率で行うようにしたことを特徴とする遊技台』であってもよい。この場合、第１の予告確率は０であってもよい。また、前記予告報知は、特図の大当たり乱数が含まれている場合に行われる予告報知である場合であってもよく、特図の大当たり乱数が含まれていない場合に行われる偽予告報知では、異なる予告確率であってもよい。なお、『前記予告報知手段は、前記可動部材可動内容決定手段が抽選を行った後で抽選結果が確定する前に前記乱数に基づく抽選結果に基づいて、前記第２の始動口の状態が前記入賞困難状態である場合における前記第１の始動口への入賞に基づく抽選の抽選結果に対する予告報知を行うか否かを決定するようにしたことを特徴とする遊技台』であってもよい。これまで述べた構成によると、入賞困難状態では特図１の変動がメインとなるが、特図１の変動中に特図２の変動が割り込む場合は特図２の変動が優先されるため、連続予告の連続性が損なわれるか特図２の割込み分も連続予告に含むかのいずれかとしなければならず、連続予告が適切に遊技者の遊技の興趣を高めにくくなってしまうという問題がある。これを解決するため、入賞困難状態では普図の保留または変動中の普図の抽選結果に基づいて予告報知を行うか否かを決定するようにした。また、入賞困難状態の第１特図始動口入賞に基づく予告演出は普図の保留または変動中の普図の抽選結果に基づいて行うか否かを決定するようにしたが、入賞困難状態の第２特図始動口入賞に基づく予告演出、入賞容易状態の第１特図始動口入賞に基づく予告演出、入賞容易状態の第２特図始動口入賞に基づく予告演出は、普図の保留または変動中の普図の抽選結果に基づいて予告内容を決定するようにしてもよいし、しないようにしてもよい。
【０５６６】
（変更例Ｐ）
通常変動に加えて擬似連続変動を実行することにより当否抽選１回あたり２回分以上の図柄変動演出を経て当否抽選の結果を遊技者に示す連続変動パターン（擬似連続変動）を搭載した遊技台がある。たとえば、特開２００８−１６１３９２である。この遊技台は、『所定時間の通常変動後に、停止図柄候補を外れ態様にて暫定的に停止させた上で、再度停止図柄候補を変動表示させる。このような通常変動後の再度の変動表示のことを「擬似連続変動」とよぶことにする』として擬似連続変動を定義付けている。また、この遊技台は、『抽選保留ランプ２０は、４個のランプからなり、その点灯個数によって当否抽選の保留数を表示する』とあるように、保留数を表示する保留ランプが搭載されている。この保留数は、一般的な遊技台であっては、入賞毎に加算され、抽選を開始する毎に減算され、保留ランプはこの加算・減算に合わせて表示態様が変化するようになっている。このため、擬似連続変動として１回あたりの抽選を２回以上の図柄変動演出を経て当否抽選の結果を遊技者に示そうとした場合でも、暫定的な停止から再変動の際に保留ランプに注目していると、遊技者は擬似連続変動であることを認識することができる場合がある。このため、遊技者の中には、当否抽選１回につき１回の図柄変動で当選結果を報知したほうが当
否抽選１回につき複数回の図柄変動で当選結果を報知するよりも時間が掛からないではないか、と時間を浪費していると感じ、遊技に対する興趣が低下してしまう場合があるという問題がある。これは、保留ランプだけではなく、たとえば特別図柄表示装置や遊技台に外部接続され大当たり回数や図柄の変動回数を表示する図柄変動表示器を注目した場合でも同様に擬似連続変動であるということが分かってしまう。これに対して、保留球表示ランプ等、図柄変動に関する報知装置の報知態様の変化がないことを遊技者が認識しないように暫定的な停止から再変動の際に激しい音を鳴らすなどして遊技者の注意を逸らすための報知を行うことが考えられる。しかし、注意を逸らすための報知を行う場合は必ず擬似連続変動を行うまたは行ったというようにすると、今度は、注意を逸らすための報知が行われると擬似連続変動が行われるまたは行ったと遊技者が知覚するようになり、擬似連続変動だということが分からないようにするための注意逸らし報知の本来の目的が失われてしまうという問題があった。
【０５６７】
この問題を解決するための遊技台としては、
『遊技球が始動口に進入したことに基づいて、図柄の変動を開始する開始表示を経て図柄の変動を開始し、所定の変動時間が経過した後に停止表示し、停止表示を所定の期間継続する確定表示をする一連の図柄変動表示を実行する図柄表示手段と、を備えた遊技台であって、前記図柄表示手段は、１回の始動口に進入したことに基づいて行われる一連の図柄変動表示の中で、前記停止表示をしたかのように見せかける擬似停止表示と、前記擬似停止表示後に前記確定表示をしたかのように見せかける擬似確定表示と、該擬似確定表示後に前記開始表示をしたかのように見せかける擬似開始表示と、を行うことで複数回の図柄変動があったかのようにみせかける擬似連続表示手段と、を含み、前記図柄表示手段が前記開始表示、前記停止表示または前記確定表示を行ったことに基づいて報知態様が変化する報知装置に対する遊技者の注意を逸らすための注意逸らし報知手段と、をさらに備え、前記注意逸らし報知手段は、前記注意逸らし報知を、前記擬似連続報知手段が前記擬似開始表示、前記擬似確定表示または前記擬似停止表示を表示する際に行うとともに、前記図柄表示手段が前記開始表示、前記停止表示または前記確定表示を行う際にも行うことを特徴とする遊技台』があげられる。
【０５６８】
この遊技台によれば、擬似停止表示または擬似開始表示の際に行えばよいだけである注意逸らし報知を、わざわざ停止表示または開始表示の際に行うようにした。これにより、擬似連続変動の存在を知らない遊技者が、注意逸らし報知が行われても注意が逸らされず、図柄変動に関する報知装置にたまたま注意を払っていたとしても、注意逸らし報知が停止表示または開始表示の際に行われていれば「注意逸らし報知＝擬似連続変動」という式が成立しないようにすることができる。これにより、注意を逸らすための報知が行われると擬似連続変動が行われる（または行われた）と遊技者が知覚することを防止することができ、当否抽選１回につき複数回分の図柄変動をしていることがより分かりにくくなるため、擬似連続変動であることが認識されることにより遊技者が時間の浪費感を覚えて遊技の興趣が低下してしまうことを防止することができる。
【０５６９】
なお、本変更例の具体的な例を以下に記載する。
【０５７０】
遊技球が始動口に進入したことに基づいて、大当たり抽選用の乱数、停止図柄抽選用乱数、特図高確率状態移行抽選用乱数、普図高確率状態移行抽選用乱数など遊技者に付与する利益量を抽選するための１または複数の乱数を取得する抽選用乱数取得手段が抽選用乱数を取得する。また、抽選用乱数取得手段が取得した１回の抽選に使用する１または複数の乱数は、抽選用乱数記憶部に記憶される。また、遊技球が始動口に進入したが変動開始条件が成立していないため変動が開始されていない図柄変動の数を記憶する保留数記憶部を備えている。本変更例では、遊技球が始動口に入賞したことに基づいて、前記抽選用乱数取得手段が１回の抽選に使用する１または複数の乱数を取得して前記抽選用乱数記憶部
に記憶するとともに、前記保留数記憶部に１を加算する。なお、抽選用乱数記憶部が保留数記憶部を兼ねていてもよい。すなわち、１回の抽選に使用する１または複数の乱数が何セットあるかによって、保留数の数を判断してもよい。
【０５７１】
保留数記憶部に１以上の保留数があり、図柄が非変動中であり、大当たり遊技中ではないなどの変動開始条件が成立している場合には、図柄表示手段は図柄変動を開始する。図柄変動の開始とは、停止表示した図柄を縦、横または前後にスクロール表示したりするなどすることである。本変更例では、７セグメントＬＥＤに図柄を表示する特別図柄表示器と、画像表示器に図柄を表示する装飾図柄表示器を備えている。開始表示は、抽選結果の報知を開始する際に行う表示である。特別図柄表示器では、停止表示中の図柄を変動開始させることを指す。画像表示器では、停止表示中の図柄を変動開始させることを指し、たとえば、停止表示中の左、中、右図柄を徐々に加速させて高速変動しているように見せる表示を行うことを指す。図柄表示手段は、開始表示を行った後、変動表示を行う。変動表示は、図柄を変動表示させることを指し、特別図柄表示器では７セグメントＬＥＤの表示を素早く切り替えたりする。画像表示器では、加速表示後の図柄のうち、左、中を停止させリーチ演出を行うなど、停止表示が行われるまでの表示を指す。図柄の変動を開始してから所定の時間が経過すると、図柄表示手段は停止表示を行う。このとき、停止表示する図柄は前記抽選結果に基づくものである。停止表示後、停止表示した図柄を所定の期間（たとえば３秒）画面に残す確定表示を行い、これにより、一連の図柄変動表示は終了する。
【０５７２】
ここで、擬似連続変動について説明する。擬似連続変動は、画像表示器上で行われる装飾図柄の前記一連の図柄変動表示中に、図柄の停止表示に似せた擬似停止表示、図柄の確定表示に似せた擬似確定表示および図柄の開始表示に似せた擬似開始表示を行うことで、１回の抽選結果の表示であるにも関わらず、あたかも複数回の抽選結果の表示があったかのように見せかける変動のことである。擬似連続変動は、一連の図柄変動表示として、図柄変動開始表示、図柄変動表示、図柄擬似変動停止表示、図柄擬似確定表示、図柄擬似変動開始表示、図柄変動表示、図柄変動停止表示、図柄確定表示を行う。なお、特別図柄表示器で行われる特別図柄は、装飾図柄と連動して変動表示を行うが図柄擬似変動停止表示、図柄擬似確定表示および図柄擬似変動開始表示を行わない。
【０５７３】
次に、図柄変動に関する報知装置について説明する。図柄変動に関する報知装置は、遊技機内に設けられた保留数表示器ならびに特別図柄表示器および遊技機外に設けられた図柄回転数等を報知するデータ表示器などを指す。保留数表示器およびデータ表示器は、図柄変動が開始されたことに基づいて表示態様が変化し、特別図柄表示器は図柄変動が停止したことまたは図柄変動が開始したことに基づいて表示態様が変化する。裏を返せば、図柄擬似変動停止表示、図柄擬似確定表示または図柄擬似変動開始表示をしたことに基づいて表示態様は変化しない。変化するように作ってしまうと、演出上、遊技の興趣を向上させるために遊技者を誤魔化してもよいが、どこかで本当の情報を報知しておかないと、遊技の興趣が著しく向上したり、遊技者にとって不利益となったり、ホール関係者が正確な情報を取得できなかったりする場合があるためである。
【０５７４】
次に、注意逸らし報知について説明する。上述したように、図柄擬似変動停止表示、図柄擬似確定表示および図柄変動擬似開始表示に基づいて前記図柄変動に関する報知装置の態様が変化しないため、遊技者は、前記図柄変動に関する報知装置の態様の変化があったか否かにより、図柄擬似変動停止表示か図柄変動停止表示か、図柄擬似確定表示か図柄確定表示か、または図柄擬似変動開始表示か図柄変動開始表示か、が分かってしまう。注意逸らし報知は、前記図柄変動に関する報知装置の態様の変化があったか否かに遊技者が注目しないように、前記図柄擬似変動停止表示、図柄擬似確定表示または図柄擬似変動開始表示に際して行われる演出報知のことである。また、本変更例では、この注意逸らし報知
を、図柄変動停止表示、図柄確定表示または図柄変動開始表示の際にも行うようにしている。これにより、注意逸らし報知があったために擬似連続変動であると認識されずに済み、擬似連続変動をより分かりにくくしている。
【０５７５】
また、注意逸らし報知は音、ランプ、液晶表示または可動物の可動動作によりで行ってもよい。特に、注意逸らし報知は、前記図柄変動に関する報知装置（特に前記保留表示器、特別図柄表示器、または液晶表示上に表示された保留図柄表示）の近傍では行わないようにすることがよい。これにより擬似連続変動であることが気付きにくくなる。
【０５７６】
また、図柄擬似変動停止表示と図柄変動停止表示に際して行われる注意逸らし報知は、略同一のタイミングで行うようにしてもよい。図柄擬似確定表示と図柄確定表示、および図柄擬似変動開始表示と図柄変動開始表示に関しても同様である。これにより擬似連続変動であることが気付きにくくなる。
【０５７７】
また、図柄擬似変動停止表示と図柄変動停止表示は完全に同一の表示でなくてもよい。たとえば、図柄擬似変動停止表示固有の停止表示態様があってもよい。図柄擬似確定表示と図柄確定表示、および図柄擬似変動開始表示か図柄変動開始表示に関しても同様である。たとえば、図柄擬似確定表示と図柄確定表示の確定表示時間が異なっていてもよく、表示態様として、図柄擬似確定表示の際の図柄は少しだけ揺れているように表示し、図柄確定表示の際の図柄は完全に停止してもよく、図柄擬似確定表示の際の第４図柄は変動表示をし続け、図柄確定表示の際の第４図柄は変動表示をしてなくてもよい。また、図柄擬似変動開始表示の際の図柄は高速で変動を開始し、図柄変動開始表示の際の図柄は低速で変動を開始してもよい。ただし、一見して同じような表示と遊技者が認識しうる表示でなければならない。
【０５７８】
また、注意逸らし報知は、図柄擬似変動停止表示の際または図柄擬似確定表示中に開始してもよい。一般的な遊技者は、遊技をするに当たり装飾図柄以外で特に注目するものは保留球表示装置である。特別図柄表示装置は、連動して表示される装飾図柄の表示を見ていればよいし、データ表示器も遊技者に直接的な利益と結びつく情報ではないが、保留が４つになった場合に遊技球の発射を停止させないと不利になるということから、保留球数表示は遊技者が最も注目するものである。したがって、特に、保留球数表示から遊技者の注意を逸らす必要がある。保留数表示が変化するのは図柄変動開始表示の際であるので、図柄擬似変動開始表示前には注意逸らし報知により注意を惹きつけておく必要がある。一方、擬似図柄変動停止表示前は、遊技者は図柄変動に注目するため、この時点で注意逸らし報知を開始しても効果的に遊技者の注意を惹きつけられない場合がある。そのため、擬似図柄変動停止表示の直前から図柄擬似確定表示中、特に、図柄擬似確定表示中に開始するようにすることが効果的である。さらにいえば、図柄擬似確定表示中のうち、図柄擬似変動開始表示の直前に開始することが望ましい。
【０５７９】
また、１の抽選に基づく結果の表示として行われる図柄変動開始表示から図柄変動停止表示までの時間は、その１の抽選が行われる契機となった始動口への入賞時に決定されるようにしてもよい。
【０５８０】
また、１の抽選に基づく結果の表示として行われる図柄変動開始表示から図柄変動停止表示までの時間は、その１の抽選が行われる際に決定してもよい。
【０５８１】
ここで、前述した実施形態で紹介した予告報知手段による予告報知を加味した例を説明する。
【０５８２】
前記擬似連続変動は、単に図柄変動を連続的に行うだけでは遊技者の遊技の興趣を高め
る効果が薄く、擬似連続演出を行うことで遊技者の遊技の興趣を高めることが一般的である。たとえば、図柄変動開始表示、「チャンス！」と音で報知、図柄擬似変動停止表示、図柄擬似確定表示、図柄擬似変動開始表示、「まだまだチャンス！」と音で報知、図柄擬似変動停止表示、図柄擬似確定表示、図柄擬似変動開始表示、「大チャンス！」と音で報知、図柄変動表示としてスーパーリーチ変動表示、図柄変動停止表示（当たり）、図柄確定表示という一連の変動のように、関連した演出を連続して行うようにすることで遊技者の遊技の興趣を高める。ここで、注意逸らし報知を行うと、図柄変動開始表示、「チャンス！」と音で報知、図柄擬似変動停止表示、図柄擬似確定表示中に「もう一回！」と音で報知しランプ全点灯（注意逸らし報知）、図柄擬似変動開始表示、「まだまだチャンス！」と音で報知、図柄擬似変動停止表示、図柄擬似確定表示に「もう一回！」と音で報知しランプ全点灯、図柄擬似変動開始表示、「大チャンス！」と音で報知、図柄変動表示としてスーパーリーチ変動表示、図柄変動停止表示（当たり）、図柄確定表示、のようにすることで、注意を逸らして擬似連続予告と気付かせないようにしながら遊技者の遊技の興趣を高めることができる。本発明は、この注意逸らし報知を擬似連続変動以外で行う点が特徴であるため、擬似連続変動以外に当てはめて例を出すと、図柄変動開始表示、「チャンス！」と音で報知、図柄変動停止表示、図柄確定表示中に「もう一回！」と音で報知しランプ全点灯、図柄変動開始表示、「まだまだチャンス！」と音で報知、図柄変動停止表示、図柄確定表示に「もう一回！」と音で報知しランプ全点灯、図柄変動開始表示、「大チャンス！」と音で報知、図柄変動表示としてスーパーリーチ変動表示、図柄変動停止表示（当たり）、図柄確定表示というようになる。しかし、連続予告の最後の変動の期待度が高いことが、複数の一連の図柄変動に亘る連続予告の最初の時点で判別されていないと、あてずっぽうで連続予告演出を開始しても連続予告演出の最後が大当たりであるか否かは連続予告の最後で行われる抽選の抽選確率と同じであるため、連続予告開始による大当たりの期待度は通常変動の大当たりの期待度と何ら変わらず、遊技者は、このような連続予告を鬱陶しく思ってしまう場合がある。したがって、擬似連続変動以外で注意逸らし報知を行う場合は、擬似連続予告に対応する連続予告を行い、かつ、予告報知を実行している際に行うことが望ましい。換言すれば、擬似連続変動以外の変動は、予告報知を伴う変動であってもよい、ということである。なお、擬似連続予告および連続予告の例として、ストーリー性を持ったもの、同じ演出が繰り返されるもの、同様の演出が次第に強調されるものなどが挙げられる。
【０５８３】
なお、連続予告と擬似連続予告を組み合わせてもよい。先の例でいえば、図柄変動開始表示、「チャンス！」と音で報知、図柄変動停止表示、図柄確定表示中に「もう一回！」と音で報知しランプ全点灯、図柄変動開始表示、「まだまだチャンス！」と音で報知、図柄擬似変動停止表示、図柄擬似確定表示に「もう一回！」と音で報知しランプ全点灯、図柄擬似変動開始表示、「大チャンス！」と音で報知、図柄変動表示としてスーパーリーチ変動表示、図柄変動停止表示（当たり）、図柄確定表示、というようにしてもよい。（１）連続する演出は、回数が増えれば増えるほど遊技者の意識に根付いていくため、１回目の注意逸らし報知よりも２回目の注意逸らし報知のほうが遊技者の注意を逸らしやすく、２回目の注意逸らし報知よりも３回目の注意逸らし報知のほうが遊技者の注意を逸らしやすいといえる。また、（２）擬似連続予告のように図柄変動が終了したにも関わらず、保留球数が減らないということは図柄変動が終了したにも関わらず保留球数が減ることよりも全図柄変動に対する割合として少ないため、遊技者は何事もなければ図柄変動が終わった場合は保留球数が減ると考えるが（逆にいえば遊技者は普通の場合に図柄変動が終わった後でも保留球数が減らないとは考えない）、一度保留球数が減らなかった場面を見た場合はその印象がしばらく頭に残るため、保留球数の表示に注意が向いてしまう場合がある。ここで、連続予告と擬似連続予告を組み合わせることで、１回の図柄変動の単位時間あたりの変動時間を短くしようとした場合に（３回の擬似連続予告は１回の変動で５０秒，２回の擬似連続予告＋１回の連続予告は１回の変動で１５秒となることで短くなる）、遊技者の注意の保留ランプに対する注意が向きやすい最初の変動は連続予告で行い、次の変
動からは擬似連続予告で行うことで、（１）より、擬似連続予告を行っていることを遊技者が気付きにくくすることができる。逆に、擬似連続予告⇒連続予告の順に行うと、（１）より擬似連続予告を行っていると遊技者が気付きやすく、さらに（２）より以降の連続する演出も擬似連続予告と遊技者が気付きやすくなってしまう場合がある。また、１の抽選に基づく結果の表示として行われる図柄変動開始表示から図柄変動停止表示までの時間は、抽選が行われる際に決定するようにした場合は、大当たり当選時はハズレ当選時よりも長い変動が選ばれやすいようにすることで、長い変動を擬似連続予告に当てることができ、遊技者がリーチ演出が冗長と思うことを防止することができる場合がある。
【０５８４】
なお、スーパーリーチ後の停止を図柄擬似変動停止表示としてもよい。
【０５８５】
（変更例Ｑ）
従来、保留球に対する予告報知を行う場合には、主制御部が遊技球の入賞に基づいて抽選用乱数を取得する際に予告報知を行うための予告情報（抽選用乱数そのもの、大当たりしたか否かに関する情報など）を取得し、該予告情報を副制御部に送信する第１の方法がある。また、変動開始の際の抽選時に今回抽選しない保留に記憶された情報に基づいて予告情報を取得し、該予告情報を副制御部に送信する第２の方法がある。第１の方法は、主制御部が副制御部に対して送信する保留球数変更コマンド（具体的には保留球数が増加した情報）とともに送信される場合が多く、第２の方法は、主制御部が副制御部に対して送信する変動開始コマンドとともに送信される場合が多い。第１の方法によれば、入賞した時点で予告報知を行うことができるので、たとえば、始動口に遊技球が入賞し、そこで取得した乱数が大当たりの期待度が高い乱数である場合にその場で期待度の高い予告報知を行うことができる。たとえば、始動口に遊技球が入賞し、大当たり乱数を取得した場合はその時点で「ズドーン」と大きな音を報知することでたった今入賞した球に基づく抽選が期待度の高い抽選が行われるということをインパクトある報知で行うことができ、遊技者の遊技の興趣を高めることができる。一方、第２の方法は、抽選開始時に他の保留に関する予告情報を取得するので、抽選開始に合わせて予告演出を行う場合には、最新の予告情報に基づいた抽選を行うことができる。
【０５８６】
このように、第１の方法も第２の方法もそれぞれ特徴がある。ただし、第１の方法で可能で第２の方法では不可能である予告演出は、入賞してから次の変動開始が行われていないまでの間に行う予告演出であり、そのような演出を搭載しない場合は、第２の方法で行うことがよいとされていた。
【０５８７】
しかし、第２の方法で開発を進めていると、あるとき突然仕様が変更され、入賞してから次の変動開始が行われるまでの間に予告演出を行いたいと言われる場合がある。この場合、制御担当者は制御の大幅な修正を迫られ、開発工程が大幅に遅れてしまうという問題があった。
【０５８８】
この問題を解決するための遊技台としては、
『遊技球が前記始動口に進入したことに基づいて、所定の変動時間に亘って図柄の変動表示を行い所定の停止図柄態様を該変動時間が経過した後に停止表示する一連の図柄変動停止表示を実行する図柄表示手段と、前記図柄変動停止表示によって停止表示した停止図柄態様が特定図柄態様である場合には、遊技者に有利である特別遊技状態へ移行させる特別遊技状態移行手段と、前記図柄表示手段が前記図柄変動停止表示によって前記特定図柄態様を停止表示する場合に、該停止表示前に、前記図柄表示手段が前記特定図柄態様を停止表示する可能性が高いことを示唆する予告報知を行うための予告情報を第１の条件の成立に基づいて取得するとともに、第１の条件とは異なる第２の条件の成立により取得する予告情報取得部とを備えたことを特徴とする遊技台』があげられる。
【０５８９】
この遊技台によれば、複数の条件に基づいて出力される予告情報に基づいて副制御部は予告演出を行うことができ、仕様変更に伴う作業工数の増加を少なくすることができる。また、仕様変更ができないということにより、企画担当者が意図していた遊技の興趣が高い演出が行われなくなることにより、遊技台自体の面白味が低下することを防止することができ、間接的に遊技の興趣の低下を防止することができる。
【０５９０】
なお、予告情報取得部が主制御部にある場合は、第１の条件は遊技球が始動口に入賞したことで、第２の条件は抽選を開始することであってもよい。
【０５９１】
また、主制御部は取得した予告情報を副制御部に送信してもよい。この場合、第１の条件により取得した予告情報は保留球増加コマンドの出力の際に出力し、第２の条件により取得した予告情報は変動開始コマンドの出力際に出力してもよい。ほかにも、変動停止コマンド、図柄確定コマンドなど任意のコマンド出力タイミングで出力してもよい。
【０５９２】
また、副制御部は、第１の条件により取得した予告情報に基づいて予告演出を行わず、第２の条件により取得した予告情報に基づいて予告演出を行うようにしてもよく、逆に、第１の条件により取得した予告情報に基づいて予告演出を行い、第２の条件により取得した予告情報に基づいて予告演出を行わないようにしてもよい。両方で送るのは仕様変更があった場合でも柔軟に対応できるようにするためであるので、どちらか一方だけの予告情報に基づいて予告演出を行うのみの仕様であるのであればどちらかに統一したほうが、副制御部のプログラム容量を削減することができるためである。
【０５９３】
また、予告報知手段は、第１の条件により取得した予告情報に基づいて行う予告演出と、第２の条件により取得した予告情報に基づいて行う予告演出を異ならせてもよい。それぞれに適した予告報知を行うことで、処理負荷を軽減することができる場合がある。
【０５９４】
また、１の入賞があった後、第１の条件の成立は第２の条件の成立よりも先に成立し、第１の条件の成立に基づいて行われる予告演出は、音による演出であってもよい。その際に、予告演出として報知される音は、専用のチャネルまたは異常やエラー報知用のチャネルから出力することが望ましい。異常やエラー報知用のチャネルから報知する場合は、異常やエラー報知音は予告演出として報知される音よりも優先して報知するようにすることが望ましい。予告演出として報知される音が、異常やエラー報知音よりも優先して報知してしまうと不正行為を助長してしまう虞があるためである。
【０５９５】
（変更例Ｒ）
従来、保留球に対する予告報知を行う場合には、主制御部が遊技球の入賞に基づいて抽選用乱数を取得する際に予告報知を行うための予告情報（抽選用乱数そのもの、大当たりしたか否かに関する情報など）を取得し、該予告情報を副制御部に送信する方法がある。この方法は、主制御部が副制御部に対して送信する保留球数変更コマンド（具体的には保留球数が増加した情報）とともに送信される場合が多い。しかし、この方法は入賞時に予告報知を行うので、始動口入賞時から抽選開始時までに遊技状態等、報知のための条件が変化した場合は柔軟に対応できず、遊技状態が変化した時点で再度変化後の遊技状態に基づく予告情報を副制御部に送信しなければ、違和感のある演出を行ってしまう場合がある。これは、特開２００４−３４４５２６でも掲げられている問題である。
【０５９６】
しかし、特開２００４−３４４５２６では、この問題の対策として、遊技状態が切り替わる間際には予告演出を行わないという発明を提供している。このようにしてしまうと、予告演出が行われないため遊技の興趣が低下してしまう虞があった。
【０５９７】
この問題を解決するための遊技台としては、
『遊技球が前記始動口に進入したことに基づいて、所定の変動時間に亘って図柄の変動表示を行い所定の停止図柄態様を該変動時間が経過した後に停止表示する一連の図柄変動停止表示を実行する図柄表示手段と、前記図柄変動停止表示によって停止表示した停止図柄態様が特定図柄態様である場合には、遊技者に有利である特別遊技状態へ移行させる特別遊技状態移行手段と、前記図柄表示手段が前記図柄変動停止表示によって前記特定図柄態様を停止表示する場合に、該停止表示前に、前記図柄表示手段が前記特定図柄態様を停止表示する可能性が高いことを示唆する予告報知を行うための予告情報を取得する予告情報取得部とを備え、前記予告情報取得部は、抽選時の状態が第１の状態である場合の第１の予告情報と、抽選時の状態が第２の状態である場合の第２の予告情報と、を取得することを特徴とする遊技台』があげられる。
【０５９８】
この遊技台によれば、抽選時の状態が第１の状態でも第２の状態でも対応できる予告演出を行うことができ、遊技の興趣が低下することを防止することができる。
【０５９９】
なお、第１の状態は特図高確率状態で、第２の状態は特図低確率状態あってもよい。
【０６００】
なお、予告情報取得部は主制御部に備えられ、主制御部は予告情報を副制御部に出力し、副制御部の予告報知手段は、主制御部からの予告情報に基づいて予告演出を実行してもよい。これにより、遊技状態が変化したときに予告情報を再取得して副制御部に出力するといった煩わしい制御を組む必要がなくなる場合がある。
【０６０１】
なお、第１の予告情報と第２の予告情報は同じタイミングで取得してもよい。
【０６０２】
なお、第１の予告情報と第２の予告情報は同じタイミングで副制御部に出力してもよい（変形例Ｓ）
変更例Ｓは、普図の保留を先読みして保留に当たりが含まれていた場合は第１特図始動口１２６に入賞した場合に基づく特図１の抽選に対する予告報知を行わないというものである。
【０６０３】
変更例Ｓは、第１特図始動口１２６に入賞にした場合に基づく特図１の抽選に対する予告報知中に、特図２の抽選および抽選結果の報知が割り込みにくくすることで、極力特図１だけで予告報知が完結するようにすることを目的とする。
【０６０４】
すなわち、『第１の始動口と、開放妨害部材（電チュー）を備えて所定の開放抽選に当選した場合に開放妨害部材の妨害が所定の期間、解除されることで入賞可能になる第２の始動口と、第３の始動口を有する遊技台において、前記第１の始動口に遊技球が入賞したことを所定の個数まで記憶すると共に、前記第２の始動口に遊技球が入賞したことを所定の個数まで記憶する第１の入賞記憶部と、前記第３の始動口に遊技球が入賞したことを所定の個数まで記憶する第２の入賞記憶部と、前記第１の入賞記憶部に１以上の入賞の記憶がある場合に、遊技者に付与する利益量の抽選を行う抽選手段と、前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、前記抽選結果を報知する前に、該抽選結果が遊技者にとって有利な結果であることを遊技者に期待させる予告情報を含む予告報知を所定の予告確率で行う予告報知手段と、前記第２の入賞記憶部に１以上の入賞の記憶がある場合に、前記開放妨害部材の妨害の解除を行うか否かを抽選する妨害解除抽選手段と、前記妨害解除抽選手段による妨害解除抽選に当選した場合に開放妨害部材を妨害しない位置に駆動する駆動部とを備え、前記予告報知手段は、前記第２の入賞記憶部に前記妨害解除抽選手段による妨害解除抽選が当選する入賞記憶がある場合に、前記第２の入賞記憶部に前記妨害解除抽選手段による妨害解除抽選が当選する入賞記憶がない場合よりも、前記予告報知の実行確率が
低くなるようにしたことを特徴とする』ようにしてもよい。
【０６０５】
なお、予告報知手段は、普図低確率中に、前記第２の入賞記憶部に前記妨害解除抽選手段による妨害解除抽選が当選する入賞記憶がある場合には前記予告報知を実行しないようにしてもよい。
【０６０６】
また、予告報知手段は、前記第２の入賞記憶部に前記妨害解除抽選手段による妨害解除抽選が当選する入賞記憶がある場合に、実行中の予告報知を終了するようにしてもよい。この終了は、すぐに終了してもよいし、次の変動開始タイミングで終了するようにしてもよい。
【０６０７】
（変更例α）
また、保留している複数の図柄変動に対する変動タイマを先読みし、保留の合計変動時間を遊技者に認識可能に表示してもよい。たとえば、１つ目の保留が３０秒で、２つ目の保留が２０秒で、３つ目の保留が１０秒である場合に、合計６０秒を表示してもよい。また、この遊技台は特図１と特図２を設け、特図２への入賞が容易である入賞容易状態と特図２への入賞が困難である入賞困難状態があるようにしてもよい。また、この遊技台は、特図２の抽選のほうが特図１の抽選よりも有利な抽選結果が得られやすいようにしてもよい。また、この遊技台は、特図２の変動が特図１の変動よりも優先して変動するようにしてもよい。上記構成を備えた場合に、従来、特図入賞容易状態にトイレに行きたくなった場合やジュースを買いに行きたくなった場合など遊技者が休憩したく思った場合でも特図１の抽選を行わせたくないために行けないという問題があったが、変動時間の合計を表示することで、たとえば長いリーチがかかったときなどに遊技者はトイレに行くことができ、遊技者の健康を悪化させることを防止したり、適度な休憩をしたりすることができるという効果がある。なお、特図２が入賞容易状態の場合にのみ、総保留数の合計変動時間を表示するようにしてもよい。また、特図２と特図１の両方に保留がある場合には、特図２の全保留に対する総変動時間を表示するようにしてもよい。また、遊技者による所定の操作部の操作があった場合に前記総変動時間を表示するようにしてもよい。この場合、総変動時間の表示に合わせてスピーカの音量を低下させたり、ランプや液晶の光量を低下させたりするなど演出内容を異ならせてもよい。また、総変動時間の表示は合算せず、３０秒、２０秒、１０秒など、個別に表示してもよい。また、保留の中に大当たりが存在する場合には、総変動時間を表示しないようにしてもよく、または総変動時間の表示の代わりに大当たり告知をしてもよく、また、大当たり後の保留に対する変動時間を総変動時間から減算した時間を総変動時間として表示してもよい。また、総変動時間の表示は数値表示ではなく、バーがじょじょに縮んでいく表示などにしてもよい。また、総変動時間には、現在変動している変動の残り変動時間を加えてもよく、加えなくてもよい。
【０６０８】
最後に、本発明と直接関係ないことも含めて付記する。
【０６０９】
（付記１）
所定の始動口に遊技球が入賞した場合に、図柄の変動表示を開始する図柄表示手段と、
前記図柄表示手段が停止表示した図柄態様が特定の図柄態様である場合に、特別遊技状態を開始する特別遊技状態開始手段と、
前記特定の図柄態様を表示する予定の前記図柄表示手段による図柄の変動表示である特定変動表示の開始よりも先に開始される前記図柄表示手段による図柄の変動表示である先変動表示がある場合、前記先変動表示において前記特定変動表示の内容に関連した予告報知を行う予告報知手段と、を備え、
前記予告報知手段は、前記予告報知の回数を決定することを特徴とする、
遊技台。
【０６１０】
（付記２）
前記予告報知手段は、前記先変動表示の前記予告報知の回数を前記特定変動表示が開始されるまでの変動回数に基づいて決定することを特徴とする、
付記１に記載の遊技台。
【０６１１】
（付記３）
前記予告報知手段は、前記特定変動表示が開始されるまでの変動回数が少ないほど前記予告報知の回数を多い回数に決定することを特徴とする、
付記２に記載の遊技台。
【０６１２】
（付記４）
前記予告報知手段は、前記先変動表示の前記予告報知の回数を先の先変動表示における予告報知の回数以上且つ後の先変動表示における予告報知の回数以下に決定することを特徴とする、
付記３に記載の遊技台。
【０６１３】
（付記５）
前記予告報知手段は、前記特定変動表示において前記予告報知を行うことを特徴とする、
付記１〜４のいずれかに記載の遊技台。
【０６１４】
（付記６）
前記予告報知は、図柄の停止表示とは異なる図柄の仮停止表示を含むことを特徴とする、
付記１〜５のいずれかに記載の遊技台。
【０６１５】
（付記７）
所定のシナリオのうちの第１の状況を示す第１の画像と該第１の状況よりも前記シナリオに沿って進行した第２の状況を示す第２の画像を前記図柄表示手段に表示可能に構成し、
前記予告報知手段は、前記予告報知として前記第１の画像を表示し、該第１の画像表示後の予告報知として前記第２の画像を表示することを特徴とする、
付記１〜６のいずれかに記載の遊技台。
【０６１６】
（付記８）
前記第１の画像および前記第２の画像は、同じ表示態様であることを特徴とする、
付記７に記載の遊技台。
【０６１７】
（付記９）
前記第１の画像は、第１のキャラクタ画像を含み、
前記第２の画像は、前記第１のキャラクタ画像とは異なる第２のキャラクタ画像を含むことを特徴とする、
付記７に記載の遊技台。
【０６１８】
（付記１０）
前記第２の画像は、さらに前記第１のキャラクタ画像を含むことを特徴とする、
付記９に記載の遊技台。
【０６１９】
（付記１１）
前記第１の画像および前記第２の画像は、１または複数のキャラクタ画像を含み、
前記第２の画像に含まれる前記キャラクタ画像の総数が、前記第１の画像に含まれる前記キャラクタ画像の総数よりも多いことを特徴とする、
付記７に記載の遊技台。
【０６２０】
（付記１２）
前記第２の画像の大きさが、前記第１の画像の大きさよりも大きいことを特徴とする、
付記７に記載の遊技台。
【０６２１】
（付記１３）
前記第１の画像および前記第２の画像は、数値の情報を含み、
前記第２の画像に含まれる前記数値の情報が、前記第１の画像に含まれる前記数値の情報よりも大きいことを特徴とする、
付記７に記載の遊技台。
【０６２２】
（付記１４）
所定の報知を行う１又は複数の報知手段を備え、
前記予告報知手段は、
前記第１の画像を表示中に、前記所定のシナリオのうちの第１の状況を示す第１の報知態様で前記報知手段に前記予告報知に関連した報知を行わせ、前記第２の画像の表示中に、前記第１の状況よりも前記シナリオに沿って進行した第２の状況を示す第２の報知態様で前記報知手段に前記予告報知に関連した報知を行わせることを特徴とする、
付記７に記載の遊技台。
【０６２３】
（付記１５）
前記予告報知手段は、前記特定変動表示の開始予定が無く且つ特定の条件が成立した場合、前記図柄表示手段による図柄の変動表示において前記予告報知を行うことを特徴とする、
付記１〜１４のいずれかに記載の遊技台。
【０６２４】
（付記１６）
前記先変動表示の前記予告報知の回数を、前記特定変動表示の開始予定が無く且つ特定の条件が成立した場合に行う予告報知の回数以上に設定する確率が、前記先変動表示の前記予告報知の回数を、前記特定変動表示の開始予定が無く且つ特定の条件が成立した場合に行う予告報知の回数未満にする確率よりも高いことを特徴とする、
付記１５に記載の遊技台。
【０６２５】
（付記１７）
前記所定の始動口に遊技球が入賞し且つ変動開始禁止条件が成立していない場合に、前記図柄表示手段による図柄の変動表示を開始するように構成し、
前記所定の始動口に遊技球が入賞し且つ変動開始禁止条件が成立している場合に、該変動開始禁止条件が未成立な状態に変化してから前記図柄表示手段が図柄の変動表示を開始するための始動情報を、所定個数まで記憶可能な始動記憶手段と、
前記始動情報のうちの１部または全部を構成する図柄態様決定用情報が特定の図柄態様決定用情報である場合に、前記図柄表示手段に停止表示させる図柄態様として前記特定の図柄態様を選択する図柄態様選択手段と、を備え、
前記予告報知手段は、前記始動情報のうちの１部または全部を構成する図柄態様決定用情報が特定の図柄態様決定用情報である場合に、前記予告報知を行うことを特徴とする、
付記１〜１６のいずれかに記載の遊技台。
【０６２６】
（付記１８）
前記図柄表示手段を複数備え、
前記予告報知手段は、複数の前記図柄表示手段のうちの第１の図柄表示手段が前記特定の図柄態様を停止表示する場合に、複数の前記図柄表示手段のうちの第２の図柄表示手段が図柄を変動表示中に前記予告報知を行うことを特徴とする、
付記１〜１７のいずれかに記載の遊技台。
【０６２７】
（付記１９）
前記予告報知手段は、前記第１の図柄表示手段が変動表示を開始するよりも前に前記予告報知を行うことを特徴とする、
付記１８に記載の遊技台。
【０６２８】
（付記２０）
前記所定の始動口のうちの第２の始動口に遊技球が入賞し、かつ第２の図柄変動開始条件が成立している場合に、前記第２の図柄表示手段による図柄の変動表示を開始するように構成し、
前記第２の変動開始禁止条件が成立している状態で前記第２の始動口に遊技球が入賞した場合に、該第２の変動開始禁止条件が未成立な状態に変化してから前記第２の図柄表示手段による図柄の変動表示を開始するための第２の始動情報を所定個数まで記憶可能な第２の始動記憶手段と、
前記第２の変動開始禁止条件が未成立な場合に、前記第２の始動記憶手段が記憶している前記第２の始動情報を用いて前記第２の図柄表示手段による図柄の変動表示を開始した場合には、その第２の始動情報が記憶されていない状態に前記第２の始動記憶手段を設定する第２の始動記憶管理手段と、を備え、
前記第２の図柄表示手段が特定の図柄態様以外の図柄態様を停止表示させた場合に、前記第１の変動開始禁止条件を成立させたまま前記第２の変動開始禁止条件を未成立な状態に変化させ、
前記予告報知手段は、前記予告報知の時期と少なくとも一部が重なった前記第２の図柄表示手段による図柄の変動表示中における前記第２の始動口への遊技球の入賞に基づいて開始した前記第２の図柄表示手段による図柄の変動表示中にも、前記予告報知を行うことを特徴とする、
付記１８または１９に記載の遊技台。
【０６２９】
（付記２１）
前記第１の図柄表示手段による図柄の変動表示を演出する演出表示と前記第２の図柄表示手段による図柄の変動表示を演出する演出表示の両方をおこなう演出表示手段を備えたことを特徴とする、
付記１８〜２０のいずれかに記載の遊技台。
【０６３０】
（付記２２）
前記演出表示手段は、前記第１の図柄表示手段が図柄の変動表示を行なっている場合には、演出表示として所定の図柄の変動表示を行うとともに、前記第２の図柄表示手段が図柄の変動表示を行なっている場合には、演出表示として所定の図柄の変動表示を行うように構成しており、
前記第１の図柄表示手段が前記特定の図柄態様を停止表示する場合と前記第２の図柄表示手段が前記特定の図柄態様を停止表示する場合の両方で、前記演出表示手段が前記図柄の変動表示後に特別な図柄態様を停止表示し、
前記演出表示手段は、前記所定の図柄の変動表示の他に、前記演出表示として該所定の図柄の変動表示を演出する装飾演出表示を行い、
前記演出表示手段は、前記特定の演出表示を装飾演出表示の一部として行うことを特徴とする、
付記２１に記載の遊技台。
【０６３１】
（付記２３）
前記演出表示手段は、前記特定の演出表示を前記所定の図柄の変動表示の一部として行うことを特徴とする、
付記２１または２２に記載の遊技台。
【０６３２】
（付記２４）
第１の始動口に遊技球が入賞した場合に、図柄の変動表示を開始する第１の図柄表示手段と、
第２の始動口に遊技球が入賞した場合に、図柄の変動表示を開始する第２の図柄表示手段と、備えた遊技台であって、
前記第１の図柄表示手段または前記第２の図柄表示手段が停止表示した図柄態様が特定の図柄態様である場合に、特別遊技状態を開始する特別遊技状態開始手段と、
前記第２の始動口の遊技球の進入部の大きさを第１の大きさから該第１の大きさより大きい第２の大きさに変化させることに関連して該第２の始動口への遊技球の入賞率を変化させることが可能であり、遊技状態が第１の遊技状態中は、前記第２の始動口への遊技球の入賞率が第１の入賞率であり、前記遊技状態が第２の遊技状態中は、前記第２の始動口への遊技球の入賞率が前記第１の入賞率より高い第２の入賞率となるように制御する制御手段と、
前記第１の図柄表示手段が前記特定の図柄態様を停止表示する場合に、前記第２の図柄表示手段が図柄を変動表示中に、前記第１の図柄表示手段が前記特定の図柄態様を停止表示することを遊技者に所定の予告確率で予告報知するように制御する予告制御手段と、をさらに備え、
前記第１の遊技状態中における前記予告確率よりも前記第２の遊技状態中における前記予告確率の方が低くなるように構成したことを特徴とする、
遊技台。
【０６３３】
（付記２５）
所定の始動口に遊技球が入賞した場合に、図柄の変動表示を開始する図柄表示手段を複数備えた遊技台であって、
複数の前記図柄表示手段のうちのいずれかの図柄表示手段が停止表示した図柄態様が特定の図柄態様である場合に、特別遊技状態を開始する特別遊技状態開始手段をさらに備え、
複数の前記図柄表示手段のうちの第１の図柄表示手段が前記特定の図柄態様を停止表示する場合に、複数の前記図柄表示手段のうちの第２の図柄表示手段が図柄を変動表示中に、前記第１の図柄表示手段が前記特定の図柄態様を停止表示することを遊技者に予告報知することを特徴とする、
遊技台。
【０６３４】
（付記２６）
前記第１の図柄表示手段が変動表示を開始するよりも前に前記予告報知をおこなうことを特徴とする、
付記２５に記載の遊技台。
【０６３５】
（付記２７）
遊技球が進入可能な進入口の大きさを第１の大きさから該第１の大きさよりも大きい第２の大きさに変化させることが可能な特定の可変入賞口を遊技領域にさらに備え、
前記特定の可変入賞口の進入口の大きさを前記第１の大きさから前記第２の大きさに前記特別遊技状態中に変化させることを特徴とする、
付記２５または２６に記載の遊技台。
【０６３６】
（付記２８）
前記所定の始動口のうちの第１の始動口に遊技球が入賞し、かつ第１の変動開始禁止条件が成立していない場合に、前記第１の図柄表示手段による図柄の変動表示を開始するように構成し、
前記第１の変動開始禁止条件が成立している状態で前記第１の始動口に遊技球が入賞した場合に、該第１の変動開始禁止条件が未成立な状態に変化してから前記第１の図柄表示手段による図柄の変動表示を開始するための第１の始動情報を、所定個数まで記憶可能な第１の始動記憶手段と、
前記第１の始動情報のうちの１部または全部を構成する図柄態様決定用情報が特定の図柄態様決定用情報である場合に、前記第１の図柄表示手段に停止表示させる図柄態様として前記特定の図柄態様を選択する図柄態様選択手段と、をさらに備え、
前記第１の始動情報のうちの１部または全部を構成する図柄態様決定用情報が特定の図柄態様決定用情報である場合に、前記予告報知をおこなうことを特徴とする、
付記２５〜２７のいずれかに記載の遊技台。
【０６３７】
（付記２９）
前記第１の始動情報のうちの１部または全部を構成する図柄態様決定用情報が特定の図柄態様決定用情報ではなく、特定の条件が成立した場合にも、前記予告報知をおこなうことを特徴とする、
付記２８に記載の遊技台。
【０６３８】
（付記３０）
前記第１の変動開始禁止条件が未成立な場合に、前記第１の始動記憶手段が記憶している前記第１の始動情報を用いて前記第１の図柄表示手段による図柄の変動表示を開始した場合には、その第１の始動情報が記憶されていない状態に前記第１の始動記憶手段を設定する第１の始動記憶管理手段と、
前記第１の始動記憶手段に記憶している所定の前記第１の始動情報のうちの１部または全部を構成する図柄態様決定用情報が特定の図柄態様決定用情報である場合に、その所定の前記第１の始動情報とは別の前記第１の始動情報に基づいて変動を開始した前記第１の図柄表示手段による図柄の変動表示中に前記予告報知をおこなうことを特徴とする、
付記２８または２９に記載の遊技台。
【０６３９】
（付記３１）
前記第１の図柄表示手段による図柄の変動表示中におこなう前記予告報知の特定の報知態様を前記第２の図柄表示手段による図柄の変動表示中におこなう前記予告報知として報知可能に構成したことを特徴とする、
付記２５〜３０のいずれかに記載の遊技台。
【０６４０】
（付記３２）
所定のシナリオのうちの第１の状況を示す第１の画像と該第１の状況よりも前記シナリオに沿って進行した第２の状況を示す第２の画像を表示可能に構成し、
前記第１の図柄表示手段が前記特定の図柄態様を停止表示することとなる図柄の変動開始よりも前に前記第１の図柄表示手段と前記第２の図柄表示手段のうちの一方による図柄の変動表示中に、前記予告報知として前記第１の画像を表示し、かつ前記一方の図柄表示手段が停止表示した後で変動を開始した他方の図柄表示手段による図柄の変動表示中に、前記予告報知として前記第２の画像を表示することを特徴とする、
付記２５〜３０のいずれかに記載の遊技台。
【０６４１】
（付記３３）
前記第１の図柄表示手段が前記特定の図柄態様を停止表示することとなる図柄の変動開始よりも前に前記第１の図柄表示手段と前記第２の図柄表示手段のうちの一方による図柄の変動表示中に、前記予告報知として特定の画像を表示し、かつ他方の図柄表示手段による図柄の変動表示中にも前記予告報知として前記特定の画像を表示することを特徴とする、
付記２５〜３２のいずれかに記載の遊技台。
【０６４２】
（付記３４）
複数のキャラクタ画像のうち第１のキャラクタ画像を表示した後で第２のキャラクタ画像を表示可能に構成し、
前記第１の図柄表示手段が前記特定の図柄態様を停止表示することとなる図柄の変動開始よりも前に前記第１の図柄表示手段と前記第２の図柄表示手段のうちの一方による図柄の変動表示中に、前記予告報知として前記第１のキャラクタ画像を表示し、かつ前記一方の図柄表示手段が停止表示した後で変動を開始した他方の図柄表示手段による図柄の変動表示中に、前記予告報知として前記第２のキャラクタ画像を表示することを特徴とする、
付記２５〜３３のいずれかに記載の遊技台。
【０６４３】
（付記３５）
第１の画像と該第１の画像と大きさが異なる第２の画像を表示可能に構成し、
前記第１の図柄表示手段が前記特定の図柄態様を停止表示することとなる図柄の変動開始よりも前に前記第１の図柄表示手段と前記第２の図柄表示手段のうちの一方による図柄の変動表示中に、前記予告報知として前記第１の画像を表示し、かつ他方の図柄表示手段による図柄の変動表示中に、前記予告報知として前記第２の画像を表示することを特徴とする、
付記２５〜３４のいずれかに記載の遊技台。
【０６４４】
（付記３６）
前記所定の始動口のうちの第２の始動口に遊技球が入賞し、かつ第２の図柄変動開始条件が成立している場合に、前記第２の図柄表示手段による図柄の変動表示を開始するように構成し、
前記第２の変動開始禁止条件が成立している状態で前記第２の始動口に遊技球が入賞した場合に、該第２の変動開始禁止条件が未成立な状態に変化してから前記第２の図柄表示手段による図柄の変動表示を開始するための第２の始動情報を所定個数まで記憶可能な第２の始動記憶手段と、
前記第２の変動開始禁止条件が未成立な場合に、前記第２の始動記憶手段が記憶している前記第２の始動情報を用いて前記第２の図柄表示手段による図柄の変動表示を開始した場合には、その第２の始動情報が記憶されていない状態に前記第２の始動記憶手段を設定する第２の始動記憶管理手段と、をさらに備え、
前記第２の図柄表示手段が特定の図柄態様以外の図柄態様を停止表示させた場合に、前記第１の変動開始禁止条件を成立させたまま前記第２の変動開始禁止条件を未成立な状態に変化させ、
前記予告報知の時期と少なくとも一部が重なった前記第２の図柄表示手段による図柄の変動表示中における前記第２の始動口への遊技球の入賞に基づいて開始した前記第２の図柄表示手段による図柄の変動表示中にも、前記予告報知をおこなうことを特徴とする、
付記２８〜３５のいずれかに記載の遊技台。
【０６４５】
（付記３７）
所定のシナリオのうちの第１の状況を示す第１の画像と該第１の状況よりも前記シナリオに沿って進行した第２の状況を示す第２の画像を表示可能に構成し、
前記予告報知として表示した前記第１の画像の表示時期と少なくとも一部が重なった前記第２の図柄表示手段による図柄の変動表示中における前記第２の始動口への遊技球の入賞に基づいて開始した前記第２の図柄表示手段による図柄の変動表示中に、前記予告報知として前記第２の画像の表示をおこなうことを特徴とする、
付記３６に記載の遊技台。
【０６４６】
（付記３８）
前記予告報知として表示した特定の画像の表示時期と少なくとも一部が重なった前記第２の図柄表示手段による図柄の変動表示中における前記第２の始動口への遊技球の入賞に基づいて開始した前記第２の図柄表示手段による図柄の変動表示中に、前記予告報知として前記特定の画像の表示をおこなうことを特徴とする、
付記３６に記載の遊技台。
【０６４７】
（付記３９）
第１の画像と該第１の画像と大きさが異なる第２の画像を表示可能に構成し、
前記予告報知として表示した前記第１の画像の表示時期と少なくとも一部が重なった前記第２の図柄表示手段による図柄の変動表示中における前記第２の始動口への遊技球の入賞に基づいて開始した前記第２の図柄表示手段による図柄の変動表示中に、前記予告報知として前記第２の画像の表示をおこなうことを特徴とする、
付記３６に記載の遊技台。
【０６４８】
（付記４０）
前記第１の図柄表示手段による図柄の変動表示を演出する演出表示と前記第２の図柄表示手段による図柄の変動表示を演出する演出表示の両方をおこなう演出表示手段を、さらに備え、
前記演出表示手段は、前記第２の図柄表示手段による図柄の変動表示の演出表示中に特定の演出表示をすることで前記予告報知をおこなうことを特徴とする、
付記２５〜３９のいずれかに記載の遊技台。
【０６４９】
（付記４１）
前記演出表示手段は、
前記第１の図柄表示手段が図柄の変動表示を行なっている場合には、演出表示として所定の図柄の変動表示をおこなうとともに、前記第２の図柄表示手段が図柄の変動表示を行なっている場合には、演出表示として所定の図柄の変動表示をおこなうように構成しており、
前記第１の図柄表示手段が前記特定の図柄態様を停止表示する場合と前記第２の図柄表示手段が前記特定の図柄態様を停止表示する場合の両方で、前記演出表示手段が前記図柄の変動表示後に特別な図柄態様を停止表示し、
前記演出表示手段は、
前記所定の図柄の変動表示の他に、前記演出表示として該所定の図柄の変動表示を演出する装飾演出表示をおこない、
前記演出表示手段は、前記特定の演出表示を装飾演出表示の一部としておこなうことを特徴とする、
付記４０に記載の遊技台。
【０６５０】
（付記４２）
前記演出表示手段は、前記特定の演出表示を前記所定の図柄の変動表示の一部としておこなうことを特徴とする、
付記４０または４１に記載の遊技台。
【０６５１】
（付記４３）
遊技球が始動口に進入したことに基づいて、所定の長変動時間および該長変動時間よりも短い短変動時間のうちのいずれか一方の変動時間に亘って図柄の変動表示を行い第１特定図柄態様および第２特定図柄態様を含む複数種類の停止図柄態様のうち１種類の停止図柄態様を該変動時間が経過した後に停止表示する一連の図柄変動停止表示を実行する図柄表示手段と、
前記図柄変動停止表示によって停止表示した停止図柄態様が第１特定図柄態様である場合には、遊技状態を変化させることで遊技者に有利な遊技価値を付与する第１特別遊技状態（例えば１５Ｒ大当たり遊技状態）へ移行させ、該図柄変動表示によって停止表示した図柄態様が第２特定図柄態様である場合には、遊技状態を変化させず遊技者に有利な遊技価値を付与する第２特別遊技状態（例えば小当たり遊技状態）へ移行させる特別遊技状態移行手段と、
前記図柄表示手段が前記図柄変動停止表示によって前記第１特定図柄態様を停止表示する場合に、該停止表示前に、前記図柄表示手段が前記第１特定図柄態様を停止表示する可能性が高いことを示唆する予告報知を行い、
前記図柄表示手段が前記図柄変動停止表示によって前記第２特定図柄態様を停止表示する場合に、該停止表示前に、前記図柄表示手段が前記第１特定図柄態様を停止表示する可能性が高いことを示唆する偽予告報知を行う予告報知手段と、を備え、
前記図柄表示手段は、図柄の変動表示を行い前記第１特定図柄態様および前記第２特定図柄態様のうちのいずれか一方の特定図柄態様を停止表示する場合、該一方の特定図柄態様を停止表示する特定図柄変動停止表示における図柄の変動表示を前記長変動時間に亘って行い、
前記予告報知手段は、前記特定図柄変動停止表示を最後とする連続した複数回の図柄変動停止表示において、前記予告報知または偽予告報知を行うものであることを特徴とする遊技台。
【０６５２】
こうすることで、複数回の予告報知または偽予告報知を行う場合に、最後の変動表示を長い変動時間（例えば４０秒）行うことができる。最後の変動表示が短い変動時間（例えば５秒）の場合と比べて、予告報知または偽予告報知の演出効果が低下するのを防ぐことができ、遊技者の興趣の低下を防止することができる。また、予告報知または偽予告報知がなされたことで、遊技者は第１特別遊技状態か殆ど有利とならない第２特別遊技状態かが開始されることを認識することができるため、有利度の高い第１特別遊技状態が開始されるか否かについて遊技者に興味を持たせることができ、遊技者の興趣を向上させることができる。また、第１特別遊技状態の開始を示唆する偽予告報知を複数回行った後に第１特別遊技状態が開始されなかったとしても、代わりに第２特別遊技状態が開始されるため、複数回の偽予告報知後に有利な状態が発生しない場合と比べて遊技者の興趣が低下することを防ぐことができる。
【０６５３】
（付記４４）
勝負演出を含む演出として、成功ストーリに基づく演出（例えば勝利や主人公登場）および失敗ストーリに基づく演出（例えば敗北や敵役登場）を用意し、これらの演出の一方を選択するように構成し、小当たりの場合失敗ストーリに基づく演出を行ってもよい。すなわち、
前記図柄表示手段は、停止図柄態様を停止表示する前に、成功ストーリに基づく演出または失敗ストーリに基づく演出の一方を選択して表示し、前記第２特定図柄態様を停止表示する前に、前記失敗ストーリに基づく演出を選択して表示することを特徴とする遊技台。
であってもよい。こうすることで、小当たりがガセであることを強調することができる。
【０６５４】
（付記４５）
また、予告報知の演出の一つとして、連続予告をする場合の最初の予告において、「所定変動回数（例えば４回）以内に敵に勝利せよ！」など、特定条件を遊技者に提示する予告（ミッションモードによる予告）を行い、１５Ｒ大当たりの場合には最後の図柄変動停止表示で敵に勝利するなどの特定条件を満たす予告を行い、小当たりの場合には最後の図柄変動停止表示で敵に敗北するなどの特定条件を満たさない予告を行うかあるいはその予告を行わなくてもよい。すなわち、
前記予告報知手段は、
前記特定図柄変動停止表示を最後とする連続した複数回の図柄変動停止表示の最初の図柄変動停止表示において、特定条件を遊技者に提示する特定条件提示予告報知を行い、前記特定図柄変動停止表示を最後とする連続した複数回の図柄変動停止表示の最後の図柄変動停止表示において、前記第１特定図柄態様を停止表示する場合は前記特定条件が成立する特定条件成立予告報知を行い、前記第２特定図柄態様を停止表示する場合は前記特定条件成立予告報知を行わない
ことを特徴とする遊技台。
であってもよい。こうすることで、特定条件を提示されたことで遊技者は特定条件が成立するか否かについて興味を持ち、遊技に集中することができる。
【０６５５】
（付記４６）
また、連続した変動表示の最後の変動表示の結果が短変動時間の小当たり（２Ｒ大当たり偽装小当たり）の場合には、特定条件を提示する予告を行ってもよい。すなわち、
前記予告報知手段は、前記図柄表示手段が前記図柄変動停止表示によって前記第２の図柄態様を停止表示する場合に前記特定条件提示予告報知を行う
ことを特徴とする遊技台。
であってもよい。ここでは、小当たりに基づいて特定条件提示予告を行う場合には、特定条件成立予告報知は行わないため、遊技者にガセの予告であることを早期に認識させるために最後の変動時間を短変動時間である小当たりで終わらせる。従って、遊技者にガセであることの落胆から次の変動へ早期に期待させるように切り替えさせることができる。
【０６５６】
（付記４７）
「装飾７−装飾６−装飾７」や「装飾５−装飾４−装飾５」など特定のリーチハズレ目（大当たり図柄の組合せから１コマズレた装飾図柄の組み合わせ）を小当たり図柄の組合せに適用してもよい。また、ハズレでは表示させないようにしてもよい。すなわち、
前記停止図柄態様は、変動表示の表示順序が予め定められた図柄を複数含み、
前記第１特定図柄態様は、全ての図柄が同じであり、
前記第２特定図柄態様は、特定の１つの図柄以外の他の図柄が同じ且つ、前記特定の１つの図柄の表示順序が前記他の図柄の前または後であり、
前記第１特定図柄態様及び前記第２特定図柄態様を除く前記停止図柄態様は、前記第１特定図柄態様及び前記第２特定図柄態様と異なる
ことを特徴とする遊技台。
であってもよい。こうすることで、大当たりは全ての図柄が同じなので統一感があり見た目が美しくなる。また、小当たりは２つの図柄が同じで１つの図柄が同じ図柄の前後の図柄なので大当たりに近い印象を持たせることができる。さらに、ハズレは全ての図柄が異なるかまたは２つ同じで１つが同じ図柄の前後以外の図柄（２コマ以上ズレ）なので大当たりから遠い印象を持たせることができる。よって、遊技者の興趣を向上させることができる。
【０６５７】
（付記４８）
特定の小当たり（例えば２Ｒ大当たり偽装用図柄）を装飾図柄で表示する場合は特定のリーチハズレ目を小当たり図柄の組合せに適用してもよい。すなわち、
前記停止図柄態様は、変動表示の表示順序が予め定められた図柄を複数含み、
前記第２特定図柄態様は、第１の図柄態様と第２の図柄態様とを含み、
前記特別遊技状態移行手段は、前記第１の図柄態様の表示及び前記第２特別遊技状態の終了を条件として、前記第３特別遊技状態を開始し、
前記第２の図柄態様は、特定の１つの図柄以外の他の図柄が同じ且つ、前記特定の１つの図柄の表示順序が前記他の図柄の前または後である
ことを特徴とする遊技台。
であってもよい。こうすることで、２Ｒ大当たり偽装用の小当たりに大当たりに近い印象を持たせることができる。
【０６５８】
（付記４９）
図２に示す装飾図柄表示装置１１０には、左図柄表示領域１１０ａ、中図柄表示領域１１０ｂおよび右図柄表示領域１１０ｃが用意されており、それぞれの領域に装飾図柄が表示される。ここでは、左図柄表示領域１１０ａに表示される装飾図柄を第１図柄と称し、中図柄表示領域１１０ｂに表示される装飾図柄を第２図柄と称し、右図柄表示領域１１０ｃに表示される装飾図柄を第３図柄と称することにする。付記７における態様では、装飾図柄表示装置１１０は、これら第１〜第３図柄とは別に第４図柄も含めて表示する。
【０６５９】
装飾図柄表示装置１１０では、左図柄表示領域１１０ａ、中図柄表示領域１１０ｂ、右図柄表示領域１１０ｃの各図柄表示領域において装飾図柄の変動表示が行われている。また、これらの領域１１０ａ〜ｃの下方に設けられた演出表示領域１１０ｄの左下隅の目立ちにくい位置には第４図柄が表示される。この第４図柄は、赤、青、緑などの単色表示を切り替える変動表示を行っている。例えば、小当たり当たりに当選した場合の装飾図柄表示１１０は装飾図柄の変動表示を終了し、左図柄表示領域１１０ａには装飾７の第１図柄１１０１が表示され、中図柄表示領域１１０ｂには装飾６の第２図柄１１０２が表示され、右図柄表示領域１１０ｃには装飾７の第３図柄１１０３が表示される。また、第４図柄も、変動表示を終え、赤色に点灯し続ける。また、例えば、ハズレの場合の装飾図柄表示装置１１０も装飾図柄の変動表示を終了し、左図柄表示領域１１０ａには装飾７の第１図柄１１０１が表示され、中図柄表示領域１１０ｂには装飾６の第２図柄１１０２が表示され、右図柄表示領域１１０ｃには装飾７の第３図柄１１０３が表示される。すなわち、小当たりに当選した場合の装飾図柄の組み合わせと同じ「装飾７−装飾６−装飾７」である。一方、変動表示を終えた第４図柄は、青色に点灯し続ける。すなわち、
前記停止図柄態様は、変動表示の表示順序が予め定められた複数の第１図柄と第２図柄を含み、
前記第２特定図柄態様は、特定の１つの前記第１図柄以外の他の前記第１図柄が同じ且つ、前記特定の１つの第１図柄の表示順序が前記他の第１図柄の前または後且つ、前記第２図柄が第１の態様であり、
前記特別遊技状態開始手段が遊技者に有利な遊技状態を開始しない図柄停止態様は、特定の１つの前記第１図柄以外の他の前記第１図柄が同じ且つ、前記特定の１つの第１図柄の表示順序が前記他の第１図柄の前または後且つ、前記第２図柄が前記第１の態様とは異なる態様である
ことを特徴とする遊技台。
であってもよい。こうすることで、小当たりとハズレの停止表示での違いが第４図柄のみとなるため、小当たりに当選したことを判別し難くさせることができる。また、小当たりに基づいて偽連続予告を行う場合には、偽連続予告を小当たりに基づいて行っていることを遊技者に気づかれにくくすることもできる。
【０６６０】
（付記５０）
対応する乱数の取得が、疑似連開始の条件となる第１の小当たりの場合は可変入賞口１３０を一回開き、対応する乱数の取得が、疑似連開始の条件とならず（隠れ確変を臭わせるための）第２の小当たりの場合は可変入賞口１３０を（２Ｒ確変時と同一回数である）
複数回開いてもよい。すなわち、
前記第２特定図柄態様は第３の図柄態様を含み、
前記図柄表示手段は、前記第３の図柄態様を停止表示する場合の変動表示の変動時間は前記短変動時間であり、
前記特別遊技状態移行手段は、前記図柄表示手段が第３の図柄態様を停止表示したことを条件として、遊技者に有利な第３特別遊技状態を開始し、
前記第２特別遊技状態は、大特別遊技状態と前記大特別遊技状態よりも有利度の低い小特別遊技状態とを含み、
前記特別遊技状態移行手段は、前記第１の図柄態様（例えば偽連続予告による小当たり）を停止表示した後に前記小特別遊技状態を開始し、前記第２の図柄態様（２Ｒ大当たり偽装小当たり）または前記第３の図柄態様（２Ｒ確変大当たり）を停止表示した後に前記大特別遊技状態を開始する
ことを特徴とする遊技台。
であってもよい。こうすることで、第１の図柄態様を停止表示する場合には偽連続予告によって遊技者に期待させる演出を行っておきながら第１特別遊技状態は開始せずに小特別遊技状態を開始する。このため、第１特別遊技状態が開始されないことによる遊技者の落胆を軽減させることができる。また、第１の図柄態様を停止表示する場合には、第３の図柄態様を停止表示する場合と同様に大特別遊技状態を開始するため、大特別遊技状態の終了後に第３特別遊技状態となるか否かについて遊技者が期待することができる。
【０６６１】
（付記５１）
第１の図柄態様（偽連続予告による小当たり）のうちの１または全部は、第２の図柄態様（２Ｒ大当たり偽装小当たり）のうちの１または全部よりも、外れの場合の特図の停止態様に近く、第２の図柄態様のうちの１または全部は、第１の図柄態様のうちの１または全部よりも、２Ｒ確変時の特図の停止態様に近くてもよい。例えば、図３（ａ）に示すように特図表示装置１１４が７セグメントＬＥＤを用いて図柄を表示するものであれば、セグの本数や点灯位置を外れの場合の特図の停止態様に近づけてもよいし、あるいは２Ｒ確変時の特図の停止態様に近づけてもよい。すなわち、
前記第１の図柄態様のうちの１または全部は、前記第２の図柄態様のうちの１または全部よりも、遊技者に有利とならない場合の特図の停止態様に近く、
前記第２の図柄態様のうちの１または全部は、前記第１の図柄態様のうちの１または全部よりも、前記第３の図柄態様に近い
ことを特徴とする遊技台。
であってもよい。こうすることで、第２の図柄態様が第１の図柄態様よりも第３の図柄態様に近いため、第２の図柄態様を第３の図柄態様と遊技者に誤認させることができ、遊技者に遊技を継続させることができる。また、第１の図柄態様が第２の図柄態様よりもハズレの図柄態様に近いため、第１の図柄態様に大当たりから遠い印象を持たせることができる。
【０６６２】
（付記５２）
第１特図始動口１２６と第２特図始動口１２８では小当たり当選時の第１の小当たり（連続予告の契機）と第２の小当たり（潜伏混同）の振分が異なってもよく、第２特図始動口１２８は第１特図始動口１２６よりも第１の小当たりに振り分けられる確率が高くてもよい。すなわち、
前記図柄表示手段は、第１図柄表示手段と第２図柄表示手段とを含み、
前記始動口は、第１始動口と、遊技球が入賞し易い状態と遊技球が入賞し難い状態との間で変化可能な第２始動口と、を含み、
前記第１図柄表示手段は、前記第１始動口へ遊技球が進入した場合に変動停止表示を行い、前記第２図柄表示手段は、前記第２始動口へ遊技球が進入した場合に変動停止表示を行い、
前記第１の図柄態様を停止表示する可能性が前記第１図柄表示手段よりも前記第２図柄表示手段のほうが高い
ことを特徴とする遊技台。
であってもよい。こうすることで、第１図柄表示手段よりも第２図柄表示手段のほうが連続予告をより多く遊技者に見せることができる。
【０６６３】
（付記５３）
第２特図始動口１２８では小当たりに基づかずに連続予告する確率が、第１特図始動口１２６の場合より高くてもよい。なお、主制御部３００のＣＰＵ３０４は、特別図柄の抽選結果が外れの場合に所定確率（例えば、１／１２８）の抽選を行い、当選したことに基づいて連続予告を行ってもよい。すなわち、
前記予告報知手段は、所定確率の抽選に当選したことに基づいて前記予告報知を行い、
前記第１図柄表示手段よりも前記第２図柄表示手段に基づく前記図柄変動停止表示のほうが前記所定確率の抽選に当選する可能性が高い
ことを特徴とする遊技台。
であってもよい。こうすることで、第１図柄表示手段よりも第２図柄表示手段のほうが連続予告をより多く遊技者に見せることができる。
【０６６４】
なお、特図の種類は図３（ａ）に示すものに限定されない。例えば、大当たりのラウンド数（２Ｒまたは１５Ｒ）、時短の有無、確変の有無などの条件の全ての組み合わせを採用してもよい。
【０６６５】
（付記５４）
また、特図１および特図２を有する態様として、特図１に対応する第１特図始動口（非ＶＩＰ）、第３特図始動口（ＶＩＰ）を備えるとともに、特図２に対応する第２特図始動口（電チュー）を備え、第３始動口入賞で抽出した乱数が特定の小当たりの判定値の場合に連続予告を開始する確率は、第１始動口入賞で抽出した乱数が特定の小当たりの判定値の場合に連続予告を開始する確率より高くしても良い。すなわち、
前記始動口は、第３始動口を含み、
前記第１図柄表示手段は、前記第３始動口へ遊技球が進入した場合に変動停止表示を行い、
前記第１始動口への遊技球の進入に基づく図柄変動停止表示よりも前記第３始動口への遊技球の進入に基づく図柄変動停止表示のほうが、前記予告報知手段が前記予告報知を行う可能性が高い
ことを特徴とする遊技台。
であってもよい。こうすることで、第１始動口に入賞させた場合よりも第３始動口に入賞させた方が期待感が持てる演出が展開されやすいといったメリハリを持たせたゲーム性を実現することができる場合がある。
【０６６６】
なお、特定の小当たりの条件となった特図始動口が第１特図始動口であっても第３特図始動口であっても、その特定の小当たりに当選したことを示す図柄の組合せを報知するための図柄の変動時間を決定する抽選は同一条件で行われる。
【０６６７】
（付記５５）
また、第１始動口と第３始動口とでは、第３始動口のほうが第１始動口よりも遊技球が入賞し難くてもよい。すなわち、
前記第１始動口よりも前記第３始動口のほうが遊技球が入賞し難い
ことを特徴とする遊技台。
であってもよい。こうすることで、第３始動口のほうが入賞し難い分、第１始動口入賞に基づく図柄変動停止表示では選ばれにくい予告報知を行い易くしているため、第３始動口
へ遊技球が入賞することで予告報知が行われるかもしれないと遊技者に思わせることができ、第３始動口への入賞自体に興味を抱かせることができる場合がある。
【０６６８】
（付記５６）
第１の始動口（例えば第１特図始動口１２６）、および相対的に入賞しやすい入賞容易状態（例えば普図高確率状態）と相対的に入賞しにくい入賞困難状態（例えば普図低確率状態）とのうちのいずれか一方の状態をとる第２の始動口（例えば第２特図始動口１２８）を有する遊技台において、
遊技者に付与する利益量の抽選を、前記第１の始動口および前記第２の始動口のいずれか一方の始動口に入賞したことに基づいて行う抽選手段と、
前記抽選手段が行う抽選の抽選結果の報知を行うものあって、前記第２の始動口への入賞に基づく抽選の抽選結果の報知を、前記第１の始動口への入賞に基づく抽選の抽選結果の報知よりも優先して行う抽選結果報知手段と、
前記抽選結果を報知する前に、該抽選結果が遊技者にとって有利な結果であることを遊技者に期待させる予告情報を含む予告報知を行う予告報知手段と、を備え、
前記予告報知手段は、
前記第２の始動口の状態が前記入賞容易状態である場合における前記第１の始動口への入賞に基づく抽選の抽選結果に対する予告報知を行うにあたり、該第２の始動口の状態が前記入賞困難状態に移行したことを該予告報知を行う条件の一つにして、該予告報知を行うものであることを特徴とする遊技台。
【０６６９】
（付記５７）
付記５６記載の遊技台において、
前記抽選手段が抽選を行う前に、該抽選の結果がどのような抽選結果になるかの判定を行い、前記予告報知を行うか否かについて、該判定の結果に基づいて決定する予告報知決定手段を備え、
前記予告報知手段は、前記予告報知決定手段が前記予告報知を行うと決定したときに判定した抽選の結果に対する予告報知を行うものであることを特徴とする遊技台。
【０６７０】
（付記５８）
付記５６乃至５７のいずれかに記載の遊技台において、
前記予告報知手段は、
前記第２の始動口への入賞に基づく抽選の抽選結果に対する予告報知を、該第２の始動口の状態が入賞容易状態であっても行うものであることを特徴とする遊技台。
【０６７１】
（付記５９）
付記５７に記載の遊技台において、
前記予告報知決定手段が決定した、前記第１の始動口への入賞に基づく抽選の抽選結果に対する予告報知を行うことを、前記第２の始動口の状態が前記入賞容易状態である場合に記憶する予告報知決定記憶部を備え、
前記予告報知手段は、
前記予告報知決定記憶部の記憶に基づいて、前記第１の始動口に遊技球が入賞したことに基づく抽選の抽選結果に対する予告報知を行うものであることを特徴とする遊技台。
【０６７２】
（付記６０）
付記５６乃至５９のいずれかに記載の遊技台において、
この遊技台が、前記抽選手段による抽選結果が特定の抽選結果であったことによって、前記第２の始動口の状態が前記入賞困難状態になるものの遊技者に付与する利益量は増大する特別遊技状態へ移行するものであり、
前記予告報知手段は、
前記第１の始動口への入賞に基づく抽選の抽選結果に対する予告報知を、前記特別遊技状態が終了したことを該予告報知を行う条件の一つにして、該予告報知を行うものであることを特徴とする遊技台。
【０６７３】
（付記６１）
付記６０記載の遊技台において、
この遊技台が、前記抽選手段による抽選結果が前記特定の抽選結果であったことによって、前記特別遊技状態終了後に所定条件を満たすまで前記第２の始動口の状態が前記入賞容易状態になるものであり、
前記予告報知手段は、
前記抽選手段による抽選結果が前記特定の抽選結果である場合に、前記第１の始動口への入賞に基づく抽選の抽選結果に対する予告報知を、前記特別遊技状態が終了したことを該予告報知を行う条件の一つにするとともに、前記所定条件が満たされたことも該予告報知を行う条件の一つに加えて、該予告報知を行うものであることを特徴とする遊技台。
【０６７４】
（付記６２）
付記５６乃至６１のいずれかに記載の遊技台において、
前記予告報知手段が、前記予告報知を行うことを指示する指示手段と、該指示手段からの指示を受けて該予告報知を実行する実行手段とを有するものであり、
この遊技台が、
前記抽選手段と、前記指示手段とを含む第１の制御部と、
前記実行手段を含む、前記第１の制御部とは異なる第２の制御部と、
を備え、
前記指示手段は、
前記第２の始動口の状態が前記入賞容易状態である場合には、前記実行手段に対して前記予告報知の指示を行わず、前記第２の始動口の状態が前記入賞困難状態に移行したことを該予告報知の指示を行う条件の一つにして、該実行手段に対して該予告報知の指示を行うものであることを特徴とする遊技台。
【０６７５】
（付記６３）
付記６２に記載の遊技台において、
前記第２の制御部は、
前記予告報知とは別に、遊技の興趣を高める演出を行う演出手段を備え、
前記演出手段は、
前記第２の始動口が前記入賞容易状態である際に、前記演出として、前記実行手段が前記第２の始動口の状態が前記入賞困難状態になった場合に行う予告報知につながる演出を行うことを特徴とする遊技台。
【０６７６】
（付記６４）
第１の予告報知の報知内容に基づいて第２の予告報知の報知内容を決定する態様であってもよい。すなわち、
所定の抽選条件が成立したことに基づいて遊技者に付与する利益量の抽選を行う抽選手段と、
図柄の変動表示を行ってから前記抽選の結果を表す停止図柄を表示する図柄変動表示を実行する図柄表示手段と、
前記抽選の結果が遊技者にとって有利な結果であることを該遊技者に期待させる第１の予告演出、および該第１の予告演出とは異なる、該抽選の結果が遊技者にとって有利な結果であることを該遊技者に期待させる第２の予告演出を実行する予告演出手段と、
を備え、
前記予告演出手段は、
前記第１の予告演出および前記第２の予告演出のいずれか一方の予告演出における演出内容に基づいて、他方の予告演出における演出内容を決定することを特徴とする遊技台。
【０６７７】
（付記６５）
また、第１の予告報知は変動時に行われる予告で、第２の予告報知は変動前に行われる予告であってもよい。すなわち、
付記６４に記載の遊技台において、
前記予告演出手段は、
前記第１の予告演出として、前記図柄変動表示における図柄の変動表示中に変動中予告演出を実行するとともに、前記第２の予告演出として、前記図柄表示手段が図柄の変動表示を開始する前に変動前予告演出を実行することを特徴とする遊技台。
【０６７８】
（付記６６）
また、一連の図柄変動表示の時間は固定であってもよい。すなわち、
付記６４乃至６５のいずれかに記載の遊技台にあって、
前記図柄変動表示において図柄が変動表示している変動時間を決定する図柄変動時間決定手段を備え、
前記図柄表示手段は、
前記図柄変動時間決定手段が決定した変動時間にわたって図柄の変動表示を行い、
前記予告演出手段は、
前記図柄変動時間決定手段が決定した変動時間を変更せずに、前記他方の予告演出における演出内容を決定することを特徴とする遊技台。
【０６７９】
（付記６７）
また、変動前予告報知は先読み判定に基づいて行ってもよい。すなわち、
付記６５に記載の遊技台において、
前記抽選手段が抽選を行う前に、該抽選の結果がどのような抽選結果になるかの判定を行う先読み手段を備え、
前記予告演出手段が、前記先読み手段による判定の結果を参照して前記変動前予告演出における演出内容を決定することを特徴とする遊技台。
【０６８０】
（付記６８）
また、一連の図柄変動にはリーチ前変動とリーチ後変動があってもよい。すなわち、
付記６５又は６７に記載の遊技台において、
前記図柄表示手段は、図柄の変動表示を開始した直後には初期態様で図柄の変動表示を行い、所定の条件が成立したことに基づいて停止図柄を表示する前にリーチ態様で図柄の変動表示を行うものであり、
前記予告演出手段が、前記変動中予告演出として、前記初期態様による図柄の変動表示が行われている最中にはリーチ前予告演出を実行するとともに該リーチ態様による図柄の変動表示が行われている最中にはリーチ中予告演出を実行し、該リーチ前予告演出および前記変動前予告演出のいずれか一方の予告演出における演出内容に基づいて、他方の予告演出における演出内容を決定することを特徴とする遊技台。
【０６８１】
（付記６９）
また、報知の度合いを調節してもよい。すなわち、
付記６４乃至６８に記載の遊技台において、
前記予告演出手段は、
前記第１の予告演出と前記第２の予告演出との間で演出効果の度合いを異ならせて該第１の予告演出および該第２の予告演出を実行するものであることを特徴とする遊技台。
【０６８２】
（付記７０）
付記６９に記載の遊技台において、
前記予告演出手段は、前記第１の予告演出における演出効果の度合いと前記第２の予告演出における演出効果の度合いとの差が小さい組み合わせになる該第１の予告演出と該第２の予告演出の組み合わせを実行する確率よりも、該差が大きな組み合わせになる該第１の予告演出と該第２の予告演出の組み合わせを実行する確率の方が高いことを特徴とする遊技台。
【０６８３】
（付記７１）
また、予告報知内容とは、具体的には予告時間であってもよい。すなわち、
付記６４乃至７０のいずれかに記載の遊技台において、
前記予告演出手段は、
前記第１の予告演出および前記第２の予告演出のいずれか一方の演出時間に基づいて、他方の演出時間を決定することを特徴とする遊技台。
【０６８４】
（付記７２）
また、リーチ前予告はいわゆる擬似連であってもよい。すなわち、
付記６８に記載の遊技台において、
前記予告演出手段は、前記リーチ前予告演出として、前記初期態様による図柄の変動表示が行われている最中に、前記図柄の停止表示が行われたかのように見せかける擬似停止表示および該図柄の変動表示が開始されたかのように見せかける擬似変動開始を１又は複数回行うとともに、該擬似停止表示の前毎に前記抽選の結果が遊技者にとって有利な結果であることを該遊技者に期待させる擬似停止前予告演出を実行するものであって、さらに前記変動前予告演出の演出内容に基づいて、該擬似停止表示の回数を決定することを特徴とする遊技台。
【０６８５】
（付記７３）
付記６４に記載の遊技台において、
前記抽選手段が抽選を行う前に、該抽選の結果がどのような抽選結果になるかの判定を行う先読み手段を備え、
前記予告演出手段は、
前記第１の予告演出として、前記先読み手段が判定した抽選の結果を表す停止図柄を表示する特定図柄変動表示における図柄の変動表示中に特定図柄変動予告演出を実行するとともに、前記第２の予告演出として、該特定図柄変動表示の前に１又は複数回行われる先図柄変動表示のうち決定した回数の先図柄変動表示において停止図柄を表示する前毎に先図柄変動予告演出を実行するものであることを特徴とする遊技台。
【０６８６】
（付記７３）
付記７２に記載の遊技台において、
前記図柄表示手段は、前記特定図柄変動表示において、図柄の変動表示を開始した直後には初期態様で図柄の変動表示を行い、所定の条件が成立したことに基づいて停止図柄を表示する前にリーチ態様で図柄の変動表示を行うものであり、
前記予告演出手段が、前記特定図柄変動予告演出として、前記初期態様による図柄の変動表示が行われている最中にはリーチ前予告演出を実行するとともに該リーチ態様による図柄の変動表示が行われている最中にはリーチ中予告演出を実行し、該リーチ前予告演出および前記先図柄変動予告演出のいずれか一方の予告演出における演出内容に基づいて、他方の予告演出における演出内容を決定することを特徴とする遊技台。
【０６８７】
（付記７４）
付記７３に記載の遊技台において、
前記予告演出手段は、前記リーチ前予告演出として、前記初期態様による図柄の変動表示が行われている最中に、前記図柄の停止表示が行われたかのように見せかける擬似停止表示および該図柄の変動表示が開始されたかのように見せかける擬似変動開始を１又は複数回行うとともに、該擬似停止表示の前毎に前記抽選の結果が遊技者にとって有利な結果であることを該遊技者に期待させる擬似停止前予告演出を実行するものであって、さらに前記先図柄変動予告演出の演出内容に基づいて、該擬似停止表示の回数を決定することを特徴とする遊技台。
【０６８８】
（付記７５）
付記７４に記載の遊技台において、
前記予告演出手段が、前記先図柄変動予告演出を行う回数に基づいて、前記擬似停止表示を行う回数を決定するものであることを特徴とする遊技台。
【０６８９】
（付記α）
所定の条件が成立した場合に特図の変動時間を変更する特図変動時間変更部を備えてもよい。
【０６９０】
該特図変動時間変更部は、遊技者が操作可能な操作部の入力に基づいて変動時間を変更するようにしてもよい。
【０６９１】
さらに、該特図変動時間変更部は、変動時間を短縮するように変更する場合に、可動物の可動態様に基づいて、短縮形態を異なるようにしてもよい。たとえば、シャッタの変動開始前の初期位置が全開状態である場合に、シャッタが全開している場合は、全閉している場合よりも変動時間をより短縮するようにしてもよい。これば、シャッタが全閉している場合は、全閉から初期位置である全開位置に移動するまでの時間を稼ぐために行うものである。なお、可動物の可動態様が所定の態様に基づいて、図柄確定表示時間を異ならせるようにしてもよい。
【０６９２】
また、特図１と特図２を備えた遊技台において、前記特図変動時間変更部による特図変動時間を変更前よりも長くする変更は特図２の変動のみに対して行えるようにしてもよい。この場合、特図２の抽選は特図１の抽選よりも有利な抽選結果が得られやすいようにしてもよい。また、特図２の変動は特図１の変動よりも優先して行われるようにしてもよい。これにより、たとえば、普図高確率状態などで特図２に対応する特図２始動口に入賞しやすくなった場合に、遊技者は特図２始動口での変動を続けなれければ特図１の抽選が行われ、不利な大当たりが当たってしまう場合があるため、休憩することなく遊技を続けることが最も遊技者にとって有利となる。しかし、休憩をとりたい場合もある。そこで、特図２の変動時のみ、前記特図変動時間変更部による特図変動時間を変更前よりも長くする変更ができるようにした。なお、特図２の変動時であり、かつ、時短遊技中である場合にのみ、前記特図変動時間変更部による特図変動時間を変更前よりも長くする変更ができるようにしてもよい。ここで、特図１の変動時に前記特図変動時間変更部による特図変動時間を変更前よりも長くする変更ができないようにしたのは、変動時間を長くすることにより、単位時間あたりの遊技回数が落ちてしまい、遊技店の稼動が悪くなってしまうためである。
【０６９３】
また、特図１と特図２を備え、特図２が特図１よりも優先変動し、特図２が特図１よりも有利な抽選結果が得られやすい遊技台において、前記特図変動時間変更部による特図変動時間を変更前よりも長くする変更は、特図２始動口に入賞しやすい状態であり、かつ、特図１の変動中であり、かつ、特図２始動口に保留がない場合に限って行うようにしてもよい。また、特図１の変動中に特図２の保留が所定の数（たとえば２個）溜まった場合は、特図１の変動時間を短縮するようにしてもよい。特図２に入賞しやすい状態では特図１
での抽選が行われることは望ましくないため、特図２の保留が溜まらず特図１の抽選が行われた場合は、その抽選に対する抽選結果の報知である特図１変動は極力長いほうが望ましい。しかし、特図２に所定の数以上の保留が溜まった場合は、長いままではないほうがよい、もしくは短くしたいという要望があるため、短くするようにした。
【０６９４】
また、従来の遊技台では、遊技球が入賞したことに基づいて、任意のカウント値を取得し、そのカウント値を用いて所定の抽選を行い、抽選結果に基づいて遊技を進行していくことが行われる。
【０６９５】
このような従来の遊技台において、抽選の結果が所定の結果である場合に、予告報知と称される演出を行う遊技台が知られている。この遊技台では、遊技者に付与する利益量の抽選を、取得したカウント値を用いて行い、その抽選結果が遊技者にとって有利な結果であることを示唆する予告報知を、抽選結果を報知する前に行う。この予告報知を行うか否かについては、取得したカンウト値に基づいて抽選を行うよりも前に判定される。
【０６９６】
しかしながら、遊技台には複数の遊技状態が用意されていることがあり、予告報知を行うか否かについての判定を行ってから利益量の抽選を行うまでの間に遊技状態が変化してしまうことがあるとともに、遊技状態によっては抽選結果が異なることもある。そのため、遊技状態の変化時などに、改めてもう一度予告報知の判定を迫られる場合があり、処理負荷が集中してしまう問題があった。
【０６９７】
上記問題を解決する遊技台は、第１の遊技状態と、その第１の遊技状態よりも遊技者に有利な第２の遊技状態をとる遊技台において、
遊技球が所定領域を通過したことに基づいて、任意のカウント値を取得するカウント値取得部と、
所定の抽選条件が成立したことに基づいて上記カウント値を用いて所定の抽選を行い、上記カウント値が所定のカウント値であった場合に上記第１の遊技状態と上記第２の遊技状態とでは異なる抽選結果を選択する抽選部と、
上記抽選の結果が所定の結果である場合に、予告報知を実行する予告報知部と、
上記第１の遊技状態ではどのような上記予告報知を行うことになるかの第１の遊技状態判定、および上記第２の遊技状態ではどのようなその予告報知を行うことになるかの第２遊技状態判定双方の判定を上記抽選部が抽選を行う前に、上記カウント値取得部が取得したカウント値に基づいて実行し、その第１遊技状態判定の結果およびその第２遊技状態判定の結果双方の両判定結果を取得する事前判定部と、
上記両判定結果のうち、上記予告報知部が上記予告報知を実行するべきタイミングにおける遊技状態に応じた判定結果を参照して、上記予告報知を行うか否かを決定する予告報知決定部とを備え、
上記予告報知部が、上記予告報知決定部が上記予告報知を行うと決定したことに基づいてその予告報知を実行するものであることを特徴とする。
【０６９８】
ここにいう所定の抽選は、遊技者に付与する利益量の抽選であってもよいし、あるいはどのような上記予告報知を行うかの抽選等であってもよい。また、上記予告報知は、広く演出を意味する。さらに、上記第１の遊技状態判定および上記第２の遊技状態判定それぞれにおける、どのような上記予告報知を行うことになるかの判定には、予告報知時間、予告報知開始タイミング、予告報知終了タイミング、予告報知回数、予告報知態様、予告報知パターン、予告報知における演出効果の度合い等が含まれる。ここにいう予告報知時間には０秒も含まれ、予告報知回数には０回も含まれる。すなわち、予告報知を行うか否かの判定も含まれる。また、演出態様は、文字、図形、記号若しくはこれらの結合またはこれらと色彩との結合によって構成された動画像または静止画像、あるいは音や光による演出態様であってもよい。
【０６９９】
上記問題を解決する遊技台によれば、上記第１の遊技状態と上記第２の遊技状態とで異なる判定をされるカウント値があり、そのカウント値の判定が上記予告報知にも影響を与える場合に、第１の遊技状態と第２の遊技状態の情報を予め取得しておき、予告報知実行時の遊技状態に基づいてその情報を使い分ける。したがって、遊技台の処理負荷を分散することができる。
【０７００】
また、上記問題を解決する遊技台において、上記抽選部は、
所定の抽選条件が成立したことに基づいて遊技者に付与する利益量の抽選を上記カウント値を用いて行い、第１の抽選結果およびその第１の抽選結果よりもその利益量が多い第２の抽選結果を含む複数の抽選結果の中からいずれか一つの抽選結果を選択するものであって、上記第１の遊技状態と上記第２の遊技状態とではその第２の遊技状態の方がその第２の抽選結果を選択する確率が高いものであり、さらに、その抽選を行うことを所定回数まで保留可能であって、保留がある場合にはその所定の抽選条件が成立する度に保留している抽選を順に行うものであってもよい。
【０７０１】
ここで、上記第１遊技状態判定の結果および上記第２遊技状態判定の結果には、上記予告報知を行うか否か等の判定結果の他、その抽選の結果が上記第２の抽選結果であれば予告報知が行われることがある場合には、上記抽選の結果がどのような抽選結果になるかの判定結果等も含まれる。すなわち、上記事前判定部が、上記第１遊技状態判定を行うことによって上記第１の遊技状態において上記抽選の結果がどのような抽選結果になるのかの判定結果を取得するとともに、上記第２遊技状態判定を行うことによって上記第２の遊技状態においてその抽選の結果がどのような抽選結果になるのかの判定結果も取得するものであってもよい。また、図柄の変動表示を行ってから上記抽選の結果を表す停止図柄を表示するまでの一連の図柄変動停止表示を実行する図柄表示部を備え、上記事前判定部が、上記第１遊技状態判定を行うことによって上記第１の遊技状態における上記抽選の結果を表す停止図柄がどのような停止図柄になるのかの判定結果を取得するとともに、上記第２遊技状態判定を行うことによって上記第２の遊技状態における上記抽選の結果を表す停止図柄がどのような停止図柄になるのかの判定結果も取得するものであってもよい。
【０７０２】
また、上記問題を解決する遊技台において、上記事前判定部は、上記両判定結果のうち、出力時の遊技状態に応じた判定結果を、上記予告報知決定部に出力するものであってもよい。
【０７０３】
ここにいう出力時は、上記予告報知部が上記予告報知を実行するべきタイミングまで遊技状態が変化しない期間内であればいつでも良く、例えば、上記抽選時であってもよい。
【０７０４】
また、上記問題を解決する遊技台において、上記両判定結果を記憶する判定結果記憶部を備え、
上記事前判定部は、上記カウント値取得部が取得するカウント値よりも小さなデータ容量の上記両判定結果を取得するものであってもよい。
【０７０５】
また、上記問題を解決する遊技台において、上記事前判定部は、上記カウント値取得部が上記カウント値を取得した際に、上記第１遊技状態判定を行うとともに上記第２遊技状態判定も行うものであってもよい。
【０７０６】
さらに、上記問題を解決する遊技台において、図柄の変動表示を行ってから上記抽選の結果を表す停止図柄を表示するまでの一連の図柄変動停止表示を実行する図柄表示部を備え、
上記予告報知部が、
上記抽選の結果が第２の抽選結果になることを遊技者に期待させる予行報知を、上記図柄表示部が上記停止図柄を表示する前に実行し、上記抽選部が保留している上記抽選の中に、特定の予告報知を行うことになるカウント値を用いた抽選が含まれている場合には、その特定の予告報知を行うことになるカウント値を用いた抽選の結果を表す停止図柄を表示する特定図柄変動停止表示とその特定図柄変動停止表示よりも前に１又は複数回行われる先図柄変動停止表示との双方の図柄変動停止表示における各停止図柄の表示前毎にその予告報知を実行するものであり、
上記予告報知決定部は、上記予告報知部が上記予告報知を実行するべき上記各停止図柄の表示前毎の遊技状態に応じた判定結果を参照して、その各停止図柄の表示前毎に上記予告報知を行うか否かを決定するものであってもよい。
【０７０７】
こうすることで、上記カウント値が、遊技状態が変わった後でも予告報知を行うことになるカウント値であれば予告報知を実行し、遊技状態が変わった後では予告報知を行わないカウント値であれば予告報知を中止することになる。
【０７０８】
ここで、上記予告報知部が、上記抽選の結果が第２の抽選結果になることを遊技者に期待させる予行報知を行ったからといって、その予告報知を行った抽選結果が上記第２の抽選結果になるとは限らない。
【０７０９】
また、上記問題を解決する遊技台において、上記カウント値取得部は、遊技球が第１の所定領域を通過したことに基づいて任意のカウント値を取得するとともに、遊技球が相対的に通過しやすい通過容易状態と相対的に通過しにくい通過困難状態とのうちのいずれか一方の状態をとる第２の所定領域を通過したことに基づいても任意のカウント値を取得するものであり、
上記抽選部は、遊技球が上記第２の所定領域を通過したことに基づいて取得したカウント値を用いての抽選を、遊技球が上記第１の所定領域を通過したことに基づいて取得したカウント値を用いての抽選よりも優先して行うものであってもよい。
【０７１０】
さらに、上記問題を解決する遊技台において、所定の条件に基づいて上記第１の遊技状態と上記第２の遊技状態との間で遊技状態を切替え、その第１の遊技状態からその第２の遊技状態への遊技状態の切替えを、上記抽選部による抽選が所定回数行われたことを少なくとも一つの条件にして実行する遊技状態切替部を備えた態様であってもよい。
【０７１１】
ここで、上記抽選部は、上記図柄表示部が上記図柄変動停止表示を実行している最中には上記抽選を行わないものである場合には、上記遊技状態切替部を備えることで、上記図柄表示部が上記図柄変動停止表示を開始する前における遊技状態が、上記予告報知部が上記予告報知を実行するべきタイミングにおける遊技状態に一致する。
【０７１２】
また、上記抽選部は、上記図柄表示部が上記図柄変動停止表示を実行している最中には上記抽選を行わないものであってもよい。
【０７１３】
さらにまた、上記抽選部が、上記抽選の結果を表す情報を上記図柄表示部に出力するものであり、
上記事前判定部は、上記抽選部が上記抽選の結果を表す情報を上記図柄表示部に出力する際に、上記両判定結果のうち、出力時の遊技状態に応じた判定結果を、上記予告報知決定部に出力するものであってもよい。
【０７１４】
ここにいう出力時は、上記予告報知部が上記予告報知を実行するべきタイミングまで遊技状態が変化しない期間内であればいつでも良く、例えば、上記抽選時であってもよい。
【０７１５】
（付記ＰＲ−１）
第一の図柄表示手段と、
第二の図柄表示手段と、
複数種類の先読み予告を実行可能な先読み予告手段と、
前記第一の図柄表示手段の作動が保留されていることを示す保留数を報知可能な保留表示手段と、
を備えた遊技台であって、
前記保留表示手段は、保留表示の数によって前記保留数を報知する手段であり、
前記複数種類の先読み予告のうちの一の予告は、第一の先読み予告であり、
前記複数種類の先読み予告のうちの一の予告は、第二の先読み予告であり、
前記先読み予告手段は、前記第一の先読み予告として連続予告を実行可能な手段であり、
前記連続予告が実行されている期間中に前記第二の図柄表示手段による図柄変動表示が割り込んで実行される場合に、該図柄変動表示の実行中にも該連続予告が継続されるように構成されており、
前記先読み予告手段は、前記連続予告として、前記保留表示を予告表示態様により表示させることが可能な手段であり、
前記第一の先読み予告は、前記第一の図柄表示手段に関する先読み予告であり、非時短状態においてのみ実行可能に構成されている、
ことを特徴とする遊技台。
【０７１６】
（付記ＰＲ−２）
付記ＰＲ−１に記載の遊技台であって、
第一の始動領域と、
第二の始動領域と、
を備え、
前記第一の図柄表示手段は、前記第一の始動領域に遊技球の入賞があったことを一つの条件として、第一の図柄変動表示を開始可能な表示手段であり、
前記第二の図柄表示手段は、前記第二の始動領域に遊技球の入賞があったことを一つの条件として、第二の図柄変動表示を開始可能な表示手段であり、
前記第二の始動領域は、入り口の大きさが変化するように構成された領域であって、前記非時短状態よりも時短状態の方が、入り口の大きさが変化しやすいように構成された領域であり、
前記図柄変動表示は、前記非時短状態において実行可能な表示であり、前記時短状態においても実行可能な表示である、
ことを特徴とする遊技台。
【０７１７】
（付記ＰＲ−３）
付記ＰＲ−２に記載の遊技台であって、
前記第二の図柄変動表示は、前記第一の図柄変動表示よりも優先して実行可能な図柄変動表示である、
ことを特徴とする遊技台。
【０７１８】
（付記ＰＲ−４）
付記ＰＲ−２又はＰＲ−３に記載の遊技台であって、
前記第一の図柄表示手段および前記第二の図柄表示手段の制御を実行可能な制御手段を備え、
前記制御手段は、第一の保留条件の成立があった場合に、前記第一の図柄表示手段の作動を保留する制御を実行し、第二の保留条件の成立があった場合に、前記第二の図柄表示手段の作動を保留する制御を実行し、第一の保留消化条件の成立があった場合に、該第一の図柄表示手段を作動させる制御を実行し、第二の保留消化条件の成立があった場合に、該第二の図柄表示手段を作動させる制御を実行する手段であり、
前記第二の保留消化条件の成立要件は、前記第二の図柄表示手段の作動が保留されていることを含む要件であり、
前記第一の保留消化条件の成立要件は、前記第二の図柄表示手段の作動が保留されていないことを含む要件であり、前記第一の図柄表示手段の作動が保留されていることを含む要件である、
ことを特徴とする遊技台。
【０７１９】
（付記ＰＲ−５）
付記ＰＲ−２乃至付記ＰＲ−４のうちいずれか１に記載の遊技台であって、
前記先読み予告手段は、第一の先読み予告実行条件の成立があった場合に、前記第一の先読み予告を実行する手段であり、
前記第一の図柄変動表示および前記第二の図柄変動表示は、当否判定の結果に対応する図柄態様を、図柄の変動表示を行った後に停止表示する図柄変動表示であり、
前記第一の先読み予告実行条件は、前記第一の先読み予告の対象になる当否判定の結果が特定の当否判定結果となる場合であり、且つ第一の先読み予告条件が満たされた場合に、成立する条件である、
ことを特徴とする遊技台。
【０７２０】
（付記ＰＲ−６）
付記ＰＲ−５に記載の遊技台であって、
前記第一の先読み予告条件は、第一の確率で当選となる第一の予告抽選が実行され、且つ該第一の予告抽選に当選した場合に、成立する条件である、
ことを特徴とする遊技台。
【０７２１】
（付記ＰＲ−７）
付記ＰＲ−５又はＰＲ−６に記載の遊技台であって、
前記第一の先読み予告実行条件は、前記第一の先読み予告の対象になる当否判定の結果が前記特定の当否判定結果とは別の当否判定結果となる場合であり、且つ第二の先読み予告条件が満たされた場合に、成立する条件である、
ことを特徴とする遊技台。
【０７２２】
（付記ＰＲ−８）
付記ＰＲ−７に記載の遊技台であって、
前記第二の先読み予告条件は、第二の確率で当選となる第二の予告抽選が実行され、且つ該第二の予告抽選に当選した場合に、成立する条件である、
ことを特徴とする遊技台。
【０７２３】
（付記ＰＲ−９）
付記ＰＲ−２乃至付記ＰＲ−４のうちいずれか１に記載の遊技台であって、
前記先読み予告手段は、第二の先読み予告実行条件の成立があった場合に、前記第二の先読み予告を実行する手段であり、
前記第一の図柄変動表示および前記第二の図柄変動表示は、当否判定の結果に対応する図柄態様を、図柄の変動表示を行った後に停止表示する図柄変動表示であり、
前記第二の先読み予告実行条件は、前記第二の先読み予告の対象になる当否判定の結果が特定の当否判定結果となる場合であり、且つ第三の先読み予告条件が満たされた場合に、成立する条件である、
ことを特徴とする遊技台。
【０７２４】
（付記ＰＲ−１０）
付記ＰＲ−９に記載の遊技台であって、
前記第三の先読み予告条件は、第三の確率で当選となる第三の予告抽選が実行され、且つ該第三の予告抽選に当選した場合に、成立する条件である、
ことを特徴とする遊技台。
【０７２５】
（付記ＰＲ−１１）
付記ＰＲ−９又はＰＲ−１０に記載の遊技台であって、
前記第二の先読み予告実行条件は、前記第二の先読み予告の対象になる当否判定の結果が前記特定の当否判定結果とは別の当否判定結果となる場合であり、且つ第四の先読み予告条件が満たされた場合に、成立する条件である、
ことを特徴とする遊技台。
【０７２６】
（付記ＰＲ−１２）
付記ＰＲ−１１に記載の遊技台であって、
前記第四の先読み予告条件は、第四の確率で当選となる第四の予告抽選が実行され、且つ該第四の予告抽選に当選した場合に、成立する条件である、
ことを特徴とする遊技台。
【０７２７】
（付記ＰＲ−１３）
付記ＰＲ−４に記載の遊技台であって、
前記先読み予告手段は、第一の先読み予告条件の成立があった場合に、前記第一の先読み予告を実行する手段であり、
前記制御手段は、当否判定を実行可能な当否判定手段を含む第一の制御手段であり、
前記第一の制御手段からのコマンドに基づいて制御を実行可能な第二の制御手段を備え、
前記第二の制御手段は、前記第一の制御手段とは別基板に設けられた制御手段であって、前記第一の先読み予告を行うかどうかを判定する判定手段を含む制御手段であり、
前記第一の先読み予告条件が成立した場合とは、前記判定手段が前記第一の先読み予告を行うと判定した場合のことである、
ことを特徴とする遊技台。
【０７２８】
（付記ＰＲ−１４）
付記ＰＲ−４に記載の遊技台であって、
前記先読み予告手段は、第二の先読み予告条件の成立があった場合に、前記第二の先読み予告を実行する手段であり、
前記制御手段は、当否判定を実行可能な当否判定手段を含む第一の制御手段であり、
前記第一の制御手段からのコマンドに基づいて制御を実行可能な第二の制御手段を備え、
前記第二の制御手段は、前記第一の制御手段とは別基板に設けられた制御手段であって、前記第二の先読み予告を行うかどうかを判定する判定手段を含む制御手段であり、
前記第二の先読み予告条件が成立した場合とは、前記判定手段が前記第二の先読み予告を行うと判定した場合のことである、
ことを特徴とする遊技台。
【０７２９】
（付記ＰＲ−１５）
付記ＰＲ−１３又はＰＲ−１４に記載の遊技台であって、
前記第一の保留条件は、前記第一の始動領域に入球したことを一つの要件として、成立する条件であり、
前記第二の始動領域は、電動チューリップであり、
前記第二の保留条件は、前記電動チューリップに入球したことを一つの要件として、成立する条件であり、
前記第一の制御手段は、前記電動チューリップの羽根部材の開閉動作を制御可能な制御手段であり、
前記第二の制御手段は、前記先読み予告手段を制御可能な制御手段である、
ことを特徴とする遊技台。
【０７３０】
（付記ＰＲ−１６）
付記ＰＲ−１乃至付記ＰＲ−１５のうちいずれか１に記載の遊技台であって、
前記連続予告は、複数回の図柄変動表示中に、同一の態様による前記保留表示が行われる予告である、
ことを特徴とする遊技台。
【０７３１】
（付記ＰＲ−１７）
付記ＰＲ−１６に記載の遊技台であって、
前記連続予告は、前記複数回の図柄変動表示中に、前記保留表示が継続的に行われる予告である、
ことを特徴とする遊技台。
【０７３２】
（付記ＰＲ−１８）
付記ＰＲ−１６に記載の遊技台であって、
前記保留表示は、消去条件が成立している期間中は消去され、当該期間が終了したことに応じて復帰表示される表示である、
ことを特徴とする遊技台。
【０７３３】
（付記ＰＲ−１９）
付記ＰＲ−４に記載の遊技台であって、
前記連続予告の開始時期の一つは、前記第一の保留条件の成立の後である、
ことを特徴とする遊技台。
【０７３４】
（付記ＰＲ−２０）
付記ＰＲ−１乃至付記ＰＲ−１９のうちいずれか１に記載の遊技台であって、
第三の図柄表示手段と、
画像表示手段と、
を備え、
前記第三の図柄表示手段は、前記画像表示手段によって構成された表示手段であり、
前記画像表示手段は、前記第二の先読み予告として、予告画像を表示可能な手段である、
ことを特徴とする遊技台。
【符号の説明】
【０７３５】
１００    パチンコ機
１０２    遊技盤
１１０    装飾図柄表示装置
１１２    普図表示装置
１１４    第２特図表示装置
１１８    第２特図保留ランプ
１２２    一般入賞口
１２４    普図始動口
１２６    第１特図始動口
１２８    第２特図始動口
１３０    可変入賞口
１９８    第１特図表示装置
１９９    第１特図保留ランプ
３００    主制御部
３０４    ＣＰＵ
３０６    ＲＯＭ
３０８    ＲＡＭ
４００    副制御部
４０４    ＣＰＵ
４０６    ＲＯＭ
４０８    ＲＡＭ
６５０    電源管理装置
【図１】
0005935014.tif 000002
【図２】
0005935014.tif 000003
【図３】
0005935014.tif 000004
【図４】
0005935014.tif 000005
【図５】
0005935014.tif 000006
【図６】
0005935014.tif 000007
【図７】
0005935014.tif 000008
【図８】
0005935014.tif 000009
【図９】
0005935014.tif 000010
【図１０】
0005935014.tif 000011
【図１１】
0005935014.tif 000012
【図１２】
0005935014.tif 000013
【図１３】
0005935014.tif 000014
【図１４】
0005935014.tif 000015
【図１５】
0005935014.tif 000016
【図１６】
0005935014.tif 000017
【図１７】
0005935014.tif 000018
【図１８】
0005935014.tif 000019
【図１９】
0005935014.tif 000020
【図２０】
0005935014.tif 000021
【図２１】
0005935014.tif 000022
【図２２】
0005935014.tif 000023
【図２３】
0005935014.tif 000024
【図２４】
0005935014.tif 000025
【図２５】
0005935014.tif 000026
【図２６】
0005935014.tif 000027
【図２７】
0005935014.tif 000028
【図２８】
0005935014.tif 000029
【図２９】
0005935014.tif 000030